(57)【特許請求の範囲】
【請求項１】
遊技者による押圧操作の対象であって操作面を有する押圧操作部が形成され、当該押圧操作部が押圧操作されることでその押圧操作方向に変位する操作手段と、
前記押圧操作部よりも当該押圧操作部の押圧操作方向における奥側に配置された表示部と、
前記押圧操作部及び前記表示部の少なくとも何れかに設けられ、光を拡散する光拡散部と
を備え、
前記押圧操作部及び前記光拡散部は、光透過性を有し、それら押圧操作部及び光拡散部を通じて前記表示部の表示内容が視認可能となるように形成されており、
前記表示部を前記押圧操作部に近づく側と遠ざかる側とに変位させる駆動部を有し、前記表示部と前記押圧操作部との距離を調整する調整手段を備え、
前記調整手段は、前記操作手段が所定の操作位置に到達している状況下にて前記表示部を変位させることで、当該表示部を前記押圧操作部に対して当接又は近接する位置に配置させる手段と、前記操作手段が操作位置から初期位置に復帰する場合に前記表示部を前記操作手段と同一方向へ変位させる手段とを有していることを特徴とする遊技機。
【発明の詳細な説明】
【技術分野】
【０００１】
本発明は、遊技機に関するものである。
【背景技術】
【０００２】
例えばパチンコ遊技機等の遊技機においては、遊技者により操作される操作手段を備えているものが知られている。例えば、特許文献１に示すパチンコ遊技機では、遊技機前面に操作手段を設け、遊技者に有利な特別遊技状態等の発生を遊技者に期待させるために、遊技者の操作に応じて特別演出を画面表示等にて行うように構成されている。このように操作手段を採用した遊技機においては、操作手段を用いて遊技者の遊技への注目度を如何にして高めるかが重要な課題となっている。
【先行技術文献】
【特許文献】
【０００３】
【特許文献１】特開２００８−２９７６４号公報
【発明の概要】
【発明が解決しようとする課題】
【０００４】
ここで、単に操作手段の操作に応じて特別演出を行うだけでは、操作が単調になる等して新鮮味が薄れ、操作自体への興味が低下しやすくなると懸念される。つまり、遊技者に操作を促したとしても半ば機械的に操作がなされ、操作手段による遊技への注目度向上機能を上手く発揮させることが困難になると想定される。故に、操作手段を利用して遊技への注目度の向上を図る上では、未だ改善の余地がある。
【０００５】
本発明は、上記例示した事情等に鑑みてなされたものであり、遊技への注目度を好適に高めることが可能な遊技機を提供することを目的とするものである。
【課題を解決するための手段】
【０００６】
以下、上記課題を解決するための手段について記載する。
【０００７】
請求項１記載の発明は、
遊技者による押圧操作の対象であって操作面を有する押圧操作部が形成され、当該押圧操作部が押圧操作されることで、その押圧操作方向に変位する操作手段と、
前記押圧操作部よりも当該押圧操作部の押圧操作方向における奥側に配置された表示部と、
前記押圧操作部及び前記表示部の少なくとも何れかに設けられ、光を拡散する光拡散部と
を備え、
前記押圧操作部及び前記光拡散部は、光透過性を有し、それら押圧操作部及び光拡散部を通じて前記表示部の表示内容が視認可能となるように形成されており、
前記表示部を前記押圧操作部に近づく側と遠ざかる側とに変位させる駆動部を有し、前記表示部と前記押圧操作部との距離を調整する調整手段を備え、
前記調整手段は、前記操作手段が所定の操作位置に到達している状況下にて前記表示部を変位させることで、当該表示部を前記押圧操作部に対して当接又は近接する位置に配置させる手段と、前記操作手段が操作位置から初期位置に復帰する場合に前記表示部を前記操作手段と同一方向へ変位させる手段とを有していることを特徴とする。
【発明の効果】
【０００８】
遊技への注目度を好適に高めることができる。
【図面の簡単な説明】
【０００９】
【図１】第１の実施の形態におけるパチンコ機を示す正面図である。
【図２】パチンコ機を斜め前方から見た斜視図である。
【図３】パチンコ機の主要な構成を展開して示す斜視図である。
【図４】パチンコ機の主要な構成を展開して示す斜視図である。
【図５】内枠の構成を示す正面図である。
【図６】遊技盤の構成を示す正面図である。
【図７】内枠の構成を示す背面図である。
【図８】遊技盤の背面構成を示す斜視図である。
【図９】裏パックユニットの構成を示す正面図である。
【図１０】（ａ）操作スイッチユニットを示す平面図、（ｂ）図１０（ａ）のＡ−Ａ線部分断面図である。
【図１１】（ａ）通常状態での操作スイッチユニットを示す図、（ｂ）拡張状態での操作スイッチユニットを示す図である。
【図１２】第１の実施の形態におけるパチンコ機の電気的構成を示すブロック図である。
【図１３】遊技制御に用いる各種カウンタの概要を示す説明図である。
【図１４】主制御装置のＭＰＵにより実行されるタイマ割込み処理を示すフローチャートである。
【図１５】通常処理を示すフローチャートである。
【図１６】表示制御装置のＭＰＵにより実行されるコマンド判定処理を示すフローチャートである。
【図１７】操作領域拡張演出用処理を示すフローチャートである。
【図１８】図柄表示装置にて表示される操作領域拡張演出と操作スイッチユニットの操作との関係を説明するためのタイムチャートである。
【図１９】連続操作対応演出用処理を示すフローチャートである。
【図２０】図柄表示装置にて表示される連続操作対応演出と操作スイッチユニットの操作との関係を説明するためのタイムチャートである。
【図２１】第２の実施の形態におけるパチンコ機を斜め前方から見た斜視図である。
【図２２】（ａ）上皿ユニットを拡大して示す平面図、（ｂ）図２２（ａ）のＢ−Ｂ線部分断面図である。
【図２３】（ａ）図２２（ａ）のＣ−Ｃ線部分断面図、（ｂ）図２２（ｂ）のＤ−Ｄ線部分断面図である。
【図２４】連続操作対応演出実行時の操作の様子を示す概略図である。
【図２５】表示制御装置のＭＰＵにより実行されるコマンド判定処理を示すフローチャートである。
【図２６】第１連続操作対応演出用処理を示すフローチャートである。
【図２７】（ａ）は第３の実施の形態における操作スイッチユニットの平面外略図、（ｂ）は操作スイッチユニットの内部構造を示す外略図、（ｃ）は操作回数と操作領域ＡＥ及び操作ストロークとの関係を示すグラフである。
【図２８】（ａ）は規定操作回数選択用テーブルを示す概略図、（ｂ）は変動表示時間と演出態様との関係を示す概略図、（ｃ）は規定操作回数と演出によって示唆される大当たり結果の期待度との関係を示す概略図である。
【図２９】表示制御装置のＭＰＵにて実行される連続拡張演出用処理を示すフローチャートである。
【図３０】最大規定回数用特別設定処理を示すフローチャートである。
【図３１】連続拡張演出が実行される場合の図柄表示装置における表示内容や操作スイッチユニットの状態変化を示すタイムチャートである。
【図３２】連続拡張演出が実行される場合の図柄表示装置における表示内容や操作スイッチユニットの状態変化を示すタイムチャートである。
【図３３】（ａ）は第４の実施の形態における拡張演出用スキップ設定テーブルを示す図、（ｂ）は操作回数と操作領域及び操作ストロークとの関係を示すグラフである。
【図３４】表示制御装置のＭＰＵにて実行される連続拡張演出用の設定処理を示すフローチャートである。
【図３５】（ａ）は第５の実施の形態における操作スイッチユニットを上方から見た概略図、（ｂ）は図３５（ａ）のＥ−Ｅ線部分断面図である。
【図３６】操作スイッチユニットの変形態様を示す概略図である。
【図３７】表示制御装置のＭＰＵにて実行される操作スイッチ形態変更演出用処理を示すフローチャートである。
【図３８】（ａ）形態変更処理を示すフローチャート、（ｂ）第２単発操作用処理を示すフローチャートである。
【図３９】（ａ）は第６の実施の形態における操作スイッチユニットの内部構造を示す外略図、（ｂ）は操作スイッチユニットにかかる電気的構成を示す概略図である。
【図４０】（ａ）は第７の実施の形態における操作スイッチユニットを上方から見た概略図、（ｂ）は図４０（ａ）のＧ−Ｇ線部分断面図である。
【図４１】操作スイッチユニットを用いた操作対応演出を実行する際の操作スイッチユニットの変形態様を示す概略図である。
【図４２】第８の実施の形態における操作スイッチ形態変更演出用処理を示すフローチャートである。
【図４３】第９の実施の形態における操作スイッチユニットの内部構造を示す概略図である。
【図４４】発光ユニットを正面側から見た概略図である。
【図４５】操作スイッチユニットの動作を示す概略図である。
【図４６】表示制御装置のＭＰＵにて実行されるコマンド判定処理を示すフローチャートである。
【図４７】操作示唆用処理を示すフローチャートである。
【図４８】特別操作対応演出用処理を示すフローチャートである。
【図４９】発光演出開始用処理を示すフローチャートである。
【図５０】第３表示モードにかかる操作対応演出の流れを示すタイムチャートである。
【図５１】第２表示モードにかかる操作対応演出の流れを示すタイムチャートである。
【図５２】第１０の実施の形態における操作スイッチユニットの内部構造を示す概略図である。
【図５３】（ａ）は突出側ストッパ機構を示す概略図、（ｂ）は押圧側ストッパ機構を示す概略図である。
【図５４】操作スイッチユニットの動作を示す概略図である。
【図５５】表示制御装置のＭＰＵにて実行される操作スイッチユニット駆動演出用処理を示すフローチャートである。
【図５６】操作対応演出の流れを示すタイムチャートである。
【発明を実施するための形態】
【００１０】
＜第１の実施の形態＞
以下、遊技機の一種であるパチンコ遊技機（以下、「パチンコ機」という）の第１の実施の形態を、図面に基づいて詳細に説明する。図１はパチンコ機１０の正面図、図２はパチンコ機１０を斜め前方から見た斜視図、図３及び図４はパチンコ機１０の主要な構成を展開して示す斜視図である。なお、図３では便宜上パチンコ機１０の遊技領域内の構成を省略している。
【００１１】
図１に示すように、パチンコ機１０は、当該パチンコ機１０の外郭を形成する外枠１１と、この外枠１１に取り付けられた遊技機主部１２とを有している。
【００１２】
外枠１１は木製の板材を四辺に連結し構成されるものであって矩形枠状をなしている。パチンコ機１０は、外枠１１を島設備に取り付け固定することにより、遊技場の島設備に設置される。なお、パチンコ機１０において外枠１１は必須の構成ではなく、遊技場の島設備に外枠１１が備え付けられた構成としてもよい。
【００１３】
この外枠１１によって遊技機主部１２が開閉可能な状態で支持されている。具体的には、図２に示すように、外枠１１における上枠部と左枠部との連結部分に上側支持用金具１７が固定されており、さらに外枠１１における下枠部と左枠部との連結部分に下側支持用金具１８が固定されている。これら上側支持用金具１７及び下側支持用金具１８により支持機構が構成され、当該支持機構により外枠１１に対して遊技機主部１２がパチンコ機１０の正面視で左側を回動基端側、右側を回動先端側としてパチンコ機１０の前方へ回動可能とされている。
【００１４】
図３に示すように、遊技機主部１２は、ベース体としての内枠１３と、その内枠１３の前方に配置される前扉枠１４と、内枠１３の後方に配置される裏パックユニット１５（図４参照）とを備えている。なお、遊技機主部１２のうち内枠１３が外枠１１に対して回動可能に支持されている。
【００１５】
内枠１３における回動基端側の端部には、前扉枠１４が回動可能に取り付けられており、同前扉枠１４は正面視で左側を回動基端側とし右側を回動先端側として前方へ回動可能とされている。また、内枠１３における回動基端側の端部には、図４に示すように、裏パックユニット１５が回動可能に取り付けられており、同裏パックユニット１５が正面視で左側を回動基端側とし右側を回動先端側として後方へ回動可能とされている。
【００１６】
次に、前扉枠１４について説明する。図３に示すように、前扉枠１４は、外形が外枠１１とほぼ同一形状をなす合成樹脂製の枠体２０を主体に構成されており、内枠１３における前面側のほぼ全域を覆っている。枠体２０の中央部分には後述する遊技領域ＰＥのほぼ全域を遊技機前方から視認することができるようにした略楕円状の窓部２１（図１参照）が形成されており、その窓部２１はガラスユニット３０によって同前扉枠１４の背面側から覆われている。
【００１７】
図３に示すように、枠体２０には窓部２１を囲むようにしてガラスユニット設置部２２が形成されている。詳しくは、ガラスユニット設置部２２は、枠体２０の背面側に配されているとともにパチンコ機１０の前方に向けて凹んでおり、その底部に上記窓部２１が配設されている。ガラスユニット３０は、ガラスユニット設置部２２に嵌まることで上下方向及び左右方向への変位が規制されている。
【００１８】
ガラスユニット３０は、透明性を有するガラスパネル３１，３２と、それらガラスパネル３１，３２を保持するガラスホルダ３３とを備えている。ガラスホルダ３３は、窓部２１に沿って形成された環状の枠部を有しており、同枠部によって囲まれた領域にガラスパネル３１，３２が収容されている。
【００１９】
再び図１を参照して説明すれば、窓部２１の周囲には各種ランプ等の発光手段が設けられている。例えば、窓部２１の周縁に沿ってＬＥＤ等の発光手段を内蔵した環状電飾部２４が設けられている。環状電飾部２４では、大当たり時や所定のリーチ時等における遊技状態の変化に応じて点灯や点滅が行われる。より詳しくは、環状電飾部２４の中央であってパチンコ機１０の最上部には所定のエラー時に点灯する機能が付与されたトップランプ部２５が設けられ、窓部２１の左右両側には賞球払出中に点灯する機能が付与されたサイドランプ部２６が設けられている。また、トップランプ部２５の左右両側には、遊技状態に応じた効果音などが出力されるスピーカ部２７が設けられている。
【００２０】
図２に示すように、前扉枠１４における窓部２１の下方には、手前側へ膨出した上側膨出部２８と下側膨出部２９とが上下に並設されている。上側膨出部２８には上方に開口した上皿２８ａが設けられており、下側膨出部２９には同じく上方に開口した下皿２９ａが設けられている。上皿２８ａは、後述する払出装置より払い出された遊技球を一旦貯留し、一列に整列させながら後述する遊技球発射機構側へ導く機能を有している。また、下皿２９ａは、上皿２８ａ内にて余剰となった遊技球を貯留する機能を有している。
【００２１】
上側膨出部２８において上皿２８ａ（遊技球の貯留領域）よりも前側となる部位には、遊技者らにより手動操作される操作スイッチユニット４０が設けられている。操作スイッチユニット４０は、後述する図柄表示装置の表示画面等にて所定の演出を行わせることを目的として遊技の進行の過程で遊技者が所定の指示を行うための操作装置である。操作スイッチユニット４０の具体的な構成や、その操作に基づく所定の演出については後に詳しく説明する。
【００２２】
下側膨出部２９と横並びとなる位置には、手前側へ突出するようにして遊技球発射ハンドル４５が設けられている。遊技球発射ハンドル４５が操作されることにより、後述する遊技球発射機構から遊技球が発射される。
【００２３】
前扉枠１４の背面には、図３に示すように、通路形成ユニット５０が取り付けられている。通路形成ユニット５０は、合成樹脂により成形されており、上皿２８ａに通じる前扉側上皿通路と、下皿２９ａに通じる前扉側下皿通路とを有している。通路形成ユニット５０の上側隅部には後方に突出し上方に開放された受口部５３が形成されており、当該受口部５３を仕切壁５４によって左右に仕切ることで前扉側上皿通路の入口部分と前扉側下皿通路の入口部分とが形成されている。前扉側上皿通路及び前扉側下皿通路は上流側が後述する遊技球分配部に通じており、前扉側上皿通路に入った遊技球は上皿２８ａに導かれ、前扉側下皿通路に入った遊技球は下皿２９ａに導かれる。
【００２４】
次に、図５に基づき内枠１３について詳細に説明する。図５は内枠１３の正面図である。なお、図５においては、図３と同様にパチンコ機１０の遊技領域内の構成を省略している。
【００２５】
内枠１３は、外形が外枠１１とほぼ同一形状をなす樹脂ベース６０を主体に構成されている。樹脂ベース６０の前面における回動基端側（図５の左側）には、その上端部及び下端部に支持金具７１，７２が取り付けられている。また、前扉枠１４の背面における回動基端側（図２の左側）には、それら支持金具７１，７２に対応させて軸受け金具５７，５８が設けられている。支持金具７１，７２には軸部が形成されており、それら軸部が前扉枠１４の軸受け金具５７，５８の軸受け孔に挿入されることで内枠１３に対して前扉枠１４が回動可能に支持されている。つまり、これら支持金具７１，７２及び軸受け金具５７，５８は内枠１３に対する組付機構を構成している。
【００２６】
内枠１３の前面には施錠装置７５が設けられている。施錠装置７５は、前扉枠１４に向けて延びる複数の前扉用鉤部材７６を有している。これら前扉用鉤部材７６に対応させて、前扉枠１４の背面には内枠１３側に延びる鉤受け部材５９が複数設けられている（図３参照）。前扉用鉤部材７６が鉤受け部材５９に引っ掛かることにより前扉枠１４が閉じた状態で施錠される。また、図４に示すように、施錠装置７５は、内枠１３の後方へ延びる内枠用鉤部材７７を有している。これら内枠用鉤部材７７が外枠１１の鉤受け部材１９に引っ掛かることにより遊技機主部１２が外枠１１に対して閉じた状態で施錠される。
【００２７】
樹脂ベース６０の右下隅部には、施錠装置７５の解錠操作を行うためのシリンダ錠７８が設置されている。シリンダ錠７８は施錠装置７５に一体化されており、その先端部分（鍵穴部分）が上記前扉枠１４に設けられた孔部を通じてパチンコ機１０の前方に露出している。シリンダ錠７８の鍵穴に差し込んだキーを右に回すことで内枠１３に対する前扉枠１４の施錠が解除され、同キーを左に回すことで外枠１１に対する内枠１３の施錠が解除される。
【００２８】
樹脂ベース６０の前面における略中央部分には、遊技盤８０を収容する遊技盤収容部６１が形成されている。遊技盤収容部６１は、パチンコ機１０の後方に凹み、遊技盤８０を収容する収容空間を区画形成しており、樹脂ベース６０に取り付けられた遊技盤８０がその収容空間に嵌まった状態となっている。
【００２９】
遊技盤８０は、木製の合板と同合板における前側の板面を覆うシート材とを有してなり、その前面が遊技盤収容部６１の開放部分を通じて樹脂ベース６０の正面側に露出している。この露出している部位、すなわち遊技盤８０の前面には、遊技球が流下する遊技領域ＰＥが形成されている。既に説明したように遊技領域ＰＥはガラスパネル３１，３２によって覆われている。後側のガラスパネル３２は、遊技盤８０の前面との隙間が遊技球の直径よりも僅かに大きくなるように、すなわち遊技領域ＰＥを流下する遊技球が同遊技領域ＰＥの同一箇所にて前後に並ばないように配置されている。これにより、遊技領域ＰＥでの球詰まりを抑制している。なお、遊技盤８０は木製に限定されるものではなく、合成樹脂製とすることも可能である。
【００３０】
以下、図６に基づき遊技盤８０（特に遊技領域ＰＥに配された各種構成）について説明する。図６は遊技盤８０の正面図である。
【００３１】
遊技盤８０には、ルータ加工が施されることによって自身の厚さ方向（前後方向）に貫通する大小複数の開口が形成されている。各開口には、一般入賞口８１、可変入賞装置８２、作動口８３ａ，８３ｂ、スルーゲート８４及び可変表示ユニット８５等がそれぞれ設けられている。一般入賞口８１、可変入賞装置８２及び作動口８３ａ，８３ｂに遊技球が入ると、それら遊技球が後述する検知スイッチにより検知され、その検知結果に基づいて所定数の賞球の払い出しが実行される。その他に、遊技盤８０の最下部にはアウト口８６が設けられており、各種入賞口等に入らなかった遊技球はアウト口８６を通って遊技領域ＰＥから排出される。
【００３２】
また、遊技盤８０には、遊技球の流下経路を適宜分散，調整等するために多数の釘８７が植設されているとともに、風車等の各種部材（役物）が配設されている。これら釘８７や風車等の各種構成によって、遊技球の流下経路が分化され、上述した一般入賞口８１等への入賞が適度な確率で発生するように調整されている。
【００３３】
可変入賞装置８２は、通常は遊技球が入賞できない又は入賞しにくい閉状態になっており、大当たりの際に遊技球が入賞しやすい所定の開放状態に切り換えられるようになっている。可変入賞装置８２の開放態様としては、所定時間（例えば３０秒間）の経過又は所定個数（例えば１０個）の入賞を１ラウンドとして、同可変入賞装置８２の開放が複数ラウンド（例えば１５ラウンド）を上限として繰り返されるように設定されている。
【００３４】
可変表示ユニット８５は遊技盤８０の中央上寄りに配置されており、その下方に作動口８３ａ，８３ｂが配置されている。より詳しくは、作動口８３ａ，８３ｂは、作動口８３ａを上側、作動口８３ｂを下側として上下に並設されている。下側の作動口８３ｂには、左右一対の可動片よりなるガイド片（サポート片）としての電動役物が設けられている。電動役物は、作動口８３ｂへの入球が不可又は困難となる閉鎖状態（非サポート状態又は非ガイド状態）と、当該閉鎖状態よりも遊技球の入球が容易となる開放状態（サポート状態又はガイド状態）とに切り替え可能となっており、上記スルーゲート８４への入賞に基づく抽選に当選した場合に主制御装置によって開放状態となるように制御される。電動役物の開閉態様としては、上側の作動口８３ａよりも下側の作動口８３ｂへの入賞頻度が低くなるように設定された低頻度サポートモードと、上側の作動口８３ａよりも下側の作動口８３ｂへの入賞頻度が高くなるように設定された高頻度サポートモードとが設定されており、各作動口８３ａ，８３ｂへの入球に基づく抽選によって所定の当たり結果となった場合に低頻度サポートモードから高頻度サポートモードへ移行される構成となっている。
【００３５】
可変表示ユニット８５及び作動口８３ａ，８３ｂは、遊技性を司る部位であり遊技者の注意が集まりやすい。それら可変表示ユニット８５及び作動口８３ａ，８３ｂを遊技機中央において上下に並べて配置することで両者間での視線の移動量を抑え、遊技者の目に生じる負担の低減に貢献している。
【００３６】
可変表示ユニット８５は、作動口８３ａ，８３ｂへの入賞をトリガとして図柄を可変表示する図柄表示装置９４を備えている。図柄表示装置９４は、液晶ディスプレイ（表示画面９４ａ）を備えた液晶表示装置として構成されており、後述する表示制御装置によりその表示内容が制御されている。具体的には、表示画面９４ａにおいては、左，中，右に並べて図柄が表示され、これらの図柄が上下方向にスクロールされるようにして変動表示される。そして、大当たり発生時には、予め設定されている有効ライン上に所定の組合せの図柄が停止表示され、特別遊技状態へと移行される。なお、表示画面９４ａにおける表示態様を以下のように変更してもよい。すなわち、上段，中段，下段に並べて図柄を表示し、それら図柄を左右方向にスクロールさせるようにして変動表示させてもよい。
【００３７】
また、可変表示ユニット８５は、図柄表示装置９４を囲むようにして形成されたセンターフレーム９５を備えている。センターフレーム９５の上部には、第１特定ランプ部９６及び第２特定ランプ部９７が設けられている。また、センターフレーム９５の上部及び下部にはそれぞれ保留ランプ部９８，９９が設けられている。下側の保留ランプ部９８は、図柄表示装置９４及び第１特定ランプ部９６に対応しており、遊技球が作動口８３ａ，８３ｂを通過した回数は最大４回まで保留され保留ランプ部９８の点灯によってその保留個数が表示されるようになっている。上側の保留ランプ部９９は、第２特定ランプ部９７に対応しており、遊技球がスルーゲート８４を通過した回数は最大４回まで保留され保留ランプ部９９の点灯によってその保留個数が表示されるようになっている。
【００３８】
また、センターフレーム９５において表示画面９４ａの側方（左側）に位置する部分には、上記操作スイッチユニット４０が操作された場合にその操作回数を示唆する操作回数表示部９５ａが設けられている。操作回数表示部９５ａは、縦方向に複数の発光体（ＬＥＤ）が並べて実装された発光基板とそれを覆う透明カバーとを有してなり、後述する表示制御装置に対して電気的に接続されている。操作回数表示部９５ａは、操作スイッチユニット４０の操作が繰り返されることで下側の発光体から順に点灯するように、その表示内容が表示制御装置によって制御される。
【００３９】
再び図５を用いて説明すれば、樹脂ベース６０における遊技盤収容部６１（遊技盤８０）の下方には、遊技球発射ハンドル４５の操作に基づいて遊技領域ＰＥへ遊技球を発射する遊技球発射機構１１０が設けられている。遊技球発射機構１１０は、所定の発射待機位置に配置された遊技球を打ち出すソレノイド１１１と、同ソレノイド１１１によって打ち出された遊技球の発射方向を規定する発射レール１１２と、上記発射待機位置に遊技球を供給する球送装置１１３と、それら各種構成１１１〜１１３が装着されているベースプレート１１４とを主要な構成として備えており、同ベースプレート１１４が後述する補強プレートを介して樹脂ベース６０に取り付けられている。
【００４０】
発射レール１１２は、遊技盤８０側に向けて上り傾斜となるように、斜めに傾いた状態でベースプレート１１４に固定されている。発射レール１１２の下流側の端部（すなわち下端部）寄りとなる位置には、球送装置１１３から供給された遊技球を上述した発射待機位置に留める球ストッパが配されている。球ストッパよりも更に下流側となる位置に、上記ソレノイド１１１が配置されている。
【００４１】
ソレノイド１１１は、後述する電源・発射制御装置に対して電気的に接続されている。その電源・発射制御装置からの電気的な信号の出力に基づいてソレノイド１１１の出力軸が伸縮方向に往復動することにより、発射待機位置に置かれた遊技球が遊技盤８０側、詳しくは遊技盤８０に装着された誘導レール１００に向けて打ち出される。
【００４２】
誘導レール１００は、後述する遊技領域区画部材と共に遊技領域ＰＥを同遊技領域ＰＥの外形が略円形状となるように区画形成している。また、誘導レール１００は、遊技球の直径よりも若干大きな隙間を隔てて対峙するように配置された内レール１０１及び外レール１０２からなり、それら両レール１０１，１０２によって一条の誘導通路１０３が区画形成されている。誘導通路１０３は、発射レール１１２の先端側（斜め下方）に開放された入口部分１０４と、遊技領域ＰＥの上部に位置する出口部分１０５とを有している。ソレノイド１１１の動作に基づいて発射された遊技球は、発射レール１１２→誘導レール１００（入口部分１０４→出口部分１０５）の順に移動することにより遊技領域ＰＥに導かれる。なお、遊技盤８０において出口部分１０５の先側、詳しくは内レール１０１の先端付近には、遊技領域ＰＥに到達した遊技球の同誘導通路１０３内への逆戻りを防止する逆戻り防止部材１０６が取り付けられており、先んじて遊技領域ＰＥに至った遊技球によって後続する遊技球の打ち出しが妨げられることを抑制している。
【００４３】
誘導レール１００及び発射レール１１２は、同誘導レール１００の入口部分１０４と発射レール１１２の先端部分とが隙間を隔てて斜めに対峙するように配置されている。このようにして形成された隙間よりも下側にはファール球通路５５（図３参照）が配設されている。ファール球通路５５は前扉枠１４の通路形成ユニット５０に一体成形されている。仮に遊技球発射機構１１０から発射された遊技球が遊技領域ＰＥまで至らずファール球として誘導通路１０３内を逆戻りする場合には、それらファール球が上記隙間を介してファール球通路５５内に入ることとなる。ファール球通路５５は前扉側下皿通路に通じており、ファール球通路５５に入った遊技球は図１等に示した下皿２９ａに排出される。これにより、ファール球と次に発射される遊技球との干渉が抑制される。
【００４４】
また、樹脂ベース６０には、遊技盤収容部６１からの遊技盤８０の取り外しを不可とするロック状態と、同遊技盤８０の取り外しを許容するアンロック状態とに切替可能なロック装置が複数設けられている。ロック装置はロック状態にて遊技盤８０の前面に当接する当接部を有しており、同当接部が遊技盤８０の前面に当接することによって遊技盤８０の前扉枠１４側への変位が抑えられることとなる。
【００４５】
樹脂ベース６０において発射レール１１２の左方（詳しくは前扉枠１４を支持している側）には樹脂ベース６０を前後方向に貫通する貫通孔が形成されており、この貫通孔を覆うようにして通路形成部材１２１が配設されている。通路形成部材１２１は、樹脂ベース６０に対してネジ止めされており、本体側上皿通路１２２と本体側下皿通路１２３とを有している。それら本体側上皿通路１２２及び本体側下皿通路１２３の上流側は、後述する遊技球分配部に通じている。また、通路形成部材１２１の下方には前扉枠１４に取り付けられた通路形成ユニット５０の受口部５３（図３参照）が入り込んでおり、本体側上皿通路１２２の下方には前扉側上皿通路が配置され、本体側下皿通路１２３の下方には前扉側上皿通路が配置されている。
【００４６】
樹脂ベース６０において通路形成部材１２１の下方には、本体側上皿通路１２２及び本体側下皿通路１２３からの遊技球の流出を規制するシャッタ１２４が設けられている。シャッタ１２４は、両通路の出口部分を狭め遊技球の流出を阻止する阻止位置と、遊技球の流出を許容する許容位置との両位置に切り替え可能な状態で樹脂ベース６０によって支持されている。また、樹脂ベース６０にはシャッタ１２４を阻止位置に向けて付勢する付勢部材が取り付けられており、前扉枠１４を内枠１３に対して開いた状態では付勢部材の付勢力によってシャッタ１２４が阻止位置に留まる構成となっている。これにより、本体側上皿通路１２２又は本体側下皿通路１２３に遊技球が貯留されている状態で前扉枠１４を開放した場合に、その貯留球がこぼれ落ちてしまうといった不都合が回避されている。これに対し、前扉枠１４を閉じた状態では、前扉枠１４の通路形成ユニット５０に設けられた受口部５３により上記付勢力に抗してシャッタ１２４が許容位置に押し戻される。この状態では、本体側上皿通路１２２及び前扉側上皿通路と、本体側下皿通路１２３及び前扉側下皿通路とがそれぞれ連通し、遊技球の移動が許容されることとなる。
【００４７】
次に、図７を参照して内枠１３（樹脂ベース６０及び遊技盤８０）の背面構成について説明する。図７は内枠１３の背面図である。
【００４８】
樹脂ベース６０の背面における回動基端側（図７の右側）には、軸受け金具１３２が取り付けられている。軸受け金具１３２には、上下に離間させて軸受け部１３３が形成されており、これら軸受け部１３３により内枠１３に対して裏パックユニット１５が回動可能に取り付けられている。また、樹脂ベース６０の背面には、裏パックユニット１５を内枠１３に固定するための固定レバー１３４が複数設けられている。
【００４９】
既に説明したように樹脂ベース６０における遊技盤収容部６１の底部分には樹脂ベース６０の厚さ方向に貫通し同樹脂ベース６０の背面側に開放された中央開口６４が形成されており、その中央開口６４が遊技盤収容部６１に収容された遊技盤８０によって内枠１３の正面側から覆われている。遊技盤８０の背面には制御装置等の各種構成が搭載されており、それら各種構成は中央開口６４を通じて内枠１３の背側に露出した状態となっている。ここで、図８に基づき遊技盤８０の背面の構成について詳細に説明する。図８は遊技盤８０を後方から見た斜視図である。
【００５０】
遊技盤８０の背面には、可変表示ユニット８５（図６参照）を遊技盤８０に対して搭載する合成樹脂製の台座部材１４１が固定されている。台座部材１４１は、遊技盤８０側に開放された略箱状をなしており遊技盤８０の背面のほぼ全域を覆っている。台座部材１４１の一部は樹脂ベース６０の中央開口６４を通じて同樹脂ベース６０の背面側に突出しており、その突出した部分に対して上述した図柄表示装置９４（図６参照）と、その図柄表示装置９４を駆動するための表示制御装置とが取り付けられている。これら図柄表示装置９４及び表示制御装置は前後方向（樹脂ベース６０の厚さ方向）に図柄表示装置が前側且つ表示制御装置が後側となるように重ねて配置されている。さらに、遊技盤８０には、表示制御装置の後方に位置するようにして音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【００５１】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【００５２】
音声ランプ制御装置ユニット１４２の下方には、台座部材１４１を後方から覆うようにして主制御装置ユニット１６０が設けられている。主制御装置ユニット１６０は、遊技盤８０の背面に固定された合成樹脂製の取付台１６１と、その取付台１６１に搭載された主制御装置１６２とを有している。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００５３】
基板ボックス１６３は、略直方体形状のボックスベース（表ケース体）とこのボックスベースの開口部を覆うボックスカバー（裏ケース体）とを備えている。これらボックスベースとボックスカバーとは封印手段としてのボックス封印部１６４によって開封不能に連結され、これにより基板ボックス１６３が封印されている。ボックス封印部１６４は、基板ボックス１６３の短辺部に複数設けられ、そのうち少なくとも１つが用いられて封印処理が行われる。
【００５４】
ボックス封印部１６４はボックスベースとボックスカバーとを開封不能に結合する構成であれば任意の構成が適用できるが、ボックス封印部１６４を構成する係止孔部に係止ピンを挿入することでボックスベースとボックスカバーとが開封不能に結合されるようになっている。ボックス封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、複数のボックス封印部１６４のうち、少なくとも１つの係止孔部に係止ピンを挿入することにより封印処理が行われる。そして、収容した主制御基板の不具合発生の際や主制御基板の検査の際など基板ボックス１６３を開封する場合には、係止ピンが挿入されたボックス封印部と基板ボックス１６３本体との連結部分を切断する。これにより、基板ボックス１６３のボックスベースとボックスカバーとが分離され、内部の主制御基板を取り出すことができる。その後、再度封印処理する場合は他の係止孔部に係止ピンを挿入する。基板ボックス１６３の開封を行った旨の履歴を当該基板ボックス１６３に残しておけば、基板ボックス１６３を見ることで不正な開封が行われた旨が容易に発見できる。
【００５５】
基板ボックス１６３と取付台１６１とは台座封印部１６５によって開封不能に連結されている。詳しくは、台座封印部１６５は、ボックス封印部１６４と同様に係止孔部及び係止ピンを有しており、係止孔部に対して係止ピンが挿入されることで基板ボックス１６３と取付台１６１とが分離不能に結合されるようになっている。これにより、基板ボックス１６３の不正な取り外しが行われた場合に、その事実を把握しやすくなっている。
【００５６】
台座部材１４１において遊技盤８０の背面と対向している部分には、前記一般入賞口８１，可変入賞装置８２，上作動口８３ａ，下作動口８３ｂの遊技盤開口部に対応し且つ下流側で１カ所に集合する回収通路が形成されている。これにより、一般入賞口８１等に入賞した遊技球は何れも回収通路を介して遊技盤８０の下方に集合する構成となっている。つまり、台座部材１４１には各種入賞口に入賞した遊技球を回収する機能が付与されている。
【００５７】
遊技盤８０の下方には後述する排出通路が配されており、回収通路によって遊技盤８０の下方に集合した遊技球は排出通路内に導出される。なお、アウト口８６についても同様に排出通路に通じており、何れの入賞口にも入賞しなかった遊技球はアウト口８６を介して排出通路内に導出される。
【００５８】
また、上記回収通路には、遊技盤８０表側の一般入賞口８１に入賞した遊技球を検知する入賞口スイッチと、可変入賞装置８２に入賞した遊技球を検知するカウントスイッチと、作動口８３ａ，８３ｂに入った遊技球を検知する作動口スイッチとが装着されており、それら各種スイッチによって入賞検知機構が構成されている。更に、台座部材１４１において可変表示ユニット８５の左右両側には、スルーゲート８４を通過する遊技球を検知するゲートスイッチが設けられている。これら各種スイッチは主制御装置１６２に対して電気的に接続されており、各スイッチによる検知情報が同主制御装置１６２に出力される構成となっている。
【００５９】
次に、図４及び図９に基づき裏パックユニット１５について説明する。図９は裏パックユニット１５の正面図である。
【００６０】
図４に示したように、内枠１３は裏パックユニット１５によって後方から覆われている。裏パックユニット１５は、図９に示すように、裏パック２０１を備えており、当該裏パック２０１に対して、払出機構部２０２、排出通路盤及び制御装置集合ユニット２０４が取り付けられている。
【００６１】
裏パック２０１は透明性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８５を囲むのに十分な大きさを有する。
【００６２】
ベース部２１１には、その右上部に外部端子板（図示略）が設けられている。外部端子板には各種の出力端子が設けられており、これらの出力端子を通じて遊技ホール側の管理制御装置に対して各種信号が出力される。また、ベース部２１１にはパチンコ機１０後方からみて右端部に上下一対の掛止ピン２１４が設けられており、掛止ピン２１４を内枠１３に設けられた前記軸受け部１３３に挿通させることで、裏パックユニット１５が内枠１３に対して回動可能に支持されている。ベース部２１１には、内枠１３に設けられた固定レバー１３４が挿通される複数の挿通部２１５が形成されており、固定レバー１３４が挿通部２１５に挿通された状態にてベース部２１１に後方から当接することにより内枠１３に対して裏パックユニット１５が固定されている。
【００６３】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【００６４】
遊技球分配部２２５は、払出装置２２４より払い出された遊技球を上皿２８ａ、下皿２９ａ又は後述する排出通路の何れかに振り分けるための機能を有し、内側の開口部が上述した本体側上皿通路１２２及び前扉側上皿通路を介して上皿２８ａに通じ、外側の開口部が本体側下皿通路１２３及び前扉側下皿通路を介して下皿２９ａに通じるように形成されている。
【００６５】
ベース部２１１の下端部には、当該下端部を前後に挟むようにして排出通路盤及び制御装置集合ユニット２０４が取り付けられている。排出通路盤には、制御装置集合ユニット２０４と対向する面に後方に開放された排出通路が形成されており、当該排出通路の開放部は制御装置集合ユニット２０４によって塞がれている。排出通路は、遊技ホールの島設備等へ遊技球を排出するように形成されており、上述した回収通路等から排出通路に導出された遊技球は当該排出通路を通ることでパチンコ機１０外部に排出される。
【００６６】
制御装置集合ユニット２０４は、横長形状をなす取付台２４１を有し、取付台２４１に払出制御装置２４２と電源・発射制御装置２４３とが搭載されている。これら払出制御装置２４２と電源・発射制御装置２４３とは、払出制御装置２４２がパチンコ機１０後方となるように前後に重ねて配置されている。
【００６７】
払出制御装置２４２においては基板ボックス２４４内に払出装置２２４を制御する払出制御基板が収容されており、当該払出制御基板に設けられた状態復帰スイッチ２４５が基板ボックス２４４外に突出している。例えば、払出装置２２４における球詰まり等、払出エラーの発生時において状態復帰スイッチ２４５が押されると、球詰まりの解消が図られるようになっている。
【００６８】
電源・発射制御装置２４３は、基板ボックス２４６内に電源・発射制御基板が収容されており、当該基板により、各種制御装置等で要する所定の電源が生成されて出力され、さらに遊技者による遊技球発射ハンドル４５の操作に伴う遊技球の打ち出しの制御が行われる。また、電源・発射制御装置２４３には電源スイッチ２４７が設けられている。電源スイッチ２４７を操作することにより、パチンコ機１０の電源を投入状態（オン状態）又は遮断状態（オフ状態）に切り替え可能となっている。
【００６９】
ここで、本パチンコ機１０は各種データの記憶保持機能を有しており、万一停電が発生した際でも停電時の状態を保持し、停電からの復帰の際には停電時の状態に復帰できるようになっている。例えば遊技ホールの営業終了の場合のように通常手順で電源を遮断すると遮断前の状態が記憶保持される。上記主制御装置１６２には、ＲＡＭ消去スイッチ１６６が設けられている。当該ＲＡＭ消去スイッチ１６６を押しながら電源を投入すると、ＲＡＭデータが初期化されるようになっている。
【００７０】
（操作スイッチユニット４０）
次に、図１０を参照して前扉枠１４に設けられた操作スイッチユニット４０及びそれに関連する構成について詳しく説明する。図１０（ａ）は操作スイッチユニット４０及びその周辺部位を拡大して示す上側膨出部２８の平面図、図１０（ｂ）は図１０（ａ）のＡ−Ａ線部分断面図である。
【００７１】
図１０（ａ）に示すように、前扉枠１４の上側膨出部２８において上皿２８ａ（遊技球の貯留領域）よりも前側に位置する部分には、操作スイッチユニット４０を収容するユニット収容部２８ｂが形成されている。ユニット収容部２８ｂは上方に開放された凹状をなしており、その開放部分を通じて操作スイッチユニット４０の一部が上方に露出した状態となっている。
【００７２】
操作スイッチユニット４０は、外形がユニット収容部２８ｂの内形に合わせて形成されたハウジング３１０を備えている。図１０（ｂ）に示すように、ハウジング３１０は、ハウジング３１０の外郭を構成しユニット収容部２８ｂの周壁部に対して当接する外側筒状部３１１と、外側筒状部３１１よりもひと回り小さく形成され外側筒状部３１１に対してハウジング３１０の内側から対向する内側筒状部３１２と、それら両筒状部３１１、３１２を繋ぎ外側筒状部３１１とともにハウジング３１０の外郭を構成する天板部３１３とを有してなり、外側筒状部３１１に形成された爪部（図示略）がユニット収容部２８ｂに形成された受け部（図示略）に引っ掛かることでユニット収容部２８ｂからの取り外しが規制されている。
【００７３】
天板部３１３はユニット収容部２８ｂにおける開放部分の一部を覆っており、その中央部分には内側筒状部３１２によって囲まれた領域に連通するようにして中央開口３１４が形成されている。内側筒状部３１２には操作部（押圧操作部）としての押しボタン部材３２０が収容されており、押しボタン部材３２０の一部が中央開口３１４を通じて上方に露出している。これにより押しボタン部材３２０へのアクセスが許容されている。
【００７４】
本実施の形態においては、押しボタン部材３２０へのアクセス経路としての窓開口ＯＰを形成するシャッタ機構が採用されている。このシャッタ機構が動作することにより窓開口ＯＰの大きさが変更されることとなる。
【００７５】
具体的には、ハウジング３１０において中央開口３１４の左右両側には、中央開口３１４の一部を覆う閉位置と、中央開口３１４を覆わない開位置とに移動可能なシャッタ部材３３０が設けられている。シャッタ部材３３０は天板部３１３と平行な平板状をなしており、天板部３１３にはシャッタ部材３３０を収容可能な横長状のスリット３１５が形成されている。スリット３１５は、互いに向かい合う側（中央開口３１４側）に開放されており、この開放部分を通じてシャッタ部材３３０が互いに近づく側と遠ざかる側とにスライド移動可能となっている。
【００７６】
つまり、操作スイッチユニット４０は遊技者側に露出している部分（押しボタン部材３２０やシャッタ部材３３０）が変形可能となるように構成されており、当該露出している部分が変形することで、遊技者が視覚的又は触覚的に操作スイッチユニット４０が変形したことを把握することが可能となっている。
【００７７】
ハウジング３１０には、シャッタ部材３３０を閉位置へ向けて付勢する付勢手段としてのシャッタ用バネ部材３３５が設けられており、これらシャッタ用バネ部材３３５によって各シャッタ部材３３０が閉位置へ向けて常時付勢された状態となっている。天板部３１３には、シャッタ部材３３０に対して付勢方向における先側から当接することによりそれ以上の中央開口３１４側への移動を規制するストッパ部３１６が形成されており、これらストッパ部３１６に対してシャッタ部材３３０が当接した状態では、シャッタ部材３３０における中央開口３１４側の端部同士が当該中央開口３１４の中央にて当接している（図１０（ａ）参照）。このようにしてストッパ部３１６に当接する位置（すなわち閉位置）が、シャッタ部材３３０の初期位置となっている。
【００７８】
図１０（ａ）に示すように、シャッタ部材３３０において相対峙する側の端部には、半円状をなす切欠き部３３１が設けられている。各シャッタ部材３３０が閉位置に配置された状態ではそれら切欠き部３３１によって、両シャッタ部材３３０に跨る円形の窓開口ＯＰが形成される。つまり、両シャッタ部材３３０が閉位置に待機している状態では、この窓開口ＯＰを通じて押しボタン部材３２０の一部へのアクセスが許容されている。言い換えれば、押しボタン部材３２０において操作可能となる部位がシャッタ部材３３０によって制限されている。
【００７９】
また、ハウジング３１０には、シャッタ部材３３０を開位置へ移動させる駆動手段としてのソレノイド３４０と、発生した駆動力をシャッタ部材３３０に伝える駆動力伝達手段としてギア３４５とが設けられている。ソレノイド３４０は、表示制御装置４１０に対して電気的に接続されており、この表示制御装置４１０からの駆動信号に基づいて非励磁状態から励磁状態に切り替わる構成となっている。ソレノイド３４０が励磁状態となることで、シャッタ用バネ部材３３５の付勢力に抗してシャッタ部材３３０が開位置へと移動する。これらシャッタ部材３３０、ソレノイド３４０、ギア３４５によりシャッタ機構（可変式の実開口形成手段）が構成されている。
【００８０】
シャッタ部材３３０が閉位置から開位置へ移動した場合には、窓開口ＯＰが拡張されることで、同シャッタ部材３３０における操作可能領域（アクセス可能領域）の占める割合が大きくなる。また、本実施の形態においては押しボタン部材３２０が移動可能に設けられており、シャッタ部材３３０の動きに合わせて押しボタン部材３２０の位置も変化することとなる。以下、押しボタン部材３２０にかかる構成について説明し、その後、押しボタン部材３２０とシャッタ部材３３０との関係について補足説明する。
【００８１】
押しボタン部材３２０は、内側筒状部３１２の中心軸線ＣＬと同じ方向（上下方向）への移動が許容されているとともに、中心軸線ＣＬと交差する方向への移動が規制されている。具体的には、押しボタン部材３２０は内側筒状部３１２の中心軸線方向と同じ方向に延びる筒状の胴体部３２１を有しており、この胴体部３２１の外周面が内側筒状部３１２の内周面に対して当接することで上記中心軸線ＣＬと交差する方向への移動が規制されている。
【００８２】
胴体部３２１における中央開口３１４側の端部（上側の端部）には、遊技者による操作対象としての操作面部３２２が一体形成されている。操作面部３２２は上方に凸となる曲面状をなしており、操作時に指等に局所的な負荷が生じることを抑制している。
【００８３】
なお、押しボタン部材３２０を透明又は半透明の合成樹脂材料にて形成するとともに、その裏面側に光拡散板を固着し、さらには当該光拡散板にその裏側から光を照射するＬＥＤなどの発光体を設け、押しボタン部材３２０の操作面部３２２を通じて光を放射する構成としてもよい。この場合、押しボタン部材３２０の装飾性が高められる。また、発光制御を行うことで、操作面部３２２に、例えば「ＰＵＳＨ」、「押！」、「ＣＨＡＮＣＥ」等の遊技者に押し操作を促すような文字や記号を所定のタイミングで表示する構成としてもよい。
【００８４】
胴体部３２１には、押しボタン部材３２０を中央開口３１４から突出する側へ付勢する付勢手段としてのボタン用バネ部材３２５が内蔵されている。シャッタ部材３３０が閉位置に待機している場合には操作面部３２２に対してシャッタ部材３３０が付勢方向における先側から当接することで押しボタン部材３２０のそれ以上の突出が規制されている。
【００８５】
本実施の形態においては、窓開口ＯＰから操作面部３２２の頂部が露出する構成とが採用されており、シャッタ部材３３０の端部（例えば切欠き部３３１）が操作面部３２２において斜め上方を向いている部分に当接している。このため、ボタン用バネ部材３２５の付勢力が押しボタン部材３２０を通じてシャッタ部材３３０に伝わり、シャッタ部材３３０が上方だけでなく開位置に向けて押されることとなる。しかしながら、シャッタ用バネ部材３３５の付勢力はボタン用バネ部材３２５の付勢力よりも大きく設定されているため、押しボタン部材３２０によって押されたシャッタ部材３３０が開位置へ後退することが回避される。このため、シャッタ部材３３０がストッパとして機能している状態では、押しボタン部材３２０によって押されたシャッタ部材３３０が移動することはなく、閉位置に留まり続ける。なお、ボタン用バネ部材３２５の付勢力の一部を天板部３１３に分散し、更には複数のシャッタ部材３３０を採用して同付勢力を分散したことで、シャッタ部材３３０のストッパ機能が好適に担保されている。
【００８６】
シャッタ部材３３０が開位置へ移動した場合には、シャッタ部材３３０が押しボタン部材３２０の移動経路から外れることで同シャッタ部材３３０のストッパとしての機能が無効となる。なお、シャッタ部材３３０によって押しボタン部材３２０の移動の可否を切り替えることができる点に着目すれば、シャッタ部材３３０を「可動式のストッパ」と称することも可能である。
【００８７】
ハウジング３１０には、シャッタ部材３３０が開位置に配置された場合に、同シャッタ部材３３０に代わって押しボタン部材３２０の移動を規制する他のストッパ（固定式のストッパ）が採用されている。詳しくは、胴体部３２１において中央開口３１４側とは反対の端部には中心軸線ＣＬの放射方向へ突出するフランジ部３２３が形成されており、ハウジング３１０には、同フランジ部３２３に対してシャッタ用バネ部材３３５による付勢方向の先側（上方）から当接可能な第１当接部３１７が形成されている。押しボタン部材３２０の移動がシャッタ部材３３０によって規制されている状態では、第１当接部３１７とフランジ部３２３とが隙間を隔てて対峙しているものの、シャッタ部材３３０が開位置へ移動して押しボタン部材３２０が更に突出した場合には第１当接部３１７に対してフランジ部３２３が当接することで、それ以上の突出が回避されることとなる。つまり、シャッタ部材３３０に代わって第１当接部３１７がストッパとして機能することとなる。
【００８８】
また、ハウジング３１０には中央開口３１４側とは反対（下方）から押しボタン部材３２０のフランジ部２３３に当接可能な第２当接部３１８が設けられており、フランジ部２３３が第２当接部３１８に当たることでそれ以上の後退が規制される構成となっている。つまり、これら両当接部３１７，３１８によって押しボタン部材３２０の移動範囲が以下のように規定されている。すなわち、押しボタン部材３２０は、第１当接部３１７によって移動が規制されている最大突出位置と、第２当接部３１８によって移動が規制されている最大押込位置との両位置間での移動が許容されている。シャッタ部材３３０によって移動が規制された状態では、最大突出位置と最大押込位置との中間位置にて待機する。このように閉位置に配されたシャッタ部材３３０に対して当接した状態が、操作スイッチユニット４０の通常状態である。なお、ボタン用バネ部材３２５は、押しボタン部材３２０が上記移動範囲におけるどの位置に存在している場合であっても、付勢機能が担保されるように構成されている。
【００８９】
（操作スイッチユニット４０の動作）
本実施の形態では、押しボタン部材３２０の操作面部３２２において上方に露出する領域、すなわち直接触れて操作可能となる領域（以下、操作領域ＡＥと称する）を、遊技状況に応じて変更することを特徴の１つとしている。そこで以下、図１１を参照して、操作領域ＡＥを変更する際の操作スイッチユニット４０の動作について説明する。図１１は操作スイッチユニット４０の動作説明図である。操作領域ＡＥが拡張される場合には操作スイッチユニット４０が図１１（ａ）の状態から図１１（ｂ）の状態に切り替わり、操作領域が縮小される場合には操作スイッチユニット４０が図１１（ｂ）の状態から図１１（ａ）の状態に切り替わる。
【００９０】
先ず、操作領域ＡＥが拡張される場合について説明する。ソレノイド３４０が励磁されていない場合、すなわち表示制御装置４１０から駆動信号が出力されていない場合には、シャッタ用バネ部材３３５の付勢力によってシャッタ部材３３０が閉位置に待機した状態となっている（図１１（ａ）参照）。かかる状態では、押しボタン部材３２０の操作面部３２２がシャッタ部材３３０に対して下側から当接することで、押しボタン部材３２０のそれ以上の突出が抑えられている。
【００９１】
ここで、ソレノイド３４０が励磁されると、図１１（ａ）→図１１（ｂ）に示すように、シャッタ部材３３０がシャッタ用バネ部材３３５の付勢力に抗して開位置へと移動する。これにより、操作面部３２２において上方に露出している部分が占める割合が大きくなる。押しボタン部材３２０については、第１当接部３１７に対して当接しているわけではなく、突出側への移動の余地が残っている。このため、ボタン用バネ部材３２５の付勢力によりシャッタ部材３３０の移動に合わせて最大突出位置へ向けて移動する。これにより、中央開口３１４からの突出量が増大し、操作面部３２２へのアクセスが容易化される。また、押しボタン部材３２０の操作ストロークが増大する。
【００９２】
次に、操作領域ＡＥが縮小される場合（通常状態に復帰する場合）について説明する。ソレノイド３４０に対する駆動信号の出力が停止すると、ソレノイド３４０が非励磁状態となり、図１１（ｂ）→図１１（ａ）に示すように、シャッタ部材３３０がシャッタ用バネ部材３３５の付勢力によって閉位置へ移動する。この際、シャッタ部材３３０が操作面部３２２をボタン用バネ部材３２５の付勢方向とは反対側へ押すことなる。操作面部３２２を付勢方向と反対側へ押す力は、ボタン用バネ部材３２５の付勢力よりも大きく設定されているため、押しボタン部材３２０がボタン用バネ部材３２５の付勢力に抗して後退する。これにより、操作領域ＡＥが縮小されるとともに、押しボタン部材３２０の操作ストロークが減少する。
【００９３】
次に、第１の実施の形態におけるパチンコ機１０の電気的構成について、図１２のブロック図に基づき説明する。図１２では、電力の供給ラインを二重線矢印で示し、信号ラインを実線矢印で示す。
【００９４】
主制御装置１６２に設けられた主制御基板４０１には、ＭＰＵ４０２が搭載されている。ＭＰＵ４０２には、当該ＭＰＵ４０２により実行される各種の制御プログラムや固定値データを記憶したＲＯＭ４０３と、そのＲＯＭ４０３内に記憶される制御プログラムの実行に際して各種のデータ等を一時的に記憶するためのメモリであるＲＡＭ４０４と、割込回路やタイマ回路、データ入出力回路などの各種回路が内蔵されている。
【００９５】
ＭＰＵ４０２には、入力ポート及び出力ポートがそれぞれ設けられている。ＭＰＵ４０２の入力側には、主制御装置１６２に設けられた停電監視基板４０５、払出制御装置２４２及びその他図示しないスイッチ群などが接続されている。この場合に、停電監視基板４０５には電源・発射制御装置２４３が接続されており、ＭＰＵ４０２には停電監視基板４０５を介して電力が供給される。また、スイッチ群の一部として、作動口８３ａ，８３ｂや可変入賞装置８２等の各種入球部に設けられた複数の検知センサが接続されており、主制御装置１６２のＭＰＵ４０２において入球部への入球判定が行われる。また、ＭＰＵ４０２では、入球部のうち作動口８３ａ，８３ｂへの入球に基づいて大当たり発生抽選を実行する。
【００９６】
ここで、ＭＰＵ４０２にて大当たり発生抽選等を行う上での電気的な構成について図１３を用いて説明する。
【００９７】
ＭＰＵ４０２は遊技に際し各種カウンタ情報を用いて、大当たり発生抽選、第１特定ランプ部９６の発光色の設定や、図柄表示装置９４の図柄表示の設定などを行うこととしており、具体的には、大当たり発生の抽選に使用する大当たり乱数カウンタＣ１と、確変大当たり状態や通常大当たり状態等の大当たり種別を判定する際に使用する大当たり種別カウンタＣ２と、図柄表示装置９４が外れ変動する際のリーチ抽選に使用するリーチ乱数カウンタＣ３と、大当たり乱数カウンタＣ１の初期値設定に使用する乱数初期値カウンタＣＩＮＩと、図柄表示装置９４の変動パターン選択に使用する第１変動種別カウンタＣＳ１と、第１特定ランプ部９６に表示される色の切り替えを行う期間及び図柄表示装置９４における図柄の変動表示時間を決定する第２変動種別カウンタＣＳ２と、外れ図柄の組み合わせの設定に使用する外れ図柄カウンタＣ４とを用いることとしている。
【００９８】
このうち、カウンタＣ１〜Ｃ３，ＣＩＮＩ，ＣＳ１，ＣＳ２は、その更新の都度前回値に１が加算され、最大値に達した後０に戻るループカウンタとなっている。また、外れ図柄カウンタＣ４は、ＭＰＵ４０２内のＲレジスタ（リフレッシュレジスタ）を用いてレジスタ値が加算され、結果的に数値がランダムに変化する構成となっている。各カウンタは短時間間隔で更新され、その更新値がＲＡＭ４０４の所定領域に設定されたカウンタ用バッファに適宜格納される。ＲＡＭ４０４には、１つの実行エリアと４つの保留エリア（保留第１〜第４エリア）とからなる保留球格納バッファが設けられており、これらの各エリアには、作動口８３ａ，８３ｂへの遊技球の入球履歴に合わせて、大当たり乱数カウンタＣ１、大当たり種別カウンタＣ２及びリーチ乱数カウンタＣ３の各値が時系列的に格納されるようになっている。
【００９９】
各カウンタについて詳しくは、大当たり乱数カウンタＣ１は、例えば０〜６７６の範囲内で順に１ずつ加算され、最大値（つまり６７６）に達した後０に戻る構成となっている。特に大当たり乱数カウンタＣ１が１周した場合、その時点の乱数初期値カウンタＣＩＮＩの値が当該大当たり乱数カウンタＣ１の初期値として読み込まれる。なお、乱数初期値カウンタＣＩＮＩは、大当たり乱数カウンタＣ１と同様のループカウンタである（値＝０〜６７６）。大当たり乱数カウンタＣ１は定期的に更新され、遊技球が作動口８３ａ，８３ｂに入球したタイミングでＲＡＭ４０４の保留球格納バッファに格納される。つまり、本パチンコ機１０（具体的には、ＭＰＵ４０２）は、所定の抽選開始条件の成立に基づいて大当たり状態の発生の有無を抽選する大当たり発生抽選手段を備えている。
【０１００】
大当たり種別カウンタＣ２は、０〜４９の範囲内で順に１ずつ加算され、最大値（つまり４９）に達した後０に戻る構成となっている。そして、本実施の形態では、大当たり種別カウンタＣ２によって、大当たり状態が終了した後に、確変状態（高確率状態）とするか通常状態（低確率状態）とするかを決定することとしている。大当たり種別カウンタＣ２は定期的に更新され、遊技球が作動口８３ａ，８３ｂに入球したタイミングでＲＡＭ４０４の保留球格納バッファに格納される。つまり、本パチンコ機１０（具体的には、ＭＰＵ４０２）は、所定の抽選開始条件の成立に基づいて大当たり状態の種別を抽選する大当たり種別抽選手段を備えている。
【０１０１】
ここで、確変状態とは、大当たり状態の終了後において予め定められた終了条件が成立するまで、大当たり状態の発生確率が通常状態よりも高くなる遊技状態のことをいう。具体的には、通常状態では、大当たり状態が発生することとなる乱数の値の数は２個で、その値は「３３７，６７３」であり、確変状態では、大当たり状態が発生することとなる乱数の値の数は１０個で、その値は「６７，１３１，１９９，２６９，３３７，４０１，４６３，５２３，６０１，６６１」である。
【０１０２】
また、本パチンコ機１０では、大当たり状態の終了後に通常状態となる通常大当たり状態（第１特別遊技状態）と、大当たり状態の終了後に確変状態となる確変大当たり状態（第２特別遊技状態）とで、図柄表示装置９４の表示画面において変動表示後に停止表示される図柄の態様が異なっている。具体的には、通常大当たり状態が発生する場合には第１特別表示結果としての通常大当たり図柄の組み合わせ（より具体的には、同一の偶数が付された図柄の組み合わせ）が停止表示され、確変大当たり状態が発生する場合には第２特別表示結果としての確変大当たり図柄の組み合わせ（より具体的には、同一の奇数が付された図柄の組み合わせ）が停止表示される。
【０１０３】
リーチ乱数カウンタＣ３は、例えば０〜２３８の範囲内で順に１ずつ加算され、最大値（つまり２３８）に達した後０に戻る構成となっている。リーチ乱数カウンタＣ３は定期的に更新され、遊技球が作動口８３ａ，８３ｂに入球したタイミングでＲＡＭ４０４の保留球格納バッファに格納される。つまり、本パチンコ機１０（具体的には、ＭＰＵ４０２）は、所定の抽選開始条件の成立に基づいてリーチ表示の発生の有無を抽選するリーチ発生抽選手段を備えている。
【０１０４】
第１変動種別カウンタＣＳ１は、例えば０〜１９８の範囲内で順に１ずつ加算され、最大値（つまり１９８）に達した後０に戻る構成となっており、第２変動種別カウンタＣＳ２は、例えば０〜２４０の範囲内で順に１ずつ加算され、最大値（つまり２４０）に達した後０に戻る構成となっている。
【０１０５】
第１変動種別カウンタＣＳ１によってリーチ表示に際して発生するリーチ演出の種別やその他大まかな図柄変動態様といった図柄表示装置９４の表示態様が決定される。つまり、本パチンコ機１０（具体的には、ＭＰＵ４０２）はリーチ演出の種別を抽選する演出種別抽選手段を備えている。
【０１０６】
ここで、リーチ表示（リーチ状態）とは、図柄（絵柄）の変動表示（又は可変表示）を行うことが可能な図柄表示装置９４を備え、変動表示後の停止表示結果が特別表示結果となった場合に、遊技状態が遊技者に有利な特別遊技状態となる遊技機において、図柄表示装置９４における図柄（絵柄）の変動表示（又は可変表示）が開始されてから停止表示結果が導出表示される前段階で、前記特別表示結果となり易い変動表示状態であると遊技者に思わせるための表示状態をいう。
【０１０７】
換言すれば、図柄表示装置９４の表示画面に表示される複数の図柄列のうち一部の図柄列について図柄を停止表示させることで、大当たり状態の発生に対応した大当たり図柄の組み合わせが成立する可能性があるリーチ図柄の組み合わせを表示し、その状態で残りの図柄列において図柄の変動表示を行う表示状態のことである。
【０１０８】
より具体的には、図柄の変動表示を終了させる前段階として、図柄表示装置９４の表示画面９４ａ内の予め設定された有効ライン上に、大当たり状態の発生に対応した大当たり図柄の組み合わせが成立する可能性のあるリーチ図柄の組み合わせを停止表示させることによりリーチラインを形成させ、当該リーチラインが形成されている状況下において最終停止図柄列により図柄の変動表示を行うことである。
【０１０９】
また、リーチ表示には、上記のようにリーチ図柄の組み合わせを表示した状態で、残りの図柄列において図柄の変動表示を行うとともに、その背景画面において所定のキャラクタなどを動画として表示することによりリーチ演出を行うものや、リーチ図柄の組み合わせを縮小表示させる又は非表示とした上で、表示画面の略全体において所定のキャラクタなどを動画として表示することによりリーチ演出を行うものが含まれる。
【０１１０】
本パチンコ機１０では、各種リーチ演出の一部として、操作スイッチユニット４０の押しボタン部材３２０が操作（具体的には、押圧操作）された場合に、表示画面における演出表示を当該操作がされなかった場合とは異なる操作対応演出表示とする操作対応演出が設定されている。
【０１１１】
操作対応演出としては、操作スイッチユニット４０の押しボタン部材３２０が初期位置から最大押圧位置に向けて移動した後に（すなわち、往動作した後に）、押しボタン部材３２０が初期位置に復帰すること（すなわち、復動作したこと）を１回の操作として、押しボタン部材３２０が１回操作される度に操作対応演出表示とする単発操作対応演出が設定されている。この場合、リーチ表示は、最終的に大当たり状態が発生する状況及び大当たり状態が発生しない状況のいずれにおいても発生するが、単発操作対応演出はいずれの状況においても所定の確率で発生する。但し、大当たり状態が発生する状況と大当たり状態が発生しない状況とでは、単発操作対応演出において最終的に表示される演出表示の内容が異なっている。
【０１１２】
操作対応演出としては、単発操作対応演出の他に、押しボタン部材３２０が１回操作される度に操作対応演出表示とするとともに、大当たり状態が発生する変動表示回（遊技回）において押しボタン部材３２０が予め定められた規定回数操作された場合に大当たり対応演出表示を行い、大当たり状態が発生しない変動表示回（遊技回）において押しボタン部材３２０が所定期間内に予め定められた規定回数操作された場合に外れ対応演出表示を行う連発操作対応演出が設定されている。
【０１１３】
操作対応演出としては、単発操作対応演出及び連発操作対応演出の他に、押しボタン部材３２０が１回操作される度に操作対応演出表示とするとともに、押しボタン部材３２０が予め定められた規定回数操作された場合に特定単発操作を実行可能とし、大当たり状態が発生する変動表示回（遊技回）において特定単発操作された場合に大当たり対応演出表示を行い、大当たり状態が発生しない変動表示回（遊技回）において特定単発操作された場合に外れ対応演出表示を行う連続操作対応演出が設定されている。
【０１１４】
さらに、操作対応演出としては、上記各種操作対応演出の他に、押しボタン部材３２０の操作領域ＡＥをリーチ表示中に拡張する操作領域拡張演出が設定されている。操作領域拡張演出においては、操作領域ＡＥが拡張されている状態にて操作スイッチユニット４０の押しボタン部材３２０が操作されることで、大当たり状態が発生する変動表示回（遊技回）においては大当たり対応演出表示を行い、大当たり状態が発生しない変動表示回（遊技回）においては外れ対応演出表示を行う。
【０１１５】
第２変動種別カウンタＣＳ２によって、第１特定ランプ部９６に表示される色の切り替えを行う時間としての切替表示時間が決定される。この切替表示時間は、図柄表示装置９４の図柄の変動表示時間に相当する。両変動種別カウンタＣＳ１，ＣＳ２は、後述する通常処理が１回実行される毎に１回更新され、当該通常処理内の残余時間内でも繰り返し更新される。そして、第１特定ランプ部９６に表示される色の切り替え開始時及び図柄表示装置９４による図柄の変動開始時における変動パターン決定に際して両変動種別カウンタＣＳ１，ＣＳ２のバッファ値が取得される。
【０１１６】
外れ図柄カウンタＣ４は、大当たり抽選が外れとなった時に左列図柄、中列図柄、右列図柄の外れ停止図柄を決定するためのものであり、所定範囲のカウンタ値が用意されている。外れ図柄カウンタＣ４は通常処理内で更新され、外れ図柄カウンタＣ４の値が、ＲＡＭ４０４の前後外れリーチ図柄バッファ、前後外れ以外リーチ図柄バッファ及び完全外れ図柄バッファの何れかに格納される。そして、図柄の変動開始時における変動パターン決定に際し、リーチ乱数カウンタＣ３の値に応じて前後外れリーチ図柄バッファ、前後外れ以外リーチ図柄バッファ及び完全外れ図柄バッファの何れかのバッファ値が取得される。
【０１１７】
また、スルーゲート８４への入賞が発生したタイミングでその時点での電役開放カウンタC５の値が取得され、その取得した値に基づいて電動役物を開放状態とするか否かの抽選が実行される。
【０１１８】
図１２の説明に戻り、主制御装置１６２におけるＭＰＵ４０２の出力側には、停電監視基板４０５、払出制御装置２４２及び音声ランプ制御装置１４３が接続されている。払出制御装置２４２には、例えば、上記入球部への入球判定結果に基づいて賞球コマンドが出力される。
【０１１９】
音声ランプ制御装置１４３には、変動開始コマンド、種別コマンド、停止表示コマンド、大当たり開始コマンド及び大当たり終了コマンドなどの各種コマンドが出力される。ここで、変動開始コマンド及び種別コマンドは、保留球格納バッファに格納されている情報に基づいて第１特定ランプ部９６における切替表示を開始する場合に、音声ランプ制御装置１４３に出力される。この場合、変動開始コマンドには、図柄の変動表示時間、大当たり発生の有無の情報、リーチ表示の有無の情報、リーチ種別の情報などが含まれており、種別コマンドには、停止表示させる図柄の種類の情報が含まれている。また、停止表示コマンドは、第１特定ランプ部９６における切替表示を終了する場合に、音声ランプ制御装置１４３に出力される。また、大当たり開始コマンドは、大当たり状態に移行する場合に、音声ランプ制御装置１４３に出力される。また、大当たり終了コマンドは、大当たり状態が終了する場合に、音声ランプ制御装置１４３に出力される。
【０１２０】
また、ＭＰＵ４０２の出力側には、可変入賞装置８２に設けられた駆動部などが接続されており、大当たり状態においては当該駆動部の駆動制御が実行され、可変入賞装置８２の開閉が実行される。このように大当たり状態において可変入賞装置８２の開閉が実行されることにより多数の遊技球が遊技者に払い出されることとなる。つまり、特別遊技状態としての大当たり状態を、通常遊技状態よりも遊技者に有利な状態とすることができる。
【０１２１】
停電監視基板４０５は、主制御基板４０１と電源・発射制御装置２４３とを中継し、また電源・発射制御装置２４３から出力される最大電圧である直流安定２４ボルトの電圧を監視する。
【０１２２】
払出制御装置２４２は、払出装置２２４により賞球や貸し球の払出制御を行うものであり、上記賞球コマンドを入力した場合には、その賞球コマンドに対応した数の遊技球が払い出されるように払出装置２２４を駆動制御する。換言すれば、払出制御装置２４２は、賞球コマンドを入力した場合には、払出制御処理を実行して払出装置２２４を駆動制御することで、賞球コマンドに対応した数の遊技球を払い出す。つまり、本パチンコ機１０は、遊技結果に基づいて遊技球の払出を実行する払出機能を有している。
【０１２３】
電源・発射制御装置２４３は、例えば、遊技場等における商用電源（外部電源）に接続されている。そして、その商用電源から供給される外部電力に基づいて主制御基板４０１や払出制御装置２４２等に対して各々に必要な動作電力を生成するとともに、その生成した動作電力を二重線矢印で示す経路を通じて供給する。また、電源・発射制御装置２４３は、遊技球発射機構１１０の発射制御を担うものであり、遊技球発射機構１１０は所定の発射条件が整っている場合に駆動される。
【０１２４】
音声ランプ制御装置１４３は、主制御基板４０１から入力した各種コマンドに基づいて前扉枠１４に設けられたスピーカ部や発光部を駆動制御するとともに、表示制御装置４１０を制御するものである。
【０１２５】
表示制御装置４１０に設けられた表示制御基板４１１には、ＭＰＵ４１２が搭載されている。ＭＰＵ４１２には、当該ＭＰＵ４１２により実行される各種の制御プログラムや固定値データを記憶したＲＯＭ４１３と、そのＲＯＭ４１３内に記憶される制御プログラムの実行に際して各種のデータ等を一時的に記憶するためのメモリであるＲＡＭ４１４と、割込み回路やタイマ回路、データ入出力回路などの各種回路が内蔵されている。
【０１２６】
ＭＰＵ４１２には、入力ポート及び出力ポートがそれぞれ設けられている。ＭＰＵ４１２の入力側には、音声ランプ制御装置１４３が接続されているとともに、操作スイッチユニット４０に設けられた押しボタン部材３２０用の位置検出手段が接続されている。位置検出手段は、押しボタン部材３２０が最大押圧位置へ存在している場合に所定の検知情報（検知信号）を表示制御装置４１０に出力する位置検知センサ３５１と、押しボタン部材３２０が最大突出位置に存在している場合に所定の検知情報（検知信号）を表示制御装置４１０に出力する位置検知センサ３５２とによって構成されている。また、ＭＰＵ４１２の出力側には、図柄表示装置９４が接続されているとともに、操作スイッチユニット４０に設けられたソレノイド３４０が接続されている。また、ＭＰＵ４１２の出力側には、図柄表示装置９４や操作回数表示部９５ａが接続されている。
【０１２７】
なお、位置検知センサ３５１は、押しボタン部材３２０が最大押圧位置に到達することでＨＩレベル信号を出力し、最大押圧位置から移動することでＬＯＷレベル信号を出力する。表示制御装置４１０では、ＬＯＷレベル信号への立下りに基づいて１回の操作が行われたものと判定する構成となっている。また、位置検知センサ３５２は、押しボタン部材３２０が最大突出位置に到達することでＨＩレベル信号を出力し、最大突出位置から移動することでＬＯＷレベル信号を出力する。表示制御装置４１０ではＨＩレベル信号への立上がりに基づいて押しボタン部材３２０が最大突出位置に到達したものと判定する構成となっている。
【０１２８】
ＭＰＵ４１２では、主制御装置１６２から出力され音声ランプ制御装置１４３を経由して出力されてくる演出用コマンド（変動開始コマンド、種別コマンド、停止表示コマンド、大当たり開始コマンド及び大当たり終了コマンド等）を入力するとともに、入力コマンドを解析し又は入力コマンドに基づき所定の演算処理を行って図柄表示装置９４の表示制御を実行する。
【０１２９】
具体的には、変動開始コマンドを入力した場合に、図柄表示装置９４における図柄の変動表示を開始させるとともに、変動開始コマンドに含まれる情報に対応した態様で図柄の変動表示を行わせた後に、種別コマンドに対応した停止結果を表示した状態で図柄の変動表示を終了させる。上記変動開始コマンドに含まれる情報に対応した態様での図柄の変動表示としては、例えば上述したリーチ表示やリーチ演出を図柄表示装置９４において表示させる。また、停止結果を表示する場合には、上記通常大当たり状態が発生することとなる変動表示回においては通常大当たり図柄の組み合わせを表示させ、上記確変大当たり状態が発生することとなる変動表示回においては確変大当たり図柄の組み合わせを表示させる。
【０１３０】
また、上記表示制御に際しては、操作スイッチユニット４０の位置検知センサ３５１，３５２からの検知結果が反映される。また、ＭＰＵ４１２では、上記演出用コマンドに基づいて操作スイッチユニット４０の制御を行う。
【０１３１】
ＭＰＵ４１２において、操作スイッチユニット４０の位置検知センサ３５１，３５２からの検知結果が反映されるように図柄表示装置９４の表示制御が実行される際、及び操作スイッチユニット４０を用いた操作対応演出を行う際には、表示制御装置４１０のＲＯＭ４１３及びＲＡＭ４１４に設けられた各種エリアが用いられる。
【０１３２】
ＲＯＭ４１３に設けられた各種エリアとしては、例えば各種テーブル記憶エリア４２１が設定されている。各種テーブル記憶エリア４２１は、音声ランプ制御装置１４３から入力した変動開始コマンドに基づいて図柄の変動表示を開始する場合に、その変動表示回において操作対応演出を行う場合に、その演出内容の詳細を特定するためのテーブルを記憶したエリアである。
【０１３３】
ＲＡＭ４１４に設けられた各種エリアとしては、各種フラグ格納エリア４２５、タイミング用カウンタエリア４２６、連発操作用カウンタエリア４２７が設定されている。各種フラグ格納エリア４２５は、例えば音声ランプ制御装置１４３から入力した変動開始コマンドに基づいて図柄の変動表示を開始する場合に、その変動表示回における演出パターンを特定するための情報を記憶するためのエリアである。タイミング用カウンタエリア４２６は、各種演出の開始タイミング等を特定するためのカウンタエリアである。連発操作用カウンタエリア４２７は、操作スイッチユニット４０の押しボタン部材３２０が複数回連続して操作されている場合に、その連続操作回数を計測するためのカウンタエリアである。
【０１３４】
（主制御装置１６２にて実行される各種処理）
次に、主制御装置１６２のＭＰＵ４０２にて各遊技回での遊技を進行させる上で実行されるタイマ割込み処理及び通常処理を説明する。なお、ＭＰＵ４０２では、上記タイマ割込み処理及び通常処理の他に、電源投入に伴い起動されるメイン処理及びＮＭＩ端子（ノンマスカブル端子）への停電信号の入力により起動されるＮＭＩ割込み処理とが実行されるが、これらの処理については説明を省略する。
【０１３５】
（タイマ割込み処理）
先ず、タイマ割込み処理について、図１４のフローチャートを参照しながら説明する。本処理はＭＰＵ４０２により定期的に（例えば２ｍｓｅｃ周期で）起動される。
【０１３６】
ステップＳ１０１では、各種センサ検知の監視処理を実行する。具体的には、主制御装置１６２に接続されている各種検知センサやスイッチ等からの信号を読み込むとともにそれら信号を判定して検知情報（例えば入賞検知情報）を保存する。
【０１３７】
その後、ステップＳ１０２では、乱数初期値カウンタＣＩＮＩの更新を実行する。具体的には、乱数初期値カウンタＣＩＮＩを１インクリメントすると共に、そのカウンタ値が最大値に達した際０にクリアする。そして、乱数初期値カウンタＣＩＮＩの更新値を、ＲＡＭ４０４の該当するバッファ領域に格納する。
【０１３８】
続くステップＳ１０３では、大当たり乱数カウンタＣ１、大当たり種別カウンタＣ２、リーチ乱数カウンタＣ３、外れ図柄カウンタＣ４及び電動役物開放カウンタＣ５の更新を実行する。具体的には、大当たり乱数カウンタＣ１、大当たり種別カウンタＣ２、リーチ乱数カウンタＣ３、外れ図柄カウンタＣ４及び電動役物開放カウンタＣ５をそれぞれ１インクリメントするとともに、それらのカウンタ値が最大値に達した際それぞれ０にクリアする。そして、各カウンタＣ１〜Ｃ５の更新値を、ＲＡＭ４０４の該当するバッファ領域に格納する。
【０１３９】
その後、ステップＳ１０４にて、作動口８３ａ，８３ｂへの入賞に伴う作動口用の入賞処理を実行する。作動口用の入賞処理では、作動口８３ａ，８３ｂへの入賞が発生していた場合には、保留球格納エリアに記憶されている始動保留記憶数が上限数（例えば、「４」）未満であることを条件として、前記ステップＳ１０３にて更新した大当たり乱数カウンタＣ１、大当たり種別カウンタＣ２、リーチ乱数カウンタＣ３及び外れ図柄カウンタＣ４の各数値情報を保留球格納エリアの保留用エリアに格納する。この場合、保留用エリアの第１エリア〜第４エリアのうち最初の空き保留エリア、すなわち現状の始動保留記憶数と対応する保留エリアに格納する。また、音声ランプ制御装置１４３に対して、始動保留記憶数と対応する第１保留ランプ部９８を点灯させるための処理を実行する。
【０１４０】
続くステップＳ１０５にて、スルーゲート８４への入賞に伴うスルー用の入賞処理を実行した後に、本タイマ割込み処理を終了する。スルー用の入賞処理では、スルーゲート８４への入賞が発生していた場合には、電役保留エリアに記憶されている役物保留記憶数が上限数（例えば、「４」）未満であることを条件として、前記ステップＳ１０３にて更新した電動役物開放カウンタＣ５の値を電役保留エリアに格納する。また、音声ランプ制御装置１４３に対して、役物保留記憶数と対応する第２保留ランプ部９９を点灯させるための処理を実行する。
【０１４１】
＜通常処理＞
次に、通常処理の流れを図１５のフローチャートを参照しながら説明する。通常処理は電源投入に伴い起動されるメイン処理が実行された後に開始される処理であり、当該通常処理では遊技の主要な処理が実行される。その概要として、ステップＳ２０１〜Ｓ２０６の処理が４ｍｓｅｃ周期の定期処理として実行され、その残余時間でステップＳ２０８，Ｓ２０９のカウンタ更新処理が実行される構成となっている。
【０１４２】
通常処理において、ステップＳ２０１では、タイマ割込み処理又は前回の通常処理で設定したコマンド等の出力データをサブ側の各制御装置に送信する。具体的には、賞球コマンドの有無を判定し、賞球コマンドが設定されていればそれを払出制御装置２４２に対して送信し、変動用コマンド、種別コマンド、変動終了コマンド等の演出用コマンドが設定されている場合にはそれを音声ランプ制御装置１４３に対して送信する。音声ランプ制御装置１４３に送信されたコマンドは、音声ランプ制御装置１４３を経由して表示制御装置４１０に送信される。
【０１４３】
次に、ステップＳ２０２では、変動種別カウンタＣＳの更新を実行する。具体的には、変動種別カウンタＣＳ１，ＣＳ２を１インクリメントすると共に、カウンタ値が最大値に達した際にはカウンタ値を０にクリアする。そして、変動種別カウンタＣＳ１，ＣＳ２の更新値を、ＲＡＭ４０４の該当するバッファ領域に格納する。
【０１４４】
続くステップＳ２０３では、賞球コマンド設定処理を行う。賞球コマンド設定処理においては、先ずＲＡＭ４０４の各種フラグ格納エリアに格納されている入賞検知に対応したフラグを参照して、一般入賞口８１等の各種入球部にて入賞が発生したか否かを判別し、入賞が発生した場合には同入賞に応じて払い出す遊技球の数を決定する。そして、上述した処理で決定した遊技球の数に基づき払出制御装置２４２へ出力する賞球コマンドの設定を行う。
【０１４５】
その後、ステップＳ２０４では、各遊技回における遊技を制御するための遊技回制御処理を実行する。この遊技回制御処理では、大当たり判定、図柄表示装置９４による図柄の変動表示の設定、変動表示を行う第１特定ランプ部９６の表示制御などを行う。
【０１４６】
その後、ステップＳ２０５では、遊技状態を移行させるための遊技状態移行処理を実行する。この遊技状態移行処理により、遊技状態が開閉実行モード、高確率モード、高頻度サポートモードなどに移行するとともに、開閉実行モードにおいては、大入賞口を開放状態とするよう可変入賞装置８２の制御等が実行される。
【０１４７】
ステップＳ２０６では、下側の作動口８３ｂに設けられた電動役物を駆動制御するための電役サポート用処理を実行する。この電役サポート用処理では、電動役物を開放状態とするか否かの判定などを行う。
【０１４８】
続くステップＳ２０７では、次の通常処理の実行タイミングに至ったか否か、すなわち前回の通常処理の開始から所定時間（本実施の形態では４ｍｓｅｃ）が経過したか否かを判定する。そして、次の通常処理の実行タイミングに至るまでの残余時間内において、乱数初期値カウンタＣＩＮＩ及び変動種別カウンタＣＳの更新を繰り返し実行する（ステップＳ２０８，Ｓ２０９）。つまり、ステップＳ２０８では、乱数初期値カウンタＣＩＮＩの更新を実行する。具体的には、乱数初期値カウンタＣＩＮＩを１インクリメントするとともに、そのカウンタ値が最大値に達した際０にクリアする。そして、乱数初期値カウンタＣＩＮＩの更新値を、ＲＡＭ４０４の該当するバッファ領域に格納する。また、ステップＳ２０９では、変動種別カウンタＣＳ１，ＣＳ２の更新を実行する。具体的には、変動種別カウンタＣＳ１，ＣＳ２を１インクリメントするとともに、そのカウンタ値が最大値に達した際０にクリアする。そして、変動種別カウンタＣＳ１，ＣＳ２の更新値を、ＲＡＭ４０４の該当するバッファ領域に格納する。
【０１４９】
ここで、ステップＳ２０１〜Ｓ２０６の各処理の実行時間は遊技の状態に応じて変化するため、次の通常処理の実行タイミングに至るまでの残余時間は一定でなく変動する。故に、かかる残余時間を使用して乱数初期値カウンタＣＩＮＩの更新を繰り返し実行することにより、乱数初期値カウンタＣＩＮＩ（すなわち、大当たり乱数カウンタＣ１の初期値）をランダムに更新することができ、同様に変動種別カウンタＣＳ１，ＣＳ２についてもランダムに更新することができる。
【０１５０】
次に、表示制御装置４１０のＭＰＵ４１２にて実行される各種処理のうち、操作スイッチユニット４０にかかる操作対応演出の設定に関する処理について説明する。
【０１５１】
ＭＰＵ４１２では、動作電力が供給されている間、予め定められた複数種の処理を所定の順序で繰り返し実行するための通常処理が実行される。当該通常処理における操作対応演出の設定に関する処理として、音声ランプ制御装置１４３から入力したコマンドの種類を特定し、その特定したコマンドに対応した処理を実行するコマンド判定処理と、上記操作領域拡張演出を行うための操作領域拡張演出用処理と、上記連続操作対応演出を行うための連続操作対応演出用処理とが少なくとも設定されている。以下に、これら各処理について説明する。
【０１５２】
先ず、図１６のフローチャートを参照してコマンド判定処理について説明する。
【０１５３】
（コマンド判定処理）
コマンド判定処理では、先ずステップＳ３０１にて、変動開始コマンドを入力しているか否かを判定する。なお、音声ランプ制御装置１４３から入力した各種コマンドは、ＲＡＭ４１４に設けられたコマンド格納エリアに格納され、コマンド判定処理において読み出されることで消去される。
【０１５４】
変動開始コマンドを入力している場合には、ステップＳ３０２にて、変動開始コマンドに操作領域拡張演出にかかる情報が含まれているか否かを判定する。具体的には、変動開始コマンドに含まれる第１変動種別カウンタＣＳ１の値の情報が、ＲＯＭ４１３に記憶された操作領域拡張演出用の値群の情報に含まれているか否かを判定する。
【０１５５】
操作領域拡張演出にかかる情報が含まれている場合には、ステップＳ３０３にて操作領域拡張演出用の特定処理を実行する。操作領域拡張演出用の特定処理では、ＲＡＭ４１４の各種フラグ格納エリア４２５のうち、操作領域拡張演出フラグ格納エリアに操作領域拡張演出フラグを格納する。
【０１５６】
ステップＳ３０２において、操作領域拡張演出にかかる情報が含まれていないと判定した場合にはステップＳ３０４に進み、連続操作対応演出にかかる情報が含まれているか否かを判定する。連続操作対応演出にかかる情報が含まれている場合には、ステップＳ３０５にて連続操作対応演出用の特定処理を実行する。連続操作対応演出用の特定処理では、ＲＡＭ４１４の各種フラグ格納エリア４２５のうち、連続操作対応演出フラグ格納エリアに連続操作対応演出フラグを格納する。
【０１５７】
また、ステップＳ３０５の特定処理においては、連続操作対応演出フラグの格納とともに以下の処理を実行する。すなわち、取得した乱数値と、ＲＯＭ４１３の各種テーブル記憶エリア４２１に記憶されている規定回数決定テーブル（図１６（ｂ）参照）と、大当たりの発生の有無とに基づいて連続操作の規定回数の決定処理を行う。かかる決定処理においては、大当たりに当選している場合には、大当たりに当選していない場合と比較して、規定回数が多くなりやすい。具体的には、大当たりに当選している場合には５／１００の確率で「５回」が選択され、１０／１００の確率で「１０回」が選択され、８５／１００の確率で「１５回」が選択される。一方、大当たりに当選していない場合には、８５／１００の確率で「５回」が選択され、１０／１００の確率で「１０回」が選択され、５／１００の確率で「１５回」が選択される。
【０１５８】
なお、規定回数の上限値（本実施の形態においては１５回）については、押しボタン部材３２０の待機位置への復帰速度や検知情報の読み込みタイミング等を加味して、連続操作対応演出実行期間内に実質的に達成可能な範囲内となるように定められている。
【０１５９】
ステップＳ３０４にて、連続操作対応演出にかかる情報が含まれていないと判定した場合、ステップＳ３０３，Ｓ３０５の特定処理を実行した後は、ステップＳ３０６に進む。ステップＳ３０６では、変動表示用の特定処理を実行する。当該特定処理では、変動開始コマンド及び種別コマンドに基づいて、図柄表示装置９４における図柄の変動表示時間、リーチ表示やリーチ演出を含めた図柄の変動表示態様及び最終的に停止表示させる図柄の種類を特定し、それら特定した情報をＲＡＭ４１４に記憶させる。その後、本コマンド判定処理を終了する。
【０１６０】
一方、ステップＳ３０１において、変動開始コマンドを入力していないと判定した場合には、ステップＳ３０７に進み、その他の特定処理を実行した後に、本コマンド判定処理を終了する。その他の特定処理では、入力しているコマンドが停止表示コマンド、大当たり開始コマンド又は大当たり終了コマンドである場合には、それぞれに対応した処理を実行する。また、その他の特定処理では、コマンドを入力していないと判定した場合には、そのまま処理を終了するとともに、入力したコマンドが解析できない場合にもそのまま処理を終了する。
【０１６１】
（操作領域拡張演出用処理）
次に、図１７のフローチャートを参照して操作領域拡張演出用処理について説明する。なお、操作領域拡張演出用処理は、約４ｍｓｅｃ周期で実行される。
【０１６２】
操作領域拡張演出用処理では、先ずステップＳ４０１にて、操作領域拡張演出が発生する変動表示回中（遊技回中）であるか否かを判定する。当該変動表示回中でない場合には、そのまま操作領域拡張演出用処理を終了し、当該変動表示回中である場合には、ステップＳ４０２に進む。
【０１６３】
ステップＳ４０２では、押圧操作の示唆が行われたか否かを判定する。ここで、本パチンコ機１０では、操作領域拡張演出を開始する場合、操作スイッチユニット４０の押しボタン部材３２０を押圧操作するように遊技者に促す押圧操作示唆用画像（押圧操作催促用画像）が図柄表示装置９４の表示画面９４ａにおいて表示される。例えば、当該押圧操作示唆用画像としては、キャラクタの表示内容が示唆に対応したものとなるように動画表示されるとともに、同表示画面９４ａに「ボタンを押して！」といった文字が表示される。なお、押圧操作の示唆は、図柄表示装置９４の表示画面９４ａにおけるものに限定されることはなく、表示画面９４ａにおけるものに加えて又は代えてスピーカ部２７からの音声の出力により行うようにしてもよいし押しボタン部材３２０を発光させてもよい。更には、これら各種示唆パターンを組み合わせて用いてもよい。
【０１６４】
ステップＳ４０２において、押圧操作の示唆が行われた後でないと判定した場合には、ステップＳ４０３に進む。ステップＳ４０３では、操作領域の拡張開始タイミングであるか否かを判定する。当該開始タイミングは、図柄の変動表示の開始後における所定のカウント値の情報として表示制御装置４１０のＲＯＭ４１３に予め記憶されている。そして、図柄の変動表示の開始後においてステップＳ４０１にて肯定判定される度にタイミング用カウンタエリア４２６に設けられた示唆開始タイミング用カウンタの値が更新され、当該カウンタの値が上記所定のカウント値に達した場合にステップＳ４０３にて肯定判定をする。
【０１６５】
ステップＳ４０３にて操作領域の拡張開始タイミングでないと判定した場合には、そのまま本操作領域拡張演出用処理を終了する。一方、操作領域の拡張開始タイミングであると判定した場合には、続くステップＳ４０４にて操作領域拡張処理を実行する。操作領域拡張処理では、操作スイッチユニット４０のソレノイド３４０に対して駆動信号の出力を開始する。これにより、ソレノイド３４０が励磁され、図１１（ａ）→図１１（ｂ）に示したように、シャッタ部材３３０が閉位置から開位置へと移動する。これにより、押しボタン部材３２０（詳しくは操作面部３２２）における操作可能領域が拡張されるとともに（すなわち、操作面部３２２において上方に露出している部分が占める割合が増大するとともに）、押しボタン部材３２０の上方への突出量が増大する（操作ストロークが増大する）。
【０１６６】
ステップＳ４０４の処理を実行した後はステップＳ４０５に進む。ステップＳ４０５では、押圧操作示唆用画像の設定処理を実行する。これにより、図柄表示装置９４の表示画面９４ａにおいて押圧操作示唆用画像が表示される。なお、当該画像の表示については、操作領域の拡張が完了した後のタイミングで上記メッセージの表示が開始され、当該メッセージは予め定められた示唆期間の経過又は押圧操作の実行によって終了する。
【０１６７】
続くステップＳ４０６では、押圧操作待ち状態の設定処理を実行する。押圧操作待ち状態の設定処理においては、押圧操作示唆用画像の表示開始タイミングと同じタイミングで、ＲＡＭ４１４における各種フラグ格納エリア４２５の押圧操作待ちフラグ格納エリアに押圧操作待ちフラグを格納するようにフラグ格納のタイミングを設定する。その後、本継続操作対応演出用処理を終了する。
【０１６８】
一方、ステップＳ４０２において押圧操作の示唆後であると判定した場合には、ステップＳ４０７に進む。ステップＳ４０７では、ＲＡＭ４１４の押圧操作待ちフラグ格納エリアに押圧操作待ちフラグが格納されているか否かを判定することで、押圧操作の示唆後であるか否かを判定する。
【０１６９】
押圧操作待ち状態である場合には、ステップＳ４０８に進む。ステップＳ４０８では、押圧操作待ち状態の終了タイミングであるか否かを判定する。具体的には、タイミング用カウンタエリア４２６における押圧操作待ち期間計測用カウンタの値を参照して、終了タイミングとなったか否かを判定する。押圧操作待ち期間計測用カウンタについては、操作待ち状態の設定処理に合わせて所定の値が設定され、ステップＳ４０８にて否定判定がなされる度に更新される。そして、押圧操作待ち期間計測用カウンタが所定の値になっている場合に、ステップＳ４０８にて肯定判定する。
【０１７０】
ステップＳ４０８にて否定判定をした場合には、ステップＳ４０９に進む。ステップＳ４０９では、押しボタン部材３２０の押圧操作が行われたか否かを判定する。具体的には、表示制御装置４１０のＭＰＵ４１２では、コマンド判定処理や操作領域拡張演出用処理などが繰り返し実行される通常処理の他に、当該通常処理に定期的（例えば、２ｍｓｅｃ）に割り込んで起動されるタイマ割込み処理が設定されている。当該タイマ割込み処理では、操作スイッチユニット４０の操作検知センサ３５１からの検知信号（検知情報）を監視するセンサ監視処理が実行されている。そして、ステップＳ４０８においては、センサ監視処理の結果に基づいて押圧操作の有無を判定する。
【０１７１】
ステップＳ４０９にて否定判定をした場合には、そのまま本操作領域拡張演出用処理を終了する。一方、ステップＳ４０９にて肯定判定をした場合には、ステップＳ４１０に進む。ステップＳ４１０では、復帰待ち状態の設定処理を行う。
【０１７２】
復帰待ち状態の設定処理においては、ＲＡＭ４１４における各種フラグ格納エリア４２５の復帰待ちフラグ格納エリアに復帰待ちフラグを格納する。その後、本操作領域拡張演出用処理を終了する。復帰待ちフラグは、押しボタン部材３２０が最大突出位置へ復帰したか否かの監視を実行する場合に参照されるフラグである。
【０１７３】
ステップＳ４１０にて復帰待ち状態の設定処理を行った後、又はステップＳ４０８にて肯定判定をした場合には、ステップＳ４１１にて操作待ち状態の解除処理を実行した後、本操作領域拡張演出用処理を終了する。操作待ち状態の解除処理においては、ＲＡＭ４１４における各種フラグ格納エリア４２５に格納されている押圧操作待ちフラグを消去する。これにより、その後の押圧操作の監視が解除されることとなる。
【０１７４】
ステップＳ４０７の説明に戻り、同ステップＳ４０７にて否定判定をした場合、すなわち操作待ち状態でないと判定した場合には、ステップＳ４１２に進む。ステップＳ４１２では、復帰待ち状態であるか否かを判定する。具体的には、各種フラグ格納エリア４２５の復帰待ちフラグ格納エリアに復帰待ちフラグが格納されているか否かを判定する。ステップＳ４１２にて肯定判定をした場合、すなわち復帰待ち状態であると判定した場合には、ステップＳ４１３に進む。
【０１７５】
ステップＳ４１３では、押しボタン部材３２０が最大突出位置に復帰したか否かを判定する。具体的には、表示制御装置４１０のＭＰＵ４１２には上記タイマ割込み処理が設定されており、操作スイッチユニット４０の操作検知センサ３５２からの検知信号（検知情報）を監視するセンサ監視処理が実行されている。そして、ステップＳ４０８においては、センサ監視処理の結果に基づいて最大突出位置への復帰の有無を判定する。
【０１７６】
ステップＳ４１３にて肯定判定をした場合、すなわち押しボタン部材３２０が最大突出位置へ復帰したと判定した場合には、ステップＳ４１４に進む。ステップＳ４１４では、操作完了画像の設定処理を行う。これにより、図柄表示装置９４の表示画面９４ａにて押圧操作が完了した旨を示す画像が表示されることとなる。
【０１７７】
ステップＳ４１４にて操作完了画像の設定処理を行った後は、ステップＳ４１５に進み復帰待ち状態の解除処理を実行する。復帰待ち状態の解除処理においては、ＲＡＭ４１４における各種フラグ格納エリア４２５に格納されている復帰待ちフラグを消去する。これにより、その後の押しボタン部材３２０の復帰の監視が解除されることとなる。
【０１７８】
一方、ステップＳ４１３にて否定判定をした場合には、ステップＳ４１６にて押圧操作解除の示唆の開始タイミングであるか否かを判定する。具体的には、タイミング用カウンタエリア４２６における解除操作示唆タイミング用カウンタの値を参照して、示唆タイミングとなったか否かを判定する。解除操作示唆タイミング用カウンタについては、復帰待ち状態の設定処理に合わせて所定の値が設定され、ステップＳ４１６にて否定判定がなされる度に更新される。そして、解除操作示唆タイミング用カウンタの値が所定の値になっている場合に、ステップＳ４１６にて肯定判定する。
【０１７９】
ステップＳ４１６にて肯定判定をした場合には、ステップＳ４１７に進む。ステップＳ４１７では、押圧操作解除示唆用画像の設定処理を行う。これにより、図柄表示装置９４の表示画面９４ａにて押圧操作の終了を促す画像が表示されることとなる。
【０１８０】
ステップＳ４１７の設定処理を実行した後、又はステップＳ４１６にて否定判定をした場合には、ステップＳ４１８に進む。ステップＳ４１８では、復帰待ち状態の終了タイミングであるか否かを判定する。復帰待ち状態の終了タイミングは、変動表示回の終了タイミングまでに押圧操作に基づく演出を完了することができる期間を確保できなくなる限界タイミングよりも先のタイミングである。
【０１８１】
ステップＳ４１８にて否定判定をした場合には、そのまま本操作領域拡張演出用処理を終了する。一方、ステップＳ４１８にて肯定判定をした場合には、ステップＳ４１９にて操作未完了画像の設定処理をする。これにより、図柄表示装置９４の表示画面において操作が未完了であった旨を示す画像が表示される。なお、当該画像の表示は、遊技回の終了時、すなわち遊技結果の確定表示時に終了する。
【０１８２】
ステップＳ４１９の処理を実行した後は、ステップＳ４１５にて復帰待ち状態の解除処理を実行した後、本操作領域拡張用演出処理を終了する。
【０１８３】
再びステップＳ４１２の説明に戻り、同ステップＳ４１２にて否定判定をした場合には、ステップＳ４２０に進む。ステップＳ４２０では、操作完了画像又は操作未完了画像の表示終了タイミングであるか否かを判定する。ステップＳ４２０にて肯定判定をした場合には、ステップＳ４２１にて結果表示画像の設定処理を実行した後、本操作領域拡張演出用処理を終了する。
【０１８４】
ステップＳ４２１の処理を実行することにより、図柄表示装置９４の表示画面９４ａにおいて結果表示画像が表示される。当該画像の表示としては、例えば、当該変動表示回が大当たり状態の発生する変動表示回である場合には、キャラクタの表示内容が大当たり状態の発生に対応したものとなるように動画表示され、当該変動表示回が大当たり状態の発生しない変動表示回である場合には、キャラクタの表示内容が、操作示唆用画像が開始される前と同様のものとなるように動画表示される。なお、結果表示画像の設定処理においては、操作完了画像が表示されていた場合には操作完了に対応する結果表示画像を表示するための処理を実行し、操作未完了画像が表示されていた場合には操作未完了に対応する結果表示画像を表示するための処理を実行する。つまり、操作が完了している場合と操作が完了していない場合とでは異なる画像を表示する構成となっている。
【０１８５】
ステップＳ４２０にて否定判定をした場合にはステップＳ４２２に進み、変動表示の終了タイミングであるか否かを判定する。変動表示の終了タイミングでない場合には、そのまま本操作領域拡張演出用処理を終了する。変動表示の終了タイミングである場合には、ステップＳ４２３にて終了表示画像の設定処理を実行し、ステップＳ４２４にて拡張状態から通常状態への復帰処理を実行した後に、本操作領域拡張演出用処理を終了する。
【０１８６】
ステップＳ４２３における終了表示画像の設定処理では、当該変動表示回が大当たり状態の発生する変動表示回である場合には、大当たり状態の発生が確定した旨の動画表示がなされるように表示設定を行う。この場合に、結果表示画像の設定処理が実行されているとともに、当該結果表示画像の設定処理にて、大当たり状態の発生に対応したものとなるように動画表示が設定されている場合には、当該動画表示と一連の内容となるように動画表示の設定が行われる。一方、操作未完画像の設定処理が実行されている場合には、当該操作未完画像から大当たり状態の発生が確定した旨の動画表示へと劇的に切り換わるような動画表示が介在することとなる。
【０１８７】
ステップＳ４２４における復帰処理においては、各種フラグ格納エリア４２５における復帰用フラグ格納領域に復帰用フラグを格納する。上述したタイマ割込み処理においては、この復帰用フラグが格納されている場合に、操作スイッチユニット４０を通常状態へと復帰させるための処理を行う。当該復帰処理においては、遊技結果が表示された後のタイミングとなったか否かを判定し、遊技結果が表示された後のタイミングであると判定した場合に、以下の処理を行う。
【０１８８】
先ず位置検知センサ３５２からの検知情報に基づいて押しボタン部材３２０が最大突出位置に復帰しているか否かを判定する。押しボタン部材３２０が最大突出位置に復帰していないと判定した場合には、そのまま復帰処理を終了する。つまり、遊技者が押しボタン部材３２０に手を載せる等して押圧操作を継続している場合には、通常状態への復帰が回避されることとなる。
【０１８９】
一方、押しボタン部材３２０が最大突出位置に復帰していると判定した場合には、ソレノイド３４０に対する駆動信号の出力を停止し、ソレノイド３４０を非励磁状態とする。これにより、シャッタ部材３３０がシャッタ用バネ部材３３５の付勢力によって閉位置へと移動し、拡張状態から通常状態への復帰が完了する。駆動信号の出力停止処理を実行した後は、各種フラグ格納エリア４２５に格納された復帰用フラグを消去して、当該復帰処理を終了する。
【０１９０】
なお、各種フラグ格納エリア４２５に復帰用フラグが格納されている場合には、操作領域拡張演出が規制され、操作領域拡張演出が実行される変動表示回においては、それに代わる代替演出が実行されることとなる。因みに、操作領域拡張演出が行われた変動表示回が終了し、次の変動表示回が開始されるまでの間に再度の押圧操作が行われていない場合には、次の変動表示回が開始されるまでに拡張状態から通常状態への復帰が完了するように設定されている。このため、遊技結果が表示された後に、そのまま復帰処理が完了した場合には、当該次の遊技回にて操作領域拡張演出が規制されることはない。
【０１９１】
ここで、操作領域拡張演出が実行される場合の図柄表示装置９４における表示内容や操作スイッチユニット４０の状態について、図１８のタイムチャートを参照しながら説明する。
【０１９２】
先ず、図１８（ａ）を参照して、押圧操作が行われた後に操作スイッチユニット４０から手を離した場合について説明する。
【０１９３】
ｔａ１のタイミングにて操作領域拡張演出が実行される変動表示回（遊技回）が開始されると、それまで停止表示されていた各図柄列の変動表示が開始される。その後、先ず左側の図柄列が停止表示され、続いてｔａ２のタイミングで右側の図柄列が停止表示される。この際、上述した有効ライン上に同じ図柄（図１８においては「３」の図柄）が停止表示されることで、リーチ表示が開始される。リーチ表示においては、リーチ図柄が表示画面９４ａの上部に縮小表示され、表示画面９４ａの中央部分に女の子を模したキャラクタ画像が表示される。その後、ｔａ３のタイミングでは操作スイッチユニット４０が通常状態から拡張状態に切り替わる。
【０１９４】
操作スイッチユニット４０の拡張状態への切り替わりが完了した後のｔａ４のタイミングでは、押圧操作示唆用画像の表示が開始される。その後、ｔａ５のタイミングで、遊技者が押しボタン部材３２０の押圧操作を行うことで、押圧操作示唆用画像の表示が終了するとともに操作が有効に受け付けられた旨を示す画像が表示される（本実施の形態においては表示画面９４ａのホワイトアウトする）。
【０１９５】
ここで、遊技者が押しボタン部材３２０から手を離すことで、押しボタン部材３２０が最大突出位置へと復帰し、続くｔａ６のタイミングでは操作完了画像が遊技結果に応じて表示される。具体的には、今回の遊技回が大当たり状態の発生する遊技回でない場合には、操作示唆用画像の表示が開始される前の表示内容となり、今回の遊技回が大当たり状態の発生する遊技回である場合には、大当たり状態の発生に対応した画像の表示が開始される。
【０１９６】
その後、ｔａ７のタイミングでは中図柄列が停止表示され、遊技結果が明示されることとなる。具体的には、今回の遊技回が大当たり状態の発生する遊技回でない場合には外れに対応した図柄の組み合わせが停止表示され、今回の変動表示回が大当たり状態の発生する変動表示回である場合には大当たりに対応した図柄の組み合わせが停止表示される。このように、遊技結果が表示されたタイミングにて押しボタン部材３２０が操作されていない場合（すなわち最大突出位置に待機している場合）には、その後のｔａ８のタイミングにて、操作スイッチユニット４０が通常状態へ復帰することとなる。
【０１９７】
次に、図１８（ｂ）を参照して、押圧操作が行われた場合に操作スイッチユニット４０が押圧状態で維持された場合について説明する。
【０１９８】
ｔｂ１のタイミングにて図柄の変動表示が開始され、ｔｂ２のタイミングにて通常変動表示からリーチ表示に切り替わる。その後、ｔｂ３のタイミングにて操作スイッチユニット４０が通常状態から拡張状態へと切り替わり、ｔｂ４のタイミングにて表示画面９４ａに操作示唆用画像が表示される。なお、ｔｂ１のタイミング〜ｔｂ４のタイミングの流れは、ｔａ１のタイミング〜ｔａ４のタイミングの流れと同様であるため、詳細な説明を省略する。
【０１９９】
ｔｂ５のタイミングで押圧操作が開始され、押しボタン部材３２０が最大押圧位置に押し込まれたまま維持された場合には、先ず押し込み操作が有効に受け付けられた旨を示すため、表示画面９４ａがホワイトアウトする。押圧操作を受け付けてから所定期間が経過しても押しボタン部材３２０が最大突出位置に復帰していない場合には、当該所定期間が経過したｔｂ６のタイミングにて押圧操作の解除（押しボタン部材３２０のリリース）を示唆する画像が表示画面９４ａ上に表示される。
【０２００】
押圧操作が解除されることなくそのまま解除待ち期間が経過した場合には、操作が未完了に終わった旨を示す画像を表示画面９４ａに表示し、変動表示回が終了するタイミングで、表示画面９４ａの中央に表示されていた女の子の画像が非表示となり、今回の変動表示回が大当たり状態の発生する変動表示回でない場合には外れに対応した図柄の組み合わせが停止表示され、今回の変動表示回が大当たり状態の発生する変動表示回である場合には大当たりに対応した図柄の組み合わせが停止表示される。
【０２０１】
その後、次の変動表示回がｔｂ８のタイミングで開始されたタイミングにおいても押圧操作が継続されたままとなっている場合には、操作スイッチユニット４０の通常状態への復帰が先送りされる。この場合、当該次の変動表示回の開始時に操作スイッチユニット４０が通常状態へと復帰していないため、同次の変動表示回にて操作領域拡張演出が行われないように規制されることとなる。つまり、仮に操作領域拡張演出を行う旨のコマンドが主制御装置１６２から出力されている場合であっても、同操作領域拡張演出に代わる代替演出が実行されることとなる。
【０２０２】
その後、ｔｂ９のタイミングにて押圧操作が解除されると、押しボタン部材３２０が最大突出位置に復帰したｔｂ１０のタイミングにて操作スイッチユニット４０の通常状態への復帰が実行され、以降の変動表示回における操作領域拡張演出の規制が解除されることとなる。
【０２０３】
既に説明したように、本実施の形態における操作対応演出としては、上述した操作領域拡張演出の他に、大まかな演出の流れは同操作領域拡張演出と同様であるものの、操作領域の拡張が行われない通常操作対応演出（単発操作対応演出）が設定されている。ここで、図１８（ａ）を参照して、この通常操作対応演出について説明する。
【０２０４】
ｔａ１のタイミングにて通常操作対応演出が開始し、ｔａ２のタイミングにてリーチ表示へ移行する。その後、操作領域拡張演出においてはｔａ３のタイミングにて操作領域が拡張するが、通常操作対応演出においては操作領域が拡張することはなく通常状態に維持される。なお、少なくともｔａ３のタイミングまでは通常操作対応演出の表示内容と操作領域拡張演出の表示内容とは完全に同一である。
【０２０５】
ｔａ４のタイミングにおいては、拡張操作対応演出では拡張された押しボタン部材３２０の操作を促す表示が表示画面９４ａに表示される一方、通常操作対応演出においては拡張されていない（通常状態の）押しボタン部材３２０の操作を促す表示が表示画面９４ａに表示される。また、ｔａ４のタイミング以降は、操作領域拡張演出の内容（リーチ表示の態様）と通常操作対応演出の内容（リーチ表示の態様）とが相違することとなる。その後、押しボタン部材３２０が操作されることで実行される演出の内容については、各演出にて相違している。
【０２０６】
このように操作領域が拡張しない演出と操作領域が拡張する演出とを併用することで、遊技者は、演出の進行に伴って操作スイッチユニット４０が変形（操作領域が拡張）するか否かに注目しながら遊技を行うこととなる。故に、操作スイッチユニット４０に対する注目度の向上が期待できる。
【０２０７】
本実施の形態においては、操作スイッチユニット４０を用いた演出として、操作領域拡張演出の他に上述した連続操作対応演出が採用されている。そこで以下、連続操作対応演出用処理について、図１９のフローチャートを参照しながら説明する。なお、当該連続操作対応演出用処理は、約４ｍｓｅｃ周期で実行される。
【０２０８】
（連続操作対応演出用処理）
連続操作対応演出用処理では、先ずステップＳ５０１にて、連続操作対応演出が発生する変動表示回中であるか否かを判定する。当該変動表示回中でない場合には、そのまま本連続操作対応演出用処理を終了し、当該変動表示回中である場合には、ステップＳ５０２に進む。なお、既に説明したように連続操作対応演出は、連発操作と特定単発操作とが組み合わされてなる。
【０２０９】
ステップＳ５０２では、連発操作の示唆が行われたか否かを判定する。本パチンコ機１０では、連続操作対応演出を開始する場合、操作スイッチユニット４０の押しボタン部材３２０を複数回繰り返し操作するように遊技者に促す連発操作示唆用画像（連発操作催促用画像）が図柄表示装置９４の表示画面９４ａにおいて表示される。例えば、当該連発操作示唆用画像としては、キャラクタの表示内容が示唆に対応したものとなるように動画表示されるとともに、「ボタンを連打して下さい。」といった文字が表示される。なお、連発操作の示唆は、図柄表示装置９４の表示画面９４ａにおけるものに限定されることはなく、表示画面９４ａにおけるものに加えて又は代えてスピーカ部２７からの音声の出力に行うようにしてもよい。
【０２１０】
ステップＳ５０２において、連発操作の示唆が行われた後でないと判定した場合には、ステップＳ５０３に進む。ステップＳ５０３では、連発操作の示唆の開始タイミングであるか否かを判定する。具体的には、表示画面９４ａにおける図柄の変動表示の態様が通常変動表示からリーチ表示に切り替わった後の所定のタイミングであるか否かを判定する。
【０２１１】
連発操作の示唆の開始タイミングでない場合には、そのまま本連続操作対応演出用処理を終了する。連発操作の示唆の開始タイミングである場合には、ステップＳ５０４にて、連発操作示唆用画像の設定処理を実行する。これにより、図柄表示装置９４の表示画面９４ａにおいて連発操作示唆用画像が表示される。なお、当該画像の表示は、予め定められた示唆期間に亘って継続される。
【０２１２】
続くステップＳ５０５では、連発操作待ち状態の設定処理を実行する。具体的には、ＲＡＭ４１４における各種フラグ格納エリア４２５の連発操作待ちフラグ格納エリアに連発操作待ちフラグを格納する。その後、本連続操作対応演出用処理を終了する。
【０２１３】
一方、ステップＳ５０２にて連発操作の示唆後であると判定した場合には、ステップＳ５０６に進む。ステップＳ５０６では、ＲＡＭ４１４の連発操作待ちフラグ格納エリアに連発操作待ちフラグが格納されているか否かを判定することで、連発操作待ち状態か否かを判定する。
【０２１４】
連発操作待ち状態である場合には、ステップＳ５０７に進む。ステップＳ５０７では、操作スイッチユニット４０の押しボタン部材３２０が操作されたか否かを判定する。押しボタン部材３２０の操作の有無は、既に説明したように、ＭＰＵ４１２におけるタイマ割込み処理のセンサ監視処理にて監視される。ステップＳ５０７では、当該監視処理の処理結果が押しボタン部材３２０の操作が発生しているとする処理結果である場合（具体的には、ＲＡＭ４１４における各種フラグ格納エリア４２５の操作有りフラグ格納エリアに操作有りフラグが格納されている場合）には、ステップＳ５０８に進み、操作受付用画像の設定処理を実行する。これにより、図柄表示装置９４の表示画面９４ａにおいて操作受付用画像が表示される。当該画像の表示としては、例えば、キャラクタの表示内容が操作発生に対応したものとなるように動画表示される。
【０２１５】
ステップＳ５０８の処理を実行した後は、ステップＳ５０９に進み、繰り返しの操作回数が上記コマンド判定処理にて決定された規定操作回数に達しているか否かを判定する。具体的には、ＲＡＭ４１４の連発操作用カウンタエリア４２７のカウンタ値は、ステップＳ５０７にて肯定判定される度に「１」ずつ加算される構成となっており、このカウンタ値と規定操作回数とを比較して判定を行う。なお、連発操作用カウンタエリア４２７の値は、連発操作待ちフラグが消去された場合に初期化される。
【０２１６】
ステップＳ５０９にて肯定判定をした場合にはステップＳ５１０に進み、連発操作完了用画像の設定処理を行う。これにより、図柄表示装置９４の表示画面９４ａにて連発操作の終了を促す画像が表示されることとなる。
【０２１７】
ステップＳ５１０の処理を実行した後はステップＳ５１１に進み、特定単発操作待ち状態の設定処理を行う。具体的には、ＲＡＭ４１４における各種フラグ格納エリア４２５の特定単発操作待ちフラグ格納エリアに特定単発操作待ちフラグを格納する。つまり、連続操作対応演出においては、連発操作が完遂されたことを条件として、特定単発操作を特定単発操作が許容される。
【０２１８】
続くステップＳ５１２では特定単発操作示唆用画像の設定処理を実行する。かかる処理を行うことで、操作スイッチユニット４０の押しボタン部材３２０を１回操作するように遊技者に促す特定単発操作示唆用画像（特定単発操作催促用画像）が図柄表示装置９４の表示画面９４ａにて表示される。例えば、当該単発操作示唆用画像としては、キャラクタの表示内容が示唆に対応したものとなるように動画表示されるとともに、「押しボタンを押して下さい。」といった文字が表示される。なお、特定単発操作の示唆は、図柄表示装置９４の表示画面９４ａにおけるものに限定されることはなく、表示画面におけるものに加えて又は代えてスピーカ部２７からの音声の出力に行うようにしてもよい。
【０２１９】
特定単発操作用示唆画像の設定処理によって設定された画像については、連発操作完了用画像が所定の期間に亘って表示された後のタイミングで表示される。
【０２２０】
ステップＳ５０７及びステップＳ５０９の各処理にて否定判定をした場合には、ステップＳ５１３に進む。ステップＳ５１３では連発操作の受付終了タイミングであるか否かを判定する。具体的には、ＲＡＭ４１４のタイミング用カウンタエリア４２６に設けられた連発操作受付期間用カウンタの値を参照して、受付終了タイミングとなっていないかを判定する。この連発操作受付期間用カウンタについては、連発操作待ち状態の設定処理が行われた際に、所定の値が入力され、ステップＳ５１３にて否定判定をする度に更新される。そして、この連発操作受付期間用カウンタの値が所定の値となった場合に、ステップＳ５１３にて肯定判定をし、所定の値となっていない場合には否定判定をする。
【０２２１】
ステップＳ５１３にて否定判定をした場合には、そのまま本連続操作対応演出用処理を終了する。一方、ステップＳ５１３にて肯定判定をした場合には、ステップＳ５１４に進む。ステップＳ５１４では、受付終了示唆用画像の設定処理を行う。これにより、表示画面９４ａに連発操作の受付期間が終了した旨を示す画像が表示されることとなる。
【０２２２】
ステップＳ５１４又はステップＳ５１２の処理を実行した後は、ステップＳ５１５にて連発操作待ち状態の解除処理を実行した後、本連続操作対応演出用処理を終了する。連続操作待ち状態の解除処理では、ＲＡＭ４１４の各種フラグ格納エリア４２５に格納された連発操作待ちフラグを消去する。
【０２２３】
再びステップＳ５０６の説明に戻り、同ステップＳ５０６にて否定判定をした場合、すなわち連発操作待ち状態でないと判定した場合には、ステップＳ５１６に進む。ステップＳ５１６においては、特定単発操作待ち状態であるか否かを判定する。具体的には、ＲＡＭ４１４の特定単発操作待ちフラグ格納エリアに特定単発操作待ちフラグが格納されているか否かを判定することで、特定単発操作待ち状態であるか否かを判定する。
【０２２４】
特定単発操作待ち状態である場合にはステップＳ５１７に進む。ステップＳ５１７では、ウェイト期間を経過したか否かを判定する。特定単発操作待ち状態の設定処理を行った際には、タイミング用カウンタエリア４２６のウェイト期間用カウンタに所定の値が入力される。このウェイト期間用カウンタの値はステップＳ５１７にて否定判定される度に更新（「１」ずつ減算）され、その値が所定の値（例えば「０」）となった場合にステップＳ５１７にて肯定判定される。このように、ウェイト期間を設定することで、連発操作→特定単発操作の間で押圧操作が無効となる期間が存在している。
【０２２５】
ステップＳ５１７にて肯定判定をした場合、すなわちウェイト期間中でないと判定した場合には、ステップＳ５１８に進む。ステップＳ５１８では特定単発操作が行われたか否か、すなわち操作スイッチユニット４０の押しボタン部材３２０が操作されたか否かを判定する。押しボタン部材３２０の操作の有無は、既に説明したように、ＭＰＵ４１２におけるタイマ割込み処理のセンサ監視処理にて監視される。ステップＳ５１８では、当該監視処理の処理結果が押しボタン部材３２０の操作が発生しているとする処理結果である場合（具体的には、ＲＡＭ４１４における各種フラグ格納エリア４２５の操作有りフラグ格納エリアに操作有りフラグが格納されている場合）には、肯定判定をしてステップＳ５１９に進む。ステップＳ５１９にて操作受付用画像の設定処理を実行することで、表示画面９４ａにて操作受付用画像が表示される。当該画像の表示としては、例えば、キャラクタの表示内容が操作発生に対応したものとなるように動画表示される。
【０２２６】
ステップＳ５１９の設定処理を実行した後はステップＳ５２０に進み、特定単発操作待ち状態の解除処理を実行する。具体的には、ＲＡＭ４１４における各種フラグ格納エリア４２５の特定単発操作待ちフラグ格納エリアに格納された特定単発操作待ちフラグを消去する。
【０２２７】
その後、ステップＳ５２１にて結果表示画像の設定処理を実行する。ステップＳ５２１の処理を実行することにより、表示画面９４ａにて結果表示画像が表示される。当該画像の表示としては、例えば、当該変動表示回が大当たり状態の発生する変動表示回である場合には、キャラクタの表示内容が大当たり状態の発生に対応したものとなるように動画表示され、当該変動表示回が大当たり状態の発生しない変動表示回である場合には、キャラクタの表示内容が、操作示唆用画像が開始される前と同様のものとなるように動画表示される。
【０２２８】
ステップＳ５２１の処理を実行した後、ステップＳ５１６，Ｓ５１８にて否定判定をした場合、ステップＳ５１７にて否定判定をした場合には、ステップＳ５２２に進む。ステップＳ５２２では、変動表示を終了するタイミングであるか否かを判定する。ステップＳ５２２にて否定判定をした場合には、そのまま本連続操作対応演出用処理を終了する。
【０２２９】
一方、ステップＳ５２３にて肯定判定をした場合、すなわち変動表示の終了タイミングである場合には、ステップＳ５２３にて終了表示画像の設定処理を実行し、本連続操作対応演出用処理を終了する。
【０２３０】
ステップＳ５２３における終了表示画像の設定処理では、当該変動表示回が大当たり状態の発生する変動表示回である場合には、大当たり状態の発生が確定した旨の動画表示がなされるように表示設定を行う。この場合に、結果表示画像の設定処理が実行されているとともに、当該結果表示画像の設定処理にて、大当たり状態の発生に対応したものとなるように動画表示が設定されている場合には、当該動画表示と一連の内容となるように動画表示の設定が行われる。一方、操作未完画像の設定処理が実行されている場合には、当該操作未完画像から大当たり状態の発生が確定した旨の動画表示へと劇的に切り換わるような動画表示が介在することとなる。
【０２３１】
ここで、連続操作対応演出が実行される場合の図柄表示装置９４における表示内容や操作スイッチユニット４０の操作態様について、図２０のタイムチャートを参照しながら説明する。
【０２３２】
ｔｃ１のタイミングにて連続操作対応演出が実行される遊技回が開始されると、それまで停止表示されていた各図柄列の変動表示が開始される。その後、先ず左側の図柄列が停止表示され、続いてｔｃ２のタイミングで右側の図柄列が停止表示される。この際、上述した有効ライン上に同じ図柄（図１８においては「３」の図柄）が停止表示されることで、リーチ表示が開始される。リーチ表示が開始された後は、リーチ図柄が表示画面９４ａの上部に縮小表示され、表示画面９４ａの中央部分に女の子を模したキャラクタ画像が表示される。その後、ｔｃ３のタイミングでは、表示画面９４ａ上に押しボタン部材３２０の連打を促すメッセージ（例えば「連打して！」）が表示され、これとともに連発操作待ち状態に切り替わる。
【０２３３】
その後、遊技者によって押しボタン部材３２０の押圧操作が繰り返されることで、表示画面９４ａの側方に配された連発操作対応の操作受付回数表示部９４ｂの表示が変更される。具体的には、操作回数に応じてそれまで消灯状態となっていた発光体（ＬＥＤ）が点灯状態に切り替わることで、遊技者に操作回数が示唆される。これに合わせて、表示画面９４ａに表示されている女の子を模したキャラクタ画像には当該キャラクタを囲むようにしてエフェクトが表示され、操作回数が増すことで、当該エフェクトが大きくなるように表示される。
【０２３４】
ここで、本実施の形態においては、連発操作が示唆されてから、操作完了となるまでの操作回数が多くなるほど大当たりに当選している期待度が高くなるように設定されている。このため、遊技者は１回でも多く押圧操作ができるように期待しながら操作を行うと想定され、押圧操作に対する注目度の向上が図られている。
【０２３５】
繰り返しの押圧操作による操作回数が予め設定された規定操作回数に到達したｔｃ５のタイミングにて、表示画面９４ａに連発操作が完了した旨を示す画像が表示される。このｔｃ５のタイミングにて、押しボタン部材３２０の押圧操作が一時的に無効化され、その後ｔｃ６のタイミングでは特定単発操作を受け付ける状態に切り替わる。これに合わせて、表示画面９４ａには特定単発操作（１度の押圧操作）を促す画像が表示される。
【０２３６】
特定単発操作を促す画像が表示された後のｔｃ７のタイミングにて、押しボタン部材３２０が操作された場合には、操作完了画像が遊技結果に応じて表示される。具体的には、今回の遊技回が大当たり状態の発生する遊技回でない場合には、操作示唆用画像の表示が開始される前の表示内容となり、今回の遊技回が大当たり状態の発生する遊技回である場合には、大当たり状態の発生に対応した画像の表示が開始される。
【０２３７】
その後、ｔｃ８のタイミングでは中図柄列が停止表示され、遊技結果が明示されることとなる。具体的には、今回の遊技回が大当たり状態の発生する遊技回でない場合には外れに対応した図柄の組み合わせが停止表示され、今回の遊技回が大当たり状態の発生する遊技回である場合には大当たりに対応した図柄の組み合わせが停止表示される。
【０２３８】
以上詳述した第１の実施の形態によれば、以下の優れた効果を奏する。
【０２３９】
演出用操作手段としての操作スイッチユニット４０は、通常状態と拡張状態とに切替可能に構成されている。遊技状況に応じて拡張状態に切り替えられた場合には、遊技者が直接触れて操作できる（アクセス可能となる）操作領域が拡張される。このように、遊技状況に応じて操作領域を拡張させる構成とすれば、操作スイッチユニット４０に対する注目度の向上が期待できる。特に、操作領域拡張演出が実行される場合には、直接触れて操作できる領域を変化させることにより、操作領域が拡張された際にインパクトを強め興趣向上を図ることができる。
【０２４０】
遊技者によっては、押しボタン部材３２０の操作を迅速に行うこと等を目的として、常時押しボタン部材３２０に手を添えた状態で遊技を行うことがある。ここで、本実施の形態に示す操作スイッチユニット４０については、遊技者に対して視覚や聴覚にかかる演出だけでなく触覚にかかる演出を提供することができる。
【０２４１】
操作領域拡張演出が実行される遊技回においては、その遊技回にて大当たりに当選している可能性が高くなるため、遊技者は、操作スイッチユニット４０が動作することを期待しながら遊技を進めることとなり、遊技に対する注目度の向上に貢献することができる。
【０２４２】
操作スイッチユニット４０については、通常状態における操作可能領域が拡張状態における操作可能領域に含まれている。通常状態での操作領域と拡張状態での操作領域を別個独立して設けた場合と比較して、遊技者にどの部分を操作すればよいか等の戸惑いを与えにくくしている。
【０２４３】
押しボタン部材３２０については、通常状態から拡張状態へ切り替わることで、上方への突出が大きくなる。これにより、拡張状態となったことを示唆する機能を向上できるだけでなく、操作の容易化を図って拡張状態での操作を促進することができる。
【０２４４】
拡張状態となった場合には、押しボタン部材３２０の操作ストロークが増大する。遊技者は押しボタン部材３２０を操作している手などによって押しボタン部材３２０を特定位置まで変位させるのに必要な変位量が変化したと感じることができる。よって、押しボタン部材３２０の操作量の変化を遊技への注目度を高める演出として用いることで、遊技者に対して視覚又は聴覚による演出だけでなく触覚による演出を提供することが可能となる。
【０２４５】
押しボタン部材３２０の突出方向への移動をシャッタ部材３３０によって規制する構成としたことで、上述した操作領域の拡張と操作ストロークの増大とを実現するための構成が複雑になることを回避している。また、操作スイッチユニット４０を通常状態に復帰させる場合には、押しボタン部材３２０の操作面部３２２をシャッタ部材３３０が押すことで、同押しボタン部材３２０を退避方向に移動させることができる。これにより、復帰にかかる構成の複雑化を抑制している。
【０２４６】
可動式のシャッタ部材３３０を用いて操作領域を変更する構成においては、遊技者の手等によって復帰が妨げられる可能性が生じる。この点、本実施の形態においては、押しボタン部材３２０が最大突出位置に待機していること、すなわち押しボタン部材３２０が押圧されていないことを条件として、操作スイッチユニット４０を通常状態に復帰させる構成を採用した。これにより、操作スイッチユニット４０の通常状態への復帰が遊技者の手等によって妨げられることを抑制することができる。
【０２４７】
特に、操作領域拡張演出が行われている場合に、押しボタン部材３２０が最大突出位置に復帰していることを条件として押圧操作に基づく演出が実行される構成とした。これにより、押しボタン部材３２０が押圧状態のまま維持されることを抑制し、通常状態への復帰機能を発揮させやくなっている。
【０２４８】
操作スイッチユニット４０を用いた演出として連続操作対応演出を採用しており、遊技者が連発操作（規定回数の繰り返し操作）を行うことで、遊技機にて特定単発操作が促される。このように少なくとも連発操作の実行→特定単発操作の催促が行われるため、規定回数への到達を目指して押しボタン部材３２０を繰り返し操作した場合に同操作に次の操作に繋がる意味を与えることができ、繰り返し操作が無駄であるかのような印象を遊技者に与えにくくすることができる。これにより、操作スイッチユニット４０（特定操作）への注目度が低下することを抑制できる。
【０２４９】
また、連続操作対応演出においては、規定操作回数の押圧操作が行われることで特定単発操作が可能となる構成を採用した。規定操作回数については、大当たりの当選期待度に応じてその数が多くなるように設定されている。このため、繰り返し操作（連発操作）を行う際に、遊技者は１回でも多く押圧操作が有効に受け付けられることを期待しながら操作を行うこととなる。これにより、押圧操作そのものに対する注目度を向上し、遊技者が機械的に操作を繰り返すことを抑制することができる。
【０２５０】
＜第２の実施の形態＞
第２の実施の形態においては、操作手段としての押しボタン部材にかかる構成が上記第１の実施の形態と相違している。そこで以下、図２１〜図２３に基づき押しボタン部材にかかる構成について説明する。図２１は第２の実施の形態におけるパチンコ機を前方から見た斜視図、図２２（ａ）は上側膨出部及びそれに関連する構成を示す平面図、図２２（ｂ）は図２２（ａ）のＢ−Ｂ線部分断面図、図２３（ａ）は図２２（ａ）のＣ−Ｃ線部分断面図、図２３（ｂ）は図２２（ｂ）のＤ−Ｄ線部分断面図である。なお、以下の説明では上記第１の実施の形態と同一符号に係る構成についてはその説明を援用して同構成に関する説明を簡略化又は省略し、主として第１の実施の形態との違いを説明する。
【０２５１】
図２１に示すように、上側膨出部５００は、遊技球を貯留する貯留部としての機能が付与された上皿５０１を備えている。上皿５０１は、図２２（ａ）に示すように、底部５１１と当該底部５１１の周縁部から上方に起立する周壁部５１２とが形成された上皿本体５１０を有している。上皿本体５１０は、全体として上方に開放された箱状をなしており（図２１参照）、この上皿本体５１０によって遊技球の貯留領域ＲＥが区画形成されている。
【０２５２】
上皿本体５１０の周壁部５１２は、前側壁部５１３、後側壁部５１４、右側壁部５１５、左側壁部５１６によって構成されており、このうち後側壁部５１４が前扉枠１４の枠体２０に対して固定されることで上皿５０１と枠体２０とが一体化されている。後側壁部５１４には、枠体２０に形成された前扉側上皿通路３５に連通する遊技球排出口５２１が形成されており、払出装置２２４から払い出された遊技球が前扉側上皿通路３５→遊技球排出口５２１を通じて貯留領域ＲＥに到達する。
【０２５３】
前扉側上皿通路３５には、前扉側上皿通路３５の所定位置まで遊技球が貯まったことを検知する球検知センサ３６が設けられている。球検知センサ３６は表示制御装置４１０に対して電気的に接続されており、表示制御装置４１０にいては、この球検知センサ３６からの検知情報（検知信号）に基づいて、上皿５０１が満タンになっていることを把握できる構成となっている。つまり、球検知センサ３６には、上皿５０１が満タンになっていることを検知する満タン検知手段としての機能が付与されている。
【０２５４】
底部５１１の中央部分には、底部５１１から上方に起立する壁状をなし、貯留領域ＲＥを前後に仕切る仕切り部５２２が設けられている。貯留領域ＲＥにおいて仕切り部５２２よりも前側となる領域については複数の遊技球が前後に並んだ状態で待機できるようにして前後幅が設定されており、仕切り部５２２よりも後側となる領域は、遊技球を後側壁部５１４に沿って一列に整列した状態で案内する整列通路５２３となっている。前側領域の前後幅は後側領域の前後幅よりも大きくなっている。
【０２５５】
後側壁部５１４において整列通路５２３の最下流部分を構成している箇所には遊技球取込口５２４が形成されている。遊技球排出口５２１を通じて貯留領域ＲＥに流出した遊技球は、仕切り部５２２を前方から迂回して整列通路５２３に流入し、その後、整列通路５２３に沿って移動することで遊技球取込口５２４に到達する。そして、この遊技球取込口５２４から取り込まれた遊技球は遊技球発射機構１１０の球送装置１１３に案内される構成となっている。
【０２５６】
以上詳述した上皿本体５１０は、その一部（詳しくは前側壁部５１３）がカバー体５３０によって遊技機前方から覆われている。図２２（ｂ）に示すように、カバー体５３０は、上皿本体５１０の底部５１１に下側から対向する底板部５３１と、その底板部５３１に対して前側壁部５１３を挟んで対向する天板部５３２と、前側壁部５１３に対して遊技機前方から隙間を隔てて対向し両板部５３１，５３２を繋ぐ前板部５３３とを有してなり、底板部５３１が、上皿本体５１０と枠体２０とによって上下に挟まれることで、詳しくは上皿本体５１０と枠体２０との間に形成されたスリット５３８に底板部５３１が挿入されることで、更には上皿本体５１０の前側壁部５１３を底板部５３１及び天板部５３２によって上下に挟み込むことで、上皿本体５１０に対して前後方向へのスライド移動が許容された状態で取り付けられている。
【０２５７】
なお、図２３（ａ）に示すように上皿５０１の左側の端部においても、スリット５３８が存在しており、カバー体５３０の底板部５３１が上皿本体５１０と枠体２０との間を移動可能となっている。一方、上皿５０１の右側の端部においては、上皿本体５１０の右側壁部５１５がカバー体５３０内に入り込むことでカバー体５３０の遊技機後方への移動が許容されている（図２２（ａ）参照）。
【０２５８】
上皿５０１には、カバー体５３０の遊技機前方への移動を阻止するストッパが設けられている。このように遊技機前方への移動を阻止することで上皿本体５１０からのカバー体５３０の脱落が回避されている。上皿５０１には、カバー体５３０を前方に向けて付勢する付勢手段としてのバネ部材（図示略）が設けられている。これにより、カバー体５３０は上記ストッパに対して当接した状態に維持されている。カバー体５３０については、上記ストッパに対して遊技機後方から当接している位置が初期位置となっている。
【０２５９】
また、スリット５３８の奥部には、カバー体５３０の遊技機後方へのスライド移動を阻止する阻止状態と、遊技機後方へのスライド移動を許容する許容状態とに切替可能なカバー用ストッパ装置５４０が設けられている。阻止状態においては、カバー用ストッパ装置５４０のストッパ片５４１がスリット５３８の奥壁５３９と底板部５３１の後端部との間に挿入され、同ストッパ片５４１の一端が奥壁５３９に当接し、他端が底板部５３１の後端部に当接することで、カバー体５３０の後方への移動が阻止されている。つまり、上記ストッパ及びカバー用ストッパ装置５４０によってカバー体５３０の初期位置からの移動が阻止されている。
【０２６０】
カバー体５３０の前板部５３３と上皿本体５１０の前側壁部５１３とによって挟まれた領域には略直方体状をなす押しボタン部材５５０が配設されている。押しボタン部材５５０は、カバー体５３０の天板部５３２と底板部５３１とによって挟持されており、それら両板部５３１，５３２によって上下位置が規定されている。
【０２６１】
カバー体５３０には前板部５３３と天板部５３２とに跨るようにして開口部５３４が形成されており、この開口部５３４を通じて押しボタン部材５５０の一部が遊技機正面側に露出した状態となっている。これにより、遊技機正面側からの押しボタン部材５５０に対するアクセスが許容されている。
【０２６２】
押しボタン部材５５０（開口部５３４）を挟んだ左右両側には、押しボタン部材５５０に対して側方から当接する当接部５３６が形成されている。当接部５３６は、相対向する一対の板状部によって構成されており、同当接部５３６に対して押しボタン部材５５０が当接することで、押しボタン部材５５０の左右への移動が規制されている。なお、当接部５３６は各板部５３１〜５３３に跨るようにして形成されており、カバー体５３０を補強する補強部としての機能が付与されている。特に、開口部５３４の周辺では押しボタン部材５５０の保持強度等が低下しやすい。これは、カバー体５３０の歪み等を招来し、押しボタン部材５５０の移動が妨げる要因となる。この点、本実施の形態においては、当接部５３６に補強機能を付与することにより押しボタン部材５５０の操作性の低下を抑えている。
【０２６３】
また、押しボタン部材５５０は、その後面が前側壁部５１３に隙間を隔てて対向するようにして形成されて前後方向での移動経路が確保されている。これにより、押しボタン部材５５０は、カバー体５３０のスライド方向と同じ方向に移動可能となっている。
【０２６４】
押しボタン部材５５０については、その前面部が上記開口部５３４よりも僅かに大きく形成されており、当該前面部の左右両端部がカバー体５３０の前板部５３３に対して後方から当接している。これにより、開口部５３４からの押しボタン部材５５０の脱落が回避されている。
【０２６５】
押しボタン部材５５０と前側壁部５１３との間には、押しボタン部材５５０を前方へ付勢する付勢手段としてのボタン用バネ部材５５５が設けられている。このボタン用バネ部材５５５によって付勢されることで、押しボタン部材５５０がカバー体５３０の前板部５３３に対して押し付けられた状態となっている。なお、押しボタン部材５５０についてはカバー体５３０が初期位置に待機している状態にて前板部５３３に対して当接している位置が初期位置となっている。
【０２６６】
カバー体５３０が遊技機後方へスライド移動した場合には、カバー体５３０に追従して押しボタン部材５５０が後方へ移動することとなる。より詳しくは、カバー体５３０が後方へスライド移動する場合には、カバー体５３０の前板部５３３によって押しボタン部材５５０が後方に押され、ボタン用バネ部材５５５の付勢力に抗して押しボタン部材５５０が後方へ移動することとなる。つまり、押しボタン部材５５０については、単独での後方への移動と、カバー体５３０に追従した後方への移動との２つの移動パターンが許容されている。
【０２６７】
上皿本体５１０の前側壁部５１３には、押しボタン部材５５０の遊技機後方へのスライド移動を阻止する阻止状態と、遊技機後方へのスライド移動を許容する許容状態とに切替可能なボタン用ストッパ装置５６０が設けられている（図２３（ｂ）参照）。ボタン用ストッパ装置５６０は表示制御装置４１０に対して電気的に接続されており、表示制御装置４１０から駆動信号が入力された場合に、許容状態から阻止状態に切り替わる構成となっている。なお、ボタン用ストッパ装置５６０については通常は許容状態に維持され、遊技状況に応じて（詳しくは予め定められた条件が成立した場合に）阻止状態に切り替わるように制御される。
【０２６８】
図２２（ｂ）に示すように、ボタン用ストッパ装置５６０が阻止状態となっている場合には、ボタン用ストッパ装置５６０のストッパ片５６１が前側壁部５１３の前面と押しボタン部材５５０の後面との間に挿入され、同ストッパ片５６１の一端が前側壁部５１３の前面に当接し、他端が押しボタン部材５５０の後面に当接することで、カバー体５３０の後方への移動が阻止される。かかる構成を採用することにより、阻止状態にて押しボタン部材５５０が押圧された場合に生じる応力を、ストッパ片５６１を通じて前側壁部５１３に伝えることができ、応力の分散を図っている。
【０２６９】
以上詳述した、カバー体５３０、カバー用バネ部材、押しボタン部材５５０、ボタン用バネ部材５５５、ストッパ装置５４０，５６０によって上記操作スイッチユニット４０に相当する操作スイッチ機構５０２が構成されている。
【０２７０】
ここで、上皿本体５１０とカバー体５３０との関係について補足説明する。カバー体５３０は、初期位置に待機している状態にて、天板部５３２の後端部分が前側壁部５１３よりも後方（貯留領域ＲＥ側）へ突出しないように構成されている。カバー体５３０を後方に移動させた場合には、図２２（ｂ）の１点鎖線に示すように天板部５３２が貯留領域ＲＥ側へ突出する。このように、初期位置に待機している場合には貯留領域ＲＥ側への突出を回避し、後方への押圧操作が行われた場合に天板部５３２が貯留領域ＲＥ側へ突出する構成としたのは、前側壁部５１３によるカバー体５３０の保持姿勢の安定化と、カバー体５３０の移動領域確保に起因した貯留領域ＲＥの圧迫の回避とを実現するための工夫である。
【０２７１】
しかしながら、天板部５３２が貯留領域ＲＥ側へ突出した場合には、貯留領域ＲＥに存在する遊技球によって天板部５３２の移動が妨げられたり、遊技球の移動が妨げられたりする可能性がある。そこで、本実施の形態においては、それら各種不都合の発生を抑えるための工夫が施されていることを特徴の１つとしている。以下、図２２（ｂ）を参照して、当該特徴にかかる構成について説明する。
【０２７２】
貯留領域ＲＥは、上述した仕切り部５２２によって前後に仕切られている。このため、仮に天板部５３２によって貯留中の遊技球（以下「貯留球」と称する）が後方に押された場合であっても、整列通路５２３に存在する貯留球に対して圧力が伝わることを抑制し、遊技球の発射操作に際して遊技球の供給が停止するといった不都合を生じにくくしている。
【０２７３】
このように仕切り部５２２によって遊技球の取り込み機能を担保する構成を採用した場合には、カバー体５３０の移動の影響が整列通路５２３におよぶことを抑制できるものの、貯留領域ＲＥにおいて仕切り部５２２よりも前側となる領域ではカバー体５３０の移動の影響がおよびやすくなる。そこで、仕切り部５２２と天板部５３２とには、そのような影響を抑制するための各種工夫が施されている。
【０２７４】
具体的には、図２２（ｂ）に示すように、天板部５３２は仕切り部５２２の上端部よりも上方に位置しており、底部５１１に対する天板部５３２と仕切り部５２２の上端部との高低差Ｈは、遊技球の直径寸法よりも大きく設定されている。これにより、天板部５３２が後方にスライド移動した場合であっても、天板部５３２によって後方に押された貯留球が仕切り部５２２との間でつかえるといった不都合を抑制している。
【０２７５】
更には、図２２（ａ）に示すように、天板部５３２の後端部において仕切り部５２２の前方に位置している部分は左右に延びる直線状をなしているのに対して、仕切り部５２２の前面は遊技機前方に凸となる曲面状をなしており、天板部５３２の後端部と仕切り部５２２の前面との距離寸法が側方へ向けて徐々に大きくなっている。より詳しくは、貯留領域ＲＥにおける上流側（遊技球排出口５２１側）に向けて天板部５３２の後端部と仕切り部５２２の前面との距離寸法が徐々に大きくなっている。
【０２７６】
このため、仮に天板部５３２の後方への移動に起因して同天板部５３２と仕切り部５２２との間に貯留球が挟まったとしても、同遊技球は仕切り部５２２の前面に沿って側方、すなわち天板部５３２の移動方向と交差する方向へ誘導されることとなる。これにより、天板部５３２の移動が妨げられることを抑制することが可能となっている。更には、仕切り部５２２の前面に沿って移動する遊技球は貯留領域ＲＥの上流側へと押されることとなり、押圧力が下流側の遊技球へ伝わることを抑制可能となっている。
【０２７７】
（操作スイッチ機構５０２の操作態様）
本実施の形態においては、遊技状況に応じて操作スイッチ機構５０２の操作態様が変化する構成となっている。そこで以下、図２４を参照して操作スイッチ機構５０２の操作態様について説明する。図２４は操作スイッチ機構５０２の操作態様を示す概略図である。
【０２７８】
先ず、操作スイッチ機構５０２の通常状態での操作態様について説明する。図２４（ａ）に示すように、操作スイッチ機構５０２が通常状態となっている場合には、カバー用ストッパ装置５４０のストッパ片５４１が阻止位置に待機しており、カバー体５３０の押し込み操作が規制されている。一方、ボタン用ストッパ装置５６０のストッパ片５４１は許容位置に待機しているため、押しボタン部材５５０の押し込み操作は許容されている。
【０２７９】
押しボタン部材５５０において開口部５３４から露出している部分を遊技機後方へ押した場合には、図２４（ａ）→図２４（ｂ）に示すように押しボタン部材５５０がボタン用バネ部材５５５の付勢力に抗して後方へスライド移動する。そして、押しボタン部材５５０の後面が上皿本体５１０の前側壁部５１３に対して当接することで、それ以上の押し込み操作が規制されることとなる。押しボタン部材５５０が前側壁部５１３に当接する最大押圧位置に到達することで、押しボタン部材５５０が検知センサ５５７（図２３（ｂ）参照）によって検知され、検知センサ５５７から表示制御装置４１０に検知信号が出力される。その後、押しボタン部材５５０から手を離すことで、ボタン用バネ部材５５５の付勢力によって押しボタン部材５５０が移動前の位置（初期位置）に復帰する。
【０２８０】
次に、カバー体５３０の操作が許容される場合について説明する。予め設定された条件が成立した場合には、上記通常状態から操作スイッチ機構５０２における操作領域が拡張される拡張状態へと切り替わる。具体的には、図２４（ａ）→図２４（ｃ）に示すように、カバー用ストッパ装置５４０のストッパ片５４１が阻止位置から許容位置へ移動し、カバー体５３０の移動規制が解除されることで、操作領域が押しボタン部材５５０→押しボタン部材５５０＋カバー体５３０に変更される。
【０２８１】
図２４（ｃ）→図２４（ｄ）に示すように、カバー体５３０を遊技機後方へ押すと、カバー体５３０はカバー用バネ部材の付勢力に抗して後方へスライド移動する。そして、カバー体５３０の底板部５３１がスリット５３８の奥壁５３９に対して当接することで、それ以上の押し込み操作が規制されることとなる。
【０２８２】
この際、カバー体５３０の前板部５３３によって押しボタン部材５５０が押され、押しボタン部材５５０についてもカバー体５３０に追従して後方へ移動し、カバー体５３０の底板部５３１が奥壁５３９に当接すると同時に、押しボタン部材５５０が上皿本体５１０の前側壁部５１３に当接する。押しボタン部材５５０が前側壁部５１３に当接する最大押圧位置に到達することで、カバー体５３０の移動（押しボタン部材５５０の移動）が検知センサ５５７によって検知され、検知センサ５５７から表示制御装置４１０に検知信号が出力される。
【０２８３】
その後、カバー体５３０から手を離すことで、カバー用バネ部材の付勢力によってカバー体５３０が操作前の位置（初期位置）に復帰し、押しボタン部材５５０についてもボタン用バネ部材５５５の付勢力によって操作前の位置（初期位置）に復帰する。このようにして、カバー体５３０及び押しボタン部材５５０がそれぞれ初期位置に復帰した後に、図２２（ｄ）→図２２（ａ）に示すようにカバー用ストッパ装置５４０が阻止状態となり、ストッパ片５４１によってカバー体５３０の移動が阻止される。すなわち、操作スイッチ機構５０２が拡張状態から通常状態へと切り替わる。
【０２８４】
以上詳述した、通常状態及び拡張状態においては、押しボタン部材５５０及びカバー体５３０のうち少なくとも前者の操作が許容される。これに対して、押しボタン部材５５０及びカバー体５３０の操作を不可とする状態、すなわち通常状態よりも操作領域が減縮される減縮状態への切り替えが可能となっている。
【０２８５】
具体的には、表示制御装置４１０からボタン用ストッパ装置５６０（図２３（ｂ）参照）に対して駆動信号が出力されることで、図２２（ａ）→図２２（ｅ）に示すようにボタン用ストッパ装置５６０のストッパ片５６１が阻止位置へ配される。これにより、押しボタン部材５５０の押圧操作が規制される。かかる状態では、押しボタン部材５５０の押圧操作及びカバー体５３０の押圧操作がともに規制されることとなる。
【０２８６】
その後、遊技進行に伴ってボタン用ストッパ装置５６０に対する駆動信号の出力が停止すると、図２２（ｅ）→図２２（ａ）に示すように、ボタン用ストッパ装置５６０のストッパ片５６１が許容位置へ戻り、押しボタン部材５５０の操作規制が解除される。
【０２８７】
次に、第２の実施の形態におけるパチンコ機１０の電気的構成について第１の実施の形態との相違点を中心に説明する。
【０２８８】
表示制御装置４１０（詳しくはＭＰＵ４１２）の入力側には、枠体２０の前扉側上皿通路３５に配された球検知センサ３６、操作スイッチ機構５０２に設けられた押しボタン部材５５０用の位置検出手段が接続されている。
【０２８９】
球検知センサ３６からの検知情報に基づいて、上皿５０１が満タンとなっているか否かを判別することが可能となっている。
【０２９０】
位置検出手段は、押しボタン部材５５０が最大押圧位置へ存在している場合に所定の検知情報（検知信号）を表示制御装置４１０に出力する検知センサ５５７Ａと、押しボタン部材５５０が初期位置に存在している場合に所定の検知情報（検知信号）を表示制御装置４１０に出力する検知センサ５５７Ｂとによって構成されている。
【０２９１】
ＭＰＵ４１２の出力側には、操作スイッチ機構５０２に設けられたストッパ装置５４０，５６０が接続されている。表示制御装置４１０から出力される駆動信号によって、各ストッパ装置５４０，５６０が動作する。
【０２９２】
次に、表示制御装置４１０のＭＰＵ４１２にて実行される各種処理のうち、操作スイッチ機構５０２にかかる操作対応演出の設定に関する各種処理を説明する。
【０２９３】
先ず、コマンド判定処理について、図２５のフローチャートを参照しながら説明する。
【０２９４】
（コマンド判定処理）
コマンド判定処理では、先ずステップＳ６０１にて、変動開始コマンドを入力しているか否かを判定する。なお、音声ランプ制御装置１４３から入力した各種コマンドは、ＲＡＭ４１４に設けられたコマンド格納エリアに格納され、コマンド判定処理において読み出されることで消去される。
【０２９５】
変動開始コマンドを入力している場合には、ステップＳ６０２にて、変動開始コマンドに連続操作対応演出にかかる情報が含まれているか否かを判定する。具体的には、変動開始コマンドに含まれる第１変動種別カウンタＣＳ１の値の情報が、ＲＯＭ４１３に記憶された連続操作対応演出用の値群の情報に含まれているか否かを判定する。
【０２９６】
連続操作対応演出にかかる情報が含まれている場合には、ステップＳ６０３にて上皿５０１が満タンとなっているか否かを判定する。具体的には、球検知センサ３６からの検知情報に基づいて上皿５０１が満タンとなっているか否かを判定する。
【０２９７】
ステップＳ６０３にて否定判定をした場合、すなわち上皿５０１が満タンでないと判定した場合には、ステップＳ６０４にて第１連続操作対応演出用の特定処理を実行する。第１連続操作対応演出用の特定処理では、ＲＡＭ４１４の各種フラグ格納エリア４２５のうち、第１連続操作対応演出フラグ格納エリアに第１連続操作対応演出フラグを格納する。
【０２９８】
一方、ステップＳ６０３にて肯定判定をした場合、すなわち上皿５０１が満タンであると判定した場合には、ステップＳ６０５にて第２連続操作対応演出用の特定処理を実行する。第２連続操作対応演出用の特定処理では、ＲＡＭ４１４の各種フラグ格納エリア４２５のうち、第２連続操作対応演出フラグ格納エリアに第２連続操作対応演出フラグを格納する。
【０２９９】
上述したように、上皿５０１のカバー体５３０を操作手段として活用する構成においては、当該カバー体５３０の押し込み操作が上皿５０１に貯留されている遊技球によって妨げられることは好ましくない。そこで、ステップＳ６０３にて、上皿５０１が満タンで有る場合には、操作領域の拡張に対応する第１連続操作対応演出を行わない構成とすることで、すなわち代替演出として第２連続操作対応演出を行うことで、上記不都合の発生を抑制することが可能となっている。
【０３００】
ステップＳ６０４，Ｓ６０５の特定処理においては、連続操作対応演出フラグの格納とともに以下の処理を実行する。すなわち、ＭＰＵ４１２にて生成される乱数と、ＲＯＭ４１３の各種テーブル記憶エリア４２１に記憶されている基準回数決定テーブル（図１６（ｂ）参照）と、大当たりの発生の有無とに基づいて連続操作の基準回数の決定処理を行う。かかる決定処理においては、大当たりに当選している場合には、大当たりに当選していない場合と比較して、基準回数が多くなりやすい。なお、基準回数については、押しボタン部材の待機位置への復帰速度や検知情報の読み込みタイミング等を加味して、連続操作対応演出実行期間内に実質的に達成可能な範囲で定められている。
【０３０１】
ステップＳ６０２にて連続操作対応演出にかかる情報が含まれていないと判定した場合、又はステップＳ６０４，Ｓ６０５の特定処理を実行した後は、ステップＳ６０６に進む。ステップＳ６０６では、変動表示用の特定処理を実行する。
【０３０２】
一方、ステップＳ６０１において、変動開始コマンドを入力していないと判定した場合には、ステップＳ６０７に進み、その他の特定処理を実行した後に、本コマンド判定処理を終了する。
【０３０３】
なお、ステップＳ６０６，Ｓ６０７の各処理については、第１の実施の形態におけるステップＳ３０６，Ｓ３０７の各処理と同様であるため、説明を援用する。
【０３０４】
本実施の形態においては、上記第１の実施の形態とは異なり、連続操作対応演出が実行される場合には、上皿５０１が満タンであるか否かによって第１連続操作対応演出と第２連続操作対応演出との何れが選択される構成となっている。両連続操作対応演出については、連発操作を行うことで、その後の特定単発操作が有効化される点については共通しているものの、連発操作→特定単発操作の態様が異なっている。
【０３０５】
具体的には、第２連続操作対応演出については、押しボタン部材５５０の操作回数が規定操作回数に達することで、特定単発操作として同押しボタン部材５５０の操作が有効化される。一方、第１連続操作対応演出については、押しボタン部材５５０の操作回数が規定操作回数に達することで、特定単発操作としてカバー体５３０の操作が有効化される。つまり、第２連続操作対応演出においては連発操作→特定単発操作にて操作領域の変更はないが、第１連続操作対応演出においては連発操作→特定単発操作にて操作領域が拡張されるてんで相違している。
【０３０６】
第２連続操作対応演出については上記第１の実施の形態に示した連続操作対応演出（図１９，２０参照）と同様であるため説明を省略し、第１連続操作対応演出用の処理について説明する。
【０３０７】
（第１連続操作対応演出用処理）
図２６のフローチャートに示すように、第１連続操作対応演出用処理では、先ずステップＳ７０１にて、第１連続操作対応演出が発生する変動表示回中であるか否かを判定する。当該変動表示回中でない場合にはそのまま本第１連続操作対応演出用処理を終了し、当該変動表示回中である場合にはステップＳ７０２に進む。
【０３０８】
ステップＳ７０２では、連発操作の示唆が行われたか否かを判定する。ステップＳ７０２にて連発操作の示唆が行われた後でないと判定した場合には、ステップＳ７０３に進む。ステップＳ７０３では、連発操作の示唆の開始タイミングであるか否かを判定する。連発操作の示唆の開始タイミングでない場合にはそのまま本連続操作対応演出用処理を終了する。一方、連発操作の示唆の開始タイミングである場合には、ステップＳ７０４にて、連発操作示唆用画像の設定処理を実行する。続くステップＳ５０５では、連発操作待ち状態の設定処理を実行する。
【０３０９】
なお、ステップＳ７０２〜ステップＳ７０５の各処理については、上記第１の実施の形態におけるステップＳ５０２〜Ｓ５０５の各処理と同様であるため、詳細な説明は省略する。
【０３１０】
ステップＳ７０２にて連発操作の示唆後であると判定した場合には、ステップＳ７０６に進む。ステップＳ７０６では、連発操作待ち状態か否かを判定する。連発操作待ち状態である場合にはステップＳ７０７に進み、操作スイッチ機構５０２の押しボタン部材５５０が操作されたか否かを判定する。
【０３１１】
ステップＳ７０７にて肯定判定をした場合には、続くステップＳ７０８にて操作受付用画像の設定処理を実行し、ステップＳ７０９に進む。ステップＳ７０９では、繰り返しの操作回数が上記コマンド判定処理にて決定された規定操作回数に達しているか否かを判定する。ステップＳ７０９にて肯定判定をした場合にはステップＳ７１０に進み、連発操作完了用画像の設定処理を行う。
【０３１２】
なお、ステップＳ７０６〜Ｓ７１０の各処理は、第１の実施の形態に示したステップＳ５０６〜Ｓ５１０の各処理と同様であるため、詳細な説明を省略する。
【０３１３】
続くステップＳ７１１では特定単発操作示唆用画像の設定処理を実行する。かかる処理を行うことで、操作スイッチ機構５０２の押しボタン部材５５０を１回操作するように遊技者に促す特定単発操作示唆用画像が表示画面９４ａに表示される。例えば、当該単発操作示唆用画像としては、キャラクタの表示内容が示唆に対応したものとなるように動画表示されるとともに、「押しボタンを操作して下さい。」といった文字が表示される。なお、特定単発操作の示唆は、図柄表示装置９４の表示画面９４ａにおけるものに限定されることはなく、表示画面におけるものに加えて又は代えてスピーカ部２７からの音声の出力に行うようにしてもよい。なお、特定単発操作用示唆画像の設定処理によって設定された画像については、連発操作完了用画像が所定の期間に亘って表示された後のタイミングで表示される。
【０３１４】
ステップＳ７１１の処理を実行した後はステップＳ７１２に進み、今回の変動表示回が大当たり対応の変動表示回であるか否かを判定する。ステップＳ７１２にて肯定判定をした場合にはステップＳ７１３に進み、カバー体５３０の移動規制解除処理を実行する。具体的には、カバー用ストッパ装置５４０に対して駆動信号を出力してカバー用ストッパ装置５４０を許容状態に切り替える。これにより、カバー体５３０の押圧操作が許容され、操作領域が押しボタン部材５５０→押しボタン部材５５０＋カバー体５３０に拡張される。
【０３１５】
一方、ステップＳ７１２にて否定判定をした場合、すなわち今回の変動表示回が外れ対応の変動表示回であると判定した場合には、ステップＳ７１４に進む。ステップＳ７１４では、押しボタン部材５５０の移動規制処理を実行する。具体的には、ボタン用ストッパ装置５６０に対して駆動信号を出力してボタン用ストッパ装置５６０を阻止状態に切り替える。これにより、押しボタン部材５５０の押圧操作が規制され、操作領域が押しボタン部材５５０→無しに減縮される。
【０３１６】
なお、ステップＳ７１３，Ｓ７１４によってストッパ装置５４０，５６０の駆動処理が実行される場合に、連発操作完了用画像が表示されてから、特定単発操作示唆用画像が表示されるまでの間にストッパ装置５４０，５６０の状態切替が完了するように、駆動信号の出力タイミングが設定されている。
【０３１７】
ステップＳ７１３又はステップＳ７１４の処理を実行した後はステップＳ７１５に進み、特定単発操作待ち状態の設定処理を行う。そして、続くステップＳ７１６にて連発操作待ち状態の解除処理を行った後、本第１連続操作対応演出用処理を終了する。なお、ステップＳ７１５，Ｓ７１６の各処理は、上記第１の実施の形態におけるステップＳ５１１，Ｓ５１５の処理と同様であるため、詳細な説明を省略している。
【０３１８】
ステップＳ７０７，Ｓ７０９の何れかにて否定判定をした場合、すなわち連発操作が行われなかった場合又は連発操作が行われていたとしてもその回数が操作規定回数に達していない場合にはステップＳ７１７に進み、連発操作の受付終了タイミングであるか否かを判定する。具体的には、ＲＡＭ４１４のタイミング用カウンタエリア４２６に設けられた連発操作受付期間用カウンタの値を参照して、受付終了タイミングとなっていないかを判定する。この連発操作受付期間用カウンタについては、連発操作待ち状態の設定処理が行われた際に、所定の値が入力され、ステップＳ７０７の判定処理が実行される度に又は更新（「１」ずつ減算）される。そして、この値が「０」となった場合に、ステップＳ５１３にて肯定判定をし、「０」となっていない場合には否定判定をする。
【０３１９】
ステップＳ７１７にて否定判定をした場合には、そのまま本第１連続操作対応演出用処理を終了する。一方、ステップＳ７１７にて肯定判定をした場合にはステップＳ７１８に進み、受付終了示唆用画像の設定処理を実行する。これにより、表示画面９４ａに連発操作の受付期間が終了した旨を示す画像が表示されることとなる。その後、ステップＳ７１６の解除処理を実行したのち、本第１連続操作対応演出用処理を終了する。
【０３２０】
再びステップＳ７０６の説明に戻り、ステップＳ７０６にて否定判定をした場合、すなわち連発操作待ち状態でないと判定した場合には、ステップＳ７１９に進む。ステップＳ７１９においては、特定単発操作待ち状態であるか否かを判定する。特定単発操作待ち状態である場合にはステップＳ７２０に進む。ステップＳ７２０では、ウェイト期間を経過したか否かを判定する。
【０３２１】
なお、ステップＳ７１９，Ｓ７２０の各処理については、第１の実施の形態における連続操作対応演出処理のステップＳ５１６，Ｓ５１７の各処理と同様であるため、詳細な説明は省略する。
【０３２２】
ステップＳ７２０にて肯定判定をした場合、すなわちウェイト期間中でないと判定した場合には、ステップＳ７２１に進む。ステップＳ７２１では特定単発操作が行われたか否か、すなわち操作スイッチユニット４０の押しボタン部材３２０が操作されたか否かを判定するとともに、押しボタン部材５５０の移動が規制されている状態（上記減縮状態）にて操作待ち期間が経過したか否かを判定する。特定単発操作が行われたと判定した場合、又は減縮状態にて操作待ち期間が経過したと判定した場合には、ステップＳ７２２に進む。
【０３２３】
特定単発操作の有無は、既に説明したように、ＭＰＵ４１２におけるタイマ割込み処理のセンサ監視処理にて監視される。ステップＳ７２１では、当該監視処理の処理結果が押しボタン部材３２０の操作が発生しているとする処理結果である場合（具体的には、ＲＡＭ４１４における各種フラグ格納エリア４２５の操作有りフラグ格納エリアに操作有りフラグが格納されている場合）には、肯定判定をしてステップＳ７２２に進む。
【０３２４】
ステップＳ７２２では、特定単発操作待ち状態の解除処理を実行する。具体的には、ＲＡＭ４１４における各種フラグ格納エリア４２５の特定単発操作待ちフラグ格納エリアに格納された特定単発操作待ちフラグを消去する。
【０３２５】
その後、ステップＳ７２３にて結果表示画像の設定処理を実行する。ステップＳ７２３の処理を実行することにより、表示画面９４ａにて結果表示画像が表示される。当該画像の表示としては、例えば、当該変動表示回が大当たり状態の発生する変動表示回である場合には、キャラクタの表示内容が大当たり状態の発生に対応したものとなるように動画表示され、当該変動表示回が大当たり状態の発生しない変動表示回である場合には、キャラクタの表示内容が、操作示唆用画像が開始される前と同様のものとなるように動画表示される。
【０３２６】
ステップＳ７２３の処理を実行した後、又はステップＳ７１９，Ｓ７２０，Ｓ７２１の何れかにて否定判定をした場合には、ステップＳ７２４に進む。ステップＳ７２４では、変動表示を終了するタイミングであるか否かを判定する。ステップＳ７２４にて否定判定をした場合には、そのまま本第１連続操作対応演出用処理を終了する。
【０３２７】
一方、ステップＳ７２４にて肯定判定をした場合、すなわち変動表示の終了タイミングである場合には、ステップＳ７２５にて終了表示画像の設定処理を実行し、本第１連続操作対応演出用処理を終了する。
【０３２８】
ステップＳ７２５における終了表示画像の設定処理では、当該変動表示回が大当たり状態の発生する変動表示回である場合には、大当たり状態の発生が確定した旨の動画表示がなされるように表示設定を行う。この場合に、結果表示画像の設定処理が実行されているとともに、当該結果表示画像の設定処理にて、大当たり状態の発生に対応したものとなるように動画表示が設定されている場合には、当該動画表示と一連の内容となるように動画表示の設定が行われる。一方、操作未完画像の設定処理が実行されている場合には、当該操作未完画像から大当たり状態の発生が確定した旨の動画表示へと劇的に切り換わるような動画表示が介在することとなる。
【０３２９】
ステップＳ７２５の処理を実行した後は、ステップＳ７２６にて操作スイッチ機構５０２の通常状態への復帰用処理を実行し、本第１連続操作対応演出用処理を終了する。ステップＳ７２５の復帰用処理では、各種フラグ格納エリア４２５における復帰用フラグ格納領域に復帰用フラグを格納する。上述したタイマ割込み処理においては、この復帰用フラグが格納されている場合に、操作スイッチ機構５０２を通常状態へと復帰させるための処理を行う。当該復帰用処理においては、遊技結果が表示された後のタイミングとなったか否かを判定し、遊技結果が表示された後のタイミングであると判定した場合に、以下の処理を行う。
【０３３０】
先ず位置検知センサ５５７Ａからの検知情報に基づいて押しボタン部材５５０及びカバー体５３０が最大突出位置に復帰しているか否かを判定する。押しボタン部材３２０及びカバー体５３０が最大突出位置に復帰していないと判定した場合には、そのまま復帰処理を終了する。つまり、遊技者が押しボタン部材５５０やカバー体５３０に手を載せる等して押圧操作を継続している場合には、通常状態への復帰が回避されることとなる。
【０３３１】
一方、押しボタン部材５５０及びカバー体５３０が最大突出位置に復帰していると判定した場合には、ストッパ装置５４０，５６０に対する駆動信号の出力を停止し、ボタン用ストッパ装置５６０を許容状態、カバー用ストッパ装置５４０を阻止状態とする。これにより、カバー体５３０の押圧操作が規制されることとなる。駆動信号の出力停止処理を実行した後は、各種フラグ格納エリア４２５に格納された復帰用フラグを消去して、当該復帰用処理を終了する。
【０３３２】
なお、各種フラグ格納エリア４２５に復帰用フラグが格納されている場合には、操作領域拡張演出が規制され、連続操作対応演出が実行される場合には、第１連続操作対応演出に代わって第２連続操作対応演出が実行されることとなる。但し、操作領域拡張演出が行われた遊技回が終了し、次の遊技回が開始されるまでの間に再度の押圧操作が行われていない場合には、次の遊技回が開始されるまでに復帰処理が完了するように設定されている。このため、遊技結果が表示された後に、そのまま復帰処理が完了した場合には、当該次の遊技回にて操作領域拡張演出が規制されることはない。
【０３３３】
ここで、第１連続操作対応演出の流れについて第１の実施の形態における連続操作対応演出との相違点を中心に簡単に説明する。
【０３３４】
図柄の変動表示が開始されリーチ表示に移行した後の所定のタイミングにて、図柄表示装置９４の表示画面９４ａに連発操作を示唆するメッセージが表示される。これに合わせて押しボタン部材５５０の操作が有効化される。押しボタン部材５５０が繰り返し操作されると、操作回数に合わせて操作受付回数表示部９４ｂ及び表示画面９４ａの表示態様が変化する。操作回数が規定操作回数に達することで、表示画面９４ａに特定単発操作を促す画像が表示されるが、規定操作回数が多くなればなるほど大当たりの発生期待度が高くなるこのため、遊技者はより多くの操作を行うことができるように期待して操作を繰り返すこととなる。
【０３３５】
特定単発操作を促す画像が表示された後は、大当たりに当選している場合には、カバー体５３０の操作が可能となり、大当たりに当選していない場合には、カバー体５３０の操作が不可となる。これら２つの場合にて、外観上の差違が生じないため、遊技者は実際にカバー体５３０を操作するまで大当たりに当選しているか否かを判別することができない。言い換えれば、カバー体５３０の操作を試みた際に手に伝わる感触によって大当たりに当選しているか否かを判別することができる。特定単発操作が行われた場合、又は特定単発操作の受付期間が経過した場合には、表示画面９４ａに結果が明示される。
【０３３６】
そして、操作領域が拡張された場合には、カバー体５３０が操作前の位置に復帰していることを条件として、復帰処理が実行される。
【０３３７】
以上詳述した第２の実施の形態においては、上記第１の実施の形態に示した効果と同様の効果に加え以下の効果が期待できる。すなわち、遊技者は連発操作を行うことで、特定単発操作（カバー体５３０）の操作を行う権利を取得することができる。この際、連発操作が何回で規定回数を満たしたかによって特定単発操作の可否が示唆される。これにより、連発操作に対する遊技者の注目度を好適に向上することができる。
【０３３８】
更には、カバー体５３０が移動するか否かは、外観上の差違がないため実際にカバー体５３０を押してみるまで分からない。これにより、特定単発操作に対する注目度の向上に貢献することができる。
【０３３９】
＜第３の実施の形態＞
第３の実施の形態においては、操作スイッチユニットの動作態様及び操作スイッチユニットにかかる操作対応演出が第１の実施の形態とは異なっている。以下、図２７を参照して、本実施の形態における操作スイッチユニット４０Ａの構成及びその動作態様について説明する。図２７（ａ）は操作スイッチユニット４０Ａの平面外略図、図２７（ｂ）は操作スイッチユニット４０Ａの内部構造を示す外略図、図２７（ｃ）は操作回数と操作領域ＡＥ及び操作ストロークＳとの関係を示すグラフである。
【０３４０】
なお、以下の説明では上記第１の実施の形態と同一の構成についてはその説明を援用して同構成に関する説明を簡略化又は省略し、主として第１の実施の形態との違いを説明する。
【０３４１】
第１の実施の形態においてはシャッタ部材３３０用の駆動手段としてソレノイド３４０が採用されていた。これに対して、本実施の形態においてはシャッタ部材３３０用の駆動手段としてステッピングモータ３４０Ａが採用されている（図２７（ｂ）参照）。ステッピングモータ３４０Ａはソレノイド３４０と同様に表示制御装置４１０に対して電気的に接続されており、表示制御装置４１０から入力される駆動信号のパルス数によって回転数及び回転角度が制御される構成となっている。このように回転数や回転角度を制御することにより、シャッタ部材３３０を初期位置（閉位置）〜最大拡張位置（開位置）の任意の位置（途中位置）にて停止させることが可能となっている。つまり、駆動手段としてステッピングモータ３４０Ａを採用することで、シャッタ部材３３０の位置を、初期位置と最大拡張位置との２位置だけでなく、それら両位置を含む多数の位置で段階的に切り替えることが可能となっている。
【０３４２】
また、シャッタ部材３３０については操作時等に遊技者の手が触れやすい部分であり、その位置にズレが生じることが懸念される。そこで、本実施の形態においてはシャッタ部材３３０が初期位置に存在しているか否かを監視する手段としてシャッタ用検知センサ３５５Ａを採用し、シャッタ部材３３０を初期位置に復帰させる場合には、ステッピングモータ３４０Ａに対して復帰用の駆動信号の出力を開始した後、このシャッタ用検知センサ３５５Ａからの検知信号に基づいて駆動信号の出力を停止する構成が採用されている。これにより、操作領域ＡＥの拡張時にシャッタ部材３３０の動きが異常なものとなる等して演出機能に障害が生じることを抑制している。
【０３４３】
また、上述したように本実施の形態においては操作スイッチユニットにかかる演出の態様が上記第１の実施の形態と異なっている。具体的には、連発操作に対応する演出を実行する際には、次回の操作が可能な状態にて操作を有効に受け付ける度に操作領域が拡張される。これにより、操作を有効に受け付けた旨及び次の操作が許容される旨が遊技者に対して示唆されることとなる。このようして操作スイッチユニット４０Ａの動作に次回操作が許容されている旨等の示唆機能を付与することで、遊技者に対して視覚的な示唆だけでなく触覚的な示唆を行うことが可能となっている。操作スイッチユニット４０Ａによって視覚的・聴覚的な示唆機能が発揮されることで、構成の煩雑化を抑えつつ、示唆機能の向上を図ることができる。なお、以下の説明においては、操作毎に操作領域ＡＥが拡張される演出を「連続拡張演出」と称する。
【０３４４】
既に紹介したように、操作スイッチユニット４０Ａには操作領域ＡＥの拡張が多段階となるようにしてシャッタ部材３３０の開放位置が多数設定されている。より詳しくは、図２７（ｃ）に示すように、初期位置〜最大開放位置の間の全移動範囲には第１開放位置、第２開放位置〜第８開放位置、第９開放位置が設定されており、次回の操作が可能な状態にて遊技者による操作を有効に受け付けることでシャッタ部材３３０が隣の開放位置（操作領域が大きくなる側の開放位置）に移動する構成となっている。これにより、上述した段階的な操作領域ＡＥの拡張が実現されている。
【０３４５】
このように操作領域ＡＥが大きくなることで、押しボタン部材３２０へのアクセスをより容易なものとすることができる。これにより、連続拡張演出を実行する場合に、繰り返し操作の途中で操作をミスすることで操作対応演出が途中で終了する（不完全に終わる）といった不都合を生じにくくしている。
【０３４６】
なお、シャッタ部材３３０の移動量は、初期位置〜第９開放位置の各位置間では一定となるように、且つ第９開放位置〜最大開放位置では上記各位置間での移動量よりも大きくなるように設定されている。但し、これに限定されるものではなく、全ての位置間での移動量、すなわち拡張量を同一とすることも可能である。
【０３４７】
図２７（ｂ）に示すように、押しボタン部材３２０の操作面部３２２は上方に凸となる球面状をなしており、この操作面部３２２に対してシャッタ部材３３０が当接することで同シャッタ部材３３０の突出が規制されている。このため、操作領域ＡＥの拡張にあたりシャッタ部材３３０が移動して操作面部３２２に対する当接箇所が変わることで、押しボタン部材３２０の操作ストロークが増加することとなる。このように操作ストローク量が増大することで１度の操作に要する期間が長くなり、勢いに任せた連発操作でいつの間にか規定回数に達する等して連発操作における１つ１つの操作に対する注目度が低下することを抑制することができる。
【０３４８】
特に、シャッタ部材３３０の移動に伴うストロークの増加率は、一定ではなく最大開放位置に近づくことで増加率が大きくなる（図２７（ｃ）参照）。これにより、少ない操作回数での迅速な操作を可能としつつ、操作回数が多くなった場合には１つ１つの操作の独立性を高めることが可能となっている。
【０３４９】
以上詳述した操作領域ＡＥの段階的な拡張については連続操作対応演出にて実行される。かかる演出を行う場合には表示制御装置４１０のＭＰＵ４１２にて規定操作回数が選択され、これにより上述した操作領域ＡＥの拡張が何段階となるかが決定される。以下、図２８を参照して、規定操作回数の選択にかかる構成について説明する。図２８（ａ）は規定操作回数選択用テーブルを示す概略図、図２８（ｂ）は変動表示時間と演出態様との関係を示す概略図、図２８（ｃ）は規定操作回数と演出によって示唆される大当たり結果の期待度との関係を示す概略図である。
【０３５０】
先ず、図２８（ａ）を参照して規定操作回数の選択について説明する。規定操作回数の選択を行う場合には、表示制御装置４１０のＲＡＭ４１４のその他各種カウンタエリア４２８（図１２参照）に設けられた規定回数選択用カウンタの値と、図２８（ａ）に示す操作規定回数選択用テーブルを参照する。規定回数選択用カウンタは、更新の都度前回値に１が加算され、最大値に達した後０に戻るループカウンタとなっている。詳しくは、表示制御装置４１０にて実行される定期処理にて更新されることで、「０」〜「９９」の範囲内で値が更新される構成となっている。
【０３５１】
規定操作回数選択用テーブルについては、表示制御装置４１０のＲＯＭ４１３の各種テーブル記憶エリア４２１に記憶されており、規定回数選択用カウンタの値に対応させて規定操作回数がそれぞれ設定されている。表示制御装置４１０のＭＰＵ４１２にて、規定回数選択用カウンタの値が表示制御装置４１０のＲＯＭ４１３の各種テーブル記憶エリア４２１に記憶された規定操作回数選択テーブルに照らし合わされることで、規定操作回数（以下、単に「規定回数」とも称する）が「１回」〜「１０回」の範囲から選択されることとなる。
【０３５２】
また、規定操作回数選択テーブルにおいては、大当たりの抽選の結果に応じて選択態様が異なる構成となっている。具体的には、抽選結果が大当たり結果となっている場合と、抽選結果が外れ結果となっている場合に参照されるテーブルが異なっている。なお、図２８（ａ），（ｂ）においては、説明の便宜上これら両テーブルをまとめて表示している。
【０３５３】
大当たり結果用の規定操作回数選択テーブルにおいては規定回数として比較的多い回数が選ばれやすくなっており、外れ結果用の規定操作回数選択テーブルにおいては比較的少ない回数が選ばれやすくなっている。つまり、大当たり結果となっている場合には、外れ結果となっている場合と比較して規定回数として多い回数が選択されやすい。例えば、規定回数選択用カウンタの値が「６０」であるならば、大当たり結果となっている場合には規定回数として「９回」が選択され、外れ結果となっている場合には規定回数として「３回」が選択される。
【０３５４】
このようにして規定回数を選択することにより、演出実行時の規定回数と大当たりの当選期待度との間に相関関係が生じ、規定回数として大きい数が選択されることにより大当たり結果となっている期待度が高くなる構成が実現されている。これは、大当たりの発生期待度が低い場合に無駄に多くの操作を促すことで、遊技者に対して煩わしいとの心象を与える等して操作（操作スイッチユニット４０Ａ）に対する注目が低下することを抑えるための工夫である。
【０３５５】
本実施の形態においては、大当たりの当選期待度と規定回数との関係が比例関係にあるわけではなく、特定の回数を境として期待度の増加率が大きくなる構成が採用されている。具体的には、図２７（ｃ）に示すように、規定回数が「１回」〜「５回」と、「５回」〜「８回」と、「８回」〜「９回」と、「９回」〜「１０回」とで期待度の増加率が異なっている。このため、遊技者は増加率が大きくなる「６回」目や「９回」目に到ることを期待して操作を行うこととなり、都度の操作のマンネリ化抑制が期待できる。
【０３５６】
また、大当たり当選の期待度については、「９回」目が最大となっており、「１０回」目に到達することで同期待度が僅かに低下する構成となっている。これにより、遊技者は連続操作が「９回」目で完了することを期待しつつ、すなわち「１０回」目に到しないことを期待しながら操作を行うこととなり、連発操作の過程にて少しでも多くの操作が受け付けられることを期待して操作を行うという遊技から、それ以上の操作が受け付けられないことを期待して操作を行うという遊技へと切り替わる。これにより、「９回」目の操作時にも遊技者に対して好適に緊張感を与えることができる。
【０３５７】
次に図２８（ｂ），（ｃ）を参照して、連発操作と図柄表示装置９４（表示画面９４ａ）にて実行される演出との関係について説明する。
【０３５８】
上記第１の実施の形態に示したように、パチンコ機１０においては第２変動種別カウンタＣＳ２によって変動表示時間が決定される。変動表示時間は、第１変動表示時間と、第１変動表示時間よりも長い第２変動表示時間と、第２変動表示時間よりも長い第３変動表示時間とに大別される。第１変動表示時間は完全外れ、第２変動表示時間はリーチ表示（詳しくはノーマルリーチ表示）、第３変動表示時間はリーチ表示（詳しくはスーパーリーチ表示）にそれぞれ対応している。なお、スーパーリーチ表示については、ノーマルリーチ表示よりも大当たり当選時に発生しやすい構成となっている。このため、スーパーリーチ表示が発生することで、大当たりの発生期待度が高くなる。
【０３５９】
操作対応演出は、少なくともリーチ表示となる変動表示回にて実行されるようにして実行条件が定められており、「１回」〜「１０回」となるように設定された規定回数の操作が完了した場合又は操作の受付有効期間が終了した場合にノーマルリーチのまま終了するか、スーパーリーチへ発展して終了するかが、変動表示時間に合わせて決定される。つまり、変動表示時間として第２変動表示時間が選択されている場合にはノーマルリーチのままスーパーリーチへ発展することなく変動表示回が終了し、変動表示時間として第３変動表示時間が選択されている場合にはノーマルリーチからスーパーリーチに発展して変動表示回が終了する。
【０３６０】
特に、規定回数として「１０回」が選択されている場合には、「１回」〜「９回」が選択されている場合とは演出態様が一部異なる構成となっている。変動表示時間が第２変動表示時間である場合には、大当たり結果であることを条件として操作領域が最大となるように拡張されるとともにノーマルリーチから大当たり確定演出が実行され、外れ結果であることを条件として操作領域が最小となるように縮小されるとともにノーマルリーチから外れ確定演出が実行される。一方、変動表示時間が第３変動表示時間である場合には、操作領域を現状のまま維持しつつ、スーパーリーチへ移行する。つまり、遊技結果は直ちに告知されるのではなく、変動表示回の終了時に告知される。
【０３６１】
（連続拡張演出用処理）
次に図２９のフローチャートを参照して、表示制御装置４１０のＭＰＵ４１２にて実行される操作対応演出としての連続拡張演出用処理について説明する。連続拡張演出用処理は、上述した連発操作に基づいて操作スイッチユニット４０Ａの操作領域ＡＥの拡張を行う演出を実行するための処理であり、約４ｍｓｅｃ周期で実行される。
【０３６２】
連続拡張演出用処理においては、先ずステップＳ８０１にて、連続拡張演出が発生する変動表示回中であるか否かを判定する。当該変動表示回中でない場合にはそのまま本連続拡張演出用処理を終了し、当該変動表示回中である場合にはステップＳ８０２に進む。
【０３６３】
ステップＳ８０２では、連発操作の示唆が行われたか否かを判定する。ステップＳ８０２にて連発操作の示唆が行われた後でないと判定した場合には、ステップＳ８０３に進む。ステップＳ８０３では、連発操作の示唆の開始タイミングであるか否かを判定する。連発操作の示唆の開始タイミングでない場合にはそのまま本連続操作対応演出用処理を終了する。
【０３６４】
一方、連発操作の示唆の開始タイミングである場合には、ステップＳ８０４にて、連発操作示唆用画像の設定処理を実行する。連発操作示唆用画像としては、例えば表示画面９４ａの中央に女の子のキャラクタ画像が表示されるとともに表示画面９４ａの下部に「ボタンを連度して！」といった文字が表示される。これに合わせて、表示画面９４ａの中央に表示されていた左・中・右の各図柄が表示画面９４ａの上部に縮小表示されることとなる。
【０３６５】
なお、連発操作の示唆は、図柄表示装置９４の表示画面９４ａにおけるものに限定されることはなく、表示画面９４ａにおけるものに加えて又は代えてスピーカ部２７からの音声の出力に行うようにしてもよい。
【０３６６】
続くステップＳ８０５では、連発操作待ち状態の設定処理を実行し、具体的には表示制御装置４１０のＲＡＭ４１４の各種フラグ格納エリア４２５に連発操作待ちフラグを格納し、本連続拡張演出用処理を終了する。
【０３６７】
因みに、ステップＳ８０２〜ステップＳ８０５の各処理については、上記第１の実施の形態におけるステップＳ５０２〜Ｓ５０５の各処理と同様であるため、詳細な説明は省略する。
【０３６８】
ステップＳ８０２の説明に戻り、同ステップＳ８０２にて肯定判定をした場合、すなわち連発操作の示唆後であると判定した場合には、ステップＳ８０６に進む。ステップＳ８０６では、連発操作待ち状態か否かを判定する。連発操作待ち状態である場合にはステップＳ８０７に進み、操作スイッチユニット４０Ａの押しボタン部材３２０が操作されたか否かを判定する。
【０３６９】
ステップＳ８０７にて肯定判定をした場合には、続くステップＳ８０８にて連発操作用カウンタエリア（すなわち操作回数カウンタ）４２７の値を更新する。具体的には、連発操作用カウンタエリアの値を「１」加算する。ステップＳ８０８の処理を行った後は、ステップＳ８０９に進み操作回数が上記コマンド判定処理にて選択された規定回数に達したか否かを判定する。具体的には、規定操作回数選択テーブルを参照して決定された規定回数と、連発操作用カウンタエリア４２７の値とが同一となったか否かを判定する。
【０３７０】
ステップＳ８０９にて否定判定をした場合には、ステップＳ８１０にて操作受付用画像の設定処理を実行し、ステップＳ８１１に進む。そして、ステップＳ８１１にて操作領域拡張処理を実行した後、本連続拡張演出用処理を終了する。
【０３７１】
操作領域拡張処理では、操作スイッチユニット４０Ａのステッピングモータ３４０Ａに対して駆動信号の出力を開始する。この駆動信号に基づいてステッピングモータ３４０Ａが動作することで、シャッタ部材３３０が開方向、詳しくは隣の開放位置に向けて移動し、操作領域ＡＥが拡張されるとともに操作ストロークＳが増加する。
【０３７２】
一方、ステップＳ８０９にて肯定判定をした場合、すなわち操作回数が規定回数と一致したと判定した場合には、ステップＳ８１２に進む。ステップＳ８１２では、連発操作完了用画像の設定処理を実行する。例えば、連発操作完了用画像としては、キャラクタや操作回数示唆用画像に代えて、「ＣＯＭＰＬＥＴＥ！」といった文字が表示される。なお、連発操作完了の示唆は、図柄表示装置９４の表示画面９４ａにおけるものに限定されることはなく、表示画面９４ａにおけるものに加えて又は代えてスピーカ部２７からの音声の出力に行うようにしてもよい。
【０３７３】
ステップＳ８１２の処理を実行した後は、ステップＳ８１３に進み、連発操作待ち状態の解除処理を実行する。具体的には表示制御装置４１０のＲＡＭ４１４の各種フラグ格納エリア４２５に格納された連発操作待ちフラグを消去する。
【０３７４】
続くステップＳ８１４では規定操作回数が最大規定回数（「１０回」）であるか否かを判定する。ステップＳ８１４にて否定判定をした場合には、ステップＳ８１５にて通常のリーチ表示への移行処理を実行した後、本連続拡張演出用処理を終了する。ステップＳ８１５の処理が実行されることで、ノーマルリーチに対応する変動表示回である場合には連発操作示唆画像が表示されている状態からノーマルリーチ表示が行われている状態に移行しする。詳しくは、ノーマルリーチに対応する変動表示回である場合には、表示画面９４ａの中央に表示されていた操作完了のメッセージが非表示となり、それに合わせて表示画面９４ａの上部に縮小表示されていた各図柄が表示画面９４ａの中央に復帰する。また、スーパーリーチに対応する変動表示回である場合には連発操作示唆用画像が表示されている状態からスーパーリーチ表示が行われている状態に移行する。詳しくは、表示画面９４ａの中央に表示されていた操作完了のメッセージが非表示となり、それに合わせて表示画面９４ａの中央にキャラクタ画像が表示される。
【０３７５】
一方、ステップＳ８１４にて肯定判定をした場合にはステップＳ８１６に進み、最大規定回数用特別設定処理を実行した後、本連続拡張演出用処理を終了する。ここで、図３０のフローチャートを参照し、最大規定回数用特別設定処理について説明する。
【０３７６】
（最大規定回数用特別設定処理）
最大規定回数用特別設定処理においては、先ずステップＳ９０１にて遊技者による最終操作が操作領域拡張に対応しているか否かを判定する。具体的には、本変動表示回が大当たり結果に対応し且つ変動表示時間として第２変動表示時間が選択されているか否かを判定する。ステップＳ９０１にて肯定判定をした場合には、続くステップＳ９０２にて操作領域最大拡張処理を実行する。
【０３７７】
操作領域最大拡張処理では、第９開放位置に待機しているシャッタ部材３３０を最大開放位置へ移動させるための処理を行う。具体的には、ステッピングモータ３４０Ａに対して駆動信号の出力を開始し、シャッタ部材３３０が最大開放位置に到達したタイミングで当該駆動信号の出力を停止する。上記ステップＳ８１１においては駆動信号のステップ数によってシャッタ部材３３０の位置管理を行った（移動量を規定した）が、本ステップＳ９０２においてはシャッタ部材３３０の位置管理の態様が異なっている。
【０３７８】
ステップＳ９０２の処理を実行した後は、続くステップＳ９０３にて大当たり結果先行表示画像の設定処理を実行し、本最大規定回数用特別設定処理を終了する。大当たり結果先行表示画像の設定処理では、大当たりに当選していることを示す画像（例えば「おめでとう！」等のメッセージ）の設定処理を行う。本処理で設定された画像については、シャッタ部材３３０が最大開放位置に到達した直後に表示画面９４ａに表示される。
【０３７９】
なお、操作領域拡張時には、遊技者が押しボタン部材３２０に対して手を載せたままであっても、シャッタ部材３３０の開方向への移動が妨げられにくくなっているため、シャッタ部材３３０が最大開放位置に到達せず上記大当たり結果先行表示画像が表示されないといった不都合が生じにくくなっている。因みに、シャッタ部材３３０が最大開放位置に到達しない場合には、大当たり結果先行表示画像の表示がキャンセルされるが、この場合であっても、シャッタ部材３３０の動きが視覚的又は触覚的に遊技者に伝わることで、同遊技者は大当たりに当選している旨を把握することが可能である。つまり、大当たり発生の先行告知機能は担保される。
【０３８０】
ステップＳ９０１の説明に戻り、ステップＳ９０１にて否定判定をした場合には、ステップＳ９０４に進む。ステップＳ９０４では、最終操作が操作領域ＡＥの縮小に対応しているか否かを判定する。具体的には、本変動表示回が外れ結果に対応し且つ変動表示時間として第２変動表示時間が選択されているか否かを判定する。ステップＳ９０４にて肯定判定をした場合には、続くステップＳ９０５にて操作領域縮小処理を実行する。操作領域縮小処理では、第９開放位置に待機しているシャッタ部材３３０を初期位置へ移動させるための処理を行う。具体的には、ステッピングモータ３４０Ａに対して駆動信号の出力を開始し、シャッタ部材３３０が初期位置に到達したタイミングで当該駆動信号の出力を停止する。
【０３８１】
ステップＳ９０５の処理を実行した後は、続くステップＳ９０６にて外れ結果先行表示画像の設定処理を実行し、本最大規定回数用特別設定処理を終了する。外れ結果先行表示画像の設定処理では、大当たりに当選していないことを示す画像（例えば「残念・・・」等のメッセージ）の設定処理を行う。本処理で設定された画像については、シャッタ部材３３０が初期位置に到達した直後に表示画面９４ａに表示される。
【０３８２】
以上の如く、変動表示時間として第２変動表示時間が選択され、且つ規定操作回数として最大規定回数（「１０回」）が選択されている場合には、本変動表示回の結果が、変動表示回の終了を待つことなく、操作完了直後に明示される。
【０３８３】
再びステップＳ９０４の説明に戻り、ステップＳ９０４にて否定判定をした場合には、ステップＳ９０７にて通常のリーチ表示への移行処理を実行した後、本最大規定回数用特別設定処理を終了する。なお、ステップＳ９０７の処理については、上記ステップＳ８１５の処理と類似となっているが、ステップＳ９０１，Ｓ９０４にて否定判定を繰り返した時点で、変動表示時間が第３変動表示時間であることが確定する。このため、リーチ表示への移行によりノーマルリーチへ移行することはなく、スーパーリーチへ移行することとなる。
【０３８４】
図２９のフローチャートの説明に戻り、ステップＳ８０７にて否定判定をした場合、すなわち操作スイッチユニット４０Ａの操作が行われていないと判定した場合には、ステップＳ８１７に進む。ステップＳ８１７では、ステップＳ８０５にて設定された連発操作の有効期間の終了タイミングであるか否かを判定する。ステップＳ８１７にて否定判定をした場合にはそのまま本連続拡張演出用処理を終了する。
【０３８５】
一方、ステップＳ８１７にて肯定判定をした場合、すなわち連発操作が行われなかった場合又は連発操作が行われていたとしてもその回数が規定回数に達していない場合には続くステップＳ８１８にて連発操作待ち状態の解除処理を実行する。具体的には、ＲＡＭ４１４の各種フラグ格納エリア４２５に格納された連発操作待ちフラグを消去する。そして、ステップＳ８１９にて連発操作未完了画像の設定処理を実行した後、本連続拡張演出用処理を実行し、本連続拡張演出用処理を終了する。
【０３８６】
連発操作未完了画像の設定処理が実行されることで、表示画面９４ａには連発操作が未完了のまま有効期間が終了したことを示すメッセージ（例えば「ＩＮＣＯＭＰＬＥＴＥ！」）が表示される。
【０３８７】
ステップＳ８０６の説明に戻り、ステップＳ８０６にて否定判定をした場合には、ステップＳ８２０に進む。ステップＳ８２０では、操作完了画像又は操作未完了画像の表示終了タイミングであるか否かを判定する。ステップＳ８２０にて肯定判定をした場合には、ステップＳ８１５，Ｓ９０３，Ｓ９０６，Ｓ９０７の各処理にて設定された画像表示する処理を行った後、本連続拡張演出を終了する。ステップＳ８２１の処理を実行することにより、表示画面９４ａ上には操作完了／未完了のメッセージに代えてキャラクタ画像等が表示されることとなる。
【０３８８】
一方、ステップＳ８２０にて否定判定をした場合には、ステップＳ８２２に進み、変動表示を終了するタイミングであるか否かを判定する。ステップＳ８２２にて否定判定をした場合には、そのまま本連続拡張演出用処理を終了する。
【０３８９】
ステップＳ８２２にて肯定判定をした場合、すなわち変動表示の終了タイミングである場合には、ステップＳ８２３にて終了表示画像の設定処理を実行する。ステップＳ８２３の処理では、当該変動表示回が大当たり状態の発生する変動表示回である場合には、大当たり結果となった旨の動画表示がなされるように表示設定を行う。この場合に、結果表示画像の設定処理が実行されているとともに、当該結果表示画像の設定処理にて、大当たり当選（特別遊技状態の発生）に対応したものとなるように動画表示が設定されている場合には、当該動画表示と一連の内容となるように動画表示の設定が行われる。一方、操作未完画像の設定処理が実行されている場合には、当該操作未完画像から特別遊技状態の発生が確定した旨の動画表示へと劇的に切り換わるような動画表示が介在することとなる。
【０３９０】
ステップＳ８２３の処理を実行した後は、ステップＳ８２４に進み操作スイッチユニット４０Ａの通常状態への復帰用処理を実行し、本連続拡張演出用処理を終了する。ステップＳ８２３の復帰用処理では、各種フラグ格納エリア４２５における復帰用フラグ格納領域に復帰用フラグを格納する。上述したタイマ割込み処理においては、この復帰用フラグが格納されている場合に、操作スイッチユニット４０Ａを通常状態へと復帰させるための処理を行う。当該復帰用処理においては、遊技結果が表示された後のタイミングとなったか否かを判定し、遊技結果が表示された後のタイミングであると判定した場合に、以下の処理を行う。
【０３９１】
先ず位置検知センサ５５７Ａからの検知情報に基づいて押しボタン部材３２０が最大突出位置に復帰しているか否かを判定する。押しボタン部材３２０が最大突出位置に復帰していないと判定した場合には、そのまま復帰処理を終了する。つまり、遊技者が押しボタン部材３２０に手を載せる等して押圧操作を継続している場合には、通常状態への復帰が回避されることとなる。
【０３９２】
一方、押しボタン部材３２０が最大突出位置に復帰していると判定した場合には、ステッピングモータ３４０Ａに対して駆動信号の出力を開始し、シャッタ部材３３０が初期位置に復帰するまで駆動信号の出力が継続される。これにより、シャッタ部材３３０が初期位置に復帰することとなる。シャッタ部材３３０の初期位置への復帰が完了した場合には、駆動信号の出力を停止するとともに各種フラグ格納エリア４２５に格納された復帰用フラグを消去して、当該復帰用処理を終了する。
【０３９３】
ここで、連続拡張演出（操作対応演出）が実行される場合の図柄表示装置９４における演出内容（表示内容）や操作スイッチユニット４０Ａの状態変化について、図３１及び図３２のタイムチャートを参照しながら説明する。なお、操作スイッチユニット４０Ａの状態変化の態様は、規定操作回数として最大規定回数が選択されている場合と、最大規定回数が選択されていない場合とで異なる。そこで、以下の説明においては先ず、規定操作回数として最大規定回数が選択されていない場合について説明し、その後、最大規定回数が選択されていないパターンとの相違点を中心として規定操作回数として最大規定回数が選択されている場合について説明する。
【０３９４】
図３１に示すように、ｔｄ１のタイミングにて連続操作対応演出に対応する変動表示回が開始されると、表示画面９４ａ上にてそれまで停止表示されていた各図柄列が変動表示を始める。その後、先ず左側の図柄列が停止表示され、続いてｔｄ２のタイミングで右側の図柄列が停止表示される。この際、上述した有効ライン上に同じ図柄（図３１においては「３」の図柄）が停止表示されることで、通常変動表示からリーチ表示に移行する。
【０３９５】
図３１の例においては、連続拡張演出が実行されるため、リーチ表示が開始された後のｔｄ３のタイミングにてリーチ図柄が表示画面９４ａの上部に縮小表示され、表示画面９４ａの中央部分に女の子を模したキャラクタ画像が表示される。その直後のタイミングでは、表示画面９４ａの下部に押しボタン部材３２０の連打を促すメッセージ（例えば「ボタンを連打して！」）が表示され、これとともに操作スイッチユニット４０Ａの操作が有効化される。
【０３９６】
その後、連発操作の有効期間内にて遊技者による押しボタン部材３２０の押圧操作が繰り返されることで、表示画面９４ａの下部にメッセージの代わりに出現した操作受付回数表示画像等が変更される。具体的には、操作受付回数表示画像を構成するメータ部の発光部分が操作回数に応じて増加するとともに、表示画面９４ａに表示されている女の子を模したキャラクタ画像には当該キャラクタを囲むようにしてエフェクトが表示され、操作回数が増すことで、当該エフェクトが大きくなるように表示される。
【０３９７】
また、遊技者により操作スイッチユニット４０の押圧操作が行われる毎に、同操作スイッチユニット４０における操作領域ＡＥ及び操作ストロークＳが拡大される。操作領域ＡＥ及び操作ストロークＳの拡大によって、操作スイッチユニット４０の操作を有効に受け付けたことが示唆されるだけでなく、次の操作が許容されることが示唆される。本実施の形態においては、連発操作が示唆されてから操作完了となるまでの操作回数が多くなるほど大当たりに当選している期待度が高くなるように設定されている。このため、遊技者は１回でも多く押圧操作ができるように期待しながら操作を行うと想定される。故に、押圧操作後の操作スイッチユニット４０の反応（動き）に対する注目度の向上が期待できる。
【０３９８】
図３１の例においては、規定操作回数として「７回」が選択されている。このため、例えばｔｄ５のタイミングで「４回」目の操作が行われた場合には、次回の操作が許容されているため、ｔｄ５のタイミングにて操作が受け付けられた直後（ほぼ同時のタイミング）にて操作領域ＡＥ及び操作ストロークＳが拡大される。この際、遊技者が操作スイッチユニット４０Ａ（詳しくは押しボタン部材３２０やシャッタ部材３３０）に手を掛けていると、操作領域ＡＥの拡張を触覚を通じた把握を促すことができる。
【０３９９】
なお、より詳しくは表示画面９４ａにおける受け付けの示唆と、操作スイッチユニット４０Ａにおける受け付けの示唆とを比べると、後者のほうが前者よりも僅かに早いタイミングにて実行される。更には、表示画面９４ａにおいては、操作が有効に受け付けられた旨を示唆する機能が付与されている一方、次回の操作が許容されることを示唆する機能は付与されていない。このように両者の機能を差別化することにより、操作スイッチユニット４０Ａに対する注目度の更なる向上を図っている。
【０４００】
ｔｄ６のタイミングにて繰り返しの押圧操作による操作回数が予め設定された規定操作回数に到達した場合には、当該最終操作の直後に表示画面９４ａに連発操作が完了した旨を示す画像が表示される。具体的には、表示画面９４ａの中央に表示されていたキャラクタ画像及び表示画面９４ａの下部に表示されていた操作受付回数表示画像が非表示となり、これに代えて操作完了を示すメッセージ（詳しくは「ＣＯＭＰＬＥＴＥ！」）が表示される。なお、ｔｄ６のタイミングにて押しボタン部材３２０の押圧操作が無効化されることで、以降は押圧操作が再び有効化されるまで、押しボタン部材３２０の操作が受け付けられることはない。
【０４０１】
ｔｄ６のタイミングの後のｔｄ７のタイミングでは、表示画面９４ａにて操作結果に対応した表示演出が実行されるが、当該表示演出の内容は本変動表示回の変動表示時間に応じて変化する。
【０４０２】
具体的には、本変動表示回の変動表示時間が第２変動表示時間に対応している場合には、ｔｄ７のタイミングにてノーマルリーチ表示に移行する。具体的には、表示画面９４ａに表示されていたメッセージが非表示となり、それまで表示画面９４ａの上部に縮小表示されていた図柄が表示画面９４ａの中央に拡大表示される。この際、連続操作が完了していることを条件として、高速変動対応のノーマルリーチ表示に移行する。その後、ｔｄ８のタイミングにて中図柄の変動表示が停止し、遊技結果に応じて大当たりに対応する図柄組み合わせ及び外れに対応する図柄組み合わせの何れかが表示されることで、本変動表示回が終了する。
【０４０３】
一方、本変動表示回の変動表示時間が第３変動表示時間に対応している場合には、ｔｄ７のタイミングにてスーパーリーチ表示に移行する。具体的には、表示画面９４ａに表示されていたメッセージが非表示となり、これに合わせて表示画面９４ａの中央にキャラクタ画像が表示される。この際、上記連続操作が完了していることを条件として、キャラクタ画像として変身中の女の子が表示される。その後、大当たりに当選している場合にはｔｄ９のタイミングにて女の子が変身に成功して大きくなった画像が表示されるとともに大当たりに対応する図柄の組合せが停止表示され、大当たりに当選していない場合にはｔｄ９のタイミングにて女の子が変身に失敗して元に戻った画像が表示されるとともに外れに対応する図柄の組合せが停止表示され、本変動表示回が終了する。
【０４０４】
有効期間中に連発操作が完了しなかった場合、すなわち操作が行われなかった場合及び操作が行われたもののその回数が規定回数に達しなかった場合には、表示画面９４ａにて操作完了時とは異なる表示演出が実行される。
【０４０５】
具体的には、先ず有効期間が終了したｔｄＸのタイミングにて表示画面９４ａに連発操作が未完了となった旨を示す画像が表示される。詳しくは、表示画面９４ａの中央に表示されていたキャラクタ画像及び表示画面９４ａの下部に表示されていた操作受付回数表示画像が非表示となり、これに代えて操作未完了を示すメッセージ（例えば「ＩＮＣＯＭＰＬＥＴＥ！」）が表示される。
【０４０６】
ｔｄＸのタイミングの後のｔｄＹのタイミングでは、本変動表示回の変動表示時間に応じて異なる表示演出が実行される。
【０４０７】
具体的には、本変動表示回の変動表示時間が第２変動表示時間に対応している場合には、ｔｄＹのタイミングにてノーマルリーチ表示に移行する。より詳しくは、表示画面９４ａに表示されていたメッセージが非表示となり、表示画面９４ａの上部に縮小表示されていた各図柄が表示画面９４ａの中央に拡大表示されることとなる。この際、連続操作が完了していないことを条件として低速変動対応のノーマルリーチ表示に移行する。その後、ｔｄ８のタイミングにて中図柄の変動表示が停止し、大当たりに対応する図柄組み合わせ又は外れに対応する図柄組み合わせの何れかが遊技結果に応じて表示されることとなる。
【０４０８】
なお、上述した高速変動対応のノーマルリーチ及び低速変動対応のノーマルリーチについては、連続拡張演出が行われない変動表示回においても実行される。そして、低速変動対応のノーマルリーチよりも高速変動対応のノーマルリーチのほうが大当たり当選時に選択される確率が高く、且つ外れ時に選択される確率が低く設定されている。このため、演出が発生した際の大当たりに当選している期待度は、高速変動対応のノーマルリーチのほうが高くなっている。連続操作が完了している場合には高速変動対応のノーマルリーチに移行し、連続操作が完了していない場合には低速変動対応のノーマルリーチに移行する構成とすることで、操作完了時のほうが見かけ上の期待度が高くなるように更には出現頻度の低い演出が実行されるように差別化を図っている。
【０４０９】
一方、本変動表示回の変動表示時間が第３変動表示時間に対応している場合には、ｔｄＹのタイミングにてスーパーリーチ表示に移行する。具体的には、表示画面９４ａに表示されていたメッセージが非表示となり、表示画面９４ａの中央にキャラクタ画像が表示される。この際、上記連続操作が完了していないことで、キャラクタ画像として箒に跨って移動中の女の子が表示される。その後、大当たりに当選している場合にはｔｄ９のタイミングにて女の子が妖精に遭遇した画像が表示され、大当たりに当選していない場合にはｔｄ９のタイミングにて女の子が移動を続けている画像が表示されることとなる。
【０４１０】
なお、上述した女の子の変身にかかるスーパーリーチ及び女の子の移動にかかるスーパーリーチについても、連続拡張演出が行われない変動表示回にて実行される。そして、移動にかかるスーパーリーチよりも変身にかかるスーパーリーチのほうが大当たり当選時に選択される確率が高く、且つ外れ時に選択される確率が低く設定されている。このため、演出が発生した際の大当たり当選期待度は、変身にかかるスーパーリーチのほうが高くなっている。連続操作が完了している場合には変身にかかるスーパーリーチに移行し、連続操作が完了していない場合には移動にかかるスーパーリーチに移行する構成とすることで、操作完了時のほうが見かけ上の期待度が高くなるように差別化が図られている。
【０４１１】
ｔｄ８のタイミング又はｔｄ９のタイミングにて変動表示回が終了すると、操作スイッチユニット４０Ａの初期状態への復帰が実行される。本実施の形態においては、連続操作対応演出（操作領域拡張演出）が実行された場合には、操作スイッチユニット４０Ａが初期状態（拡張前の状態）に復帰するまで、その後の変動表示回における連続操作対応演出が制限されることとなる。
【０４１２】
次に、規定操作回数として最大規定回数が選択されている場合について説明する。
【０４１３】
図３２のタイミングチャートに示すように、ｔｅ１のタイミングにて連続操作対応演出が実行される変動表示回が開始されると、表示画面９４ａ上にてそれまで停止表示されていた各図柄列が変動表示を始める。その後、先ず左側の図柄列が停止表示され、続いてｔｅ２のタイミングで右側の図柄列が停止表示される。この際、上述した有効ライン上に同じ図柄（図３１においては「３」の図柄）が停止表示されることで、通常変動表示からリーチ表示に移行する。
【０４１４】
図３２の例においては、連続拡張演出が実行されるため、リーチ表示が開始された後のｔｅ３のタイミングにてリーチ図柄が表示画面９４ａの上部に縮小表示され、表示画面９４ａの中央部分に女の子を模したキャラクタ画像が表示される。その直後のタイミングでは、表示画面９４ａの下部に押しボタン部材３２０の連打を促すメッセージ（例えば「ボタンを連打して！」）が表示され、これとともに操作スイッチユニット４０Ａの操作が有効化される。
【０４１５】
その後、連発操作の有効期間内にて遊技者による押しボタン部材３２０の押圧操作が繰り返されることで、表示画面９４ａの下部にメッセージの代わりに出現した操作受付回数表示画像等が変更される。具体的には、操作受付回数表示画像を構成するメータの発光部分が操作回数に応じて増加するとともに、表示画面９４ａに表示されている女の子を模したキャラクタ画像には当該キャラクタを囲むようにしてエフェクトが表示され、操作回数が増すことで、当該エフェクトが大きくなるように表示される。
【０４１６】
また、操作が行われる毎に、操作スイッチユニット４０における操作領域ＡＥ及び操作ストロークＳが大きくなる。操作領域ＡＥ及び操作ストロークＳの増大によって、操作を有効に受け付けたことが示唆されるだけでなく、次の操作が許容されることが示唆される。本実施の形態においては、連発操作が示唆されてから操作完了となるまでの操作回数が多くなるほど大当たりに当選している期待度が高くなるように設定されている。このため、遊技者は１回でも多く押圧操作ができるように期待しながら操作を行うと想定される。これにより、押圧操作後の操作スイッチユニット４０の反応（動き）に対する注目度の向上が図られている。
【０４１７】
なお、ｔｅ１〜ｔｅ４のタイミングでの表示演出等の進行の態様は、上記ｔｄ１〜ｔｄ４のタイミングでの表示演出等の進行の態様と同様である。
【０４１８】
図３２の例においては、操作規定回数として最大回数：「１０回」が選択されている。このため、ｔｅ５のタイミングで「４回」目の操作が行われた場合には、次回の操作が許容され、ｔｅ５のタイミングにて操作が受け付けられた直後（ほぼ同時のタイミング）にて操作領域ＡＥ及び操作ストロークＳが拡大される。この際、遊技者が操作スイッチユニット４０Ａ（詳しくは押しボタン部材３２０やシャッタ部材３３０）に手を掛けていると、操作領域ＡＥの拡張を触覚的に把握することができる。
【０４１９】
なお、より詳しくは表示画面９４ａにおける受け付けの示唆と、操作スイッチユニット４０Ａにおける受け付けの示唆とを比べると、後者のほうが前者よりも僅かに早いタイミングにて実行される。更には、表示画面９４ａにおいては、操作が有効に受け付けられた旨を示唆する機能が付与されている一方、次回の操作が許容されることを示唆する機能は付与されていない。これにより、操作スイッチユニット４０Ａに対する注目度の更なる向上を図っている。
【０４２０】
その後、繰り返しの押圧操作による操作回数が「８回」目に達すると、操作規定回数が「９回」目となる場合に大当たりの当選期待度が最大となるため、遊技者は、次の操作（「９回」目）による、操作領域ＡＥの拡張が発生しないこと、すなわち操作スイッチユニット４０Ａの変形が生じないことを期待して操作を行う。
【０４２１】
図３２の例においては、操作規定回数として最大回数：「１０回」が選択されているため、「９回」目の操作によって、操作領域ＡＥ及び操作ストロークＳが拡大する。「１０回」目の操作を行った場合には遊技結果が即座に明示され得るため、いち早く結果を知りたい遊技者は「１０回」目の操作を行い、結果の明示を先送りしたい遊技者は「１０回」目の操作を行わないと想定される。
【０４２２】
ｔｅ６のタイミングにて「１０回」目の操作が行われた場合には、当該操作の直後に表示画面９４ａに連発操作が完了した旨を示す画像が表示される。具体的には、表示画面９４ａの中央に表示されていたキャラクタ画像及び表示画面９４ａの下部に表示されていた操作受付回数表示画像が非表示となり、これに代えて操作完了を示すメッセージ（詳しくは「ＣＯＭＰＬＥＴＥ！」）が表示される。なお、ｔｅ６のタイミングにて押しボタン部材３２０の押圧操作が無効化されることで、以降は押圧操作が再び有効化されるまで、押しボタン部材３２０の操作が受け付けられることはない。
【０４２３】
ｔｅ６のタイミングの後のｔｅ７のタイミングでは、操作結果に対応した演出が実行されるが、当該演出の内容は本変動表示回の変動表示時間に応じて変化する。
【０４２４】
具体的には、本変動表示回の変動表示時間が第２変動表示時間に対応している場合には、ｔｅ７のタイミングにて今回の遊技結果が明示される。すなわち、大当たり結果に対応する変動表示回である場合には表示画面９４ａに大当たりに当選した旨を示すメッセージ（例えば「おめでとう！」）が表示され、外れ結果に対応する変動表示回である場合には表示画面９４ａに大当たりに当選していない旨を示すメッセージ（例えば「残念・・・」）が表示される。
【０４２５】
また、ｔｅ７のタイミングに僅かに先行して、操作領域ＡＥが変更される、すなわち操作スイッチユニット４０Ａが変形する。具体的には、大当たり結果に対応する変動表示回である場合には操作領域ＡＥが最大となるように拡張され、外れ結果に対応する変動表示回である場合には操作領域ＡＥが最小となるように縮小される。つまり、操作スイッチユニット４０Ａに対して手を添えておくことで、触覚的に遊技結果が告知されることとなる。これにより、操作スイッチユニット４０Ａ及びその動きに対する遊技者の注目を促すことができる。
【０４２６】
遊技結果が明示された後のｔｅ８のタイミングにて、上記メッセージが非表示となり、それまで表示画面９４ａの上部に縮小表示されていた図柄が表示画面９４ａの中央に拡大表示される。そして、中図柄の変動表示が停止し、遊技結果に応じて大当たりに対応する図柄組み合わせ及び外れに対応する図柄組み合わせの何れかが表示されることで、本変動表示回が終了する。
【０４２７】
リーチ表示に対応する第２変動表示時間及び第３変動表示時間のうち、相対的に短く設定された第２変動表示時間となっている場合に、上述した結果の即時告知を行う構成とすることで、告知タイミング〜変動表示回の終了タイミングまでの期間が過度に長くなることを回避している。これは、例えば外れ結果に対応するメッセージが過度に長い期間に亘って表示され、次の変動表示回への移行がなされない場合に、遊技者に対して不快感を与える可能性があるため、このような不都合の発生を抑えるための工夫である。
【０４２８】
なお、操作回数が最大規定回数に達した場合に変動表示回終了前の先行告知を実行する構成とすることにより、告知期間又は告知後の次の変動表示回開始までの待ち期間が間延びすることを抑制できる。
【０４２９】
一方、本変動表示回の変動表示時間が第３変動表示時間に対応している場合には、ｔｅ７のタイミングにてスーパーリーチ表示に移行する。具体的には、表示画面９４ａに表示されていたメッセージが非表示となり、これに合わせて表示画面９４ａの中央にキャラクタ画像が表示される。この際、上記連続操作が完了していることを条件として、キャラクタ画像として変身中の女の子が表示される。その後、大当たりに当選している場合にはｔｅ９のタイミングにて女の子が変身に成功して大きくなった画像が表示されるとともに大当たりに対応する図柄の組合せが停止表示され、大当たりに当選していない場合にはｔｅ９のタイミングにて女の子が変身に失敗して元に戻った画像が表示されるとともに外れに対応する図柄の組合せが停止表示され、本変動表示回が終了する。
【０４３０】
ここで、第２変動表示時間に対応する変動表示回においては、操作完了とともに操作スイッチユニット４０Ａが変形することにより、操作領域ＡＥ及び操作ストロークＳが拡大又は縮小されるが、第３変動表示時間に対応する変動表示回においては操作に対する操作領域ＡＥの変更は発生しない。すなわち、操作領域ＡＥ及び操作ストロークＳについては、そのままで維持されることとなる。
【０４３１】
遊技者は、連発操作を行っている時点では、変動表示回が開始してからの遊技等の流れから、今回の変動表示回が第２変動表示時間及び第３変動表示時間の何れに対応しているかを判別することができない。このため、「１０回」目の操作を行う場合には、その結果として、拡張（大当たり確定）、縮小（外れ確定）、現状維持（結果告知を保留）の何れになるかを把握することができない。故に、操作に対する反応が、拡張又は現状維持であることを期待しながら操作を行うこととなり、操作スイッチユニット４０Ａに対する注目度を好適に高めることができる。
【０４３２】
有効期間中に連発操作が完了しなかった場合、すなわち操作が行われなかった場合及び操作が行われたもののその回数が規定回数に達しなかった場合には、表示画面９４ａにて操作完了時とは異なる表示演出が実行される。
【０４３３】
具体的には、先ず有効期間が終了したｔｅＸのタイミングにて表示画面９４ａに連発操作が未完了となった旨を示す画像が表示される。詳しくは、表示画面９４ａの中央に表示されていたキャラクタ画像及び表示画面９４ａの下部に表示されていた操作受付回数表示画像が非表示となり、これに代えて操作未完了を示すメッセージ（例えば「ＩＮＣＯＭＰＬＥＴＥ！」）が表示される。
【０４３４】
ｔｅＸのタイミングの後のｔｅＹのタイミングでは、本変動表示回の変動表示時間に応じて異なる演出が実行される。
【０４３５】
具体的には、本変動表示回の変動表示時間が第２変動表示時間に対応している場合には、ｔｅＹのタイミングにてノーマルリーチ表示に移行する。具体的には、表示画面９４ａに表示されていたメッセージが非表示となり、表示画面９４ａの上部に縮小表示されていた図柄が表示画面９４ａの中央に拡大表示されることとなる。この際、連続操作が完了していないことを条件として低速変動対応のノーマルリーチ表示に移行する。その後、ｔｅ８のタイミングにて中図柄の変動表示が停止し、大当たりに対応する図柄組み合わせ又は外れに対応する図柄組み合わせの何れかが遊技結果に応じて表示されることとなる。
【０４３６】
一方、本変動表示回の変動表示時間が第３変動表示時間に対応している場合には、ｔｅＹのタイミングにてスーパーリーチ表示に移行する。具体的には、表示画面９４ａに表示されていたメッセージが非表示となり、表示画面９４ａの中央にキャラクタ画像が表示される。この際、上記連続操作が完了していないことで、キャラクタ画像として箒に跨って移動中の女の子が表示される。その後、大当たりに当選している場合にはｔｅ９のタイミングにて女の子が妖精に遭遇した画像が表示されるとともに表示画面９４ａ上に大当たりに対応する図柄の組合せが表示され、大当たりに当選していない場合にはｔｅ９のタイミングにて女の子が移動を続けている画像が表示されるとともに外れに対応する図柄の組合せが表示されることとなる。
【０４３７】
なお、ｔｅ８のタイミング又はｔｅ９のタイミングにて変動表示回が終了すると、操作スイッチユニット４０Ａの初期状態への復帰が実行される。本実施の形態においては、連続操作対応演出（操作領域拡張演出）が実行された場合には、操作スイッチユニット４０Ａが初期状態（拡張前の状態）に復帰するまで、その後の変動表示回における連続操作対応演出が制限されることとなる。
【０４３８】
以上詳述した第３の実施の形態によれば、以下の優れた効果を奏する。
【０４３９】
本実施の形態においては、第１の実施の形態と同様に、遊技状況に応じて操作スイッチユニット４０Ａにおける遊技者側（上方）に露出している部分が変形する構成を採用した。このように、操作スイッチユニット４０Ａを変形させることで、同操作スイッチユニット４０Ａの変化を視覚的及び触覚的に遊技者に対して示唆し、当該操作スイッチユニット４０Ａに対する遊技者の注目度の向上に貢献することができる。
【０４４０】
連続拡張演出においては、遊技者の操作によって操作スイッチユニット４０Ａの上記変形が発生する構成を採用した。このように、変形の契機として遊技者の操作を設定しておくことにより、遊技者に対して操作スイッチユニット４０Ａの操作対応演出への積極的な参加を促すことができる。
【０４４１】
遊技者によっては、操作の示唆が行われた場合に直ちに操作を行うことができるように、操作スイッチユニット４０Ａ（例えば押しボタン部材３２０）に手を載せた状態で遊技を行う場合がある。かかる構成においては、操作スイッチユニット４０Ａを発光させる等しても、遊技者がそれを把握することが困難になると懸念される。この点、本実施の形態においては、操作スイッチユニット４０Ａが「変形」するため、遊技者に対して外観の変化を視覚的な変化として伝えるだけでなく触覚的な変化として伝えることができる。これにより、遊技者が操作スイッチユニット４０Ａの変化を見逃すといった不都合を生じにくくしている。
【０４４２】
さらに、操作スイッチユニット４０Ａの変形は、押しボタン部材３２０が最大押圧位置、すなわち操作検知位置に到達したタイミングで開始される。これにより、例えば操作前の位置に復帰した後に変形を開始する構成と比較して、変形中に遊技者の手が触れる機会を多くし、変形が生じている事実を遊技者に示唆する機能を一層好適に発揮させることができる。
【０４４３】
操作スイッチユニット４０Ａの変形時には、シャッタ部材３３０が開方向へ移動して操作領域ＡＥが拡張されることとなる。このような構成においては、シャッタ部材３３０の移動が遊技者の手等によって妨げられると、操作スイッチユニット４０Ａに付与された演出機能を発揮させにくくなるおそれがある。特に、上述の如く操作スイッチユニット４０Ａに対して手が触れる機会が多いタイミングにて変形を行う場合には、そのような不都合が顕著になり得る。この点、本実施の形態においては、変形時に操作領域ＡＥが拡張される側へシャッタ部材３３０が移動することで、例えば操作領域ＡＥが縮小する側へシャッタ部材３３０が移動する場合と比較して、シャッタ部材３３０の動きが手によって妨げられることを抑制することができる。これにより、操作スイッチユニット４０Ａに付与された演出機能を好適に発揮させることができる。
【０４４４】
また、連続拡張演出においては、遊技者の操作に基づいて操作スイッチユニット４０Ａが変形することで次回の操作が許容されている旨を示唆する構成とした。連続拡張演出においては、操作回数と大当たりに当選している期待度に相関関係があり、操作回数が多くなることで、大当たりに当選している期待度が大きくなるように設定されている。このため、遊技者は、少しでも多くの操作が有効となることを期待して、すなわち次回の操作が許容されることを期待して操作を行うと考えられる。これにより、操作スイッチユニット４０Ａの変形に対する注目度を好適に向上することができる。
【０４４５】
特に、規定操作回数として最大のもの（「１０回」）が選択されている場合には、その１つ前の回数（「９回」）にて大当たりに当選している期待度が最大となるように設定した。これにより、遊技者は操作回数が「８回」以下の時点では操作スイッチユニット４０Ａが変形することを期待しながら操作を行う一方、「９回」目の操作を行う場合には操作スイッチユニット４０Ａが変形しないことを期待しながら操作を行うと想定される。これにより、操作スイッチユニット４０Ａの変形を期待しながら操作を行うという遊技と、操作スイッチユニット４０Ａの変形が発生しないことを期待しながら操作を行うという遊技とが実現され、一連の連発操作にかかる演出が単調になることを抑制することができる。
【０４４６】
また、「１０回」目の操作が行われた場合には、変動表示回が終了する前に当該操作に基づいて遊技結果が先行告知（明示）される構成とすることにより、最終操作に対する注目度を飛躍手に向上させることができる。
【０４４７】
但し、このようにして遊技結果の先行告知を行う場合には、同先行告知を行ってから変動表示回が終了するまでの期間が過度に長くなることが遊技者に対して煩わしさを与える要因となり得る。このような不都合については特に、外れ結果の先行告知を行った場合に顕著になると想定される。そこで、本実施の形態においては、変動表示期間が比較的短く設定された第２変動表示時間に対応する変動表示回にて先行告知を行うとともに、変動表示時間が比較的長く設定された第３変動表示時間に対応する変動表示回にて先行告知を行わない構成を採用することで、先行告知を行ってから変動表示回が終了するまでの期間が間延びすることを回避し、上記不都合の発生を抑えている。
【０４４８】
操作スイッチユニット４０Ａについては、操作領域ＡＥの拡張に合わせて操作ストロークＳが拡大される構成となっている。操作スイッチユニット４０Ａに対する手の添え方によっては、操作領域ＡＥの外縁に対して手がかからない可能性があり、当該操作領域ＡＥの拡張が触覚的に把握できない可能性がある。一方、押圧操作を行う場合には、必ず押しボタン部材３２０に触れる必要がある。ここで、操作領域ＡＥのみならず、操作ストロークＳが拡大される構成を採用することで操作スイッチユニット４０Ａの触覚的な変化を遊技者に対して伝えやすくし、操作スイッチユニット４０Ａへの手の添え方（操作の仕方）によって示唆機能が上手く働かなくなるといった不都合を生じにくくしている。
【０４４９】
特に、操作スイッチユニット４０Ａの押しボタン部材３２０については、操作ストロークＳが増大することで、操作方向とは反対側（上方）への突出量が増大する。これにより、操作方向における先側に操作ストロークＳが拡大される場合と比較して、操作ストロークＳの拡大に基づく触覚的な変化のみならず、視覚的な変化を遊技者に対して示しやすくすることができる。故に、操作スイッチユニット４０Ａに変形が生じた事実を遊技者に対して一層容易に伝えることができる。
【０４５０】
なお、操作ストロークＳの増加量については、操作回数が多くなるに連れて大きくなるように設定されている。これは、期待度が大きくなっている状態では、上記変化をより明確にするための工夫である。
【０４５１】
＜第４の実施の形態＞
上記第３の実施の形態においては、連続拡張演出が実行されている場合には少なくとも予め設定された規定操作回数（「１０回」を除く）に達するまで操作に基づく操作領域ＡＥ及び操作ストロークＳの拡大が継続される構成としたが、本実施の形態については、操作領域ＡＥ及び操作ストロークＳの拡大を一時的に停止させる機能が追加されている。以下、図３３に基づいて、操作領域ＡＥ及び操作ストロークＳの拡大を一時的に停止させるための構成について説明する。図３３（ａ）は拡張演出用スキップ設定テーブルを示す図、図３３（ｂ）は操作回数と操作領域ＡＥ及び操作ストロークＳとの関係を示すグラフである。
【０４５２】
なお、以下の説明においては第３の実施の形態との共通事項についての説明は省略又は簡略化し、本実施の形態と第３の実施の形態との相違点を中心に説明する。
【０４５３】
本実施の形態においては、表示制御装置４１０にて連続拡張演出を実行するとの決定を行った場合には、連続拡張演出の実行中に一部の操作に対する反応、すなわち操作領域ＡＥ及び操作ストロークＳの拡大を規制する（以下、単に「スキップ」と称する）演出を行うか否かの判定を行う。当該演出は、遊技者が押圧操作を繰り返した際に、予め設定された回数に到達した場合には、次回の操作が許容されている場合であっても、操作領域ＡＥ及び操作ストロークＳの拡大を規制する演出であり、以下の説明においては単に「スキップ演出」とも称する。
【０４５４】
スキップ演出の可否判定及び同スキップ演出を行う場合のスキップの態様については、表示制御装置４１０のＲＯＭ４１３（詳しくは各種テーブル記憶エリア４２１）に設けられた拡張演出用スキップ設定テーブルと、ＲＡＭ４１４の他各種カウンタエリア４２８に設けられたスキップ抽選用カウンタの値とが参照される。
【０４５５】
スキップ抽選用カウンタは、表示制御装置４１０のＭＰＵ４１２にて定期処理（タイマ割込み処理）が実行される度に更新され（詳しくは前回値に「１」加算され）、その値が最大値に達した後「０」に戻るループカウンタとなっている。詳しくは、「０」〜「１９」の範囲内で値が更新される構成となっている。
【０４５６】
図３３（ａ）に示すように、拡張演出用スキップ設定テーブルは、規定操作回数、大当たりの当選の有無及びスキップ抽選用カウンタの値を参照することで、連続拡張演出において実行され得る全操作のうちどれを対象としてスキップを行うかが決定される構成となっている。
【０４５７】
具体的には、操作規定回数が「１回」〜「６回」の場合にはスキップ演出が回避され、操作規定回数が「７回」〜「１０回」の場合にはスキップ抽選カウンタを参照してスキップ演出を行うか否か、更にはスキップ演出を行う場合にはその対象となる範囲を決定する。なお、本実施の形態においては、スキップの対象となる範囲から最初の操作（「１回」目の操作）と最後の操作（規定操作回数目の操作）とが除外されている。
【０４５８】
次に、図３３（ｂ）を参照して、スキップの態様について説明する。図３３（ｂ）では、規定操作回数として「８回」が選択され、「６回」目の操作がスキップの対象となっている場合について例示している。
【０４５９】
連続拡張演出が実行される場合には、スキップの対象となる操作回数に到達するまでは、操作を行う毎に次回の操作が許容されていることを条件として、操作領域ＡＥ及び操作ストロークＳが拡大される。図３３（ｂ）の例ではスキップの対象となっていない「１回」目の操作〜「５回」目の操作では、操作領域ＡＥ及び操作ストロークＳが操作毎に拡大される。そして、スキップの対象となっている「６回」目の操作を行った場合には、遊技機内部では「６回」目の操作として有効に受け付けられ且つ次回の操作が許容されているため通常であれば操作領域ＡＥと操作ストロークＳの拡大が生じるところ、実際には操作領域ＡＥ及び操作ストロークＳの拡大は発生しない。このため、「６回」目の操作が行われた場合には、操作領域ＡＥ及び操作ストロークＳが操作前の状態のまま維持される。
【０４６０】
続いて、「７回」目の操作が行われた場合には、当該「７回」目の操作はスキップの対象となっていないため、再び操作領域ＡＥ及び操作ストロークＳが拡大する。これにより、「８回」目の操作が許容されている旨が示唆される。「７回」目の操作を行った際には、当該操作によって拡大するに本来「６回」目の操作で拡大するはずであった分を加えて操作領域ＡＥ及び操作ストロークＳが拡大されるためその変化が顕著になる。
【０４６１】
（連続拡張演出用の設定処理）
ここで、図３４（ａ）のフローチャートを参照して、表示制御装置４１０のＭＰＵ４１２にて実行される連続拡張演出用の設定処理について説明する。連続拡張演出用の設定処理は、表示制御装置４１０のＭＰＵ４１２におけるコマンド判定処理にて実行される処理である。
【０４６２】
連続拡張演出用の設定処理では、先ずステップＳ１００１にて連続拡張演出を実行するか否かの抽選を行う。具体的には、変動表示時間として第２変動表示時間又は第３変動表示時間が選択されている場合に、連続拡張演出を実行するか否かの抽選を行う。この抽選の結果、連続拡張演出に対応する変動表示回でないと判定した場合には、そのまま本連続拡張演出用設定処理を終了する。一方、ステップＳ１００１にて肯定判定をした場合、すなわち連続拡張演出の実行抽選に当選した場合には、ステップＳ１００２に進む。
【０４６３】
ステップＳ１００２では、規定操作回数設定処理を実行する。具体的には、図２８（ａ）に示した規定操作回数選択テーブルと規定回数選択用カウンタの値とを参照して、規定操作回数を設定する。この場合、大当たり結果であるか外れ結果であるかによって、選択される規定操作回数に偏りが生じることとなる。具体的には、外れ結果の場合には規定操作回数として「１回」、「２回」等の少ない回数が選択されやすくなっており、大当たり結果の場合には規定操作回数として「８回」、「９回」等の多い回数が選択されやすくなっている。
【０４６４】
ステップＳ１００２にて規定操作回数の設定を終えた後は、ステップＳ１００３に進む。ステップＳ１００３ではステップＳ１００２にて設定された規定操作回数が「７回」〜「１０回」であるか否かを判定する。ステップＳ１００３にて肯定判定をした場合には、ステップＳ１００４に進む。
【０４６５】
ステップＳ１００４では、スキップ用の抽選処理を実行する。スキップ用の抽選処理においては、図３３（ａ）に示した拡張演出用スキップ設定テーブルと、スキップ抽選用カウンタの値とを参照して、スキップを行うか否か、更にはスキップの対象となる範囲を決定する。
【０４６６】
ステップＳ１００４の処理を実行した後又はステップＳ１００３にて否定判定をした場合にはステップＳ１００５に進み、連続拡張演出態様設定処理を実行した後、本連続演出用の設定処理を終了する。
【０４６７】
連続拡張演出態様設定処理においては、連続拡張演出用処理にて参照する情報として、操作規定回数、スキップの有無、スキップが発生する範囲等の各種情報を、ＲＡＭ４１４の各種フラグ格納エリア４２５及びその他各種カウンタエリア４２８に記憶する。これら記憶された各種情報については、連続拡張演出用処理時等に参照され、連続拡張演出終了時に消去される。
【０４６８】
（操作領域拡張処理）
次に、図３４（ｂ）のフローチャートを参照して、表示制御装置４１０のＭＰＵ４１２にて実行される操作領域拡張処理について説明する。操作領域拡張処理は、連続拡張演出用処理の一部（図２９のＳ８１１参照）として実行される処理である。
【０４６９】
操作領域拡張処理では、先ずステップＳ１１０１にて今回の操作がスキップ対象の操作であるか否かを判定する。具体的には、ＲＡＭ４１４の各種フラグ格納エリア４２５に格納されたスキップ用フラグを参照して、どの操作回でスキップを発生させるかを把握した上で、今回の操作がそれに該当するか否かを判定する。
【０４７０】
ステップＳ１１０１にて肯定判定をした場合には、続くステップＳ１１０２にて拡張量の繰り越し処理を実行した後、そのまま操作領域拡張処理を終了する。これにより、ステッピングモータ３４０Ａに対して駆動信号が出力されることが回避され、操作領域ＡＥ及び操作ストロークＳについては本操作が行われる前の状態がそのまま維持されることとなる。
【０４７１】
拡張量の繰り越し処理においては、次回の操作が規定操作回数と同じにならないこと、すなわち本連続拡張演出における最後の操作にならないことを条件として、次回の操作が行われた場合に出力される駆動信号の加算処理を実行する。これにより、次回の操作が行われた際には、スキップされた分も含めて操作領域ＡＥ及び操作ストロークＳが一気に拡大されることとなる。
【０４７２】
このように、操作領域ＡＥ及び操作ストロークＳの増加量にスキップ分を上乗せすることにより、それら操作領域ＡＥ及び操作ストロークＳの変化をより顕著なものとしている。このため、擬似的に操作可能な状態に復帰したかのような印象を遊技者に与える際には、そのインパクトを高めることで、かかる変化が見逃されることを抑制している。
【０４７３】
ステップＳ１１０１にて否定判定をした場合、すなわちスキップ対象の操作回であると判定した場合には、ステップＳ１１０３に進み、今回の操作がスキップ直後の操作であるか否かを判定する。
【０４７４】
ステップＳ１１０３にて肯定判定をした場合にはステップＳ１１０４に進み、スキップ対応の駆動信号出力処理を実行する。この処理においては、駆動信号の出力期間（すなわちパルス数）にスキップ対象となっていた操作回にて加算された分を加えて駆動信号の出力期間を補正する。このようにして補正された（加算又は上乗せされた）駆動信号を出力することにより、上述の如く操作領域ＡＥ及び操作ストロークＳが一気に拡大することとなる（図３３（ｂ）参照）。
【０４７５】
一方、ステップＳ１１０３にて否定判定をした場合には、ステップＳ１１０５に進む。ステップＳ１１０５では、スキップ非対応の駆動信号出力処理を実行する。この処理においては、今回の操作に対応する分の駆動信号が出力されるため、ステップＳ１１０４の処理が実行された場合と比較して、操作領域ＡＥ及び操作ストロークＳの増加量は小さくなる。
【０４７６】
ステップＳ１１０４及びステップＳ１１０５の各処理を実行した後は、そのまま本操作領域拡張処理を終了する。
【０４７７】
次に、本スキップ演出時に、図柄表示装置９４の表示画面９４ａにて実行される表示演出について説明する。スキップ演出が実行される場合には、図柄表示装置９４の表示画面９４ａにおける受け付け用の示唆演出が回避されることとなる。すなわち、ステップＳ８１０の処理が無効となる。
【０４７８】
既に説明したように操作回数が規定操作回数に達した場合には、若干の間をおいて操作完了画像が表示されることとなる。上述の如く受け付け用の示唆演出を回避することは、一時的にではあるが今回の操作によって規定操作回数に達したかのような印象を遊技者に与えるための工夫であり、かかる構成を採用することで、それがスキップ演出によるものか、それとも操作完了に起因するものなのかを瞬時に判断することを難しくしている。
【０４７９】
連続拡張演出においては、外れ結果となった場合に規定操作回数として比較的少ない回数が選択されやすい。このため、連続拡張演出が行われる場合には、少ない操作回数で直ぐに規定操作回数に達してしまう可能性が高い。このため、遊技者の操作意欲を掻き立てるには更なる改善の余地がある。
【０４８０】
本実施の形態においては規定操作回数に到達した場合であっても、直ちに操作が完了した旨が表示画面９４ａにて告知されるわけではなく、操作完了から操作完了の告知が行われるまでには僅かな間（例えば３ｓｅｃ）が生じる。ここで、本実施の形態に示すスキップ演出を採用すれば、操作領域ＡＥ及び操作ストロークＳの拡大が行われない場合として、操作が完了している場合とスキップ演出が実行されている場合とが存在することとなる。このため、遊技者は、操作が完了している場合であっても、再び操作が可能となることを期待して操作を行うと考えられる。このように、連続拡張演出を設定すれば、操作スイッチユニット４０Ａ及びその操作等に対する注目度を一層好適に向上することができる。
【０４８１】
＜第５の実施の形態＞
上記第１の実施の形態においては、操作スイッチユニット４０が遊技状況に応じて変形する構成が採用されていた。本実施の形態においても第１の実施の形態と同様に操作スイッチユニットが遊技状況に応じて変形する構成が採用されているが、変形にかかる構成及び変形の態様が第１の実施の形態とは異なっている。以下、図３５を参照し、本実施の形態における操作スイッチユニット６００について説明する。図３５（ａ）は操作スイッチユニット６００を上方から見た概略図、図３５（ｂ）は図３５（ａ）のＥ−Ｅ線部分断面図である。
【０４８２】
先ず、操作スイッチユニット６００の基本構成について説明する。図３５（ａ）に示すように、本実施の形態における操作スイッチユニット６００の配設対象は、上記第１の実施の形態と同様に前扉枠１４の上側膨出部２８となっている。上側膨出部２８の中央部分には操作スイッチユニット６００を収容する収容部２８ｃが形成されており、当該収容部２８ｃに収容された操作スイッチユニット６００は、その操作部６０１の一部が上側膨出部２８の上面部２８ｄに形成された略円形状の開口部２８ｅを通じて上方に露出した状態となっている。
【０４８３】
図３５（ｂ）に示すように、操作スイッチユニット６００は、操作部６０１と同操作部６０１を移動可能に保持するホルダ部６０２とによって構成されており、ホルダ部６０２が上側膨出部２８の上面部２８ｄ等に対して下方から固定されることで操作スイッチユニット６００と上側膨出部２８とが一体化されている。
【０４８４】
操作部６０１は、遊技者が直接触れて操作可能な操作部材６１０，６２０と、同操作部材６１０，６２０の取付部を構成するベース部６３０とを有している。ベース部６３０には端面が上方を向くように形成された略半球状の台座部６３１が形成されており、この台座部６３１に対して操作部材６１０，６２０が組み付けられている。台座部６３１には、操作部材６１０，６２０が取り付けられている側とは反対側、すなわち上側膨出部２８の開口部２８ｅ側とは反対側に突出する円筒部６３５が形成されている。これに対して、ホルダ部６０２には、円筒部６３５が挿通される挿通部６５１が形成されている。
【０４８５】
挿通部６５１は、その内面が円筒部６３５の外面に対して当接するように構成されており、円筒部６３５の挿通部６５１に沿った上下動が許容されている。つまり、操作部６０１の移動方向は、操作部６０１の開口部２８ｅからの突出量が増減する方向となるように規定されている。なお、ホルダ部６０２には、台座部６３１を側方から囲むようにして形成された囲み部６５２が形成されているが、台座部６３１と囲み部６５２との間には操作部６０１の移動を許容する移動空間が確保されている。
【０４８６】
円筒部６３５には付勢手段としてのバネ部材６３６が内蔵されており、このバネ部材６３６によって操作部６０１が開口部２８ｅから突出する側（上方）に向けて付勢されている。上側膨出部２８の上面部２８ｄには、開口部２８ｅから下方に凸となるようにして開口フランジ２８ｆが形成されている。この開口フランジ２８ｆの先端部分に対してベース部６３０（詳しくは台座部６３１）の上端部分が下側から当接することで、それ以上の上方への変位が規制されている。つまり、開口フランジ２８ｆにはストッパ部としての機能が付与されており、同開口フランジ２８ｆによって開口部２８ｅからの操作部６０１の最大突出位置が規定されている。
【０４８７】
操作部６０１を下方へ押圧した場合には、バネ部材６３６の付勢力に抗して操作部６０１が下方へ移動する。そして、ベース部６３０が囲み部６５２に対して上方から当接することにより、それ以上の移動が規制されることとなる。このように、ベース部６３０と囲み部６５２とが上下に当接する位置が、操作部６０１の最大押圧位置となっている。
【０４８８】
なお、操作スイッチユニット６００には、操作部６０１が最大突出位置にあることを検知する検知センサ６４８と、操作部６０１が最大押圧位置にあることを検知する検知センサ６４９とが配設されており、これら各検知センサ６４８，６４９が表示制御装置４１０に対して電気的に接続されている。表示制御装置４１０においては、これら各検知センサ６４８，６４９からの検知信号（検知情報）に基づいて操作部６０１がどの位置に存在しているかを把握することが可能となっている。
【０４８９】
本実施の形態の操作スイッチユニット６００においては、上述したように遊技状況に応じて操作スイッチユニット６００を変形させるための機構が採用されていることを特徴の１つとしている。そこで以下、当該変形にかかる構成について説明する。
【０４９０】
図３５（ｂ）に示すように、ベース部６３０の端面には、変形容易なゴム等の樹脂材料からなる操作部材６１０が固定されている。操作部材６１０は、台座部６３１と同じく略半球状をなしており、それら操作部材６１０及び台座部６３１が一体となることで仮想球面Ｇが形成されている。
【０４９１】
操作部材６１０については透明性を有しており、ベース部６３０の端面に埋設されたＬＥＤ等の発光体６３４からの光が操作部材６１０を通過することであたかも操作部材６１０が発光しているかのように見せることが可能となっている。操作部材６１０の表面には、半球状の凹部が複数形成されており、上述した発光体６３４からの光がそれら凹部を通過することで拡散される構成となっている。
【０４９２】
操作部材６１０よりも外側には、操作部６０１の外郭を形成する操作部材６２０が設けられており、当該操作部材６２０によって操作部材６１０が上方から覆われた状態となっている。以下、説明の便宜上、操作部材６１０を「内側操作部材６１０」、操作部材６２０を「外側操作部材６２０」と称する。
【０４９３】
外側操作部材６２０は、左右一対となっており、それら両者が組み合わされることで内側操作部材６１０及び台座部６３１からなる仮想球面Ｇに沿う椀状をなすように構成されている。
【０４９４】
外側操作部材６２０には、光を遮蔽する遮蔽機能が付与されており、外側操作部材６２０によって内側操作部材６１０が覆われている場合には、上記発光体６３４からの光が操作部６０１外に射出されることがない。また、外側操作部材６２０は、内側操作部材６１０と比べて硬質な樹脂材料によって成形されており、その表面については、凹凸のない滑らかな曲面状をなしている。これにより、内側操作部材６１０に触れた場合と、外側操作部材６２０に触れた場合とでは、感触が異なる構成となっている。
【０４９５】
ここで、ベース部６３０の構成について補足説明する。ベース部６３０は、略半球状の内側ベース部材６３０Ｘと、略椀状をなす外側ベース部材６３０Ｙとを有し、内側ベース部材６３０Ｘが外側ベース部材６３０Ｙに対して内蔵された状態で一体化されている。ここで、内側ベース部材６３０Ｘと外側ベース部材６３０Ｙとの間には、上方に開放された間隙部６３２が形成されており、この間隙部６３２に対して外側操作部材６２０の下端部が挿入されている。
【０４９６】
間隙部６３２の大きさは外側操作部材６２０の厚さ寸法と同等となるように設定されており、間隙部６３２によって外側操作部材６２０の移動可能な空間が確保されている。言い換えれば、間隙部６３２によって外側操作部材６２０のベース部６３０の放射方向への移動が規制され、外側操作部材６２０の移動経路が定められている。
【０４９７】
ベース部６３０には、外側操作部材６２０を、内側操作部材６１０を覆うことで同内側操作部材６１０の露出を規制する閉位置と、内側操作部材６１０の露出を許容する開位置とに移動させる駆動機構が設けられている。この駆動機構は、駆動部としてのステッピングモータ６４１と、ステッピングモータ６４１からの動力を外側操作部材６２０に伝達する伝達手段としてのピニオン６４２とを有している。これに対して外側操作部材６２０の内面には複数の歯部を有しピニオン６４２と係合するラック部６２１が形成されている。
【０４９８】
ステッピングモータ６４１は、表示制御装置４１０に対して電気的に接続されており、同表示制御装置４１０から入力された駆動信号に基づいて動作する構成となっている。ステッピングモータ６４１が回動して、ピニオン６４２→ラック部６２１へと動力が伝達されることで、外側操作部材６２０が閉位置〜開位置に移動することとなる。
【０４９９】
また、台座部６３１には、外側操作部材６２０が閉位置に待機している場合に、外側操作部材６２０に対して開位置側（下側）から当接するストッパ片６４５が配設されている。ストッパ片６４５は、外側操作部材６２０の移動経路と重なる位置に突出して当該外側操作部材６２０の移動を阻止する阻止位置と、外側操作部材６２０の移動を許容する許容位置とに移動可能に設けられており、付勢部材（図示略）によって当接位置へと常時付勢されている。この付勢部材による付勢力によって阻止位置に待機することで、外側操作部材６２０の開位置への移動が阻止されている。
【０５００】
また、ストッパ片６４５には、表示制御装置４１０に対して電気的に接続されたソレノイド６４６の可動軸に連結されている。ソレノイド６４６は表示制御装置４１０から駆動信号が入力されることで上記付勢部材の付勢力に抗してストッパ片６４５を阻止位置から許容位置へと移動させる。このため、少なくとも駆動信号が出力されている期間中は、ストッパ片６４５が許容位置に維持され、外側操作部材６２０の開位置への移動が許容されることとなる。
【０５０１】
ここで、図３６の概略図を参照して操作スイッチユニット６００の変形態様について説明する。
【０５０２】
操作スイッチユニット６００は、外側操作部材６２０によって内側操作部材６１０の露出が回避された状態が通常状態となっている（図３６（ａ）参照）。表示制御装置４１０からソレノイド６４６に対して駆動信号が出力されると、ストッパ片６４５が阻止位置から許容位置へと移動する。これにより、外側操作部材６２０の閉位置からの移動が許容される。このようにして移動規制が解除された後、ステッピングモータ６４１に対して駆動信号が入力されることで、外側操作部材６２０が、内側操作部材６１０と開口フランジ２８ｆとの間を通って、間隙部６３２の奥側へと移動する。
【０５０３】
本実施の形態においては、外側操作部材６２０を左右一対となるようにして配置しており、ステッピングモータ６４１の動作により、両外側操作部材６２０は、互いに逆方向に回動する。具体的には、左側の外側操作部材６２０はベース部６３０（詳しくは半球状部分）の中心部を中心として半時計回りに回動し、右側の外側操作部材６２０はベース部６３０の中心部を中心として時計回りに回動する。このような動きを着目すれば、外側操作部材６２０にはシャッタとしての機能が付与されているともいえる。
【０５０４】
外側操作部材６２０が間隙部６３２の最奥位置（すなわち開位置）に到達することでステッピングモータ６４１に対する駆動信号の出力及びソレノイド６４６に対する駆動信号の出力が停止される。この状態では、外側操作部材６２０の端部が間隙部６３２の奥壁に対して当接することで、それ以上の外側操作部材６２０の移動が阻止されることとなる。
【０５０５】
ソレノイド６４６に対する駆動信号の出力が停止されると、ストッパ片６４５が上記付勢部材の付勢力によって阻止位置へと移動しようとするが、その移動経路上には外側操作部材６２０が存在しているため、ストッパ片６４５が外側操作部材６２０の内面に当接した状態で停止することとなる。このように外側操作部材６２０が開位置に到達することで内側操作部材６１０が露出した状態となる（図３６（ｂ）参照）。以下、この状態を変形状態と称する。
【０５０６】
変形状態となった場合には、外側操作部材６２０の露出が回避されることで、操作対象が実質的に外側操作部材６２０から内側操作部材６１０へ切り替わることとなる。但し、操作対象（押圧対象）が切り替わった場合であっても、押圧操作に基づく操作部６０１の変位の態様は同一であり、操作検知の態様についても変更はない。つまり、通常状態と変形状態とでは、同じ構成（検知センサ６４９）によって、操作が検知されることとなる。
【０５０７】
図３６（ａ）に示す通常状態から図３６（ｂ）に示す変形状態への切替えが行われる場合には、外側操作部材６２０の移動に伴って内側操作部材６１０の露出量が増加する。光遮蔽機能が付与された外側操作部材６２０による遮蔽範囲が小さくなることで、上記発光体６３４からの光が操作部６０１外に射出され量が増加する。これにより、通常状態から変形状態への切替が実行される際の視覚的な変化をより顕著なものとしている。このような発光範囲の変化を実現するにあたっては、発光範囲を調整する当の発光制御を必要としないため、制御負荷の増大を抑えることができる。
【０５０８】
また、内側操作部材６１０については、外側操作部材６２０よりも軟質な樹脂材料によって成形されており、触れた際の感触が異なるものとなっている。これにより、通常状態とは操作部６０１に触れた際の感触が変化することとなる。
【０５０９】
更には、外側操作部材６２０の表面が滑らかな曲面状（球面状）をなしているのに対して、内側操作部材６１０の表面には複数の凹部６１１が形成されている。これにより、上述した発光体６３４からの光の拡散を行うだけでなく、通常状態と変形状態との触覚的な際をより大きなものとしている。
【０５１０】
図３６（ｂ）→図３６（ａ）に示すように変形状態から通常状態へと復帰する際には、表示制御装置４１０からステッピングモータ６４１に対して駆動信号が出力される。これにより、外側操作部材６２０が閉位置へと移動する。外側操作部材６２０が閉位置に到達すると、それまで外側操作部材６２０によって阻止位置への移動が妨げられていたストッパ片６４５が付勢部材の付勢力によって阻止位置へと移動する。これにより、通常状態への復帰が完了し、操作対象が内側操作部材６１０から外側操作部材６２０へ移ることとなる。
【０５１１】
通常状態へと復帰することで発光体６３４からの光が外側操作部材６２０によって遮られることとなり、操作部６０１が消灯した状態となる。
【０５１２】
なお、本実施の形態においては、図３６（ａ）→図３６（ｃ）に示すように通常状態での押圧操作が許容されているだけでなく、図３６（ｂ）→図３６（ｄ）に示すように変形状態での押圧操作も許容されている。より詳しくは、変形状態においても、通常状態と同様の操作ストロークが確保されており、最大押圧位置への移動が許容されている。
【０５１３】
以上詳述した操作スイッチユニット６００を用いた演出としては大きく分けて以下の３つのものが設定されている。
【０５１４】
（１）変形状態への切り替えが発生しない通常の演出
この演出においては、先ず図柄表示装置９４の表示画面９４ａ上に操作スイッチユニット６００の操作を促す画像が表示され、遊技者によって予め定められた期間内に操作が行われた場合には、その操作に基づき表示画面９４ａにて特定の表示演出が実行される。
【０５１５】
（２）遊技者の操作に関係なく予め設定されたタイミングにて通常状態から変形状態への切り替えが発生する特定の演出
この演出においては、表示画面９４ａ上に操作スイッチユニット６００の操作を促す画像が表示されるとともに、操作スイッチユニット６００が変形状態に切り替わる。その後、遊技者によって予め定められた期間内に操作スイッチユニット６００の操作が行われた場合には、その操作に基づき表示画面９４ａにて特定の表示演出が実行される。
【０５１６】
（３）遊技者の操作に基づいて通常状態から変形状態への切り替えが発生する特定の演出
この演出においては、先ず表示画面９４ａ上に操作スイッチユニット６００の操作を促す画像が表示され、遊技者によって予め定められた期間内に操作スイッチユニット６００の操作が行われた場合には、その操作に基づいて操作スイッチユニット６００が変形状態に切り替わる。そして、再び表示画面９４ａ上に操作を促す画像が表示され、遊技者によって予め定められた期間内に操作が行われた場合には、その操作に基づいて特定の演出が実行される。
【０５１７】
これら（１）〜（３）の演出においては（１）＜（２）＜（３）の順に大当たり結果となった場合の演出として選択される確率が高くなっており、（３）＜（２）＜（１）の順に外れ結果となった場合の演出として選択される確率が高くなっている。これにより、演出発生時に大当たりに当選している期待度は、（１）＜（２）＜（３）の順に高くなる構成となっている。
【０５１８】
（１）の演出と（２）の演出との期待度を上述の如く設定することにより、遊技者は（２）の演出が発生することを期待しながら遊技を行うと想定される。すなわち、遊技者は操作スイッチユニット６００に対して変形が発生していないかを意識しながら遊技を行うと想定される。これにより操作スイッチユニット６００に対する注目度の向上が期待できる。
【０５１９】
また（１）及び（３）の演出を併用することにより、表示画面９４ａ上にて操作示唆が行われた場合に遊技者は操作スイッチユニット６００が変形状態に切り替わることを期待しながら同操作スイッチユニット６００の操作を行うと想定される。故に、操作スイッチユニット６００の操作時の反応（動作）に対する注目度の向上が期待できる。
【０５２０】
（操作スイッチ形態変更演出用処理）
ここで、図３７のフローチャートを参照して、表示制御装置４１０のＭＰＵ４１２にて実行される各種演出用処理のうち上記（３）の演出（以下、「操作スイッチ形態変更演出」と称する）にかかる処理について例示する。なお、操作スイッチ形態変更演出用処理は、約４ｍｓｅｃ周期で実行される。
【０５２１】
操作スイッチ形態変更演出用処理では、先ずステップＳ１２０１にて、操作スイッチ形態変更演出が発生する変動表示回中（遊技回中）であるか否かを判定する。当該変動表示回中でない場合には、そのまま操作スイッチ形態変更演出用処理を終了し、当該変動表示回中である場合には、ステップＳ１２０２に進む。
【０５２２】
ステップＳ１２０２では、第１単発操作の示唆が行われた後であるか否かを判定する。ステップＳ１２０２にて否定判定をした場合には、ステップＳ１２０３に進む。ステップＳ１２０３では、第１単発操作示唆用画像の設定処理を行う。これにより、操作スイッチユニット６００を押圧操作するように遊技者に促す押圧操作示唆用画像（押圧操作催促用画像）が図柄表示装置９４の表示画面９４ａにおいて表示される。例えば、当該押圧操作示唆用画像としては、キャラクタの表示内容が示唆に対応したものとなるように動画表示されるとともに、同表示画面９４ａに「ボタンを押して！」といった文字が表示される。なお、当該画像の表示については、予め定められた示唆期間の経過又は押圧操作が実行された場合に終了する。
【０５２３】
因みに、押圧操作の示唆は、図柄表示装置９４の表示画面９４ａにおけるものに限定されることはなく、表示画面９４ａにおけるものに加えて又は代えてスピーカ部２７からの音声の出力により行うようにしてもよいし押しボタン部材３２０を発光させてもよい。更には、これら各種示唆パターンを組み合わせて用いてもよい。
【０５２４】
ステップＳ１２０３の処理を実行した後は、ステップＳ１２０４に進み第１単発操作待ち状態の設定処理を行う。第１単発操作待ち状態の設定処理においては、ＲＡＭ４１４における各種フラグ格納エリア４２５の第１単発操作待ちフラグ格納エリアに第１単発操作待ちフラグを格納する。その後、本操作スイッチ形態変更演出用処理を終了する。
【０５２５】
一方、ステップＳ１２０２にて肯定判定をした場合、すなわち第１単発操作の示唆後であると判定した場合には、ステップＳ１２０５に進む。ステップＳ１２０５では、ＲＡＭ４１４の第１単発操作待ちフラグ格納エリアに第１単発操作待ちフラグが格納されているか否かを判定することで、第１単発操作の示唆後であるか否かを判定する。
【０５２６】
第１単発操作待ち状態である場合には、ステップＳ１２０６に進む。ステップＳ１２０６では、操作部６０１（詳しくは外側操作部材６２０）の押圧操作が行われたか否かを判定する。具体的には、表示制御装置４１０のＭＰＵ４１２では、コマンド判定処理や当該操作スイッチ形態変更演出用処理などが繰り返し実行される通常処理の他に、当該通常処理に定期的（例えば、２ｍｓｅｃ）に割り込んで起動されるタイマ割込み処理が設定されている。当該タイマ割込み処理では、操作スイッチユニット４０の検知センサ６４９からの検知信号（検知情報）を監視するセンサ監視処理が実行されている。そして、ステップＳ１２０５においては、センサ監視処理の結果に基づいて、すなわち操作部６０１が最大押圧位置に達したか否かに基づいて第１単発操作の有無を判定する。
【０５２７】
ステップＳ１２０６にて肯定判定をした場合にはステップＳ１２０７に進み、第１単発操作完了用画像の設定処理を実行する。これにより、表示画面９４ａにおいては操作示唆用画像に変えて操作完了用画像（例えば「ＣＯＭＰＬＥＴＥ！」等のメッセージ）が表示される。
【０５２８】
続くステップＳ１２０８では、操作スイッチユニットの形態変更タイミングの設定処理を行う。本実施の形態においては、形態変更を行うタイミングを複数設け、演出実行時の形態変更タイミングを多様化することを特徴の１つとしている。具体的には、本処理にて第１単発操作が行われた後のどのタイミングで操作スイッチユニットの形態変更を行うかが予め設定された複数のパターンの中から選択される。より詳しくは上記タイミングとして、第１単発操作と同時、第１単発操作から０．５ｓｅｃ後、第１単発操作から１．０ｓｅｃ後の３つが記憶されており、これら３つのタイミングの何れかが抽選によって選択される。
【０５２９】
形態変化が発生する際に操作部６０１（詳しくは外側操作部材６２０）に対して手を載せている場合には、形態変化が生じている事実を触覚的な変化として遊技者に伝えることができる。この点に着目すれば、第１単発操作が行われると同時に形態変化を生じさせることが好ましい。しかしながら、毎度第１単発操作と同時に形態変化を生じさせようとすれば、操作部６０１を連打された場合には、直ぐに後述する第２単発操作が有効に受け付けられてしまうことで形態変化のインパクトが弱まると懸念される。そこで、本実施の形態においては、第１単発操作から形態変化が発生するまでの間に僅かな間が発生する可能性を与えた。これにより、遊技者によってむやみに操作部６０１が連打されることを抑制している。これにより、無作為な操作を抑制するとともに、操作スイッチユニット６００に対する注目度を好適に高めることができる。また、形態変化機能が付与された操作スイッチユニット６００の耐久性の担保に貢献することができる。
【０５３０】
ステップＳ１２０６の説明に戻り、当該ステップＳ１２０６にて否定判定をした場合、すなわち第１単発操作が行われていないと判定した場合には、ステップＳ１２０９に進む。ステップＳ１２０９では、第１単発操作の受付終了タイミングであるか否かを判定する。具体的には、ステップＳ１２０４の処理を実行してから予め定められた受付有効期間が経過したか否かを判定する。ステップＳ１２０９にて否定判定をした場合には、そのまま本操作スイッチ形態変更演出用処理を終了する。
【０５３１】
ステップＳ１２０９にて肯定判定をした場合には、受付終了用画像の設定処理を実行する。これにより、表示画面９４ａにおいては示唆用画像（「ボタンを押して！」）が非表示となり、これに代えて、受付終了用画像（例えば「ＩＮＣＯＭＰＬＥＴＥ！」等のメッセージ）が表示される。
【０５３２】
ステップＳ１２１０又はステップＳ１２０８の処理を実行した後はステップＳ１２１１に進み、第１単発操作待ち状態の解除処理を実行した後、本操作スイッチ形態変更演出用処理を終了する。第１単発操作待ち状態の解除処理においては、ＲＡＭ４１４における各種フラグ格納エリア４２５に格納されている第１単発操作待ちフラグを消去する。これにより、その後の第１単発操作が無効となる。
【０５３３】
ステップＳ１２０５の説明に戻り、当該ステップＳ１２０５にて否定判定をした場合、すなわち第１単発操作待ち状態でないと判定した場合には、ステップＳ１２１２に進む。ステップＳ１２１２では、操作スイッチユニットの形態変更を開始するタイミングであるか否かを判定する。具体的には、ステップＳ１２１１の処理によって設定されたタイミングとなったか否かを判定する。
【０５３４】
ステップＳ１２１２にて肯定判定をした場合にはステップＳ１２１３に進み、形態変更処理を実行する。ここで、図３８（ａ）のフローチャートを参照して形態変更処理について説明する。
【０５３５】
形態変更処理においては先ず、ステップＳ１３０１にて発光開始処理を実行する。発光開始処理では、操作スイッチユニット６００に内蔵された発光体６３４に対する電力の供給を開始する。これにより発光体６３４から内側操作部材６１０に対して光が照射されることとなる。しかしながら、このように発光を開始したタイミングにおいては、内側操作部材６１０が外側操作部材６２０によって覆われており、操作部６０１外への光の照射が規制されているため、遊技者から当該発光を確認することはできない。
【０５３６】
ステップＳ１３０１の処理を実行した後は、ステップＳ１３０２に進み、外側操作部材６２０の移動規制解除処理を実行する。移動規制解除処理においては、ソレノイド６４６に対して駆動信号の出力を開始する。これにより、予め設定された期間（本実施の形態においては、外側操作部材６２０が開位置へ到達するのに要する期間と同等の期間）に亘って、ソレノイド６４６が励磁される。ソレノイド６４６が励磁されることで、ストッパ片６４５が阻止位置から許容位置へと移動し、外側操作部材６２０の移動規制が解除されることとなる。
【０５３７】
次に、ステップＳ１３０４に進み、外側操作部材６２０の開状態への切替処理を実行する。当該処理においては、ステッピングモータ６４１に対して駆動信号を出力する。これにより、外側操作部材６２０が開位置へと移動する。当該駆動信号の出力は、外側操作部材６２０が開位置へ到達することで停止される。
【０５３８】
再び図３７の説明に戻り、ステップＳ１２１３の処理を実行した後は、ステップＳ１２１４に進み、第２単発操作示唆用画像の設定処理を行う。当該処理を実行することで、表示画面９４ａ上に、第２単発操作を示唆する画像（例えば「もう一度押して！」等のメッセージ）が表示される。
【０５３９】
その後、ステップＳ１２１４にて第２単発操作待ち状態の設定処理を実行した後、本操作スイッチ形態変更演出用処理を終了する。第２単発操作待ち状態の設定処理においては、ＲＡＭ４１４における各種フラグ格納エリア４２５の第２単発操作待ちフラグ格納エリアに第２単発操作待ちフラグを格納する。
【０５４０】
なお、本実施の形態においては、操作部６０１が最大押圧位置に到達することで上記検知センサ６４９からの検知信号がＬＯＷレベルからＨＩレベルに立ち上がる構成となっており、この立ち上がりによって操作が行われた旨を把握する構成となっている。このため、第１操作にて操作部６０１を最大押圧位置に押し込んだままの状態に維持したとしても、それにより第２操作が行われたと判定されることはない。すなわち、第２操作を有効に受け付けられるようにするには、第１操作を行った後に、操作部６０１を最大押圧位置から移動させる、例えば初期位置へ移動させる必要がある。このように、操作検知の態様が上記第１の実施の形態等とは異なっている。
【０５４１】
ステップＳ１２１２の説明に戻り、ステップＳ１２１２にて否定判定をした場合、すなわち操作スイッチユニットの形態変更タイミングでないと判定した場合には、ステップＳ１２１６に進む。ステップＳ１２１６では、第２単発操作待ち状態であるか否かを判定する。具体的には、ＲＡＭ４１４の第２単発操作待ちフラグ格納エリアに第２単発操作待ちフラグが格納されているか否かを判定する。
【０５４２】
ステップＳ１２１６にて肯定判定をした場合には、ステップＳ１２１７の第２単発操作用処理に進む。ここで、図３８（ｂ）のフローチャートを参照して、第２単発操作用処理について説明する。第２単発操作用処理においては、先ずステップＳ１４０１にて、操作部６０１（詳しくは内側操作部材６１０）の第２単発操作（押圧操作）が行われたか否かを判定する。具体的には、表示制御装置４１０のＭＰＵ４１２では、コマンド判定処理や操作領域拡張演出用処理などが繰り返し実行される通常処理の他に、当該通常処理に定期的（例えば、２ｍｓｅｃ）に割り込んで起動されるタイマ割込み処理が設定されている。当該タイマ割込み処理では、操作スイッチユニット４０の検知センサ６４９からの検知信号（検知情報）を監視するセンサ監視処理が実行されている。そして、ステップＳ１２０５においては、センサ監視処理の結果に基づいて第２単発操作の有無を判定する。
【０５４３】
本実施の形態においては、第１単発操作にて外側操作部材６２０が押圧された場合と、第２単発操作にて内側操作部材６１０が押圧された場合との両方にて、同一の検知センサによる検知が行われる。これは、内外の操作部材６１０，６２０を採用して、操作態様の多様化を図ったかのように見せつつ、それに起因した構成の複雑化を抑制するための工夫である。
【０５４４】
ステップＳ１４０１にて肯定判定をした場合にはステップＳ１４０２に進み、第２単発操作完了用画像の設定処理を実行する。これにより、表示画面９４ａにおいては操作示唆用画像に変えて操作完了用画像（例えば「ＣＯＭＰＬＥＴＥ！」等のメッセージ）が表示される。ステップＳ１４０２の処理を実行した後は、ステップＳ１４０３に進み、結果表示画像の設定処理を実行する。
【０５４５】
ステップＳ１４０２の処理を実行することにより、図柄表示装置９４の表示画面９４ａにおいて結果表示画像が表示される。当該画像の表示としては、例えば、当該変動表示回が大当たり状態の発生する変動表示回である場合には、キャラクタの表示内容が大当たり状態の発生に対応したものとなるように動画表示され、当該変動表示回が大当たり状態の発生しない変動表示回である場合には、キャラクタの表示内容が、操作示唆用画像が開始される前と同様のものとなるように動画表示される。なお、結果表示画像の設定処理においては、操作完了画像が表示されていた場合には操作完了に対応する結果表示画像を表示するための処理を実行し、操作未完了画像が表示されていた場合には操作未完了に対応する結果表示画像を表示するための処理を実行する。つまり、操作が完了している場合と操作が完了していない場合とでは異なる画像を表示する構成となっている。
【０５４６】
一方、ステップＳ１４０１にて否定判定をした場合には、ステップＳ１４０４に進み、第２単発操作の受付終了タイミングであるか否かを判定する。具体的には、ステップＳ１２１５の処理を実行してから予め定められた有効期間が経過したか否かを判定する。ステップＳ１４０４にて否定判定をした場合には、そのまま本第２単発操作用処理を終了する。
【０５４７】
ステップＳ１４０４にて肯定判定をした場合には、受付終了用画像の設定処理を実行する。これにより、表示画面９４ａにおいては示唆用画像（「ボタンを押して！」）が非表示となり、これに代えて、受付終了用画像（例えば「ＩＮＣＯＭＰＬＥＴＥ！」等のメッセージ）が表示される。
【０５４８】
ステップＳ１４０５又はステップＳ１４０３の処理を実行した後はステップＳ１４０６に進み、第２単発操作待ち状態の解除処理を実行した後、本第２単発操作用処理を終了する。第２単発操作待ち状態の解除処理においては、ＲＡＭ４１４における各種フラグ格納エリア４２５に格納されている第２単発操作待ちフラグを消去する。これにより、その後の第２単発操作が無効となる。
【０５４９】
再び図３７の説明に戻り、ステップＳ１２１７の第２単発操作用処理を実行した後、又はステップＳ１２１６にて否定判定をした場合には、ステップＳ１２１８に進む。ステップＳ１２１８では、変動表示の終了タイミングであるか否かを判定する。変動表示の終了タイミングでない場合には、そのまま本操作スイッチ形態変更演出用処理を終了する。
【０５５０】
変動表示の終了タイミングである場合には、ステップＳ１２１９にて終了表示画像の設定処理を実行し、ステップＳ１２２０にて変形状態から通常状態への復帰処理を実行した後に、本操作領域拡張演出用処理を終了する。
【０５５１】
ステップＳ１２１９における終了表示画像の設定処理では、当該変動表示回が大当たり状態の発生する変動表示回である場合には、大当たり状態の発生が確定した旨の動画表示がなされるように表示設定を行う。この場合に、結果表示画像の設定処理が実行されているとともに、当該結果表示画像の設定処理にて、大当たり状態の発生に対応したものとなるように動画表示が設定されている場合には、当該動画表示と一連の内容となるように動画表示の設定が行われる。一方、操作未完画像の設定処理が実行されている場合には、当該操作未完画像から大当たり状態の発生が確定した旨の動画表示へと劇的に切り換わるような動画表示が介在することとなる。
【０５５２】
ステップＳ１２２０における復帰処理においては、各種フラグ格納エリア４２５における復帰用フラグ格納領域に復帰用フラグを格納する。上述したタイマ割込み処理においては、この復帰用フラグが格納されている場合に、操作スイッチユニット６００を通常状態へと復帰させるための処理を行う。当該復帰処理においては、遊技結果が表示された後のタイミングとなったか否かを判定し、遊技結果が表示された後のタイミングであると判定した場合に、以下の処理を行う。
【０５５３】
先ず位置検知センサ６４８からの検知情報に基づいて操作部６０１が最大突出位置に復帰しているか否かを判定する。操作部６０１が最大突出位置に復帰していないと判定した場合には、そのまま復帰処理を終了する。つまり、遊技者が操作部６０１に手を載せる等して押圧操作を継続している場合には、通常状態への復帰が回避されることとなる。
【０５５４】
一方、操作部６０１が最大突出位置に復帰していると判定した場合には、ステッピングモータ６４１に対して駆動信号を出力する。これにより、外側操作部材６２０が閉位置へと移動し、変形状態から通常状態への復帰が完了する。駆動信号の出力停止処理を実行した後は、各種フラグ格納エリア４２５に格納された復帰用フラグを消去して、当該復帰処理を終了する。
【０５５５】
なお、各種フラグ格納エリア４２５に復帰用フラグが格納されている場合には、操作スイッチ形態変更演出が規制され、操作スイッチ形態変更演出が実行される変動表示回においては、それに代わる代替演出（例えば上記（１）の演出）が実行されることとなる。因みに、操作領域拡張演出が行われた変動表示回が終了し、次の変動表示回が開始されるまでの間に再度の押圧操作が行われていない場合には、次の変動表示回が開始されるまでに拡張状態から通常状態への復帰が完了するように設定されている。このため、遊技結果が表示された後に、そのまま復帰処理が完了した場合には、当該次の遊技回にて操作領域拡張演出が規制されることはない。
【０５５６】
以上詳述した第５の実施の形態によれば、以下の優れた効果を奏する。
【０５５７】
本実施の形態においては、上記第１の実施の形態と同様に、遊技状況に応じて操作スイッチユニット６００における遊技者側（上方）に露出している部分が変形する構成を採用した。このように、操作スイッチユニット６００を変形させることで、同操作スイッチユニット６００の変化を視覚的又は及び触覚的に遊技者に対して示唆し、当該操作スイッチユニット６００に対する遊技者の注目度の向上に貢献することができる。
【０５５８】
操作スイッチ形態変更演出においては、遊技者の操作によって操作スイッチユニット６００の上記変形が発生する構成となっている。このように、変形の契機として遊技者の操作を設定しておくことにより、遊技者に対して操作スイッチユニット６００の操作対応演出への積極的な参加を促すことができる。
【０５５９】
遊技者によっては、操作の示唆が行われた場合に直ちに操作を行うことができるように、操作スイッチユニット６００（例えば操作部６０１）に手を載せた状態で遊技を行う場合がある。かかる構成においては、操作スイッチユニットを発光させる等しても、遊技者がそれを把握することが困難になると懸念される。この点、本実施の形態においては、操作スイッチユニット６００が「変形」するため、遊技者に対して外観の変化を視覚的な変化として伝えるだけでなく触覚的な変化として伝えることができる。これにより、遊技者によって操作スイッチユニット６００の変化が見逃されるといった不都合を生じにくくしている。
【０５６０】
さらに、操作スイッチユニット６００の変形は、操作部６０１が最大押圧位置、すなわち操作検知位置に到達したタイミングで開始される。これにより、例えば操作前の位置に復帰した後に変形を開始する構成と比較して、変形中に遊技者の手が触れる機会を多くし、変形が生じている事実を遊技者に示唆する機能を一層好適に発揮させることができる。
【０５６１】
内側操作部材６１０及び外側操作部材６２０を併用し、両者の質感（硬度や表面形状）を異なる構成とすることにより、外側操作部材６２０の動き、すなわち操作部６０１の変形が見落とされた場合であっても、遊技者が操作部６０１に触れることで操作部６０１に何らかの変化が生じた旨を遊技者に対して好適に示唆することができる。
【０５６２】
外側操作部材６２０によって内側操作部材６１０を覆う構成を採用した場合には、外側操作部材６２０が可動式であり保持合成の確保が難しいことから、操作時のビビリ等が発生しやすくなると想定される。この点、本実施の形態においては、外側操作部材６２０よりも軟質な材料からなる内側操作部材６１０が当該外側操作部材６２０に対して内側から当接する構成とすることにより、外側操作部材６２０のビビリ等を抑える制振機能を付与することが可能となっている。また、内側操作部材６１０を外側操作部材６２０に対して当接させることで、外側操作部材６２０が押圧された際の負荷を内側操作部材６１０を通じて操作部６０１全体に分散させることが可能となっている。これにより、外側操作部材６２０の保護を図っている。
【０５６３】
外側操作部材６２０は外観が半球状となるように構成されているとともに、通常状態から変形状態への切り替え時には仮想球面Ｇに沿うようにして回動する構成となっている。外側操作部材６２０が押圧された際の応力は、仮想球面Ｇの中心部に向く力と、回動方向に向く力とに分散される。これにより、ストッパ片６４５に対して応力が集中することを回避している。
【０５６４】
特に、外側操作部材６２０については内側操作部材６１０と比較して表面がより滑らかとなるように形成されている。このため、上記回動方向への応力が働いたとしても、外側操作部材６２０を押圧した手が外側操作部材６２０の表面を滑ることで、すなわち外側操作部材６２０と手との摩擦を抑えることで、実質的に上記回動方向へ向けて作用する応力を軽減することが可能となっている。これにより、操作スイッチユニット６００の耐久性の向上に貢献している。
【０５６５】
本実施の形態における外側操作部材６２０については、操作部６０１が最大突出位置（初期位置）〜最大押圧位置の間のどの位置に存在している場合であっても、最大開放位置への移動が許容される構成が採用されている。これにより、通常状態から変形状態への切り替えを行う際の可動タイミング等の制約を生じにくくし、操作スイッチユニット６００の形態変更（変形）の遊技演出への適用自由度を好適に高めることが可能となっている。
【０５６６】
＜第６の実施の形態＞
上記第５の実施の形態においては通常状態における操作対象（詳しくは遊技者による操作が可能であり当該操作に基づいてたの部位とは独立して変位する部位）の数と変形状態における操作対象の数とを同一としたが、本実施の形態における操作スイッチユニット６００Ａについては、各状態での操作対象の数が異なっている。具体的には、通常状態から変形状態へと切り替わる（変形する）ことで、１つの操作対象から３つの操作対象へと操作対象が増える構成となっている。以下、図３８を参照して、本実施の形態における操作スイッチユニット６００Ａの構成について説明する。図３９（ａ）は操作スイッチユニット６００Ａの内部構造を示す外略図、図３９（ｂ）は操作スイッチユニット６００Ａにかかる電気的構成を示す概略図である。なお、本実施の形態における操作スイッチユニット６００Ａについては、上記第５の実施の形態における操作スイッチユニット６００と、構成の大部分が共通となっている。そこで、これら共通の構成については第５の実施の形態における記載を援用し、当該第５の実施の形態との相違点を中心に説明する。
【０５６７】
図３９（ａ）に示すように、操作スイッチユニット６００Ａは一対の外側操作部材６２０を有している。これら外側操作部材６２０についてはその配置が、上記第５の実施の形態と相違している。具体的には、第５の実施の形態においては外側操作部材６２０が左右に並べて配置されていたのに対して、本実施の形態においては外側操作部材６２０が前後に並べて配置されている。なお、図３９（ａ）については、図３５（ａ）のＦ−Ｆ線部分断面図に相当するが、外側操作部材６２０同士の境界については、同図３５（ａ）の２点鎖線を参照されたい。
【０５６８】
内側操作部材６１０Ａは、上下に移動可能に設けられたボタン部材となっている。具体的には、ベース部６３０Ａ（詳しくは台座部６３１Ａ）の端面には、上方へ開放された内側操作部材６１０Ａ用の挿通穴６３３Ａが設けられており、この挿通穴６３３Ａに対して内側操作部材６１０Ａが嵌まっている。挿通穴６３３Ａ内には、当該挿通穴６３３Ａ内の領域を前後３つの領域に区画するようにして仕切り部６３４Ａが形成されている。仕切り部６３４Ａによって区画された３つの領域のうち前側の領域と後側の領域とには、内側操作部材６１０Ａを挿通穴６３３Ａから突出する側（上方）に付勢するバネ部材６３７Ａが配設されている。
【０５６９】
挿通穴６３３Ａには、内側操作部材６１０Ａに対して上側から当接することにより、内側操作部材６１０Ａの上方への変位を規制するストッパ部（図示略）が形成されており、同ストッパ部によって挿通穴６３３Ａからの外れが回避されている。内側操作部材６１０Ａについてはバネ部材６３７Ａの付勢力によってストッパ部に押し当てられた状態となっており、内側操作部材６１０Ａの操作面部６１１Ａが上方から押圧されることで、同内側操作部材６１０Ａがバネ部材６３７Ａの付勢力に抗して挿通穴６３３Ａ内に後退する構成となっている。
【０５７０】
内側操作部材６１０Ａは、通常状態においては外側操作部材６２０によって覆われており、同内側操作部材６１０Ａの露出が抑えられている。このため、通常状態においては遊技者による操作が実質的に不可となっている。一方、変形状態へと移行した場合には、この外側操作部材６２０が上記間隙部６３２内に収容されることで、内側操作部材６１０Ａへのアクセスが許容された状態となる。ここで、内側操作部材６１０Ａは左右に複数（詳しくは３つ）並設されており、それら内側操作部材６１０Ａについては個々に独立して変位する構成となっている。かかる構成によれば、通常状態から変形状態に切り替わることで、操作対象が単数から複数に変更されることとなる。
【０５７１】
ここで、図３９（ｂ）を参照して、外側操作部材６２０が押圧操作された場合及び各内側操作部材６１０Ａが押圧操作された場合の操作検知にかかる構成について説明する。
【０５７２】
本実施の形態におけるホルダ部６０２Ａには、操作検知手段を構成する検知センサ６５５Ａが配設されている。検知センサ６５５Ａは、発光素子６５６Ａと受光素子６５７Ａとを有してなる光学センサ（フォトセンサ）であり、表示制御装置４１０に対して電気的に接続されている。
【０５７３】
操作部６０１Ａのベース部６３０Ａには、左右に貫通する貫通孔６３８Ａが形成されており、上記各素子６５６Ａ，６５７Ａは当該貫通孔６３８Ａを挟んで配置されている。発光素子６５６Ａから発せられた光は操作部６０１が最大押圧位置に到達していない状態では、貫通孔６３８Ａを通過して受光素子６５７Ａに到達する。一方、操作部６０１Ａが最大押圧位置に達している場合には、発光素子６５６Ａからの光はベース部６３０の外壁によって遮られ、受光素子６５７Ａに到達することはない。これにより、表示制御装置４１０にて操作部６０１Ａが操作されたか否かを、詳しくは外側操作部材６２０が押圧操作されたか否かを把握することが可能となっている。
【０５７４】
また、貫通孔６３８Ａは、内側操作部材６１０Ａ用の挿通穴６３３Ａ（詳しくは仕切り部６３４Ａによって区画された中央領域）に対して連通しており、内側操作部材６１０Ａが最大押圧位置へ到達した場合には、同内側操作部材６１０Ａによって貫通孔６３８Ａが寸断される構成となっている。
【０５７５】
ここで、内側操作部材６１０Ａについては、光の通過を許容しない構成となっているため、貫通孔６３８Ａが寸断された状態では、発光素子６５６Ａからの光が受光素子６５７Ａに達することはない（図３９（ｂ）の２点鎖線参照）。
【０５７６】
更には、ホルダ部６０２Ａの挿通部６５１には、操作部６０１Ａの初期位置から最大押圧位置への移動を不可とするロック状態と、当該移動を許容するアンロック状態とに切り替え可能なロック装置６６０Ａが配設されている。ロック装置６６０Ａは、表示制御装置４１０に対して電気的に接続されており、この表示制御装置４１０からの駆動信号に基づいて、ロック状態とアンロック状態とに切り替えられる構成となっている。
【０５７７】
より詳しくは、操作スイッチユニット６００が通常状態となっている場合にはロック装置６６０Ａがアンロック状態に維持され、通常状態から変形状態への切り替えが行われる際にロック装置６６０Ａがアンロック状態からロック状態に切り替えられることとなる。これにより、操作部６０１Ａ全体の最大押圧位置への移動が不可となる。つまり、ロック状態となることで、ベース部６３０Ａの外壁によって発光素子６５６Ａから受光素子６５７Ａへの光の到達が遮られることがなくなる。
【０５７８】
一方、ロック状態となった場合には、操作対象が外側操作部材６２０から内側操作部材６１０Ａに移る。このため、上記光の授受は内側操作部材６１０Ａによって遮られ得る状態となる。
【０５７９】
なお、ロック装置６６０Ａに相当する構成については、必ずしも必須の構成ではない。少なくとも、変形状態においては、内側操作部材６１０Ａの操作が担保されるのであれば足り、例えば操作部６０１Ａ全体用のバネ部材６３６の付勢力よりも各バネ部材６３６Ａの付勢力を十分に小さく設定しておくことにより、内側操作部材６１０Ａを操作した際に操作部６０１Ａ全体が押圧方向へ移動することを回避する構成を採用してもよい。また、ロック装置６６０Ａについては、その機能が担保されるのであれば、詳細な配置は任意であり、挿通部６５１内に配置する必要は必ずしもない。
【０５８０】
以上詳述した構成においては、通常状態及び変形状態の両状態にて、操作検知にかかる電気的構成（センサや信号線）の共通化が図られている。ここで、このように、見かけ上は操作対象が複数に増大するが、実質的には操作系統が１つに限定されている構成を利用した操作対応演出について簡単に説明する。
【０５８１】
操作対応演出を行う場合には、通常変動表示からリーチ表示になった後のタイミングにて、表示画面９４ａ上に操作を示唆するメッセージが表示される。その後、予め設定された受付有効期間内に遊技者による操作部６０１Ａの操作が行われた場合には、当該操作を契機として、操作スイッチユニット６００Ａを通常状態から変形状態へと切り替えるための処理が実行される。これにより、操作対象が外側操作部材６２０から内側操作部材６１０Ａに移る。ここで、表示画面９４ａ上には、回胴式遊技機のリールを模した画像が表示される。すなわち、左絵柄列、中絵柄列、右絵柄列がそれぞれ個別に変動表示しているように動画表示される。
【０５８２】
ここで、表示画面９４ａ上には、先ず左の内側操作部材６１０ＡＬの操作を促すメッセージ（例えば「左ボタンを押して絵柄を停止させろ！」）が表示される。遊技者によって左の内側操作部材６１０ＡＬが操作されると、当該操作が検知センサ６５５Ａによって検知され、この操作に基づいて表示画面９４ａにて変動表示されている左絵柄列が停止表示される。つまり、内側操作部材６１０ＡＬは、絵柄列の変動表示を停止させる停止操作手段として機能する。
【０５８３】
遊技者の操作に基づいて停止表示される絵柄は、本変動表示回の遊技結果が大当たり結果である場合には大当たり結果に対応した絵柄組合せ（例えば「ハートマーク」・「ハートマーク」・「ハートマーク」）を構成する絵柄となり、外れ結果である場合には外れ結果に対応した絵柄組合せ（例えば「ハートマーク」・「ハートマーク」・「星マーク」）を構成する絵柄となる。つまり、遊技者の操作は絵柄を停止させるタイミングの契機となるに過ぎず、実際に停止表示される絵柄については遊技結果に応じて予め決まっている。
【０５８４】
左絵柄が停止表示された後は、表示画面９４ａ上に中の内側操作部材６１０ＡＭの操作を促すメッセージが表示される。遊技者によって中の内側操作部材６１０ＡＭが操作されると、当該操作が検知センサ６５５Ａによって検知され、この操作に基づいて表示画面９４ａにて変動表示されている中絵柄列が停止表示される。
【０５８５】
中絵柄が停止表示された後は、表示画面９４ａ上に右の内側操作部材６１０ＡＭの操作を促すメッセージが表示される。遊技者によって右の内側操作部材６１０ＡＲが操作されると、当該操作が検知センサ６５５Ａによって検知され、この操作に基づいて表示画面９４ａにて変動表示されている右絵柄列が停止表示される。
【０５８６】
中絵柄及び左絵柄に対応する各内側操作部材６１０ＡＭ，６２０ＡＲの操作に基づいた絵柄の停止態様については、上記左の内側操作部材６１０ＡＬの操作に基づく絵柄の停止態様と同様であるため、詳細な説明を省略する。
【０５８７】
以上詳述した第６の実施の形態によれば、以下の優れた効果を奏する。
【０５８８】
操作スイッチユニット６００Ａが通常状態から変形状態に切り替わることにより、操作対象の数が増加することとなる。このように、遊技状況に応じてアクセス可能な操作対象が増加する構成とすれば、操作スイッチユニット６００Ａに対する注目度の向上に貢献することができる。
【０５８９】
操作対象を多数採用した場合には、上記注目度の向上効果が期待できる反面、電気的な制御にかかる構成が複雑化すると懸念される。この点、本実施の形態に示すように、操作検知にかかる構成を共有化すれば、電気的構成及びそれに関する電気的制御の簡略化を図ることができる。
【０５９０】
特に、外側操作部材６２０が操作対象となっている場合と、内側操作部材６１０Ａが操作対象となっている場合との操作方向を同一としたことで、上記構成の簡略化を容易なものとしている。
【０５９１】
複数の操作対象からの信号の伝達系統を統一しているものの、表示画面９４ａにおける表示演出においては各操作対象からの信号があたかも別々に取り扱われているかのように擬態させている。これにより、実際には簡素な構成を用いつつ、それに伴う演出の陳腐化を回避している。
【０５９２】
一般に回胴式遊技機においては、複数の停止操作ボタンのうちどの順で停止操作を行うかは遊技者によって任意に選択される。本実施の形態においては、上述の如く電気信号の伝達系統が共通化されているため、停止操作ボタンに相当する複数の内側操作部材６１０Ａのうちどれが操作されたかを特定することができない。そこで、表示画面９４ａにおいては、操作すべき対象を明示する（アシストする）ことにより、遊技者が操作するであろう対象を所定のものに誘導することで、電気信号の伝達系統が少ないという課題を克服している。
【０５９３】
＜第７の実施の形態＞
上記第１の実施の形態においては、操作スイッチユニット４０が遊技状況に応じて変形する構成が採用されていた。本実施の形態においても第１の実施の形態と同様に操作スイッチユニットが遊技状況に応じて変形する構成が採用されているが、変形にかかる構成及び変形の態様が第１の実施の形態とは異なっている。以下、図４０を参照し、本実施の形態における操作スイッチユニット７００について説明する。図４０（ａ）は操作スイッチユニット７００を上方から見た概略図、図４０（ｂ）は図４０（ａ）のＧ−Ｇ線部分断面図である。
【０５９４】
先ず、操作スイッチユニット７００の基本構成について説明する。図４０（ａ）に示すように、本実施の形態における操作スイッチユニット７００の配設対象は、上記第１の実施の形態と同様に前扉枠１４の上側膨出部２８となっている。上側膨出部２８の中央部分には操作スイッチユニット６００を収容する収容部２８ｃが形成されており、当該収容部２８ｃに収容された操作スイッチユニット７００は、その操作部７０１の一部が上側膨出部２８の上面部２８ｄに形成された略円形状の開口部２８ｅを通じて上方に露出した状態となっている。
【０５９５】
図４０（ｂ）に示すように、操作スイッチユニット７００は、操作部７０１と同操作部７０１を移動可能に保持するホルダ部７０２とによって構成されており、ホルダ部７０２が上側膨出部２８に対して固定されることで操作スイッチユニット７００と上側膨出部２８とが一体化されている。
【０５９６】
操作部７０１は、ホルダ部７０２に形成された中央開口７１１から突出するボタン部材７２０を有している。ボタン部材７２０は、ホルダ部７０２の奥側へ開放された中空状をなしており、その開放部分が当該ボタン部材７２０に固定された蓋体７３０によって塞がれている。
【０５９７】
蓋体７３０には、ボタン部材７２０側とは反対側に起立する複数の円筒部７３１が形成されており、これら各円筒部７３１に対してホルダ部７０２の底部７１２に形成された突部７１３が挿通されている。突部７１３は、その外周面が円筒部７３１の内周面に対して当接しており、これにより操作部７０１の移動方向が上下方向となるように規定されている。
【０５９８】
また、円筒部７３１によって囲まれた空間にはバネ部材７４１が配設されている。このバネ部材７４１の付勢力によって操作部７０１が上記中央開口７１１から突出する方向（上方）へ付勢されている。
【０５９９】
ホルダ部７０２には、ボタン部材７２０に形成されたフランジ部７２１に対して突出方向における先側（上方）から当接する当接部７１４が設けられており、同フランジ部７２１が当接部７１４に当たることで、それ以上の突出が規制されている。すなわち、当接部７１４には、操作部７０１の最大突出位置を規定する機能が付与されている。
【０６００】
操作部７０１が押圧操作された場合には、同操作部７０１がバネ部材７４１の付勢力に抗して移動することで後退し、上記円筒部７３１の先端部分がホルダ部７０２の底部７１２に対して当接することでそれ以上の移動が規制されることとなる。つまり、円筒部７３１の先端部が底部７１２に対して当接する位置が、操作部７０１の最大押圧位置となっている。
【０６０１】
本実施の形態における操作スイッチユニット７００においても、操作部７０１が最大突出位置に位置していることを検知する位置検知センサ７０８と、最大押圧位置に位置していることを検知する位置検知センサ７０９とを有している。これら各位置検知センサ７０８，７０９は、表示制御装置４１０に対して電気的に接続されており、同表示制御装置４１０においては位置検知センサ７０９からの検知信号に基づいて操作が行われたことを検知する構成となっている。
【０６０２】
次に、操作スイッチユニット７００（操作部７０１）の変形を実現するための構成について説明する。
【０６０３】
ボタン部材７２０の上面部７２２には、横長状のスリット７２３が複数並設されている。これらスリット７２３には、操作部７０１の内部方向（下方）へ延びる起立部７２４が一体成形されており、各スリット７２３を挟んで起立部７２４同士が対峙している。
【０６０４】
操作部７０１には可動部材７５０が内蔵されている。可動部材７５０は、蓋体７３０に対向する板状のベース部７５１と、ベース部７５１から突出し、起立部７２４間の隙間〜スリット７２３を通じて操作部７０１外に露出する突出部７５２とによって構成されている。突出部７５２は起立部７２４において相対向している各面に当接しており、起立部７２４が延びている方向（上下方向）と同じ方向への移動が許容される一方でそれと交差する方向への移動が規制されている。すなわち、起立部７２４によって突出部７５２の移動通路が形成されている。
【０６０５】
蓋体７３０には、可動部材７５０を上方へ付勢する付勢手段としてバネ部材７６１が配設されている。可動部材７５０のベース部７５１は、バネ部材７６１の付勢力によって起立部７２４の先端に押し付けられており、それ以上の上方の移動が規制されている。
【０６０６】
可動部材７５０の突出部７５２については、上方への移動が規制された状態にて、同突出部７５２の先端部７５３がボタン部材７２０の上面部７２２と同一平面上に位置するように形成されている。すなわち、可動部材７５０（突出部７５２）の先端部７５３とボタン部材７２０の上面部７２２とによって操作面部７０５が形成されている。
【０６０７】
操作面部７０５においてボタン部材７２０の上面部７２２が占める割合（占有率）は、可動部材７５０の先端部７５３が占める割合よりも大きく設定されており（図４０（ａ）参照）主従の関係が構築されている。すなわち、あくまで操作部７０１を主として構成するもの（遊技者の操作対象となるもの）はボタン部材７２０であり、可動部材７５０はボタン部材７２０に付属する構成である。
【０６０８】
ここで操作面部７０５を構成する上面部７２２と先端部７５３との関係について補足説明する。両者の配設パターンは、遊技者が指で操作面部７０５に触れた場合に、その接触範囲に上記上面部７２２と先端部７５３の両者が含まれるように設定されている。このため、遊技者が指によって操作面部７０５を押圧操作する場合には、当該指が上面部７２２及び先端部７５３の両者に対して接触することとなる。これは、操作スイッチユニット７００の通常状態及び変形状態での操作感覚（触れた感覚）に違いが生じていることを遊技者が見逃すことを抑制するための工夫である。
【０６０９】
操作部７０１の内部には、可動部材７５０及びバネ部材７６１に加えて、表示制御装置４１０に対して電気的に接続されたソレノイド７７０が配設されている。ソレノイド７７０は、その可動軸が可動部材７５０に繋がるようにして配設されており、表示制御装置４１０からの駆動信号に基づいてソレノイド７７０が動作することで、可動部材７５０がバネ部材７６１の付勢力に抗して移動する。
【０６１０】
本実施の形態においては、操作スイッチユニット７００を用いた演出の態様が複数設定されている。具体的には、可動部材７５０の動きを伴わない通常演出と、遊技者の操作に関係なく所定のタイミングにて可動部材７５０が動作する第１特別演出と、遊技者の操作に基づいて可動部材７５０が動作する第２特別演出とが設定されている。そこで以下、図４１の概略図を参照して、操作スイッチユニット７００を用いた操作対応演出を実行する際の操作スイッチユニット７００の変形態様及び表示画面９４ａにて実行される表示演出の態様について例示する。なお、上記各演出については、演出が実行される際に大当たりに当選している期待度が、通常演出＜第１特別演出・第２特別演出となるように設定されている。
【０６１１】
先ず、通常演出について説明する。通常演出においては、図４１（ａ）に示すように、操作部７０１が最大突出位置に存在しボタン部材７２０及び可動部材７５０によって操作面部７０５が形成されている状況下にて、表示画面９４ａにて図柄の変動表示が開始されると、所定のタイミングにて（例えばリーチ表示に移行した後のタイミングにて）同表示画面９４ａに操作スイッチユニット７００の操作を示唆するメッセージが表示される。
【０６１２】
その後、遊技者によって操作スイッチユニット７００が操作されると、図４１（ａ）→図４１（ｂ）に示すように、操作部７０１が最大押圧位置に到達することで、当該操作が有効に受け付けられ、表示画面９４ａ上に操作を有効に受け付けた旨のメッセージが表示された後、同表示画面９４ａにて操作に対応する表示演出（例えばスーパーリーチ）が実行される。
【０６１３】
一連の演出及び操作が実行される過程では、可動部材７５０はボタン部材７２０とともに操作面部７０５を形成する位置に待機することとなる。
【０６１４】
次に、第１特別演出について説明する。第１特別演出においては、図４１（ａ）に示すように、操作部７０１が最大突出位置に存在しボタン部材７２０及び可動部材７５０によって操作面部７０５が形成されている状況下にて、表示画面９４ａにて図柄の変動表示が開始されると、所定のタイミングにて（例えばリーチ表示に移行した後のタイミングにて）可動部材７５０が後退位置へと移動する。具体的には、表示制御装置４１０からソレノイド７７０に対して駆動信号が出力されることで、図４１（ａ）→図４１（ｃ）に示すように可動部材７５０が移動し、操作面部７０５に凹凸が発生することとなる。
【０６１５】
可動部材７５０の後退が完了した後、同表示画面９４ａに操作スイッチユニット７００の操作を示唆するメッセージが表示される。そして、遊技者によって操作スイッチユニット７００が操作されると、図４１（ｃ）→図４１（ｄ）に示すように、操作部７０１が最大押圧位置に到達することで、当該操作が有効に受け付けられ、表示画面９４ａ上に操作を有効に受け付けた旨のメッセージが表示された後、同表示画面９４ａにて操作に対応する表示演出（例えばスーパーリーチ）が実行される。
【０６１６】
遊技者は、当該操作を行う際に操作面部７０５に触れることで、操作面部７０５が滑らかな曲面状から凹凸状に変化したこと、すなわち操作スイッチユニット７００（操作部７０１）が変形したことを触覚的に把握することができる。これにより、本変動表示回が大当たり結果に対応している可能性が高いことが遊技者に対して示唆されることとなる。
【０６１７】
このように、通常演出と第１特別演出とを併用することにより、リーチ表示に移行した後のタイミングにて、操作部７０１が変形する場合と変形しない場合とに分岐することとなる。これら２つの場合においては大当たり結果となっている期待度が異なるため、当該リーチ表示にかかる変動表示回の結果をより早く且つ精度よく予測したい遊技者は、操作部７０１の動向に対して注意を払うこととなる。これにより、操作スイッチユニット７００に対する注目度の向上に貢献することができる。
【０６１８】
第２特別演出においては、図４１（ａ）に示すように操作部７０１が最大突出位置に存在しボタン部材７２０及び可動部材７５０によって操作面部７０５が形成されている状況下にて、表示画面９４ａにて図柄の変動表示が開始される。その後、所定のタイミングにて（例えばリーチ表示に移行した後のタイミングにて）同表示画面９４ａに操作スイッチユニット７００の操作を示唆するメッセージが表示される。
【０６１９】
遊技者によって操作スイッチユニット７００が操作されると、図４１（ａ）→図４１（ｂ）に示すように、操作部７０１が最大押圧位置に到達することで、当該操作が有効に受け付けられ、表示画面９４ａ上に操作を有効に受け付けた旨のメッセージが表示された後、同表示画面９４ａにて操作に対応する表示演出（例えばスーパーリーチ）が実行される。
【０６２０】
また、操作部７０１が最大押圧位置に到達したタイミングにて、図４１（ｄ）に示すように、可動部材７５０が後退を開始することで操作部７０１が変形することとなる。このタイミングでは遊技者の手が操作部７０１に触れている可能性が高いと想定され、遊技者は手が操作部７０１に触れていることで操作面部７０５が滑らかな曲面状から凹凸状に変化したこと、すなわち操作スイッチユニット７００（操作部７０１）が変形したことを触覚的に把握することができる。これにより、本変動表示回が大当たり結果に対応している可能性が高いことが遊技者に対して示唆されることとなる。
【０６２１】
ボタン部材７２０及び可動部材７５０によって操作面部７０５が形成されている場合には、全体として上方に凸となる曲面状をなしている。このため、可動部材７５０が後退して操作面部７０５に凹凸が発生した際には、同操作面部７０５に僅かながら段差が生じることとなる。このようにして操作面部７０５に段差を生じさせることで、操作面部７０５に触れた場合に変形前後で違いが生じていることを把握しやすくなる。
【０６２２】
以上詳述した第７の実施の形態によれば、操作部７０１の変形が発生する構成を採用することで、上記他の実施の形態と同様に「操作手段」を構成する操作部７０１に対しての遊技者の注目度を好適に高めることができる。例えば、操作部７０１の操作を行っている場合、行っていない場合の何れにおいても同操作部７０１の変形が発生し得るため、操作部７０１の状態に対して注意が向きやすくなる。
【０６２３】
操作部７０１を構成する可動部材７５０については、操作部７０１が最大押圧位置に到達したタイミングで後退を開始し得る。このような構成においては、操作部７０１が最大突出位置に復帰した後に変形を行う構成と比較して、遊技者の手が未だ操作部７０１に対して触れている可能性が高いため、操作部７０１の変形を遊技者に対して触覚的に伝えやすくすることができるという効果が期待できる。
【０６２４】
但し、遊技者の手が触れている可能性が高いタイミングにて可動部材７５０を移動させようとした場合、同可動部材７５０の移動が遊技者の手によって妨げられる可能性がある。この点、本実施の形態においては、可動部材７５０をボタン部材７２０の上面部７２２に対して後退させる構成を採用しているため、そのような不都合は生じない。また、押圧方向に変形するため、変形に起因して遊技者の手に負荷が加わることがなく、変形が操作の妨げとなることを好適に回避できる。
【０６２５】
更には、遊技者の手から遠ざかる側へ可動部材７５０が移動する構成であるため、可動部材７５０の移動速度を高く設定したとしても、遊技者の手が押されるといった不都合は生じない。これにより、変形に要する期間を短縮し、操作スイッチユニット７００を用いた演出の円滑化を図ることができる。
【０６２６】
また、操作部７０１においては、変形の前、変形中、変形後の何れの状態であっても押圧操作が許容されている。このため、変形機能の付与に起因して、操作部７０１の連打等が制限されるといった不都合を生じることもない。これにより、変形機能と操作性とを両立することが可能となっている。
【０６２７】
操作面部７０５の構成する割合を、ボタン部材７２０のほうが可動部材よりも大きくなるように設定している。このため、操作部７０１の変形に起因して、同操作部７０１の操作性が低下することが抑制されている。
【０６２８】
可動部材７５０については、ボタン部材７２０とともに一連の操作面部７０５を形成している状態では、その位置に固定されているわけではなく、同位置にバネ部材７６１の付勢力によって保持されている。このため、遊技者による押圧操作が行われた際に可動部材７５０に対して大きな負荷が加わると、同可動部材７５０がバネ部材７６１の付勢力に抗して後退することで、同負荷が吸収されることとなる。これにより、可動部材７５０の保護のみならず、操作部７０１の保護を実現している。
【０６２９】
＜第８の実施の形態＞
上記第５の実施の形態においては第１単発操作に基づく操作スイッチユニット６００の形態変更の開始タイミングを複数のパターンの中から選択する構成とした。これに対して本実施の形態では操作スイッチユニット６００の形態変更を行うタイミングをある特定のタイミングとすることにより、形態変更による触覚の変化を遊技者に対して伝えやすくしていることを特徴の１つとしている。なお、本実施の形態における操作スイッチユニットの主たる構成については上記第５の実施の形態における操作スイッチユニットと同一である。そこで、共通となっている構成については第５の実施の形態での説明を援用し、以下、第５の実施の形態と相違する構成について詳述する。
【０６３０】
上記第５の実施の形態の検知センサ６４９は、操作部６０１が最大押圧位置（最大変位位置）に達した場合に、同操作部６０１の操作が行われた旨を示す検知情報を表示制御装置４１０に出力する構成を採用していたが、本実施の形態における検知センサ６４９については、操作部６０１の検知位置が異なっている。具体的には、本実施の形態に示す検知センサ６４９においては、操作部６０１の全移動範囲のうち初期位置と最大押圧位置との間となる位置が検知位置として設定されている。このため、遊技者が操作部６０１を押圧操作した場合には、当該操作部６０１が最大押圧位置に到達する前に検知センサ６４９から検知情報が出力されることとなる。
【０６３１】
より詳しくは、検知センサ６４９は発光素子及び受光素子からなる光学センサであり、操作部６０１が初期位置（待機位置）〜検知位置に存在している間は発光素子からの光が受光素子に到達し、操作部６０１が検知位置〜最大押圧位置の範囲に存在している間は発光素子からの光の受光素子への到達が操作部６０１によって妨げられる構成となっている。検知センサ６４９から表示制御装置４１０に出力される検知情報としての検知信号は、操作部６０１が検知位置に到達することでＬＯＷレベルからＨＩレベルに切り替わり、同操作部６０１が検知位置〜最大押圧位置に存在している間はＨＩレベルに維持される。
【０６３２】
次に、図４２のフローチャートを参照して、表示制御装置４１０のＭＰＵ４１２にて実行される操作スイッチ形態変更演出にかかる処理について説明する。なお、操作スイッチ形態変更演出用処理は、約４ｍｓｅｃ周期で実行される。
【０６３３】
操作スイッチ形態変更演出用処理では、先ずステップＳ１５０１にて、操作スイッチ形態変更演出が発生する変動表示回中（遊技回中）であるか否かを判定する。当該変動表示回中でない場合には、そのまま操作スイッチ形態変更演出用処理を終了し、当該変動表示回中である場合には、ステップＳ１５０２に進む。
【０６３４】
ステップＳ１５０２では、第１単発操作の示唆が行われた後であるか否かを判定する。ステップＳ１５０２にて否定判定をした場合には、ステップＳ１５０３に進む。ステップＳ１５０３では、第１単発操作示唆用画像の設定処理を行う。これにより、操作スイッチユニット６００を押圧操作するように遊技者に促す押圧操作示唆用画像（押圧操作催促用画像）が図柄表示装置９４の表示画面９４ａにおいて表示される。例えば、当該押圧操作示唆用画像としては、キャラクタの表示内容が示唆に対応したものとなるように動画表示されるとともに、同表示画面９４ａに「ボタンを長押して！」といった文字が表示される。
【０６３５】
なお、上記第５の実施の形態においては、操作部６０１が操作検知位置（最大押圧位置）に到達したことを条件として操作スイッチユニット６００の形態が変更される構成となっていいたが、本実施の形態においては、操作部６０１が検知位置〜最大押圧位置に存在している期間が所定の押圧期間となったことを条件として操作スイッチユニット６００の形態が変更されることとなる。表示画面９４ａ上に表示された示唆用画像は、操作が行われることなく第１単発操作の受付終了タイミングとなった場合（すなわち上記押圧期間にかかる条件が非成立となった場合）、又は上記押圧期間にかかる条件が成立した場合に、非表示となる。
【０６３６】
因みに、押圧操作の示唆は、図柄表示装置９４の表示画面９４ａにおけるものに限定されることはなく、表示画面９４ａにおけるものに加えて又は代えてスピーカ部２７からの音声の出力により行うようにしてもよいし押しボタン部材３２０を発光させてもよい。更には、これら各種示唆パターンを組み合わせて用いてもよい。
【０６３７】
ステップＳ１５０３の処理を実行した後は、ステップＳ１５０４に進み第１単発操作待ち状態の設定処理を行う。第１単発操作待ち状態の設定処理においては、ＲＡＭ４１４における各種フラグ格納エリア４２５の第１単発操作待ちフラグ格納エリアに第１単発操作待ちフラグを格納する。その後、本操作スイッチ形態変更演出用処理を終了する。
【０６３８】
一方、ステップＳ１５０２にて肯定判定をした場合、すなわち第１単発操作の示唆後であると判定した場合には、ステップＳ１５０５に進む。ステップＳ１５０５では、ＲＡＭ４１４の第１単発操作待ちフラグ格納エリアに第１単発操作待ちフラグが格納されているか否かを判定することで、第１単発操作の示唆後であるか否かを判定する。
【０６３９】
第１単発操作待ち状態である場合には、ステップＳ１５０６に進む。ステップＳ１５０６では、操作部６０１（詳しくは外側操作部材６２０）の押圧操作が行われたか否かを判定する。具体的には、検知センサ６４９からの検知信号（検知情報）に基づいて、すなわち操作部６０１が最大押圧位置に達したか否かに基づいて第１単発操作の有無を判定する。
【０６４０】
ステップＳ１５０６にて肯定判定をした場合にはステップＳ１５０７に進み、第１単発操作完了用画像の設定処理を実行する。これにより、表示画面９４ａにおいては操作示唆用画像に変えて操作完了用画像（例えば「そのまま  そのまま！」等のメッセージ）が表示される。
【０６４１】
続くステップＳ１５０８では、操作スイッチユニット６００の形態変更タイミングの設定処理を行う。既に説明したように、本実施の形態においては、操作部６０１が所定の押圧期間に亘って押圧状態に維持された場合に操作スイッチユニット６００の形態変更を行う。ステップＳ１５０８の処理では、当該押圧期間用のタイマカウンタの設定処理を行う。かかるタイマカウンタの値は、当該操作スイッチ形態変更演出用処理が実行される度に更新される（詳しくは「１」ずつ減算される）。押圧期間用のタイマカウンタの値が「０」になったタイミングが、操作スイッチユニット６００の形態変更タイミングである。
【０６４２】
ステップＳ１５０６の説明に戻り、当該ステップＳ１５０６にて否定判定をした場合、すなわち第１単発操作が行われていないと判定した場合には、ステップＳ１５０９に進む。ステップＳ１５０９では、第１単発操作の受付終了タイミングであるか否かを判定する。具体的には、ステップＳ１５０４の処理を実行してから予め定められた受付有効期間が経過したか否かを判定する。ステップＳ１５０９にて否定判定をした場合には、そのまま本操作スイッチ形態変更演出用処理を終了する。
【０６４３】
ステップＳ１５０９にて肯定判定をした場合には、ステップＳ１５１０にて第１単発操作示唆用画像の表示終了処理を実行する。これにより、表示画面９４ａにおいては示唆用画像（「ボタンを長押して！」）が非表示となる。そして、続くステップＳ１５１１にて、受付終了用画像の設定処理を実行する。これにより、上記示唆用画像に代えて、受付終了用画像（例えば「ＩＮＣＯＭＰＬＥＴＥ！」等のメッセージ）が表示されることとなる。
【０６４４】
ここで、受付有効期間と示唆用画像の表示期間との関係について補足説明する。示唆用画像の表示期間の長さについては第１単発操作の有無によって異なっている。特に、第１単発操作を受付有効期間の終了タイミングにて受け付けた場合には、そのタイミングから上記押圧期間が経過するまで示唆用画像の表示が継続されるように設定されている。つまり、少なくとも受付有効期間内にて第１単発操作が行われた場合には、押圧期間が経過するまでは、操作部６０１を押圧状態にて維持するように遊技者に対する催促が継続されることとなる。言い換えれば、受付有効期間は、当該受付有効期間の終了タイミングにて第１単発操作が行われた場合であっても、形態変更演出の実行対象となった変動表示回中に示唆用画像の表示期間及び後述する操作対応の各種演出の実行期間が担保されりように設定されている。
【０６４５】
ステップＳ１５１１又はステップＳ１５０８の処理を実行した後はステップＳ１５１２に進み、第１単発操作待ち状態の解除処理を実行した後、本操作スイッチ形態変更演出用処理を終了する。第１単発操作待ち状態の解除処理においては、ＲＡＭ４１４における各種フラグ格納エリア４２５に格納されている第１単発操作待ちフラグを消去する。これにより、その後の第１単発操作が無効となる。
【０６４６】
ステップＳ１５０５の説明に戻り、当該ステップＳ１５０５にて否定判定をした場合、すなわち第１単発操作待ち状態でないと判定した場合には、ステップＳ１５１３に進む。ステップＳ１５１３では、操作部材６１０の押圧状態にて維持されているか否かの判定期間中であるか否かを判定する。具体的には、上述した押圧期間用のタイマカウンタの値が「０」であるか否かに基づいて当該判定を行う。
【０６４７】
ステップＳ１５１３にて肯定判定をした場合にはステップＳ１５１４に進み、押圧状態の判定処理を実行する。押圧状態の判定処理においては、上記検知センサ６４９からの検知情報に基づいて（詳しくはＨＩレベルであるか否かに基づいて）、操作部６０１が押圧状態のままであるか否か（すなわち、検知位置〜最大押圧位置に留まっているか否か）を判定する。
【０６４８】
ここで、本実施の形態においては、押圧操作が継続されている期間中は、表示画面９４ａにて表示されているメッセージに付与されたエフェクトが点滅するとともにメッセージの色が薄い色から濃い色に変化するという演出、すなわち押圧操作が継続されていることに対応する演出が実行される。かかる演出は、少なくとも遊技者による押圧操作が解除されるまで継続されることとなる。
【０６４９】
続くステップＳ１５１５においては、ステップＳ１５１４の判定結果に基づいて、押圧状態のままで所定の押圧期間を経過したか否かを判定する。ステップＳ１５１５にて否定判定をした場合、すなわち押圧状態に維持されているものの所定の押圧期間を経過していないと判定した場合、又は上記押圧期間用のタイマカウンタが「０」となる前に操作部６０１の押圧状態が少なくとも１度解除されたと判定した場合には、そのまま本操作スイッチ形態変更演出用処理を終了する。
【０６５０】
一方、ステップＳ１５１５にて肯定判定をした場合には、ステップＳ１５１６に進み、形態変更処理を実行する。形態変更処理においては先ず、発光開始処理を実行する。発光開始処理では、操作スイッチユニット６００に内蔵された発光体６３４に対する電力の供給を開始する。これにより発光体６３４から内側操作部材６１０に対して光が照射されることとなる。しかしながら、このように発光を開始したタイミングにおいては、内側操作部材６１０が外側操作部材６２０によって覆われており、操作部６０１外への光の照射が規制されているため、遊技者から当該発光を確認することはできない。
【０６５１】
発光開始処理を実行した後は、外側操作部材６２０の移動規制解除処理を実行する。移動規制解除処理においては、ソレノイド６４６に対して駆動信号の出力を開始する。これにより、予め設定された期間（本実施の形態においては、外側操作部材６２０が開位置へ到達するのに要する期間と同等の期間）に亘って、ソレノイド６４６が励磁される。ソレノイド６４６が励磁されることで、ストッパ片６４５が阻止位置から許容位置へと移動し、外側操作部材６２０の移動規制が解除されることとなる。次に、外側操作部材６２０の開状態への切替処理を実行する。当該処理においては、ステッピングモータ６４１に対して駆動信号を出力する。これにより、外側操作部材６２０が開位置へと移動する。当該駆動信号の出力は、外側操作部材６２０が開位置へ到達することで停止される。
【０６５２】
ステップＳ１５１６の処理を実行した後は、ステップＳ１５１７にて第１単発操作示唆用画像の表示終了処理を実行し、続くステップＳ１５１８にて第２単発操作示唆用画像の設定処理を行う。当該設定処理を実行することで、表示画面９４ａ上に、第２単発操作を示唆する画像（例えば「もう一度押して！」等のメッセージ）が表示される。
【０６５３】
ここで、本実施の形態においては、押圧期間にかかる条件が成立した直後に、第１単発操作示唆用画像が非表示となるのではなく、形態変更の開始タイミングから一定の間をあけて、第１操作示唆用画像が非表示となる構成としている。形態変化が発生する際に操作部６０１（詳しくは外側操作部材６２０）に対して手が触れている状態にて、形態変更を開始することで、当該形態変化が生じている事実を触覚的な変化として遊技者に伝えることが可能となっている。
【０６５４】
その後、ステップＳ１５１９にて第２単発操作待ち状態の設定処理を実行した後、本操作スイッチ形態変更演出用処理を終了する。第２単発操作待ち状態の設定処理においては、ＲＡＭ４１４における各種フラグ格納エリア４２５の第２単発操作待ちフラグ格納エリアに第２単発操作待ちフラグを格納する。
【０６５５】
ステップＳ１５１３の説明に戻り、ステップＳ１５１３にて否定判定をした場合、すなわち操作スイッチユニットの形態変更タイミングでないと判定した場合には、ステップＳ１５２０に進む。ステップＳ１５２０では、第２単発操作待ち状態であるか否かを判定する。具体的には、ＲＡＭ４１４の第２単発操作待ちフラグ格納エリアに第２単発操作待ちフラグが格納されているか否かを判定する。
【０６５６】
ステップＳ１５２０にて肯定判定をした場合には、ステップＳ１５２１の第２単発操作用処理に進む。第２単発操作用処理については、上記第５の実施の形態と同様であるため、説明を援用する。
【０６５７】
ステップＳ１５２１の第２単発操作用処理を実行した後、又はステップＳ１５２０にて否定判定をした場合には、ステップＳ１５２２に進む。ステップＳ１５２２では、変動表示の終了タイミングであるか否かを判定する。変動表示の終了タイミングでない場合には、そのまま本操作スイッチ形態変更演出用処理を終了する。
【０６５８】
変動表示の終了タイミングである場合には、ステップＳ１５２３にて終了表示画像の設定処理を実行し、ステップＳ１５２４にて変形状態から通常状態への復帰処理を実行した後に、本操作領域拡張演出用処理を終了する。
【０６５９】
ステップＳ１５２３における終了表示画像の設定処理では、当該変動表示回が大当たり状態の発生する変動表示回である場合には、大当たり状態の発生が確定した旨の動画表示がなされるように表示設定を行う。この場合に、結果表示画像の設定処理が実行されているとともに、当該結果表示画像の設定処理にて、大当たり状態の発生に対応したものとなるように動画表示が設定されている場合には、当該動画表示と一連の内容となるように動画表示の設定が行われる。一方、操作未完画像の設定処理が実行されている場合には、当該操作未完画像から大当たり状態の発生が確定した旨の動画表示へと劇的に切り換わるような動画表示が介在することとなる。
【０６６０】
ステップＳ１５２４における復帰処理においては、各種フラグ格納エリア４２５における復帰用フラグ格納領域に復帰用フラグを格納する。上述したタイマ割込み処理においては、この復帰用フラグが格納されている場合に、操作スイッチユニット６００を通常状態へと復帰させるための処理を行う。当該復帰処理についても上記第５の実施の形態に示した復帰処理と同様であるため、説明を援用する。
【０６６１】
以上詳述した第８の実施の形態によれば、以下の優れた効果を奏する。
【０６６２】
第５の実施の形態等に示したように、操作スイッチユニット６００の形態を変更する（変形させる）構成においては、遊技者に対して、操作スイッチユニット６００の形態が変更された旨を触覚的な変化によって伝えることが可能である。このような触覚的な変化を伝える機能を発揮させるうえでは、遊技者が操作スイッチユニット６００に対して触れている状態で、上記変更が生じることが好ましい。
【０６６３】
この点、本実施の形態においては、操作部６０１が押圧操作された場合には当該操作部６０１が初期位置（待機位置）へ復帰するまでに状態変更を開始させることにより、操作部６０１に対して遊技者の手が触れている期間中に状態変更が発生する可能性を高くすることができる。これにより、遊技者により状態が変化したことが見逃される機会を減らし、状態変更機能を好適に発揮させることが可能となる。故に、遊技者の操作手段に対する注目度、ひいては遊技への注目度の向上に貢献することができる。
【０６６４】
遊技者により操作が継続されていることを条件として操作スイッチユニット６００の形態が変更されるため、遊技者が操作部６０１に触れている状況にて上記変更が行われる機会を好適に増やすことができる。これにより、当該変更が行われた事実が見逃されるといった不都合を生じにくくすることができる。
【０６６５】
操作スイッチユニットにて触覚の変化を生じさせる場合には、その応答性が低いと触覚の変化を伝えづらくなると想定される。このような不都合は、例えば操作スイッチユニットの表面温度を変更させる場合等に顕著になる。この点、本実施の形態に示すように操作部６０１の外郭の一部を動作させる構成とすれば、上記応答性を容易に担保することが可能となる。
【０６６６】
操作部６０１を押圧したままとしている間は操作に対応する表示演出がなされる。このように、遊技者が操作の継続示唆に応えた場合に、表示演出が実行される構成とすることで、遊技者が操作部６０１に触れたままとなる期間を確保しやすくなる。このように操作部６０１に触れたままとなっている期間にて操作部６０１の形態変更を行うことで、当該形態変更が行われた事実を遊技者に対して伝えやすくすることができる。
【０６６７】
なお、本実施の形態に示した「催促手段」としての長押示唆機能を省略することも可能である。操作部６０１が遊技者の押圧操作によって変位する構成においては、操作部６０１が最大押圧位置まで押し込まれることが多い。そこで、最大押圧位置と初期位置との途中にて、すなわち最大押圧位置へ到達する前に操作を受け付ける構成とすることで、遊技者の手が触れている可能性がより高いと想定される状況下にて状態変更を実行することができる。このような状況下にて状態変更を開始することで、上記長押示唆機能を省略した場合であっても、当該変更が行われた事実が遊技者に対して伝わりにくくなることを抑制できる。
【０６６８】
＜第９の実施の形態＞
上記第１の実施の形態においては、操作スイッチユニット４０の外観が遊技状況に応じて変化する構成が採用されていた。本実施の形態においても第１の実施の形態と同様に操作スイッチユニットの外観が遊技状況に応じて変化する構成が採用されているが、外観を変化させる構成及びその変化の態様が第１の実施の形態とは異なっている。以下、図４３を参照し、本実施の形態における操作スイッチユニット８００について説明する。図４３は操作スイッチユニット８００の内部構造を示すを概略図である。
【０６６９】
先ず、操作スイッチユニット８００の基本構成について説明する。操作スイッチユニット８００の配設対象は、上記第１の実施の形態と同様に前扉枠１４の上側膨出部２８となっている。上側膨出部２８の中央部分には操作スイッチユニット８００を収容する収容部２８ｃが形成されており、当該収容部２８ｃに収容された操作スイッチユニット８００は、その一部（詳しくは後述するボタン部材８１０の操作面部８１１）が上側膨出部２８の上面部２８ｄに形成された略円形状の開口部２８ｅを通じて上方に露出した状態となっている。
【０６７０】
操作スイッチユニット８００は、遊技者による押圧操作の対象としてのボタン部材８１０とボタン部材８１０を上下に変位可能な状態で保持するホルダ部８２０とを有してなり、ホルダ部８２０が上側膨出部２８に対して固定されることで上側膨出部２８に一体化されている。
【０６７１】
ボタン部材８１０は、上方に凸となる曲面状の操作面部８１１と、操作面部８１１の周縁から下方に延びる円筒状のベース部８１２とを有し、それら操作面部８１１及びベース部８１２は開口部２８ｅを通過可能となるように外径が開口部２８eの内径よりも小さくなっている。
【０６７２】
ホルダ部８２０は、ボタン部材８１０と開口部２８ｅの縁部との隙間を覆うようにして配置されたカバー部材８３０と、上側膨出部２８への取付部として機能する台座部材８４０とが組み合わされてなり、ボタン部材８１０の操作面部８１１がカバー部材８３０に形成された中央開口８３１から上方に突出した状態でボタン部材８１０を保持している。
【０６７３】
カバー部材８３０には、ベース部８１２を挿通可能な筒部８３２が形成されている。筒部８３２は、中央開口８３１の縁部から下方に延びており、その内周面がボタン部材８１０（ベース部８１２）の外周面と当接している。これにより、遊技者による押圧操作に基づいたボタン部材８１０の変位方向が上下方向となるように規制されている。
【０６７４】
ベース部８１２において操作面部８１１とは反対側の端部、すなわち下方に開放されている側の端部には、ベース部８１２の放射方向に突出する環状のフランジ部８１３が形成されている。フランジ部８１３は、筒部８３２と台座部材８４０の底板部８４１との隙間に挿入されている。
【０６７５】
底板部８４１においてフランジ部８１３と対向している部分には、フランジ部８１３側（上方）へ突出する突出部８４２が形成されている。突出部８４２は略筒状をなしており、その内部（凹状部分８４３）にボタン部材８１０を突出する側（上方）へ付勢する付勢手段としてのコイルバネ８４８が挿入されている。
【０６７６】
コイルバネ８４８は、その一端が凹状部分８４３の底面に当接するとともに他端がフランジ部８１３に当接しており、このコイルバネ８４８によってフランジ部８１３が筒部８３２の下端部に押し付けられた状態となっている。つまり、コイルバネ８４８は、それら底面及びフランジ部８１３によって圧縮された状態で挟まれている。
【０６７７】
遊技者によりボタン部材８１０が押圧操作された場合には、ボタン部材８１０がコイルバネ８４８付勢力に抗して下方へ変位し、突出部８４２の上端面にフランジ部８１３が当たることでそれ以上の変位が規制されることとなる。つまり、突出部８４２（台座部材８４０）には、ボタン部材８１０の変位を妨げるストッパ機能、すなわちボタン部材８１０の最大押圧位置を規定する機能が付与されている。
【０６７８】
遊技者による押圧操作が解除された場合、すなわち遊技者がボタン部材８１０から手を離した場合には、コイルバネ８４８の付勢力によってボタン部材８１０が上方に押し上げられる。カバー部材８３０の筒部８３２にフランジ部８１３が当たることで、初期位置への復帰が完了することとなる。
【０６７９】
また、ホルダ部８２０には、ボタン部材８１０が最大押圧位置に存在していることを検知する位置検知センサ８２５と、初期位置と最大押圧位置との中間位置である特定位置に存在していることを検知する（すなわち、初期位置から離れたことを検知する）検知センサ８２６とが内蔵されている。これら各位置検知センサ８２５，８２６は表示制御装置４１０に対して電気的に接続されている。表示制御装置４１０ではそれら位置検知センサ８２５，８２６からの検知情報（検知信号）に基づいて、ボタン部材８１０が、特定位置又は最大押圧位置に存在していることを把握可能となっている。
【０６８０】
本実施の形態におけるボタン部材８１０（詳しくは操作面部８１１）については、光透過性を有する合成樹脂材料を用いて形成されており、その内部（中空部分）に配設された発光ユニット８５０からの光により操作面部８１１に各種模様が映し出されることを特徴の１つとしている。以下、発光ユニット８５０について説明する。
【０６８１】
発光ユニット８５０は、複数の発光体８６１（詳しくはＬＥＤ）が実装された発光基板８６０と、発光基板８６０を保持する基板ホルダ８７０とを有している。発光基板８６０は表示制御装置４１０に電気的に接続されており、同表示制御装置４１０から発光用信号が入力されることで（電力が供給されることで）発光体８６１が所定の態様で発光する構成となっている。これにより、発光ユニット８５０から操作面部８１１側へ所定の表示情報としての光が出力されることとなる。
【０６８２】
基板ホルダ８７０は、発光基板８６０に上方から対向する対向板部８７１を有しており、この対向板部８７１に対して発光基板８６０がネジ止めされることでそれら発光基板８６０及び基板ホルダ８７０が一体化されている。このようにして一体化された発光基板８６０及び基板ホルダ８７０は、発光基板８６０における発光体８６１等の各種素子が搭載された素子搭載面８６２が操作面部８１１側（上方）を向くようにして配置されている。
【０６８３】
ボタン部材８１０（詳しくは操作面部８１１）の上面全域にはミラー形成層８１５が設けられている。ミラー形成層８１５はハーフミラー（ビームスプリッタ）となっており、ボタン部材８１０に照射された光の一部を透過するとともに残りの一部を反射する構成となっている。
【０６８４】
特に、ボタン部材８１０の外側（上方）から照射される光の反射率はボタン部材８１０の内側（下方）から照射される光の反射率よりも高く設定されている。これにより、発光体８６１からの光のボタン部材８１０外への照射効率が低下することを抑制している。また、発光体８６１が消灯されている状況下にて遊技ホールの天井等に配置された照明等からの光のボタン部材８１０への映り込みを促すことで操作スイッチユニット８００の内部構造（例えば発光基板８６０等）が操作面部８１１を通じて視認容易となることを回避している。
【０６８５】
ボタン部材８１０（操作面部８１１）において発光ユニット８５０と対向している部分には光拡散部８１６が形成されている。光拡散部８１６は、透明性を有する合成樹脂材料の表面につや消し加工（スリガラス加工）及び凹凸加工が施されたものである。このように光拡散部８１６を設けることにより、同ボタン部材８１０を通過した光が多方向に分散され光拡散部８１６を介してその反対側が鮮明に視認されないようになっている。すなわち、光拡散部８１６には、光は透過を許容しつつ、前方から視認した場合にその後方に位置する構成、具体的には発光ユニット８５０等を視認困難又は視認不可とする機能が付与されている。
【０６８６】
発光体８６１が発光した場合には、同発光体８６１からの光がボタン部材８１０を通じて操作スイッチユニット８００外へ射出される。この際、各発光体８６１から射出された光を拡散することにより遊技者等にあたかもボタン部材８１０における操作面部８１１自体が発光しているように視認させることができる。また、発光体８６１における発光の有無に関わらず同発光体８６１そのものが視認されることを抑制できる。
【０６８７】
発光ユニット８５０の基板ホルダ８７０は、有色不透明な合成樹脂材料によって形成されている。基板ホルダ８７０の対向板部８７１において各発光体８６１と対向する部位には開口部８７２ａ，８７２ｂが形成されている。各開口部８７２ａ，８７２ｂは対向板部８７１の厚さ方向に貫通しており、同開口部８７２ａ，８７２ｂを通じて各発光体８６１が操作面部８１１側（上方）に露出している。このため、発光体８６１からの光は同開口部８７２ａ，８７２ｂを通じて射出されることにより操作面部８１１へ到達する構成となっている。
【０６８８】
なお、本実施の形態においては、上記ホルダ部８２０については有色不透明な合成樹脂材料を用いて形成されており、発光ユニット８５０からの光が操作面部８１１以外の部位を通じて射出されることを回避している。
【０６８９】
ここで、図４３及び図４４に基づき各開口部８７２ａ，８７２ｂ及びそれに関連する構成について説明する。図４４は、発光ユニット８５０を正面側から見た概略図であり、ボタン部材８１０等の構成を一部省略している。
【０６９０】
図４４に示すように、開口部８７２ａは発光体８６１に対して１対１で設けられているのに対して、開口部８７２ｂは複数の発光体８６１に跨るようにして延びている。開口部８７２ｂにおいては特に、素子搭載面８６２の正面視において略Ｖ字状をなしている。開口部８７２ａの周縁には、遊技機前方に起立する起立壁部８７３が形成されている（図４３参照）。言い換えれば、発光体８６１は、開口部８７２ｂ及び起立壁部８７３によって区画された領域（以下便宜上、区画領域ＤＥ）を囲む周辺領域ＳＥに配設された第１発光体８６１ａと、上記区画領域ＤＥに配設された第２発光体８６１ｂとによって構成されている。
【０６９１】
起立壁部８７３は、開口部８７２ａの周縁に沿って延びる環状をなしており、この起立壁部８７３によって同開口部８７２を通過した光の射出方向が規制されることとなる。このように、光の進行方向を規制する機能が付与されている点に着目すれば同起立壁部８７３を「光規制部８７３」と称することも可能であり、更には光を特定方向に導く点に着目すれば同起立壁部８７３を「導光部８７３」と称することも可能である。
【０６９２】
図４３に示すように、起立壁部８７３の起立量Ｌ１は、同起立壁部８７３と操作面部８１１との距離寸法Ｄ１よりも小さく設定されており、同起立壁部８７３と操作面部８１１との間には発光体８６１からの光が起立壁部８７３によって光の照射方向が規制された領域を脱した後、操作面部８１１に到達するまでに拡散可能な領域が確保されている。
【０６９３】
なお、本実施の形態においては開口部８７２ａにおいて光が通過する通路部分の通路長と、開口部８７２ｂ及び起立壁部８７３において光が通過する通路部分の通路長との通路差についても上記距離寸法Ｄ１よりも大きく設定されているが、これを変更し、通路差についても上記距離寸法Ｄ１よりも小さく設定することで、以下の効果が期待できる。すなわち、開口部８７２ａに対応する発光体８６１からの光の拡散度合いと、開口部８７２ｂに対応する発光体８６１からの光の拡散度合いとの差が大きくなることを好適に抑制することができる。
【０６９４】
再び図４４を参照して説明すれば、第２発光体８６１ｂから射出された光は少なくとも区画領域ＤＥを通過するまでは拡散が抑えられることとなる。これにより、操作面部８１１に対する光の照射範囲が制限されている。一方、第１発光体８６１ａから射出された光は開口部８７２ａを通過した時点で同開口部８７２ａの延長領域外への拡散が許容されるため第２発光体８６１ｂからの光と比べてより広い範囲に拡散することとなる。
【０６９５】
区画領域ＤＥは発光基板８６０の正面視においてＶ字状をなしており、当該区画領域ＤＥに沿うようにして複数の第２発光体８６１ｂが並べて配置されている。このため、第２発光体８６１ｂのみが発光した場合には区画領域ＤＥ全体が発光しているかのようになり、発光基板８６０があたかもＶ字状に発光しているかのように表現することができる。また、発光体８６１ａのみが発光した場合には周辺領域ＳＥが発光し区画領域ＤＥがブランク状態となる。これにより、上述した「Ｖ」字状の模様が反転表示（消灯表示）されることとなる。
【０６９６】
一方、第１発光体８６１ａと第２発光体８６１ｂとが共に発光した場合には、発光基板８６０の全体が発光しているかのようになり、区画領域ＤＥと周辺領域ＳＥとの境界が曖昧となる。これにより、上述したＶ字状の模様を判別することが困難となる。
【０６９７】
本実施の形態における操作スイッチユニット８００においては、上述したボタン部材８１０の操作面部８１１と発光ユニット８５０との位置関係を変化させる可変機構を有することを特徴の１つとしている。具体的には、発光ユニット８５０を可動式とし、可変機構によってボタン部材８１０（詳しくは操作面部８１１）と発光ユニット８５０との距離を変化させることで操作スイッチユニット８００の外観を変化させるを特徴の１つとしている。そこで以下、図４３に基づき可変機構及びそれに付随する構成について説明する。
【０６９８】
底板部８４１において発光ユニット８５０と対向している部分には、発光ユニット８５０が載置される載置部としての受け部８４４が形成されている。受け部８４４は、底板部８４１から上方に突出しており、同受け部８４４に対して当接した位置が発光ユニット８５０の初期位置である。
【０６９９】
一方、底板部８４１において発光ユニット８５０と対向していない部分には、底板部８４１から上方に起立する起立部８４５が設けられている。底板部８４１からの起立部８４５の起立量は、底板部８４１からの受け部８４４の突出量よりも大きく設定されており、起立部の先端部は、基板ホルダ８７０の対向板部８７１よりも上方に位置している。
【０７００】
起立部８４５の先端部には、発光ユニット８５０と操作面部８１１との間に介在するようにして返し部８４６が形成されている。返し部８４６において発光ユニット８５０と対向している部分には、発光ユニット８５０を操作面部８１１から遠ざかる側へ（初期位置へ）付勢する付勢手段としてのコイルバネ８４９が取り付けられている。より詳しくは、返し部８４６において発光ユニット８５０と対向している部分には、コイルバネ８４９が嵌まる凹部が形成されており、この凹部からコイルバネ８４９の一部が突出している。
【０７０１】
コイルバネ８４９の先端部分は、発光ユニット８５０の基板ホルダ８７０（詳しくは対向板部８７１）に当接しており、このコイルバネ８４９によって発光ユニット８５０が受け部８４４に押し付けられた状態となっている。
【０７０２】
台座部材８４０には、発光ユニット８５０を変位させる変位用駆動手段としてのソレノイド８８０が搭載されている。ソレノイド８８０は、表示制御装置４１０に対して電気的に接続されており、表示制御装置４１０からの駆動信号が入力されることで非励磁状態から励磁状態に切り替わる構成となっている。
【０７０３】
ソレノイド８８０の本体８８１は、台座部材８４０の底板部８４１を挟んで発光ユニット８５０とは反対側に配置されている。底板部８４１において発光基板８６０と対向している部分には、底板部８４１の厚さ方向に貫通する貫通孔が形成されており、この貫通孔にソレノイド８８０のプランジャ８８２が挿通されている。
【０７０４】
プランジャ８８２の先端部分は、上記非励磁状態にて発光基板８６０の下面に当接しており、ソレノイド８８０が励磁状態となることで当該プランジャ８８２が上方へと変位する。これにより、発光ユニット８５０が上方へ押され、コイルバネ８４９の付勢力に抗して操作面部８１１へ近づく側へ変位する。このようにして発光ユニット８５０が変位した場合には、基板ホルダ８７０が上記返し部８４６に当接することでそれ以上の上方への変位が規制されることとなる。つまり、返し部８４６には発光ユニット８５０の変位を阻止するストッパ機能が付与されており、この返し部８４６によって発光ユニット８５０の最大変位量が規定されている。
【０７０５】
ソレノイド８８０が非励磁状態となると、プランジャ８８２による押圧が解除される。これにより、コイルバネ８４９の付勢力によって発光ユニット８５０が初期位置に復帰することとなる。
【０７０６】
また、操作スイッチユニット８００のホルダ部８２０は、発光ユニット８５０が最大変位位置に存在していることを検知する位置検知センサ８９５と、初期位置に存在していることを検知する検知センサ８９６とが設けられている。これら各位置検知センサ８９５，８９６は表示制御装置４１０に対して電気的に接続されており、表示制御装置４１０ではそれら位置検知センサ８９５，８９６からの検知情報（検知信号）に基づいて、発光ユニット８５０が、初期位置又は最大変位位置に存在していることを把握可能となっている。
【０７０７】
ここで、図４３を参照して、ボタン部材８１０の動作範囲及び発光ユニット８５０の動作範囲について補足説明する。既に説明したように、ボタン部材８１０の動作範囲（操作ストローク）は、ホルダ部８２０の突出部８４２の上面と筒部８３２の下端部とによって規定されており、そのストローク幅Ｓ１は、発光ユニット８５０のストローク幅Ｓ２よりも小さく設定されている。そして、それらストローク幅Ｓ１，Ｓ２の差は、上記距離寸法Ｄ１よりも小さく設定されている。このため、発光ユニット８５０が初期位置に待機している状態にてボタン部材８１０が最大押圧位置へと押し込まれたとしても、操作面部８１１が発光ユニット８５０に当たることはない。
【０７０８】
また、ストローク幅Ｓ２は、距離寸法Ｄ１と同等となるように設定されている。このため、ボタン部材８１０が初期位置に待機している状態にて、発光ユニット８５０が最大変位位置へ向けて移動した場合には、発光ユニット８５０の起立壁部８７３が操作面部８１１に当接することとなる。つまり、ボタン部材８１０の操作面部８１１に対して発光ユニット８５０が当接するか否かについては、ボタン部材８１０の位置よりも発光ユニット８５０の位置が支配的となっている。
【０７０９】
次に、図４５を参照して、押圧操作と発光ユニット８５０の変位とに基づく発光態様の変化について説明する。図４５は操作スイッチユニット８００の動作を示す概略図である。
【０７１０】
図４５（ａ）に示すように、ボタン部材８１０及び発光ユニット８５０の両者がともに初期位置にて待機している場合には、操作面部８１１と発光ユニット８５０との間に光を拡散させる拡散用空間が確保されている。このため、発光体８６１ａ，８６１ｂの両者を発光させることで、操作面部８１１全体がぼんやりと発光することとなる。
【０７１１】
図４５（ａ）に示す状態から、ボタン部材８１０が押圧操作された場合には、ボタン部材８１０がコイルバネ８４８の付勢力に抗して下方へ変位する。そして、フランジ部８１３部が突出部８４２に当接することでそれ以上の変位が規制されることとなる（図４５（ｂ）参照）。既に説明したように、ボタン部材８１０の最大ストローク量Ｓ１は、発光ユニット８５０の最大ストローク量Ｓ２よりも小さく設定されている。このため、発光ユニット８５０が初期位置にて待機している状況下では、操作面部８１１と発光ユニット８５０との間には、上記拡散用空間が存在したままとなる。つまり、図４５（ｂ）に示す状態にて両発光体８６１ａ，８６１ｂの一方又は両方が発光したとしても、上記「Ｖ」の文字を識別することは困難である。
【０７１２】
図４５（ｂ）に示す状態にて、ソレノイド８８０に駆動信号が出力されると、プランジャ８８２の突出量が増大し、発光ユニット８５０が上方へ押し上げられることとなる。発光ユニット８５０は、コイルバネ８４９の付勢力に抗して上方に変位し、発光ユニット８５０の起立壁部８７３が操作面部８１１の内面に当接する（図４５（ｃ）参照）。ここで、操作面部８１１が未だ遊技者によって押圧されていることを条件として、発光ユニット８５０のそれ以上の変位が規制されることとなる。このように、操作面部８１１と発光ユニット８５０（詳しくは起立壁部８７３）とが当接した状態では、操作面部８１１と起立壁部８７３との間の拡散用空間が消失することとなる。このため、起立壁部８７３から射出された光が操作面部８１１に到達するまでに拡散されることを抑制し、同起立壁部８７３によって区画された領域を通過する光が拡がりを抑えられたまま操作面部８１１を通過することとなる。これにより、操作面部８１１に「Ｖ」の文字が浮かび上がることとなる。
【０７１３】
なお、本実施の形態においては、ソレノイド８８０によって発光ユニット８５０が押された場合には、コイルバネ８４９による付勢力に抗して発光ユニット８５０が変位する。このようにして付勢力を作用させることで、発光ユニット８５０が勢いよく操作面部８１１に衝突することを回避している。つまり、コイルバネ８４９をブレーキとして活用することで、発光ユニット８５０が動作したことが触覚的に遊技者に伝わることを抑制している。
【０７１４】
図４５（ｃ）に示す状態にて、遊技者がボタン部材８１０（操作面部８１１）から手を離した場合には、コイルバネ８４８の付勢力によってボタン部材８１０が初期位置へと復帰することとなる。本実施の形態においては、ボタン部材８１０の復帰速度よりも、最大変位位置へ向けた発光ユニット８５０の変位速度のほうが僅かに速くなるようにコイルバネ８４８，８４９の付勢力やソレノイド８８０の出力等が調整されている。このため、より詳細には、ボタン部材８１０は発光ユニット８５０に押されながら初期位置へと変位することとなる。このようにして、ボタン部材８１０と一体的に発光ユニット８５０を変位させることで、すなわち発光ユニット８５０をボタン部材８１０との位置関係の変化を回避しながら変位させることで、発光態様が変化することを回避している。故に、発光ユニット８５０やボタン部材８１０の変位に起因して操作面部８１１に浮かび上がった「Ｖ」の文字が不明瞭になることが回避される。
【０７１５】
また、図４５（ａ）に示す状態にて、ソレノイド８８０に駆動信号を出力することにより、図４５（ｂ），（ｃ）に示す状態を経由することなく、図４５（ｄ）に示す状態に移行することも可能である。かかる動作パターンを実行する場合であっても、コイルバネ８４９がブレーキとして機能することで、発光ユニット８５０が勢いよく操作面部８１１に衝突することが回避される。因みに、かかる動作パターンの実行時には、発光ユニット８５０の動作期間中にて発光体８６１を消灯させることで、動作前後での発光態様が変化した旨を遊技者に対して伝えやすくなる。
【０７１６】
図４５（ｄ）に示す状態にて、駆動信号の出力が停止すると、ソレノイド８８０のプランジャ８８２が後退するとともに、コイルバネ８４９の付勢力によって発光ユニット８５０が初期位置へと復帰することとなる。
【０７１７】
なお、ボタン部材８１０が最大押圧位置に待機していない状態にて発光ユニット８５０の動作を開始する場合には、発光ユニット８５０が動作している最中に遊技者による押圧操作が行われると、操作面部８１１が発光ユニット８５０と衝突し得る。但し、本実施の形態では駆動手段としてソレノイド８８０を採用しているため、駆動力によって発光ユニット８５０の移動が妨げられたとしても、実質的に押圧操作が不可となることはなく、さらには押圧操作によって駆動手段等に過剰な負荷が加わることもない。これにより、操作性の担保と駆動手段の保護とが実現されている。
【０７１８】
次に、表示制御装置４１０のＭＰＵ４１２にて実行される操作スイッチユニット８００の表示モードの設定に関する各種処理を説明する。
【０７１９】
ＭＰＵ４１２では、動作電力が供給されている間、予め定められた複数種の処理を所定の順序で繰り返し実行するための通常処理が実行される。当該通常処理における表示モードの設定に関する処理として、音声ランプ制御装置１４３から入力したコマンドの種類を特定し、その特定したコマンドに対応した処理を実行するコマンド判定処理と、ボタン部材８１０の操作が有効となっていることを示唆する操作示唆用処理と、特別操作対応演出を行うための特別操作対応演出用処理とが少なくとも設定されている。以下に、これら各処理について説明する。
【０７２０】
（コマンド判定処理）
図４６のフローチャートに示すように、コマンド判定処理では、先ずステップＳ１６０１にて、音声ランプ制御装置１４３から変動開始コマンドを受信しているか否かを判定する。なお、音声ランプ制御装置１４３から受信した各種コマンドは、ＲＡＭ４１４に設けられたコマンド格納エリアに格納され、コマンド判定処理において読み出されることで消去される。
【０７２１】
変動開始コマンドを受信している場合には、ステップＳ１６０２にて、変動開始コマンドに操作スイッチユニット８００の表示モードの特定を行うべき情報が含まれているか否かを判定する。具体的には、変動開始コマンドに含まれる第１変動種別カウンタＣＳ１の値の情報が、ＲＯＭ４１３に記憶された表示モード用の値群の情報に含まれているか否かを判定する。表示モードの特定を行うべき情報が含まれている場合には、ステップＳ１６０３〜ステップＳ１６０７の表示モードの特定用処理を実行し、表示モードの特定を行うべき情報が含まれていない場合にはそのままステップＳ１６０８に進む。
【０７２２】
表示モードの特定用処理では、先ずステップＳ１６０３にて、第１表示モードの情報が含まれているか否かを判定する。第１表示モードの情報が含まれている場合には、ステップＳ１６０４にて第１表示モード用の特定処理を実行した後に、ステップＳ１６０８に進む。第１表示モード用の特定処理では、ＲＡＭ４１４の各種フラグ格納エリア４２５のうち、第１表示フラグ格納エリア（第１表示状態情報記憶手段）に第１表示フラグ（第１表示状態情報）を格納する。
【０７２３】
ステップＳ１６０３において、第１表示モードの情報が含まれていないと判定した場合には、ステップＳ１６０５にて、第２表示モードの情報が含まれているか否かを判定する。第２表示モードの情報が含まれている場合には、ステップＳ１６０６にて第２表示モード用の特定処理を実行した後に、ステップＳ１６０８に進む。第２表示モード用の特定処理では、ＲＡＭ４１４の各種フラグ格納エリア４２５のうち、第２表示フラグ格納エリア（第２表示状態情報記憶手段）に第２表示フラグ（第２表示状態情報）を格納する。
【０７２４】
ステップＳ１６０５において、第２表示モードの情報が含まれていないと判定した場合には、ステップＳ１６０７にて第３表示モード用の特定処理を実行した後に、ステップＳ１６０８に進む。第３表示モード用の特定処理では、ＲＡＭ４１４の各種フラグ格納エリア４２５のうち、第３表示フラグ格納エリア（第３表示状態情報記憶手段）に第３表示フラグ（第３表示状態情報）を格納する。
【０７２５】
ステップＳ１６０８では、変動表示用の特定処理を実行する。当該特定処理では、変動開始コマンド及び種別コマンドに基づいて、図柄表示装置９４における図柄の変動表示時間、リーチ表示やリーチ演出を含めた図柄の変動表示態様及び最終的に停止表示させる図柄の種類を特定し、それら特定した情報をＲＡＭ４１４に記憶させる。その後、本コマンド判定処理を終了する。
【０７２６】
一方、ステップＳ１６０１において、変動開始コマンドを入力していないと判定した場合には、ステップＳ１６０９に進み、その他の特定処理を実行した後に、本コマンド判定処理を終了する。その他の特定処理では、入力しているコマンドが停止表示コマンド、大当たり開始コマンド又は大当たり終了コマンドである場合には、それぞれに対応した処理を実行する。また、その他の特定処理では、コマンドを入力していないと判定した場合にはそのまま処理を終了し、入力したコマンドが解析できない場合にもそのまま処理を終了する。
【０７２７】
上記コマンド判定処理の実行時には併せて各表示モードにおける表示態様の詳細が決定されることとなる。ここで、各種表示モードについて補足説明する。
【０７２８】
第２表示モード及び第３表示モードについては特別操作対応演出が行われる際に選択されるモードである。なお、特別操作対応演出としては、第２表示モードに対応する特別操作対応演出と第３表示モードに対応する特別操作対応演出とがそれぞれ設定されており、これらの各特別操作対応演出の内容はその一部が異なる構成となっている。また、第２表示モードについては、上記リーチ表示と同様に、最終的に大当たり状態が発生する状況及び大当たり状態が発生しない状況のいずれにおいても所定の確率で発生し、第３表示モードについては、最終的に大当たり状態が発生する状況にて所定の確率で発生する。
【０７２９】
第１表示モードが選択されている場合には、表示制御装置４１０のＲＯＭ４１３に予め記憶されている第１表示モード対応の表示態様抽選テーブルを参照して遊技回毎に表示態様が決定される。同表示態様抽選テーブルには、どの発光体８６１をどのタイミングでどのように発光させるかを定めた発光態様対応データ群が格納されている。また、同表示態様抽選テーブルは、通常遊技状態にて参照されるものと、大当たり状態へ移行されている場合に参照されるものとが設けられており、操作スイッチユニット８００における表示対応の多様化が図られている。
【０７３０】
詳細については後述するが、第１表示モードは、操作スイッチユニット８００の操作が有効に受け付けられる状態を遊技者に示唆する際に使用されるモードであり、ボタン部材８１０（詳しくは操作面部８１１）を発光させることで当該示唆を行う。
【０７３１】
第２表示モード及び第３表示モードについても、その表示態様が各表示モードに対して個別に設けられた表示態様抽選テーブルを参照して決定される。具体的には、第２表示モードにおいてはボタン部材８１０の操作によって高速点滅表示が実行されるが、この高速点滅表示の点滅パターンデータ群が第２表示モード対応の表示態様抽選テーブルに格納されている。また、第３表示モードにおいてはボタン部材８１０の操作によって所定の文字（詳しくは「Ｖ」）の表示が実行されるが、この文字の配色パターンデータ群が第３表示モード対応の表示態様抽選テーブルに格納されている。第２表示モード及び第３表示モードにおいては、選択された表示態様に応じて大当たりの期待度が変化する構成となっている。
【０７３２】
（操作示唆用処理）
次に操作示唆用処理について、図４７のフローチャートを参照しながら説明する。なお、当該操作示唆用処理は、約４ｍｓｅｃ周期で実行される。
【０７３３】
操作示唆用処理では、先ずステップＳ１７０１にて、操作示唆（第１表示モードに対応する演出）が発生する変動表示回中であるか否かを判定する。当該変動表示回中で無い場合には、そのまま操作示唆用処理を終了し、当該変動表示回中である場合には、ステップＳ１７０２に進む。
【０７３４】
ステップＳ１７０２では、操作示唆が行われた後であるか否かを判定する。ステップＳ１７０２にて否定判定をした場合には、ステップＳ１７０３に進む。ステップＳ１７０３では、操作示唆用画像の設定処理を行う。これにより、操作スイッチユニット８００を押圧操作するように遊技者に促す押圧操作示唆用画像（押圧操作催促用画像）が図柄表示装置９４の表示画面９４ａに表示される。例えば、当該押圧操作示唆用画像としては、キャラクタの表示内容が示唆に対応したものとなるように動画表示されるとともに、同表示画面９４ａに「ボタンを押して！」といった文字が表示される。
【０７３５】
なお、表示画面９４ａに表示された示唆用画像は、操作が行われることなく操作の受付終了タイミングとなった場合、又は操作が有効に受け付けられる期間内に操作が行われた場合に非表示となる。因みに、押圧操作の示唆は、図柄表示装置９４の表示画面９４ａにおけるものに限定されることはなく、表示画面９４ａにおけるものに加えて又は代えてスピーカ部２７からの音声の出力により行うようにしてもよい。また、それら各種示唆パターンを組み合わせて用いてもよい。
【０７３６】
ステップＳ１７０３の処理を実行した後は、ステップＳ１７０４に進み、本変動表示回が第１表示モードに対応しているか否かを判定する。ステップＳ１７０４にて肯定判定をした場合には、ステップＳ１７０５に進み、第１表示モード対応発光制御処理を実行する。
【０７３７】
第１表示モード対応発光制御処理では、発光ユニット８５０を初期位置に待機させた状態のまま、発光体８６１を点滅させたり点灯させたりすることにより、操作面部８１１全体を発光させる。これにより、遊技者に対して操作スイッチユニット８００の押圧操作が有効に受け付けられる状態となっていることが示唆される。
【０７３８】
一方、ステップＳ１７０４にて否定判定をした場合には、発光ユニット８５０による操作示唆が行われることはなく、上述した表示画面９４ａにおける示唆のみが実行される。なお、演出用の抽選テーブルは、特別遊技状態へ移行する場合（当たり結果である場合）には、表示画面９４ａにおける示唆のみが行われる場合と比較して、上記２つの示唆が併用される可能性が高くなるように、また特別遊技状態へ移行しない場合（外れ結果である場合）には、上記２つの示唆が併用される場合と比較して、表示画面９４ａにおける示唆のみが行われる可能性が高くなるように構成されている。
【０７３９】
ステップＳ１７０４にて否定判定をした場合、又はステップＳ１７０５の処理を実行した後はステップＳ１７０６に進み、操作待ち状態の設定処理を行う。操作待ち状態の設定処理においては、ＲＡＭ４１４における各種フラグ格納エリア４２５の操作待ちフラグ格納エリアに操作待ちフラグを格納する。その後、本操作示唆用処理を終了する。
【０７４０】
一方、ステップＳ１７０２にて肯定判定をした場合、すなわち操作の示唆後であると判定した場合には、ステップＳ１７０７に進む。ステップＳ１７０７では、ＲＡＭ４１４の発操作待ちフラグ格納エリアに操作待ちフラグが格納されているか否かを判定することで、操作の示唆後であるか否かを判定する。
【０７４１】
操作待ち状態である場合には、ステップＳ１７０８に進む。ステップＳ１７０８では、操作スイッチユニット８００（詳しくはボタン部材８１０）の押圧操作が行われたか否かを判定する。具体的には、検知センサ８２５からの検知信号（検知情報）に基づいて、ボタン部材８１０が最大押圧位置に達したか否かに基づいて操作の有無を判定する。なお、本実施の形態においては最大押圧位置が操作検知位置となっているが、操作検知位置については必ずしも最大押圧位置である必要はなく任意に設定してよい。但し、誤検知を回避する上では、初期位置〜最大押圧位置のうち最大押圧位置寄りとすることが好ましい。
【０７４２】
ステップＳ１７０８にて肯定判定をした場合にはステップＳ１７０９に進み、操作完了用画像の設定処理を実行する。これにより、表示画面９４ａにおいては操作示唆用画像に変えて操作完了用画像（例えば「ＯＫ！」等のメッセージ）が表示される。これにより、表示画面９４ａにて実行中の表示演出が操作に対応する演出に切り替わることとなる。つまり、操作の有無により、その後の表示演出の態様が異なることとなる。
【０７４３】
一方、ステップＳ１７０８にて否定判定をした場合には、ステップＳ１７１０に進む。ステップＳ１７１０では、操作の受付終了タイミングであるか否かを判定する。具体的には、ステップＳ１７０６の処理を実行してから予め定められた受付有効期間が経過したか否かを判定する。ステップＳ１７１０にて否定判定をした場合には、そのまま本操作示唆用処理を終了する。一方、ステップＳ１７１０にて肯定判定をした場合には、ステップＳ１７１１にて受付終了示唆用画像の設定処理を実行する。これにより、表示画面９４ａにおいては示唆用画像（「ボタンを押して！」）が非表示となり、上記示唆用画像に代えて、受付終了用画像（例えば「ＩＮＣＯＭＰＬＥＴＥ！」等のメッセージ）が表示されることとなる。
【０７４４】
ステップＳ１７０９又はステップＳ１７１１の処理を実行した後はステップＳ１７１２に進み、操作待ち状態の解除処理を実行する。操作待ち状態の解除処理においては、ＲＡＭ４１４における各種フラグ格納エリア４２５に格納されている操作待ちフラグを消去する。これにより、その後の操作が無効となる。
【０７４５】
その後、ステップＳ１７１３にて発光停止処理を実行した後、本操作示唆用処理を終了する。発光停止処理では、発光体８６１への発光用信号の出力を停止し、操作スイッチユニット８００（詳しくは操作面部８１１）の表示状態の示唆を開始する前の状態に復帰させることで、操作の有効期間が終了した旨を遊技者に示唆する。
【０７４６】
ステップＳ１７０７の説明に戻り、当該ステップＳ１７０７にて否定判定をした場合、すなわち操作待ち状態でないと判定した場合には、ステップＳ１７１４に進む。ステップＳ１７１４では、変動表示の終了タイミングであるか否かを判定する。変動表示の終了タイミングでない場合には、そのまま本操作示唆用処理を終了する。
【０７４７】
変動表示の終了タイミングである場合には、ステップＳ１７１５にて終了表示画像の設定処理を実行し、本操作示唆用処理を終了する。
【０７４８】
ステップＳ１７１５における終了表示画像の設定処理では、当該変動表示回が大当たり状態の発生する変動表示回である場合には、大当たり状態の発生が確定した旨の動画表示がなされるように表示設定を行う。この場合に、結果表示画像の設定処理が実行されているとともに、当該結果表示画像の設定処理にて、大当たり状態の発生に対応したものとなるように動画表示が設定されている場合には、当該動画表示と一連の内容となるように動画表示の設定が行われる。一方、操作未完画像の設定処理が実行されている場合には、当該操作未完画像から大当たり状態の発生が確定した旨の動画表示へと劇的に切り換わるような動画表示が介在することとなる。
【０７４９】
なお、本実施の形態における操作示唆においては、発光ユニット８５０を初期位置にて待機させる構成としたが、これを変更し、示唆中に発光ユニット８５０を変位させる構成とすることも可能である。例えば、発光ユニット８５０を中間位置付近にて上下に往復動させることで、あたかも光が揺らいでいる又は発光強度が変化しているかのように見せる構成としてよい。
【０７５０】
（特別操作対応演出用処理）
次に、図４８のフローチャートを参照して、特別操作対応演出用処理について説明する。なお、当該特別操作対応演出用処理は、約４ｍｓｅｃ周期で実行される。
【０７５１】
特別操作対応演出用処理においては、先ずステップＳ１８０１にて、特別操作対応演出（第２表示モード又は第３表示モードに対応する演出）が発生する変動表示回中であるか否かを判定する。当該変動表示回中で無い場合には、そのまま特別操作対応演出用処理を終了し、当該変動表示回中である場合には、ステップＳ１８０２に進む。
【０７５２】
ステップＳ１８０２では、特別操作の示唆が行われた後であるか否かを判定する。ステップＳ１８０２にて否定判定をした場合には、ステップＳ１８０３に進む。ステップＳ１８０３では、特別操作示唆用画像の設定処理を行う。これにより、操作スイッチユニット８００を押圧操作（特別操作：長押し操作）するように遊技者に促す押圧操作示唆用画像（押圧操作催促用画像）が図柄表示装置９４の表示画面９４ａにおいて表示される。例えば、当該押圧操作示唆用画像としては、キャラクタの表示内容が示唆に対応したものとなるように動画表示されるとともに、同表示画面９４ａに「ボタンを長押して！」といった文字が表示される。
【０７５３】
ステップＳ１８０３の処理を実行した後は、ステップＳ１８０４に進み、第２表示モード又は第３表示モードに対応した発光制御処理を実行する。これにより、予め設定された態様で発光体８６１に発光用信号が出力されることとなる。なお、第２表示モードと第３表示モードとでは、特別操作を示唆するための発光パターンを記憶したテーブルが共通化されており、当該テーブルを参照して１の発光パターンが選択される。
【０７５４】
ステップＳ１８０４における発光制御処理を実行することで、発光ユニット８５０の発光体８６１が点灯又は点滅し、操作面部８１１の全体がぼんやりと発光することとなる。これにより、遊技者に対して操作スイッチユニット８００の押圧操作が有効に受け付けられる状態となっていることが示唆される。
【０７５５】
ステップＳ１８０４の処理を実行した後はステップＳ１８０５に進み、特別操作待ち状態の設定処理を行う。特別操作待ち状態の設定処理においては、ＲＡＭ４１４における各種フラグ格納エリア４２５の特別操作待ちフラグ格納エリアに特別操作待ちフラグを格納する。その後、特別操作対応演出用処理を終了する。
【０７５６】
一方、ステップＳ１８０６にて肯定判定をした場合、すなわち特別操作の示唆後であると判定した場合には、ステップＳ１８０６に進む。ステップＳ１８０７では、発光ユニット８５０の発光体８６１が消灯中であるか否かを判定する。すなわち、発光体８６１に発光用の信号を出力しているか否かを判定する。
【０７５７】
ステップＳ１８０７にて否定判定をした場合、すなわち発光体８６１が発光中であると判定した場合には、ステップＳ１８０８に進む。ステップＳ１８０８ではボタン部材８１０が初期位置から離れているか否かを判定する。具体的には、位置検知センサ８２６からの検知信号（検知情報）に基づいてボタン部材８１０が初期位置から移動済みであるか否かを判定する。
【０７５８】
ステップＳ１８０８にて否定判定をした場合、すなわち未だ遊技者がボタン部材８１０を押圧していないと判定した場合には、そのまま本特別操作対応演出用処理を終了する。一方、ステップＳ１８０８にて肯定判定をした場合にはステップＳ１８０９に進み、発光停止処理を実行する。発光停止処理では、ステップＳ１８０４にて開始した発光用信号の出力を停止する。これにより、操作スイッチユニット８００（詳しくは操作面部８１１）が消灯する。
【０７５９】
ステップＳ１８０９の処理を実行した後はステップＳ１８１０に進み、本変動表示回が第３表示モードに対応しているか否かを判定する。ステップＳ１８０１にて否定判定をした場合には、そのまま本特別操作対応演出用処理を終了する。一方、ステップＳ１８１０にて肯定判定をした場合には、続くステップＳ１８１１にて発光ユニット駆動用処理を実行し、本特別操作対応演出用処理を終了する。
【０７６０】
発光ユニット駆動用処理においては、ソレノイド８８０に対して駆動信号の出力を開始する。これにより、同ソレノイド８８０が非励磁状態から励磁状態に切り替わり、プランジャ８８２の突出量が増大する。これにより、発光ユニット８５０が操作面部８１１側へ押し上げられることとなる。
【０７６１】
ステップＳ１８０７の説明に戻り、同ステップＳ１８０７にて肯定判定をした場合、すなわち消灯中であると判定した場合には、ステップＳ１８１２に進む。ステップＳ１８１２では、操作スイッチユニット８００が遊技者によって操作されたか否かを判定する。具体的には、検知センサ８２５からの検知信号（検知情報）に基づいてボタン部材８１０が最大押圧位置に達したか否かを判定する。
【０７６２】
ステップＳ１８１２にて肯定判定をした場合にはステップＳ１８１３に進み、特別操作完了用画像の設定処理を実行する。これにより、表示画面９４ａにおいては操作示唆用画像に変えて操作完了用画像（例えば「ＯＫ！」等のメッセージ）が表示される。
【０７６３】
ステップＳ１８１３の処理を実行した後はステップＳ１８１４にて特別操作待ち状態の解除処理を実行し、本特別操作対応演出用処理を終了する。特別操作待ち状態の解除処理においては、ＲＡＭ４１４における各種フラグ格納エリア４２５に格納されている特別操作待ちフラグを消去する。これにより、その後の操作が無効となる。
【０７６４】
なお、本実施の形態においては、ボタン部材８１０が所定の押圧期間に亘って押圧状態に維持された場合に特別操作対応演出を行う。ステップＳ１８１４の処理では、上記処理に併せて当該押圧期間用のタイマカウンタの設定処理を行う。かかるタイマカウンタの値は、当該特別操作対応演出用処理が実行される度に更新される（詳しくは「１」ずつ減算される）。押圧期間用のタイマカウンタの値が「０」になることで、後述する特別操作対応演出の実行条件の１つが成立することとなる。
【０７６５】
一方、ステップＳ１８１２にて否定判定をした場合、すなわち操作スイッチユニット８００の操作が行われていないと判定した場合には、ステップＳ１８１５に進む。ステップＳ１８１５では、操作の受付終了タイミングであるか否かを判定する。具体的には、ステップＳ１８０５の処理を実行してから予め定められた受付有効期間が経過したか否かを判定する。ステップＳ１８１５にて否定判定をした場合には、そのまま本特別操作対応演出用処理を終了する。
【０７６６】
ステップＳ１８１５にて肯定判定をした場合には、ステップＳ１８１６にて特別操作示唆用画像の表示終了処理を実行し、続くステップＳ１８１７にて受付終了用画像の設定処理を実行する。これにより、表示画面９４ａにおいては示唆用画像（「ボタンを長押して！」）が非表示となり、上記示唆用画像に代えて、受付終了用画像（例えば「ＩＮＣＯＭＰＬＥＴＥ！」等のメッセージ）が表示されることとなる。ステップＳ１８１７の処理を実行した後はステップＳ１８１４に進み、特別操作待ち状態の解除処理を実行した後、本特別操作対応演出用処理を終了する。
【０７６７】
再び、ステップＳ１８０６に戻り、当該ステップＳ１８０６にて否定判定をした場合、すなわち操作待ち状態ではないと判定した場合には、ステップＳ１８１８に進む。ステップＳ１８１８では、発光演出を実行している最中であるか否かを判定する。詳しくは、ＲＡＭ４１４における各種フラグ格納エリア４２５に後述する発光演出用フラグが格納されている否かを判定する。発光演出用フラグは、遊技者により特別操作（長押し操作）が行われたことを条件として、操作対応演出が開始される際に各種フラグ格納エリア４２５に格納され、同操作対応演出が終了される際に消去されるフラグである。
【０７６８】
ステップＳ１８１８にて否定判定をした場合には続くステップＳ１８１９にて発光演出が規制されている最中であるか否かを判定する。詳しくは、ＲＡＭ４１４における各種フラグ格納エリア４２５に後述する発光演出規制フラグが格納されている否かを判定する。発光演出規制フラグは、遊技者により特別操作（長押し操作）が行われなかったことを条件として、各種フラグ格納エリア４２５に格納され、同操作対応演出が終了される際に消去されるフラグである。
【０７６９】
ステップＳ１８１９にて否定判定をした場合、すなわち発光演出中でも発光演出規制中でもないと判定した場合には、ステップＳ１８２０の発光演出開始用処理に進む。
【０７７０】
ここで、図４９のフローチャートを参照して発光演出開始用処理について説明する。
【０７７１】
（発光演出開始用処理）
発光演出開始用処理においては、先ずステップＳ１９０１にて押圧状態が維持されているかの判定期間中であるか否かを判定する。具体的には、押圧期間用のタイマカウンタの値が「０」であるか否かに基づいて当該判定を行う。
【０７７２】
ステップＳ１９０１にて否定判定をした場合には、そのまま本発光演出開始用処理を終了する。一方、ステップＳ１９０１にて肯定判定をした場合にはステップＳ１９０２に進み、押圧状態の判定処理を実行する。押圧状態の判定処理においては、上記検知センサ８２５からの検知情報に基づいて（詳しくはＨＩレベルであるか否かに基づいて）、ボタン部材８１０が押圧状態のままであるか否か（最大押圧位置に留まっているか否か）を判定する。本実施の形態においては、ステップＳ１８１２にて肯定判定をした際に、ＲＡＭ４１４の各種フラグ格納エリア４２５に、操作継続判定用フラグが格納される構成となっており、ステップＳ１９０２にて押圧状態が維持されていないと判定した場合には、当該操作継続判定用フラグを消去する。
【０７７３】
ここで、本実施の形態においては、押圧操作が継続されている期間中は、表示画面９４ａにて表示されているメッセージに付与されたエフェクトが点滅するとともにメッセージの色が薄い色から濃い色に変化するという演出、すなわち押圧操作が継続されていることに対応する演出が実行される。かかる演出は、少なくとも遊技者による押圧操作が解除されるまで継続されることとなる。
【０７７４】
ステップＳ１９０２の処理を実行した後はステップＳ１９０３に進み、押圧状態のままで所定の押圧期間を経過したか否かを判定する。具体的には、上記タイマカウンタの値と操作継続判定用フラグの有無とに基づいて、当該判定を行う。
【０７７５】
ステップＳ１９０３の処理を実行した後は、発光ユニット８５０が特別操作（長押し操作）に対応する発光演出が許容される位置に存在しているか否かを判定するためのステップＳ１９０３，Ｓ１９０４，Ｓ１９０６，Ｓ１９０７の処理を実行する。
【０７７６】
具体的には、ステップＳ１９０４に進み、発光ユニット８５０が最大押圧位置（操作受付位置）に存在しているか否かを判定する。具体的には、位置検知センサ８９５からの検知情報に基づいて最大変位位置（操作受付位置）に存在しているか否かを判定する。
【０７７７】
ステップＳ１９０４にて否定判定をした場合には、ステップＳ１９０５に進む。ステップＳ１９０５では、位置検知センサ８２５からの検知情報に基づいて、ボタン部材８１０が最大押圧位置（操作受付位置）に存在しているか否かを判定する。ステップＳ１９０５にて肯定判定をした場合にはステップＳ１９０６に進み、位置検知センサ８９６からの検知情報に基づいて発光ユニット８５０が初期位置に存在しているか否かを判定する。
【０７７８】
ステップＳ１９０６にて否定判定をした場合、又はステップＳ１９０４にて肯定判定をした場合にはステップＳ１９０７に進み、ＲＡＭ４１４の各種フラグ格納エリア４２５に発光演出用フラグをセットする。また、これに併せて、上述した押圧期間用のタイマカウンタの値を「０」クリアする。これにより、以降の処理では、ステップＳ１９０１にて否定判定が繰り返され、ステップＳ１９０２以下の処理がキャンセルされることとなる。
【０７７９】
ステップＳ１９０７の処理を実行した後は、ステップＳ１９０８〜Ｓ１９１０の操作対応演出用の設定処理を実行し、本発光演出開始用処理を終了する。具体的には、先ずステップＳ１９０８にて本変動表示回が第３表示モードに対応しているか否かを判定する。ステップＳ１９０８にて肯定判定をした場合には、第３表示モード対応発光制御処理を実行する。これにより、第１発光体８６１ａに発光用信号が出力され、操作面部８１１に上述した文字が浮かび上がり、そのまま一定の期間を経過することで操作面部８１１全域での発光表示に移行する発光演出が実行される。
【０７８０】
一方、ステップＳ１９０８にて否定判定をした場合にはステップＳ１９１０に進み、第２表示モード対応発光制御処理を実行する。これにより、操作面部８１１全域での発光表示に移行する発光演出が実行される。
【０７８１】
なお、これら各発光演出についての詳細は後述する。
【０７８２】
再びステップＳ１９０３の説明に戻り、当該ステップＳ１９０３にて否定判定をした場合、すなわち押圧状態に維持されているものの所定の押圧期間を経過していないと判定した場合、又は上記押圧期間用のタイマカウンタが「０」となる前に操作部６０１の押圧状態が少なくとも１度解除されたと判定した場合には、ステップＳ１９１１に進む。ステップＳ１９１１では、ステップＳ１９０３における否定判定の理由が、押圧状態の途中解除に起因するものであるか否かを操作継続判定用フラグの有無に基づいて判定する。ステップＳ１９１１にて否定判定をした場合には、そのまま本発光演出開始用処理を終了する。
【０７８３】
ステップＳ１９１１にて否定判定をした場合、ステップＳ１９０５にて否定判定をした場合、又はステップＳ１９０６にて肯定判定をした場合には、特別操作対応演出の開始条件が不成立に終わったとみなし、ステップＳ１９１２に進む。ステップＳ１９１２では、ＲＡＭ４１４の各種フラグ格納エリア４２５に発光演出規制フラグをセットし、本発光演出開始処理を終了する。
【０７８４】
再び図４８の説明に戻り、ステップＳ１８１８にて肯定判定をした場合、すなわち発光演出中であると判定した場合には、ステップＳ１８２１に進む。ステップＳ１８２１では、発光ユニット８５０が初期位置から変位していることを条件として（すなわち第３表示モードに対応する発光演出であることを条件として）発光ユニット８５０を初期位置へ復帰させるタイミングであるか否かを判定する。
【０７８５】
ステップＳ１８２１にて肯定判定をした場合にはステップＳ１８２２に進み、発光ユニット８５０を初期位置へ復帰させるための復帰用処理を実行した後、本特別操作対応演出用処理を終了する。具体的にはソレノイド８８０への駆動信号の出力を停止する。これにより、発光ユニット８５０がコイルバネ８４９の付勢力によって初期位置へと変位することとなる。
【０７８６】
一方、ステップＳ１８１２にて否定判定をした場合、又はステップＳ１８１９にて肯定判定をした場合には、表示画面９４ａにおける変動表示を終了するタイミングであるか否かを判定する。変動表示の終了タイミングでない場合には、そのまま本特別操作対応演出用処理を終了する。変動表示の終了タイミングである場合には、ステップＳ１８２４にて発光演出終了用処理を実行する。かかる処理では、発光体８６１への発光用信号の出力を停止するとともに、特別操作対応演出にかかる各種フラグを消去する。
【０７８７】
ステップＳ１８２４の処理を実行した後は、ステップＳ１８２５にて、終了表示画像の設定処理を実行した後に、本特別操作対応演出用処理を終了する。
【０７８８】
終了表示画像の設定処理では、当該変動表示回が大当たり状態の発生する変動表示回である場合には、大当たり状態の発生が確定した旨の動画表示がなされるように表示設定を行う。この場合に、結果表示画像の設定処理が実行されているとともに、当該結果表示画像の設定処理にて、大当たり状態の発生に対応したものとなるように動画表示が設定されている場合には、当該動画表示と一連の内容となるように動画表示の設定が行われる。一方、操作未完画像の設定処理が実行されている場合には、当該操作未完画像から大当たり状態の発生が確定した旨の動画表示へと劇的に切り換わるような動画表示が介在することとなる。
【０７８９】
次に、操作スイッチユニット８００における特別操作対応演出について、図５０及び図５１のタイムチャートを参照しながら説明する。なお、図５０及び図５１においては、理解の容易化のため、時間の尺度を部分的に変化させている。
【０７９０】
（第３表示モード対応演出）
先ず、図５０に基づき第３表示モード選択時の操作対応演出について説明する。
【０７９１】
変動表示回（遊技回）が始まり、図柄表示装置９４の表示画面９４ａにて図柄の変動表示が開始された時点では、操作スイッチユニット８００の各発光体８６１は消灯されたままの状態となっている。
【０７９２】
表示画面９４ａにおける表示内容が通常変動表示から上述したリーチ表示に切り替わった後のｔａ１のタイミングにて、表示画面９４ａには、操作スイッチユニット８００（ボタン部材８１０）の操作が有効に受け付けられる状態になった旨を遊技者に伝えるべく、特別操作（長押し操作）示唆用の画像が表示されることとなる。また、このｔａ１のタイミングでは、表示制御装置４１０から発光体８６１への発光用信号の出力が開始され、第１発光体８６１ａ及び第２発光体８６１ｂの両者が点灯する。かかるタイミングでは、発光ユニット８５０が初期位置に待機しており、操作面部８１１と発光ユニット８５０（詳しくは起立壁部８７３）との間には上述した光拡散用の空間が確保されている。このため、遊技者にとっては個々の発光体８６１からの光を区別することが困難とあり、操作面部８１１全体がぼんやりと発光した状態となる。
【０７９３】
上述した操作示唆が実行された後に、遊技者によりボタン部材８１０が押圧操作されると、ボタン部材８１０が初期位置から最大押圧位置へ向けて変位する。この変位の過程、詳しくはボタン部材８１０が上記特定位置へ到達したｔａ２のタイミングでは、ソレノイド８８０に駆動信号が出力され、同ソレノイド８８０が非励磁状態から励磁状態に切り替わる。これにより、発光ユニット８５０が初期位置から最大変位位置へ向けて変位することとなる。また、ｔａ２のタイミングでは、発光体８６１への発光用信号の出力が停止し、操作面部８１１が消灯する。
【０７９４】
ｔａ３のタイミングにてボタン部材８１０が最大押圧位置へ到達すると、表示画面９４ａにおいては、操作を有効に受け付けた旨の表示がなされる。そして、表示画面９４ａにおける操作示唆用メッセージに付与されたエフェクトはボタン部材８１０を押圧状態のまま維持することで徐々に変化することとなる。
【０７９５】
その後、ｔａ４のタイミングにて発光ユニット８５０がボタン部材８１０に当接し、遊技者による押圧操作が行われていることを条件として、それ以上の操作面部８１１側への（上方への）変位が規制されることとなる。
【０７９６】
ｔａ４の後のタイミングであって、ｔａ３のタイミングから所定の押圧操作維持期間が経過したｔａ５のタイミングでは、表示画面９４ａにて特別操作（長押し操作）が完了した旨を示唆する画像を表示し、それに併せて、第１発光体８６１ａに発光用信号を出力する。これにより、特別操作対応演出（発光演出）が実行される。
【０７９７】
ｔａ５のタイミングでは、操作面部８１１に対して発光ユニット８５０の起立壁部８７３が当接したままの状態となっている。このため、第１発光体８６１ａが発光することで、操作面部８１１に「Ｖ」の文字が浮かび上がることとなる。
【０７９８】
ここで、操作面部８１１が遊技者の手によって押圧されている場合には、上記特別操作対応演出の視認が当該手によって妨げられる。そして、その後のｔａ６のタイミングにて遊技者が、操作面部８１１から手を離すと、上記「Ｖ」の文字が視認可能となる。これにより、遊技者に対して当該変動表示回が大当たりに対応する変動表示回である旨が示唆されることとなる。
【０７９９】
遊技者が操作面部８１１から手を離すと、ボタン部材８１０が上記コイルバネ８４８の付勢力により初期位置へ向けた変位を開始する。この際、発光ユニット８５０がソレノイド８８０の付勢力によって押し上げられることで、同発光ユニット８５０がボタン部材８１０と一体的に（当接した状態のまま）変位することとなる。つまり、少なくともｔａ６のタイミング〜ボタン部材８１０の初期位置への復帰が完了するｔａ７のタイミングまでの間は、上記「Ｖ」の文字が表示されたままの状態で維持されることとなる。
【０８００】
ｔａ７のタイミングの後のタイミングであって、上記ｔａ３のタイミングから所定の期間を経過したｔａ８のタイミングとなるまで上記「Ｖ」の文字の表示が継続される。そして、ｔａ８のタイミングとなった後は、発光用信号の出力対象が第１発光体８６１ａから同第１発光体８６１ａ及び第２発光体８６１ｂの両者に切り替わることとなる。より具体的には、上述した表示態様選択テーブルを参照して決定された表示態様に合わせて各発光体８６１が点灯・点滅を繰り返す。例えば前後に延びる縞模様が左右に変位するようにして、発光体８６１の発光制御が行われることとなる。これにより、上述した「Ｖ」の文字は視認困難となる。
【０８０１】
その後、図柄表示装置９４の表示画面９４ａにて実行されていたリーチ演出が終了、当該表示画面９４ａにて遊技結果（大当たり結果）に対応した特定の図柄の組み合わせが表示される。これに併せて、ｔａ９のタイミング（すなわち本変動表示回の終了タイミング）では、発光ユニット８５０への発光用信号の出力が停止される。これにより、発光ユニット８５０は消灯状態に切り替わる。
【０８０２】
因みに、本実施の形態においては大当たり結果となっている場合にのみ、第３表示モードとなる、すなわち「Ｖ」の文字が表示される構成としたがこれに限定されるものではない。例えば、外れ結果となっている場合及び大当たり結果となっている場合の両方で「Ｖ」の文字が表示される構成とすることも可能である。この場合、例えば「Ｖ」の文字の発光色に応じて大当たりの期待度に差違が設定されている構成とすればよい。具体的には「Ｖ」の文字の発光色として白色と赤色とを設定し、同文字が赤色で発光している場合には大当たりが確定となり、上記図柄の組み合わせとして大当たりに対応した図柄の組み合わせが表示され、同文字が白色で発光している場合には大当たりの確率と外れの確率が半々となり、上記図柄の組み合わせとして大当たりに対応した図柄の組み合わせ又は外れに対応した図柄の組み合わせが表示される構成とするとよい。
【０８０３】
（第２表示モード対応演出）
次に、図５１に基づき第２表示モード選択時の操作対応演出について説明する。
【０８０４】
今回の遊技回が始まり図柄表示装置９４の表示画面９４ａにて図柄の変動表示が開始された時点では、操作スイッチユニット８００の各発光体８６１は消灯されたままの状態となっている。
【０８０５】
表示画面９４ａにおける表示内容が通常変動表示から上述したリーチ表示に切り替わった後のｔｂ１のタイミングにて、表示画面９４ａには、操作スイッチユニット８００（ボタン部材８１０）の操作が有効に受け付けられる状態になった旨を遊技者に伝えるべく、特別操作（長押し操作）示唆用の画像が表示されることとなる。また、このｔｂ１のタイミングでは、表示制御装置４１０から発光体８６１への発光用信号の出力が開始され、第１発光体８６１ａ及び第２発光体８６１ｂの両者が点灯する。かかるタイミングでは、発光ユニット８５０が初期位置に待機しており、操作面部８１１と発光ユニット８５０（詳しくは起立壁部８７３）との間には上述した光拡散用の空間が確保されている。このため、遊技者にとっては個々の発光体８６１からの光を区別することが困難となり、操作面部８１１全体がぼんやりと発光した状態となる。
【０８０６】
上述した操作示唆が実行され、遊技者によりボタン部材８１０が押圧操作されると、ボタン部材８１０が初期位置から最大押圧位置へ向けて変位する。この変位の過程で、ボタン部材８１０が特定位置へ到達したｔｂ２のタイミングでは、発光体８６１への発光用信号の出力が停止し、操作面部８１１が消灯する。
【０８０７】
ｔｂ３のタイミングにてボタン部材８１０が最大押圧位置へ到達すると、表示画面９４ａにおいては、操作を有効に受け付けた旨の表示がなされる。そして、表示画面９４ａにおける操作示唆用メッセージに付与されたエフェクトはボタン部材８１０を押圧状態のまま維持することで徐々に変化することとなる。
【０８０８】
ｔｂ３のタイミングから所定の押圧操作維持期間が経過したｔｂ４のタイミングでは、表示画面９４ａにて特別操作（長押し操作）が完了した旨を示唆する画像を表示し、それに併せて、第１発光体８６１ａ及び第２発光体８６１ｂの両者に発光用信号を出力する。これにより、特別操作対応演出（発光演出）が実行される。ｔｂ４のタイミングでは、操作面部８１１に対して発光ユニット８５０の起立壁部８７３が離間したままの状態となっている。すなわち、上述した光拡散用の空間が確保されたままの状態となっている。上述した表示態様選択テーブルを参照して決定された表示態様に合わせて各発光体８６１が点灯・点滅を繰り返すように発光制御が行われる。これにより、例えば前後に延びる縞模様が左右に変位するようにして、発光体８６１の発光制御が行われることとなる。本表示モードにおいては、上述の如く光拡散用空間が担保されているため、第１発光体８６１ａからの光のみを識別することが困難になり、上述した「Ｖ」の文字は見分けることが事実上不可能となる。第３表示モード対応演出と第２表示モード対応演出では、大当たり結果となっている期待度に差が設定されており、遊技者は押圧操作完了後に「Ｖ」の文字が表示されることを期待しつつ手をボタン部材８１０から離すこととなる。
【０８０９】
ここで、操作面部８１１が遊技者の手によって押圧されている場合には、上記特別操作対応演出の視認が当該手によって妨げられる。そして、その後のｔｂ５のタイミングにて遊技者が、操作面部８１１から手を離すと、上記発光パターンが視認可能となる。これにより、遊技者に対して当該変動表示回が大当たり結果又は外れ結果に対応する変動表示回である旨が示唆されることとなる。この発光演出は、遊技者が操作面部８１１から手を離すことで、ボタン部材８１０が初期位置へ復帰するｔｂ６のタイミングでも終了することはなく、その後、図柄表示装置９４の表示画面９４ａにて実行されていたリーチ演出が終了、当該表示画面９４ａにて遊技結果（大当たり結果）に対応した特定の図柄の組み合わせが表示されるまで継続される。そして、ｔｂ７のタイミング（すなわち本変動表示回の終了タイミング）では、発光ユニット８５０への発光用信号の出力が停止される。これにより、発光ユニット８５０は消灯状態に切り替わる。
【０８１０】
以上詳述した第９の実施の形態によれば、以下の優れた効果を奏する。
【０８１１】
操作スイッチユニット８００においては、ボタン部材８１０の操作面部８１１にミラー形成層８１５と光拡散部８１６とが設けられており、その背後に設けられた発光ユニット８５０からの光が操作面部８１１を通じて遊技者側へ射出される構成となっている。かかる構成によれば、発光ユニット８５０からの光によってあたかも操作面部８１１が発光しているかのように見せることができる。
【０８１２】
発光ユニット８５０は操作面部８１１に近づく側と遠ざかる側とに変位可能となっており、発光ユニット８５０からの光は操作面部８１１に届くまでに拡がるため、発光ユニット８５０と操作面部８１１との距離を変化させることにより、同発光ユニット８５０からの光の拡散度合いを変化させることができる。
【０８１３】
詳しくは、発光ユニット８５０と操作面部８１１とを近づけることにより発光ユニット８５０からの光の拡散を抑えることができ、発光ユニット８５０と操作面部８１１とを遠ざけることにより発光ユニット８５０からの光の拡散を促進することができる。これにより、発光演出の多様化等に貢献することができ、同発光演出への注目度を好適に高めることができる。
【０８１４】
また、仮に操作面部８１１に対して近い位置と操作面部８１１に対して遠い位置とにそれぞれ発光体を配設し、状況に応じてそれら遠近の発光体を使い分ける構成を採用した場合には、遠い側の発光体を発光させた場合に、近い側の発光体が光を遮蔽すると想定される。これは、遠い側の発光体によって広範囲に光を照射するという効果を低下させる要因となり得る。この点、本実施の形態に示す構成によれば、このような不都合の発生を抑え、発光範囲の広域化に好適に貢献することができる。
【０８１５】
ボタン部材８１０の操作面部８１１と発光ユニット８５０との距離を変更する構成を実現する上で、発光ユニット８５０を駆動対象とすることにより、以下の効果を発揮が期待できる。例えば、ボタン部材８１０（操作面部８１１）を駆動対象とした場合を想定すると、ボタン部材８１０が遊技者側に露出しているためボタン部材８１０の移動を目視にて確認可能となる。このため、操作面部８１１の発光態様を変化させる際には、ボタン部材８１０の動きから当該変化を事前に察知することが可能となり、発光態様の変化そのものよりも、ボタン部材８１０の動作に対して注意が向きやすくなると想定される。これは、操作スイッチユニット８００における演出機能を発揮させる上で障害になり得る。この点、本実施の形態においては、発光ユニット８５０を駆動対象としている。このため、上述の如くボタン部材８１０を駆動対象とする構成と比較して、上記不都合の発生を好適に抑制することができ、発光演出による注目度向上効果を好適に発揮させることができる。
【０８１６】
特に、操作面部８１１にはミラー形成層８１５が設けられており、背後に配置された発光ユニット８５０自体は視認不可となっている。故に、発光ユニット８５０の動きは実質的に視認不可であり、遊技者の注目が発光態様ではなく発光ユニット８５０へ向くことも抑制することができる。
【０８１７】
発光ユニット８５０には、光を規制する光規制部として起立壁部８７３が設けられており、発光ユニット８５０が変位することで、起立壁部８７３と操作面部８１１との距離が変化する構成となっている。かかる構成によれば、起立壁部８７３を操作面部８１１に近づけることで操作面部８１１における発光範囲の外縁を明瞭化し、一方では起立壁部８７３を操作面部８１１から遠ざけることで発光範囲の外縁を不明瞭化することができる。このように、各状態での発光態様に明確な差を設けることで、表示内容が変化した際のインパクトを強めることができ、操作手段等を利用した発光演出等への注目度を好適に向上することができる。
【０８１８】
また、仮に起立壁部８７３に相当する構成（光規制部）を操作面部８１１側に配した場合、発光ユニットと操作面部８１１との距離を変化させることで発光範囲を変更することができるものの、発光ユニットからの光が最終的に光規制部を通じて操作面部８１１に到達することで操作面部８１１の発光範囲が規制されることとなる。つまり、光規制部によって発光範囲が常に規制されることとなる。これは、発光演出等の機能が制限される要因となり得るため好ましくない。この点、本実施の形態に示すように、光規制部を発光ユニット側に設ける構成とすれば、そのような不都合の発生を好適に抑制することができる。つまり、光規制部が操作面部８１１から離れることで、光規制部を通過した光はその先での拡がり許容されることとなる。これにより、発光範囲の広域化機能を好適に発揮させることができる。
【０８１９】
本実施の形態においては、操作スイッチユニット８００の発光態様として、操作面部８１１の全体が発光する第２表示モードと、所定の文字が表示される第３表示モードとが設定されている。ボタン部材８１０を押圧することで、上述した２つの発光パターンのうち一方が表示されるため、遊技者の注目をその発光演出にむけやすくすることができる。
【０８２０】
ここで、ボタン部材８１０を手で押圧操作した場合には、操作面部８１１の視認が遊技者自身の手によって遮られることとなる。そして、遊技者が操作面部８１１から手を離したタイミングでは操作前の状態から発光態様が変化することとなる。これにより、発光態様の変化を遊技者に対して印象付けやすくなっている。
【０８２１】
発光ユニット８５０を変位させることで、操作面部８１１の発光態様を変化させる構成においては、例えば発光体の発光パターンを切り替える構成と比較して、発光態様の切り替えに要する期間が長くなり、発光態様切替の応答性が低下すると懸念される。この点、本実施の形態においては、遊技者の手が触れている（例えば手で視認が妨げられている）最中に発光ユニット８５０の変位を開始させることで、表示態様の変化を生じさせるために必要となる動作期間中は、遊技者の手によって、当該動作を見えにくくなるように遮ってもらうことができる。かかる構成とすれば、発光ユニット８５０を変位させる構成を採用したことによる応答性の低下を補うことができる。
【０８２２】
特に、遊技者に長押し操作を催促し、当該長押し操作がおこなわれている状況下にて発光ユニット８５０を動作させることで、上記応答性の低下にかかる不都合を好適に解消することが可能となっている。
【０８２３】
長押し操作が完了し、遊技者がボタン部材８１０から手を離した場合には、操作面部８１１と発光ユニット８５０とが一体となって変位することで、両者の距離関係を一定に保つことができる。これにより、発光ユニット８５０の起立壁部８７３と操作面部８１１とを当接した状態のままとし、操作面部８１１に表示されている「Ｖ」の文字がぼやけることを回避することが可能となっている。かかる構成を採用していることで、復帰開始時から「Ｖ」の文字を表示しておくことができ、遊技者がボタン部材８１０から手を離したタイミングで当該文字を視認可能となる。これにより、文字を視認可能とするタイミングと手を離すタイミングとの関連性を強めることができる。
【０８２４】
＜第１０の実施の形態＞
本実施の形態においては、操作スイッチユニットを動作させるための構成及びその動作態様が上記第１の実施の形態と異なっている。以下、図５２を参照し、本実施の形態における操作スイッチユニット９００について説明する。図５２は操作スイッチユニット９００の内部構造を示すを概略図である。
【０８２５】
先ず、操作スイッチユニット９００の基本構成について説明する。本実施の形態における操作スイッチユニット９００の配設対象は、上記第１の実施の形態と同様に前扉枠１４の上側膨出部２８となっている。上側膨出部２８の中央部分には操作スイッチユニット９００を収容する収容部２８ｃが形成されており、当該収容部２８ｃに収容された操作スイッチユニット９００は、その操作部９０１の一部が上側膨出部２８の上面部２８ｄに形成された略円形状の開口部２８ｅを通じて上方に露出した状態となっている。
【０８２６】
操作スイッチユニット９００は、操作部９０１と同操作部９０１を移動可能に保持するホルダ部９０２とによって構成されており、ホルダ部９０２が上側膨出部２８に対して固定されることで操作スイッチユニット９００と上側膨出部２８とが一体化されている。
【０８２７】
操作部９０１は、ホルダ部９０２に形成された中央開口９１１から突出するボタン部材９２０を有している。ボタン部材９２０は、ホルダ部９０２の奥側へ開放された中空状をなしており、その開放部分が当該ボタン部材９２０に固定された蓋体９３０（詳しくはベース板部９３１）によって塞がれている。
【０８２８】
蓋体９３０のベース板部９３１には、ボタン部材９２０側とは反対側に起立する複数の円筒部９３２が設けられており、これら各円筒部９３２に対してホルダ部９０２の底部９１２に形成された突部９１３が挿通されている。突部９１３は、その外周面が円筒部９３２の内周面に当接するようにして形成されており、これら突部９１３及び円筒部９３２によって操作部９０１の移動方向が上下方向となるように規定されている。
【０８２９】
また、円筒部９３２によって囲まれた空間にはバネ部材９４１が配設されている。これらバネ部材９４１の付勢力によって操作部９０１が上記中央開口９１１から突出する方向（上方）へ付勢されている。
【０８３０】
ホルダ部９０２には、操作部９０１の突出方向への変位を規制するとともに当該操作部９０１の最大突出位置を規定する機能が付与された突出側ストッパ機構９５０が設けられている。ここで、図５３（ａ）を参照して、突出側ストッパ機構９５０について説明する。図５３（ａ）は突出側ストッパ機構９５０を示す概略図である。
【０８３１】
突出側ストッパ機構９５０は、ボタン部材９２０に形成されたフランジ部９２１に対して突出方向における先側（上方）から当接することで当該ボタン部材９２０の突出を規制する規制位置及び当該規制を解除する解除位置（退避位置）の両位置に変位可能なストッパ片９５１と、ストッパ片９５１を規制位置へ向けて付勢する付勢手段としてのバネ部材９５２と、そのストッパ片９５１を規制位置及び解除位置に移動させる駆動部（詳しくはソレノイド）９５３とを有している。
【０８３２】
駆動部９５３は、表示制御装置４１０に電気的に接続されており、表示制御装置４１０から駆動信号が入力されることで非励磁状態から励磁状態に切り替わる構成となっている。そして、駆動部９５３が励磁状態となることで、ストッパ片９５１がバネ部材９５２の付勢力に抗して規制位置から解除位置へと移動する（図５３（ａ１）→図５３（ａ２）参照）。
【０８３３】
ホルダ部９０２には、ストッパ片９５１に対してフランジ部９２１とは反対側から当接する第１受け部９１４が形成されている。このため、図５３（ａ１）に示すように、ストッパ片９５１にフランジ部９２１が押し付けられた状態ではその荷重が第１受け部９１４へ分散され、ストッパ片９５１や当該ストッパ片９５１を保持している駆動部９５３にかかる負荷が低減されている。
【０８３４】
図５３（ａ２）に示すように、ストッパ片９５１が解除位置（退避位置）へと変位すると、フランジ部９２１は第１受け部９１４に対して直接当接することとなる。これにより、ストッパ片９５１に当接している場合と比較して中央開口９１１からの操作部９０１の突出量が増大することとなる。このように、突出量が増大することで、操作部９０１の操作ストロークが増大する点に着目すれば、突出側ストッパ機構９５０には、ストローク変更手段としての機能又はストローク制限手段としての機能が付与されているともいえる。
【０８３５】
再び図５２を参照して説明すれば、ホルダ部９０２には、操作部９０１の押圧方向への変位を規制するとともに、当該操作部９０１の最大押圧位置を規定する機能が付与された押圧側ストッパ機構９６０が設けられている。ここで、図５３（ｂ）を参照して、押圧側ストッパ機構９６０について説明する。図５３（ｂ）は押圧側ストッパ機構９６０を示す概略図である。
【０８３６】
押圧側ストッパ機構９６０は、円筒部９３２の先端部に対して押圧方向における先側（下方）から当接することでボタン部材９２０の押圧方向への変位を規制する規制位置、及び当該規制を解除する解除位置の両位置に変位可能なストッパ片９６１と、ストッパ片９６１を規制位置へ向けて付勢する付勢手段としてのバネ部材９６２と、そのストッパ片９６１を規制位置及び解除位置に移動させる駆動部（詳しくはソレノイド）９６３とを有している。
【０８３７】
駆動部９６３は、表示制御装置４１０に電気的に接続されており、表示制御装置４１０から駆動信号が入力されることで非励磁状態から励磁状態に切り替わる構成となっている。そして、図５３（ｂ１）→図５３（ｂ２）に示すように、駆動部９６３が励磁状態となることで、ストッパ片９６１がバネ部材９６２の付勢力に抗して規制位置から解除位置へと移動する。
【０８３８】
ホルダ部９０２には、ストッパ片９６１に対して円筒部９３２とは反対側から当接する第２受け部９１５が形成されている。このため、図５３（ａ１）に示すように、ストッパ片９６１に円筒部９３２が押し付けられた状態では、その荷重が第２受け部９１５へ分散され、ストッパ片９６１及び当該ストッパ片９６１を保持している駆動部９６３にかかる負荷が低減されている。
【０８３９】
図５３（ａ２）に示すように、ストッパ片９６１が解除位置（退避位置）へと変位すると、円筒部９３２は第２受け部９１５に対して直接当接可能となる。そして、円筒部９３２が第２受け部９１５に当接する位置へ到達することで、円筒部９３２がストッパ片９６１に当接する場合と比較して、操作部９０１の変位量が増大することとなる。このように、変位量が増大することで、操作部９０１の操作ストロークが増大する点に着目すれば、押圧側ストッパ機構９６０には、ストローク変更手段としての機能又はストローク制限手段としての機能が付与されているともいえる。
【０８４０】
また、図５２に示すように、本実施の形態における操作スイッチユニット９００は、操作部９０１が突出側ストッパ機構９５０のストッパ片９５１に当接する位置（以下、初期位置と称する）に位置していることを検知する位置検知センサ９７１と、押圧側ストッパ機構９６０のストッパ片９６１に当接する位置（以下、受付位置と称する）に位置していることを検知する位置検知センサ９７２とを有している。これら各位置検知センサ９７１，９７２は、表示制御装置４１０に対して電気的に接続されており、同表示制御装置４１０においては、位置検知センサ９７１からの検知情報（検知信号）に基づいて操作部９０１が初期位置から変位したこと、また位置検知センサ９７２からの検知情報（検知信号）に基づいて、操作部９０１の操作が行われたことを把握可能となっている。
【０８４１】
なお、各位置検知センサ９７１，９７２はＨＩ／ＬＯＷの２値信号を出力するものであり、位置検知センサ９７１は操作部９０１が初期位置にある状態ではＨＩレベル信号を、操作部９０１が初期位置から外れた位置にある状態ではＬＯＷレベル信号を出力し、位置検知センサ９７２は操作部９０１が受付位置にある状態ではＨＩレベル信号を、操作部９０１が受付位置から外れた位置にある状態ではＬＯＷレベル信号を出力する。
【０８４２】
本実施の形態においては、遊技者によって操作部９０１が操作された場合に、当該操作部９０１を押圧方向へ強制的に変位させるための強制変位手段としてソレノイド９８０を有することを特徴の１つとしている。
【０８４３】
ソレノイド８８０は、ホルダ部９０２の底部９１２に取り付けられている。ソレノイド９８０は、表示制御装置４１０に対して電気的に接続されており、表示制御装置４１０から駆動信号が入力されることで非励磁状態から励磁状態に切り替わる構成となっている。
【０８４４】
ソレノイド８８０の本体８８１は、底部９１２を挟んで操作部９０１とは反対側に配置されている。ホルダ部９０２には、底部９１２の厚さ方向に貫通する貫通孔９１６が形成されており、この貫通孔９１６にソレノイド９８０のプランジャ９８２が挿通されている。
【０８４５】
蓋体９３０には、プランジャ９８２が挿通される挿通部９３３が貫通孔９１６に連通するようにして形成されており、この挿通部９３３を通じて、プランジャ９８２の先端部がボタン部材９２０及び蓋体９３０によって囲まれた空間内に突出している。プランジャ９８２の先端部には、蓋体９３０のベース板部９３１に対して、押圧方向における手前側（上方）から当接するようにして頭部９８３が形成されている。
【０８４６】
ソレノイド９８０が励磁状態となることで当該プランジャ９８２が下方へと変位する。これにより、頭部９８３がベース板部９３１を押圧操作方向と同じ方向（下方）へと押圧し、バネ部材９４１の付勢力に抗して操作部９０１が押圧操作方向と同じ方向へと押されることとなる。すなわち、ホルダ部９０２の底部９１２へと引き寄せられることとなる。そして、ソレノイド９８０が非励磁状態となると、プランジャ８８２による押圧が解除される。これにより、バネ部材９４１の付勢力によって操作部９０１が初期位置に復帰することとなる。
【０８４７】
次に、図５４を参照して、押圧操作と操作スイッチユニット９００の動作との関係について説明する。図５４は、操作スイッチユニット９００の動作を示す概略図である。
【０８４８】
図５４（ａ）に示すように、操作部９０１が初期位置に待機している状態では、操作部９０１のフランジ部９２１が突出側ストッパ機構９５０のストッパ片９５１に対して押圧操作方向とは反対側（下方）から当接している。なお、かかる状態では、ボタン部材９２０の操作面部全体が中央開口９１１から上方に突出している。
【０８４９】
図５４（ａ）に示す状態から、操作部９０１が押圧操作されると、同操作部９０１がバネ部材９４１の付勢力に抗して、押圧操作方向へと変位する。そして、操作部９０１の円筒部９３２が押圧側ストッパ機構９６０のストッパ片９６１に押圧操作方向における手前側（上方）から当接することで、それ以上の押し込み操作が規制された状態となる（図５４（ｂ）参照）。操作部９０１がストッパ片９６１に当接する位置到達することで、位置検知センサ９７２から操作部９０１が受付位置に到達した旨を示す信号が表示制御装置４１０に出力される。なお、図５４（ｂ）に示す状態では、操作部９０１（詳しくは操作面部）の一部が、中央開口９１１から突出したままとなる。
【０８５０】
その後、遊技者が操作部９０１から手を離した場合には、図５４（ｂ）→図５４（ａ）に示すように、操作部９０１がバネ部材９４１の付勢力によって初期位置へと復帰することとなる。
【０８５１】
本実施の形態においては、遊技者による操作が行われた際に、操作部９０１を強制的に押圧方向へ変位させることが可能となっている。具体的には、図５４（ａ）に示す状態から操作部９０１が特定位置（初期位置から離れた位置）へ到達した場合には、当該変位が位置検知センサ９７１によって検知される。そして、当該変位が表示制御装置４１０にて把握されると、ソレノイド９８０に駆動信号が出力される。これにより、ソレノイド９８０が非励磁状態から励磁状態に切り替わる。
【０８５２】
このようにして、ソレノイド９８０が励磁状態に切り替わると、プランジャ９８２が押圧操作方向へと引き寄せられ、プランジャ９８２の頭部９８３によって操作部９０１（詳しくはベース板部９３１）が押圧操作方向へ押されることとなる。この際、プランジャ９８２の変位速度を十分に大きく設定しておくことで、遊技者の手から離れるようにして操作部９０１が押圧操作方向へ強制的に変位することとなる。
【０８５３】
この際、操作部９０１が受付位置に到達する前に、ストッパ片９６１が解除位置へと変位する。これにより、円筒部９３２の当接対象がストッパ片９６１ではなく第２受け部９１５に変更され、押圧操作時の操作ストロークが一時的に増大することとなる。これは、操作部９０１の強制変位を遊技者に対して触覚的な変化として伝えやすくするための工夫である。
【０８５４】
なお、図５４（ｃ）に示すように、円筒部９３２が第２受け部９１５に当接する位置（最大押圧位置）へ到達した場合には、操作部９０１（詳しくは操作面部）全体が、中央開口９１１内に埋没することとなる。このため、例えば手の平全体で操作部９０１を押圧操作した場合には、図５４（ｂ）に示す状態と比較して手の平の一部が上側膨出部２８の上面部２８ｄ等に当たりやすくなる。このように、相対位置の変化する複数の構成に手が触れえる構成とすることにより、操作ストロークが変化した旨を遊技者に伝えやすくなる。
【０８５５】
図５４（ａ）→図５４（ｃ）に示すように、操作部９０１を強制的に変位させた場合には、操作部９０１が最大押圧位置へ到達した状態のまま所定の期間に亘って保持されることとなる。このため、かかる期間中に遊技者が操作部９０１から手を離した場合であっても、操作部９０１が図５４（ａ）に示す初期位置へと復帰することはない。
【０８５６】
上述した強制変位が実行された後は、表示制御装置４１０からソレノイド９８０への駆動信号の出力が停止することで、バネ部材９４１の付勢力によって操作部９０１が突出方向へと変位することとなる。この際、ソレノイド９８０のプランジャ９８２は、蓋体９３０のベース板部９３１によって頭部９８３が上方に押されることで、操作部９０１に追従して上方へと変位する。
【０８５７】
ここで、本実施の形態においては、必ずしも操作部９０１が初期位置へ復帰するとは限らず、初期位置を越えて最大突出位置へと変位する場合がある。具体的には、突出側ストッパ機構９５０の駆動部９５３へ駆動信号が出力されると、図５４（ｃ）→図５４（ｄ）に示すように、ストッパ片９５１が規制位置から解除位置へと変位する。これにより、操作部９０１（詳しくはフランジ部９２１）の当接対象がストッパ片９５１からホルダ部９０２の第２受け部９１５へと切り替わる。フランジ部９２１が第１受け部９１４に当接する位置へと操作部９０１が変位することで、中央開口９１１からの操作部９０１（詳しくは操作面部）の突出量が、同操作部９０１が初期位置に待機している場合と比較して増大することとなる。これにより、遊技者によって強制変位後の操作部９０１の復帰が見逃されることを抑制している。
【０８５８】
本実施の形態における操作スイッチユニット９００についても、上述した各実施の形態と同様に、図柄表示装置９４の表示画面９４ａにて実行される表示演出の内容を操作に対応するものに変更する契機としての機能が付与されている。つまり、例えば表示画面９４ａにて操作示唆が行われた場合に、操作部９０１を操作することで、表示画面９４ａにて実行される演出が操作に対応したものに変更される。そして、かかる表示演出によって大当たり等の当選期待度が示唆されることとなる。
【０８５９】
ここで、本実施の形態における操作スイッチユニット９００については、大当たり等の当選期待度を操作部９０１の動きによって示唆する機能が付与されており、操作スイッチユニット９００に対する遊技者の注目度の向上が図られている。
【０８６０】
以下、表示制御装置４１０のＭＰＵ４１２にて実行される操作スイッチユニット９００にかかる演出用処理について説明する。なお、当該演出用処理としては、演出の一環として操作スイッチユニット９００の動作を組み込んだものと、操作スイッチユニット９００の動作を組み込んでいないものとに大別されるが、これら両演出用処理のうち後者は、周知の構成であるため説明を省略し、図５５のフローチャートを参照して操作スイッチユニット駆動演出用処理について説明する。なお、本実施の形態における操作スイッチユニット駆動演出については、上記第２の実施の形態等と同様に、１の遊技回中に複数回の単発操作が許容される連発操作対応演出となっている。
【０８６１】
（操作スイッチユニット駆動演出用処理）
操作スイッチユニット駆動演出用処理においては、先ずステップＳ２００１にて、操作スイッチユニット駆動演出が発生する変動表示回中であるか否かを判定する。当該変動表示回中で無い場合には、そのまま操作スイッチユニット駆動演出用処理を終了し、当該変動表示回中である場合には、ステップＳ２００２に進む。
【０８６２】
ステップＳ２００２では、第１単発操作の示唆が行われた後であるか否を判定する。ステップＳ２００２にて否定判定をした場合には、ステップＳ２００３に進む。ステップＳ２００３では、第１単発操作示唆用画像の設定処理を行う。これにより、操作部９０１を押圧操作するように遊技者に促す第１単発操作示唆用画像（第１単発操作催促用画像）が図柄表示装置９４の表示画面９４ａに表示される。例えば、当該第１単発操作示唆用画像としては、キャラクタの表示内容が示唆に対応したものとなるように動画表示されるとともに、同表示画面９４ａに「ボタンを押して！」といった文字が表示される。
【０８６３】
ステップＳ２００３の処理を実行した後は、ステップＳ２００４に進み、第１単発操作待ち状態の設定処理を行う。第１単発操作待ち状態の設定処理においては、ＲＡＭ４１４における各種フラグ格納エリア４２５の第１単発操作待ちフラグ格納エリアに第１単発操作待ちフラグを格納する。
【０８６４】
そして、続くステップＳ２００５にて押圧操作ストロークの変更処理を実行し、そのまま操作スイッチユニット駆動演出用処理を終了する。押圧操作ストロークの変更処理では、押圧側ストッパ機構９６０の駆動部９５３に対して駆動信号の出力を開始する。これにより、駆動部９６３が励磁状態となり、押圧側ストッパ機構９６０のストッパ片９６１が規制位置から解除位置へ変位する。この結果、操作部９０１の操作ストロークが一時的に増大し、受付位置を越えた操作部９０１の変位が許容されることとなる。
【０８６５】
再び、ステップＳ２００２の説明に戻り、当該ステップＳ２００２にて肯定判定をした場合には、ステップＳ２００６に進む。ステップＳ２００６では、第１単発操作待ち状態であるか否かを判定する。具体的には、ＲＡＭ４１４における各種フラグ格納エリア４２５に第１単発操作待ちフラグが格納されているか否かを判定する。
【０８６６】
ステップＳ２００６にて肯定判定をした場合には、ステップＳ２００７に進む。ステップＳ２００７では、操作部９０１が特定位置に到達したタイミングか否かを判定する。具体的には、位置検知センサ９７１からの検知信号（検知情報）に基づいて操作部９０１が初期位置から移動した直後のタイミングであるか否かを判定する。
【０８６７】
ステップＳ２００７にて肯定判定をした場合にはステップＳ２００８に進み、操作部９０１の強制変位用処理を実行する。強制変位用処理では、ソレノイド９８０への駆動信号の出力を開始する。これにより、ソレノイド９８０が非励磁状態から励磁状態へと切り替わり、プランジャ９８２の動きに追従するようにして操作部９０１が押圧操作方向と同じ方向へ変位することとなる。この際、操作部９０１の変位速度が十分に速くなるように設定されているため、通常は操作部９０１が遊技者の手から離れるようにして埋没することとなる。
【０８６８】
ステップＳ２００８の処理を実行した後は、ステップＳ２００９に進み、復帰タイミングの設定処理を実行する。復帰タイミングの設定処理においては、変動開始コマンドに含まれている変動表示にかかる情報をＲＯＭ４１３の各種テーブル記憶エリアに格納された復帰タイミング設定用テーブルに照らし合わせて復帰のタイミングを特定する。ＲＡＭ４１４のその他各種カウンタエリア４２８には、復帰タイミング用カウンタが設けられており、上記特定された復帰タイミングに対応する値が、当該復帰タイミング用カウンタにセットされる。なお、大当たり結果である場合の方が外れ結果である場合と比較して、復帰タイミングが遅くなりやすい構成となっている。
【０８６９】
そして、続くステップＳ２０１０にて待機位置の設定処理を実行し、本操作スイッチユニット駆動演出用処理を終了する。待機位置の設定処理では、変動開始コマンドに含まれている変動表示にかかる情報をＲＯＭ４１３の各種テーブル記憶エリアに格納された待機位置設定用テーブルに照らし合わせて待機位置を特定する。具体的には、強制変位を解除した後に操作部９０１を、初期位置及び最大突出位置の何れに待機可能とするか特定する。そして、操作部９０１を最大突出位置に待機可能とする場合には、突出側ストッパ機構９５０の駆動部９５３へ駆動信号を出力し、当該駆動部９５３を非励磁状態から励磁状態に切り替える。これにより、ストッパ片９５１が規制位置から解除位置に変位し、操作部９０１（詳しくはフランジ部９２１）の当接対象をストッパ片９５１から第１受け部９１４に変更する。なお、初期位置に待機可能とする場合には、駆動信号の出力を行わない。
【０８７０】
因みに、かかる変更を行う際には、操作部９０１が特定位置、すなわち初期位置から外れた位置に存在しているため、ストッパ片９５１の変位が操作部９０１によって妨げられることはない。
【０８７１】
再びステップＳ２００７の説明に戻り、当該ステップＳ２００７にて否定判定をした場合、すなわち操作部９０１が到達したタイミングではないと判定した場合には、ステップＳ２０１１に進む。ステップＳ２０１１では、位置検知センサ９７２からの検知情報（検知信号）に基づいて、操作部９０１が操作受付位置（すなわちストッパ片９６１に当接し得る位置）に到達したか否かを判定する。
【０８７２】
ステップＳ２０１１にて肯定判定をした場合には、ステップＳ２０１２にて第１単発操作完了用画像の設定処理を行う。これにより、表示画面９４ａにおいては第１単発操作示唆用画像に変えて第１単発操作完了用画像（例えば「ＯＫ！」等のメッセージ）が表示される。
【０８７３】
ステップＳ２０１２の処理を実行した後はステップＳ２０１３にて第１単発操作待ち状態の解除処理を実行し、本操作スイッチユニット駆動演出用処理を終了する。第１単発操作待ち状態の解除処理においては、ＲＡＭ４１４における各種フラグ格納エリア４２５に格納されている第１単発操作待ちフラグを消去する。これにより、その後の操作が無効となる。
【０８７４】
一方、ステップＳ２０１１にて否定判定をした場合には、すなわち第１単発操作が行われていないと判定した場合には、ステップＳ２０１４に進む。ステップＳ２０１４では、第１単発操作の受付終了タイミングであるか否かを判定する。具体的には、ステップＳ２００４の処理を実行してから予め定められた受付有効期間が経過したか否かを判定する。ステップＳ２０１４にて否定判定をした場合には、そのまま本操作スイッチユニット駆動演出用処理を終了する。
【０８７５】
ステップＳ２０１４にて肯定判定をした場合には、ステップＳ２０１５にて第１単発操作示唆用画像の表示終了処理を実行し、続くステップＳ２０１６にて第１単発操作受付終了用画像の設定処理を実行する。これにより、表示画面９４ａにおいては示唆用画像（「ボタンを長押して！」）が非表示となり、上記示唆用画像に代えて、受付終了用画像（例えば「ＩＮＣＯＭＰＬＥＴＥ！」等のメッセージ）が表示されることとなる。ステップＳ２０１６の処理を実行した後は上記ステップＳ２０１３に進み、第１単発操作待ち状態の解除処理を実行した後、本操作スイッチユニット駆動演出用処理を終了する。
【０８７６】
再び、ステップＳ２００６の説明に戻り、当該ステップＳ２００６にて否定判定をした場合、すなわち第１単発操作待ち状態ではないと判定した場合には、ステップＳ２０１７に進む。ステップＳ２０１７では、操作部９０１を復帰させるタイミングであるか否かを判定する。具体的にはステップＳ２００９にて設定した復帰タイミング用カウンタの値を参照して、当該カウンタの値が所定の値（本実施の形態においては「０」）となっているか否かを判定する。なお、復帰タイミング用カウンタの値は、操作スイッチ駆動演出用処理が実行される度に更新（「１」づつ減算）される。
【０８７７】
ステップＳ２０１７にて肯定判定をした場合には、ステップＳ２０１８にて復帰用処理を実行する。復帰用処理においては、ステップＳ２００８にて開始した駆動信号の出力を停止し、ソレノイド９８０を励磁状態から非励磁状態に切り替える。これにより、それまで最大押圧位置にて拘束されていた操作部９０１がソレノイド９８０による拘束から解放され、バネ部材９４１の付勢力によって押圧操作方向とは反対方向（突出方向）へ変位することとなる。
【０８７８】
ステップＳ２０１８の処理を実行した後、又はステップＳ２０１７にて否定判定をした場合には、ステップＳ２０１９に進む。ステップＳ２０１９では、第２単発操作示唆のタイミングであるか否かを判定する。具体的には、ステップＳ２０１８の処理を実行してから、予め設定された期間が経過したか否かを判定する。なお、第２単発操作示唆のタイミングについては、操作部９０１の拘束が解除されてから、同操作部９０１が初期位置又は最大突出位置に到達するのに十分な期間を経過した後となるように設定されている。
【０８７９】
ステップＳ２０１９にて肯定判定をした場合にはステップＳ２０２０に進み、第２単発操作示唆用画像の設定処理を行う。これにより、操作部９０１を押圧操作するように遊技者に促す第２単発操作示唆用画像（第２単発操作催促用画像）が図柄表示装置９４の表示画面９４ａに表示される。例えば、当該第２単発操作示唆用画像としては、キャラクタの表示内容が示唆に対応したものとなるように動画表示されるとともに、同表示画面９４ａに「ボタンを押して！」といった文字が表示される。
【０８８０】
ステップＳ２０２０の処理を実行した後は、ステップＳ２０２１に進み、第２単発操作待ち状態の設定処理を行う。第２単発操作待ち状態の設定処理においては、ＲＡＭ４１４における各種フラグ格納エリア４２５の第２単発操作待ちフラグ格納エリアに第２単発操作待ちフラグを格納する。
【０８８１】
ステップＳ２０２１の処理を実行した後はステップＳ２０２２に進み、初期位置用ストッパ復帰処理を実行し、本操作スイッチユニット駆動演出用処理を終了する。初期位置用ストッパ復帰処理においては、突出側ストッパ機構９５０の駆動部９５３への駆動信号の出力を停止する。これにより、駆動部９５３が励磁状態から非励磁状態に切り替わり、ストッパ片９５１がバネ部材９５２の付勢力によって規制位置へ変位しようとする。但し、本処理を行った直後等、操作部９０１が最大突出位置に待機している状態では、ストッパ片９５１の規制位置への復帰が操作部９０１によって妨げられることとなり、同ストッパ片９５１はバネ部材９５２の付勢力によって操作部９０１に押し付けられた状態となる。
【０８８２】
その後、第２単発操作が行われて操作部９０１が最大押圧位置から変位すると、当該操作部９０１によるストッパ片９５１の変位規制が解除され、同ストッパ片９５１が規制位置へと復帰する。これにより、操作部９０１の最大突出位置への変位が規制されることとなる。
【０８８３】
ステップＳ２０１９の説明に戻り、当該ステップＳ２０１９にて否定判定をした場合には、ステップＳ２０２３に進む。ステップＳ２０２３では、第２単発操作用処理を実行する。第２単発操作用処理においては、ＲＡＭ４１４における各種フラグ格納エリア４２５に上記第２単発操作待ちフラグが格納されていることを条件として、第２単発操作に対応する各種処理を実行する。第２単発操作にかかる処理については、ステップＳ２０１１〜ステップＳ２０１６と同様であり操作に応じて特定の演出を実行するが、それら各ステップにおける処理の説明については上述したステップＳ２０１１〜ステップＳ２０１７の説明を援用する。
【０８８４】
ステップＳ２０２３の処理を実行した後は、ステップＳ２０２４にて変動表示の終了タイミングであるか否かを判定する。ステップＳ２０２４にて否定判定をした場合には、そのまま、本操作スイッチ駆動演出用処理を終了する。一方、ステップＳ２０２４にて肯定判定をした場合には、ステップＳ２０２５にて終了用画像の設定処理を実行する。ステップＳ２０２５の処理については、上記各実施の形態における終了用画像の設定処理と同様であるため説明を援用する。
【０８８５】
そして、ステップＳ２０２６にて押圧位置用ストッパ復帰処理を実行した後、本操作スイッチ駆動演出用処理を終了する。ステップＳ２０２６の処理においては、押圧側ストッパ機構９６０の駆動部９６３への駆動信号の出力を停止する。これにより、駆動部９６３が励磁状態から非励磁状態に切り替わり、バネ部材９６２の付勢力によってストッパ片９６１が解除位置から規制位置へ付勢される。ここで、操作部９０１が最大押圧位置に待機していないことを条件として、ストッパ片９６１が規制位置へ復帰し、操作部９０１の最大押圧位置への変位が当該ストッパ片９６１によって規制されることとなる。
【０８８６】
次に、操作スイッチユニット９００を用いた操作対応演出について図５６のタイムチャートを参照しながら説明する。操作対応演出としては、操作スイッチユニット９００の強制変位及び操作ストロークの変更が発生しない通常の操作対応演出と、強制変位及び操作ストロークの変更が発生する上記操作スイッチ駆動演出としての連続操作対応演出とが設定されており、連続操作対応演出については、操作部９０１が最大突出位置への到達が規制された第１連続操作対応演出と、最大突出位置への到達が許容された第２連続操作対応演出とに大別される。以下の説明においては、通常の操作対応演出、第２連続操作対応演出、第１連続操作対応演出の順に説明する。なお、図５６においては、理解の容易化のため、時間の尺度を部分的に変化させている。
【０８８７】
（通常の操作対応演出）
通常の操作対応演出が実行される場合には、図５６の左部分に示すように、ｔａ１のタイミングにて、図柄表示装置９４の表示画面９４ａにおける図柄の変動表示が開始される。ｔａ１のタイミングから予め設定された期間が経過したｔａ２のタイミング、例えば図柄の変動表示が通常変動表示からリーチ表示に切り替わった後のタイミングでは、表示画面９４ａに操作部９０１の操作を促す示唆用画像（例えば「ボタンを押して！」）が表示される。
【０８８８】
その後、ｔａ３のタイミングにて操作部９０１が操作されると、当該操作が操作の有効受付期間中に行われたことを条件として、表示画面９４ａに操作を有効に受け付けた旨のメッセージ（例えば「ＯＫ！」）が表示され、その後、表示画面９４ａにおける表示演出の内容が操作に対応するものに切り替えられる。
【０８８９】
ここで、通常の操作対応演出においては、各ストッパ機構９５０，９６０については規制状態のまま維持され、各ストッパ片９５１，９６１が規制位置に待機したままとなる。つまり、操作部９０１は、初期位置〜操作受付位置間での変位が許容されるものの最大突出位置や最大押圧位置への変位は規制されたままの状態となっている。
【０８９０】
その後、ｔａ４のタイミングでは、図柄表示装置９４の表示画面９４ａにて実行されていたリーチ演出が終了、当該表示画面９４ａにて遊技結果（大当たり結果）に対応した特定の図柄の組み合わせが表示される。
【０８９１】
（第２連続操作対応演出）
第２連続操作対応演出が実行される場合には、図５６の中央部分に示すように、ｔｂ１のタイミングにて、図柄表示装置９４の表示画面９４ａにおける図柄の変動表示が開始される。これに併せて、押圧側ストッパ機構９６０の駆動部９６３への駆動信号の出力が開始され、ストッパ片９６１が規制位置から解除位置に変位する。これにより、操作部９０１を押圧操作した際の操作ストロークが上述した通常の操作対応演出が実行される場合と比較して増加する。
【０８９２】
ｔａ１のタイミングから予め設定された期間が経過したｔｂ２のタイミング、例えば図柄の変動表示が通常変動表示からリーチ表示に切り替わった後のタイミングでは、表示画面９４ａに操作部９０１の第１単発操作を促す第１単発操作示唆用画像（例えば「ボタンを押して！」）が表示される。
【０８９３】
その後ｔｂ３のタイミングにて、遊技者による押圧操作が行われると、操作部９０１はバネ部材９４１の付勢力に抗して押圧操作方向へ変位する。ｔｂ３のタイミングの直後のｔｂ４のタイミング、詳しくは操作部９０１が特定位置へ到達したタイミング（操作部９０１が初期位置から離れたタイミング）では、ソレノイド９８０への駆動信号の出力が開始され、当該ソレノイド９８０が非励磁状態から励磁状態に切り替わる。つまり、操作部９０１の強制変位が有効化される。
【０８９４】
これにより、操作部９０１が突如として押圧操作方向における奥側（下方）へ引き込まれる。これにより、操作部９０１（詳しくは操作面部）を押圧している遊技者の手に伝わる反力が小さくなる、又は操作部９０１が遊技者の手から離れる。上述した通常の操作対応演出においては、操作部９０１が押圧操作による応力により受動的に変位するのに対して、本第２連続操作対応演出では操作部９０１が能動的に変位する。このため、両演出では操作時の触覚的な差違が生じる。
【０８９５】
なお、本実施の形態においては、大当たり結果となっている場合には、通常の操作対応演出よりも連続操作対応演出のほうが選択されやすくなっている。このため、遊技者は上述した操作部９０１の強制変位が生じることを期待しながら押圧操作を行うと想定され、操作スイッチユニット９００及び押圧操作への注目度の向上が期待できる。
【０８９６】
ｔｂ４のタイミングにて操作部９０１の強制変位が実行されると、操作部９０１は最大変位位置へと引き込まれることとなる。そして、最大押圧位置に到達した後は直ちに突出方向へ折り返すのではなく、所定期間に亘って当該最大押圧位置にて拘束（保持）されることとなる。
【０８９７】
ｔｂ４のタイミングから上記所定期間が経過したｔｂ５のタイミングでは、ソレノイド９８０への駆動信号の出力が停止し、操作部９０１がバネ部材９４１の付勢力によって押圧操作方向とは反対方向（突出方向）へ変位を開始する。
【０８９８】
ここで、上記ｔｂ４のタイミングにおいては、突出側ストッパ機構９５０の駆動部９５３に対して駆動信号の出力が開始されており、駆動部９５３が非励磁状態から励磁状態に切り替わることでストッパ片９５１が規制位置から解除位置へと変位している。このため、バネ部材９４１の付勢力によって操作部９０１が変位する際には、初期位置へ復帰するのではなく、初期位置を越えて最大突出位置へ向う。
【０８９９】
このように、それまで最大押圧位置にて拘束されていた操作部９０１が突如として動き出すことで、操作部９０１への注目度の向上を図っている。特に、強制変位の解除タイミングについては、遅くなればなるほど大当たり結果である期待度が高くなるように設定されているため、遊技者は押圧操作を行った後は、操作部９０１の動きに注目しやすくなると想定される。
【０９００】
ｔｂ６のタイミングにて操作部９０１が最大押圧位置に到達した後は、ｔｂ７のタイミングにて表示画面９４ａに操作部９０１の第２単発操作を促す第２単発操作示唆用画像（例えば「ボタンを押して！」）が表示される。
【０９０１】
その後、ｔｂ８のタイミングにて、操作部９０１が再び押圧操作されると、操作部９０１が特定位置に到達したｔｂ９のタイミングにて、突出側ストッパ機構９５０の駆動部９５３への駆動信号の出力が停止する。これにより、駆動部９５３が励磁状態から非励磁状態体に切り替わり、ストッパ片９５１が解除位置から規制位置へと復帰する。これにより、操作ストロークが減少することとなる。
【０９０２】
２度目の押圧操作（第２単発操作）を促し、当該押圧操作中に突出側ストッパ機構９５０を規制状態に復帰させる構成とすることで、当該復帰が操作部９０１によって妨げられることを回避している。また、仮に第２単発操作が行われなかった場合であっても、ストッパ片９５１はバネ部材９５２によって規制位置へと付勢されたままになるため、その後の遊技にて操作部９０１が操作されたタイミングで規制位置へ復帰する。
【０９０３】
ｔｂ１０のタイミングにて操作部９０１が初期位置へ復帰した際には、ストッパ片９５１が規制位置に待機した状態となっている。このため、操作部９０１の最大突出位置への変位がストッパ片９５１によって規制されることとなる。
【０９０４】
その後、ｔｂ１１のタイミングでは、図柄表示装置９４の表示画面９４ａにて実行されていたリーチ演出が終了し、当該表示画面９４ａにて遊技結果（大当たり結果）に対応した特定の図柄の組み合わせが表示される。これに併せて、押圧側ストッパ機構９６０の駆動部９６３への駆動信号の出力が停止し、駆動部９６３が励磁状態から非励磁状態に切り替わる。これにより、ストッパ片９６１が解除位置から規制位置に復帰し、操作部９０１の操作ストロークが減少する。つまり、操作スイッチユニット９００が第２連続操作対応演出の開始前の状態に戻ることとなる。
【０９０５】
（第１連続操作対応演出）
第１連続操作対応演出については、その大部分が第２連続操作対応演出と同様となっているため、以下の説明では、第２連続操作対応演出との相違点を中心に説明する。
【０９０６】
第１連続操作対応演出が実行される場合には、図５６の右部分に示すように、ｔｃ１のタイミングにて、図柄表示装置９４の表示画面９４ａにおける図柄の変動表示が開始される。
【０９０７】
ｔｃ２のタイミングにて第１単発操作の示唆画像が表示されるが、遊技者は、このタイミングにて本演出が第１連続操作対応演出及び第２連続操作対応演出の何れに対応するものであるかを判別することが困難となっている。
【０９０８】
ｔｃ３のタイミングにて操作部９０１の押圧操作が開始され、操作部９０１が特定位置に到達したｔｃ４のタイミングでは、第２連続操作対応演出と同様にソレノイド９８０への駆動信号の出力が開始される。これにより、操作部９０１が強制的に押圧操作方向と同じ方向へ引き込まれることとなる。
【０９０９】
ここで、第２連続操作対応演出が実行される場合には、かかるタイミングにて突出側ストッパ機構９５０の駆動部９５３への駆動信号の出力が開始され、ストッパ片９５１が規制位置から解除位置に変位する構成となっていたが、本第１連続操作対応演出においては当該駆動信号の出力は行われない。このため、第１連続操作対応演出においては操作部９０１を押圧操作した際の突出側への操作ストロークの増加が回避されたままとなり、以降当該第２連続操作対応演出が終了するまで、突出側に操作ストロークが増加することはない。
【０９１０】
このため、ｔｃ５のタイミングにて強制変位が無効となり、操作部９０１が突出方向へ変位した場合であっても、同操作部９０１が初期位置を越えて最大突出位置へ到達することはない。そして、遊技者は、操作部９０１がどの位置まで突出するかを目視等にて確認することで、当該操作対応演出が第１連続操作対応演出及び第２連続操作対応演出の何れであるかを判別することが可能となる。
【０９１１】
ｔｃ６のタイミングにて操作部９０１が初期位置へと復帰した後は、第２連続操作対応演出と同様に、ｔｃ７のタイミングにて表示画面９４ａに第２単発操作用の示唆画像が表示される。第１連続操作対応演出においては、突出側ストッパ機構９５０が動作していないため、ｔｃ８のタイミングにて操作部９０１が操作されｔｃ９のタイミングにて操作部９０１が初期位置へ復帰するまでの間に、突出側ストッパ機構９５０のストッパ片９５１を初期位置へ復帰させるための処理は行われない。
【０９１２】
そして、変動表示回が終了するｔｃ１０のタイミングでは、第２連続操作対応演出と同様に、押圧側ストッパ機構９６０が規制状態に切り替わることとなる。
【０９１３】
以上詳述した第１０の実施の形態によれば、以下の優れた効果を奏する。
【０９１４】
操作スイッチユニット９００は、操作部９０１が押圧操作された際に特定位置へ到達したことを契機として、同操作部９０１を押圧方向へ強制的に変位させる構成が採用されている。かかる強制変位は必ず発生するものではないため、強制変位が実行される場合と実行されない場合とで操作時に触覚的な変化を生じさせることができる。かかる触角的な変化は、実際に押圧操作を行うことで把握することができるため、遊技者に押圧操作を促すことができる。これにより、操作手段への注目度の向上に貢献できる。
【０９１５】
押圧操作を行った際の変位方向と、強制変位の方向とを同じ方向としている。このため、操作部９０１が強制変位することで操作性が低下したり、最大押圧位置（操作受付位置）へ操作部９０１を到達させることが困難になったりすることを好適に回避することができる。
【０９１６】
操作部９０１を押圧操作方向へ変位させることで操作部９０１が最大押圧位置へ到達する。このため、操作部９０１の強制的な変位に驚く等して遊技者が操作部９０１から手を離したとしても、操作を有効に受け付けたことを契機として実行される表示演出が行われないままになるといった不都合が生じない。故に、操作部９０１を可変式として触覚的な演出機能を付与しても、それによって所定の表示演出の実行契機としての操作手段本来の機能が上手く発揮されなくなるといった不都合を生じにくくすることができる。
【０９１７】
操作部９０１が押圧操作された際の変位速度は、遊技者が操作部９０１をどのくらいの強さで押圧したかによって変化する。このため、仮に操作部９０１を強制変位させる際の操作部９０１の変位速度が操作速度よりの下回ってしまうと、駆動部等に荷重が加わりやすくなる。これは、駆動部等の保護を図る上で好ましくない。この点、本実施の形態においては、駆動部としてソレノイド９８０を採用しているため、上述した事象が発生したとしても駆動部に影響が及びにくい。これにより駆動部等を好適に保護することができる。また、押圧操作を妨げることもないため、操作部９０１を押圧している遊技者の手に過度の反力が加わることを回避できる。
【０９１８】
押圧操作については勢いよく行われることが多い。このため、上述した強制変位を発生させるタイミングが遅くなると、触覚的な変化を遊技者に対して伝えにくくなると懸念される。そこで、本実施の形態においては、強制変位の契機を操作部９０１の初期位置からの変位となるように設定した。かかる構成によれば、遊技者の押圧操作の開始に即座に反応して強制変位を実行することができる。これにより、上記不都合の発生を抑えることができる。
【０９１９】
操作部９０１を強制変位させた場合には、操作部９０１が最大押圧位置にて一時的に拘束されることとなる。このため、操作部９０１から手を離したとしても同操作部９０１が直ちに戻ってこないので、押圧方向へ変位中の遊技者の手と操作部９０１とが正面衝突することを回避できる。
【０９２０】
操作部９０１を強制変位させる場合には、その操作ストロークが小さいと、遊技者が触覚的な変化を把握することが困難になると懸念される。一方で、強制変位を考慮して、操作ストロークを予め大きく設定しておいた場合には、強制変位を伴わない押圧操作時の操作性が低下すると懸念される。
【０９２１】
そこで、本実施の形態に示すように、操作部９０１の強制変位を行う場合に押圧方向へ操作ストロークを拡大する構成とすれば、上記各不都合の発生を抑え、実用上好ましい構成を実現できる。
【０９２２】
強制変位が発生しない場合には操作部９０１の操作受付位置から先への変位が規制され、強制変位が発生する場合には操作部９０１の最大押圧位置から先への変位が規制される。そして、操作部９０１は、操作受付位置に到達している場合にはホルダ部９０２の中央開口９１１から操作面部が突出し、最大押圧位置に到達している場合には同中央開口９１１よりも奥側へ操作面部が埋没する構成となっている。遊技者が手のひらで操作部９０１を押圧した場合には、手のひらがホルダ部９０２に当たって止まる一方で、操作部９０１はそれよりも後退するため、手から離間しやすい。これにより、操作部９０１が強制的に変位した事実を遊技者に対して伝えやすくすることができる。但し、遊技者は検知位置を狙って押圧操作を行うのではなく、最大押圧位置で止まるようにして押圧操作を行うことが一般的である。そのため、毎度の操作で、埋没する位置が最大押圧位置として設定されていると操作を行いにくいとの印象を与えかねない。この点、上記構成によれば、埋没する最大押圧位置へは自力で移動するため、そのような不都合を生じない。
【０９２３】
なお、上述した各実施の形態の記載内容に限定されず、例えば次のように実施してもよい。因みに、以下の別形態の構成を、上記各実施の形態における構成に対して、個別に適用してもよく、相互に組み合わせて適用してもよい。
【０９２４】
（１）上記第１の実施の形態〜第４の実施の形態では、リーチ表示（リーチ変動）中に操作領域を変更する構成としたが操作領域を変更する詳細なタイミングについては任意である。但し、遊技者の注目度向上効果を好適に発揮させるには、少なくとも変動表示中（遊技回中）であることが好ましい。
【０９２５】
また、リーチ表示中に演出の一環として操作領域を拡張する構成としたが、これを変更し操作領域を減縮する構成としてもよい。更には、リーチ表示中（遊技回中）に操作領域の拡張→縮小を繰り替えす構成とすることも可能である。
【０９２６】
更には、上記第１の実施の形態及び第３の実施の形態〜第７の実施の形態では、リーチ表示（リーチ変動）中に操作手段を変形させる構成としたが操作手段を変形する詳細なタイミングについては任意である。但し、遊技者の注目度向上効果を好適に発揮させるには、少なくとも変動表示中（遊技回中）であることが好ましい。
【０９２７】
（２）上記第１の実施の形態及び第２の実施の形態では、「操作手段」としての押しボタン部材３２０，５５０等の操作態様を操作領域が変更される前後で同様としたが、操作領域の変更に伴って操作態様が変化する構成とすることも可能である。
【０９２８】
具体的には、操作領域が相対的に小さい状態（上記通常状態）での操作方向と、操作領域が相対的に大きい状態（上記拡張状態）での操作方向とを異なる方向とすることも可能である。
【０９２９】
また、各状態での操作方法を異なるものしてもよい。例えば、上記第１の実施の形態においては、以下の変更を行うことも可能である。すなわち、押しボタン部材を変形可能な膜状部材で構成するとともに、その内部に液体を注入し、更には液体の圧力を調整する調整手段（例えば油圧シリンダ等）と圧力の変化を検知する検知手段とを採用する。通常状態においては液体の圧力を大きくすることで、遊技者が触った際の実質的な変形を不可とし、拡張状態においては液体の圧力を小さくすることで実質的な変形を許容する。拡張状態となった場合には、押しボタン部材が上方に突出することで押しボタン部材を掴むことが可能となる。ここで、押しボタン部材の揉み操作を許容すれば、通常状態での押圧操作→拡張状態での揉み操作に操作方法を変更することができる。これにより、押しボタン部材に対する更なる注目度の向上に貢献することができる。
【０９３０】
（３）上記第１の実施の形態及び第２の実施の形態では、「操作手段」としての押しボタン部材３２０やカバー体５３０が操作前の位置に復帰したことを条件として操作対応演出を完遂する構成とし、操作後に操作手段から手が添えられたままとなることを抑制したが、かかる条件を必須とする必要はない。少なくとも操作手段が操作前の位置に復帰していることを条件として、拡張状態から通常状態に切り替える構成とすれば足りる。
【０９３１】
但し、操作手段に手が添えられる等して、操作前の位置への復帰が完了しない場合には、以降の遊技回においては復帰が完了するまで操作領域拡張演出が規制される。故に、望ましくは、上記実施の形態に示したように、演出完遂の条件に操作前の位置への押しボタン部材３２０等の復帰を組み込むことで、遊技者に対して押しボタン部材３２０等のリリースを促し、操作領域拡張演出後の通常状態への切り替えを円滑化するとよい。これにより、操作領域拡張演出が規制されたままとなって操作領域の変更に基づく演出が発生しにくくになることを抑制できる。
【０９３２】
（４）上記第１の実施の形態及び第２の実施の形態では、「操作手段」として押しボタン部材３２０，５５０を採用したが、これに代えて例えばジョイスティック等のレバー部材を採用してもよい。例えば、レバー部材単独で操作領域の拡張を実現する場合には、レバー部材を設置している台座部等からの同レバー部材の突出量を変更可能とすればよい。また、レバー部材を採用する場合には、その操作方向が複数方向となるように構成するとともに、レバー部材の操作方向を規制する操作方向規制手段を採用し、操作領域の拡張時に操作方向の規制手段による規制を解除する構成とすることも可能である。
【０９３３】
さらには、「操作手段」については遊技者の操作に基づいて変位する構成とする必要は必ずしもなく、遊技者の操作を変位無しで受け付ける構成、例えばタッチパネル等を採用してもよい。
【０９３４】
（５）上記各実施の形態では、「変更手段」又は「変形手段」として表示制御装置４１０を採用したが、表示制御装置４１０以外の他の制御装置（例えば音声ランプ制御装置１４３）を採用することも可能である。
【０９３５】
（６）上記第１の実施の形態では、操作スイッチユニット４０を上側膨出部２８に配設したが、遊技者が操作可能な位置に存在するのではあれば操作スイッチユニット４０の詳細な配置は任意である。例えば、下側膨出部２９に設けてもよいし、膨出部２８，２９と横並びとなる位置に配置してもよい。
【０９３６】
（８）上記第１の実施の形態では、「変更手段」を構成するシャッタ部材３３０によって「操作手段」としての押しボタン部材３２０の上方への突出を規制する構成としたが、シャッタ部材３３０は操作面部３２２における操作領域の一部を覆うことで操作領域の変更を行うことができば足り、必ずしも上記ストッパとしての機能を有する必要はない。
【０９３７】
また、押しボタン部材３２０においては操作領域が拡張される際に、操作ストロークが増大する構成としたが、通常状態及び拡張状態の両状態にて操作ストロークを同一とすることも可能である。
【０９３８】
（９）上記第１の実施の形態では、拡張状態から通常状態への円滑な切り替えを実現すべく、拡張状態にて押しボタン部材３２０が最大突出位置に待機していることを条件として、通常状態への切り替えを行う構成としたが、これを以下のように変更することも可能である。すなわち、押しボタン部材３２０が最大突出位置にあることを検知する位置検知センサ３５２に代えて、押しボタン部材３２０（詳しくは操作面部３２２）に指等が触れている場合にこれを検知するタッチセンサを採用し、タッチセンサによって操作面部３２２への接触が検知されていない場合に、拡張状態から通常状態への復帰を行う構成とすることも可能である。
【０９３９】
（１０）上記第２の実施の形態では、上皿５０１が満タンとなっている場合には、第１連続操作対応演出（操作領域拡張演出）を行わない構成としたが、これに限定されるものではなく、上皿５０１が満タンとなっている場合であっても第１連続操作対応演出を行う構成とすることも可能である。但し、この場合には、併せて以下の変更を行うことが望ましい。
【０９４０】
すなわち、低頻度サポートモード中であって保留数が上限に達している場合には、上皿５０１が満タンであったとしても第１連続操作対応演出を行う構成とする。保留数が上限となっている場合には、遊技者は遊技球の発射を停止することが多く（特にリーチ表示時）、更には遊技球の発射を継続できなくなることで遊技者が損失を被る可能性が低い。そこで、このような状況にて第１連続操作対応演出を行った際にカバー体５３０の移動によって球噛みが生じたとしても、遊技進行への影響を抑えることができる。
【０９４１】
また、遊技球の発射操作が行われていない場合には、上皿５０１が満タンであっても第１連続操作対応演出を行う構成とすることも可能である。遊技球の発射操作を行っていない状況下にて上記球噛み等の不都合が生じたとしても、遊技進行に影響がおよびにくい。
【０９４２】
以上の構成の少なくとも何れかを採用すれば、第１連続操作対応演出の実行条件を緩和することができる。
【０９４３】
（１１）上記第２の実施の形態では、仕切り部５２２によって貯留領域を前後に仕切る構成としたが、これに代えて、上皿本体５１０の底部５１１を手前側の領域よりも奥側の整列通路５２３が下位となる段差状に形成することも可能である。
【０９４４】
但し、カバー体５３０によって貯留球が押された場合には、貯留球同士の接触部分を介して力が伝播し得る。故に、上記手前側の領域に存在する貯留球と整列通路５２３に存在する貯留球との接触をできる限り少なくすることで、カバー体５３０からの力が整列通路５２３に届くことを抑制することができる。この点を考慮すれば、上記実施の形態に示した仕切り部５２２を採用することが望ましい。
【０９４５】
（１２）上記第２の実施の形態では、仕切り部５２２の前面と天板部５３２との間隔が貯留領域ＲＥの上流側に向けて大きくなる構成としたが、少なくともカバー体５３０の操作方向（押圧方向）と交差する方向へ貯留球を誘導できるのであれば足り、例えば下流側に向けて大きくなる構成としてもよい。また、天板部５３２の後端部を直線状、仕切り部５２２の前面を曲面状としたが、これを逆にし、天板部５３２の後端部が曲線状、仕切り部５２２の前面が平面状とすることも可能である。
【０９４６】
（１３）上記第２の実施の形態では、拡張状態にてカバー体５３０が操作された場合に押しボタン部材５５０がカバー体５３０に追従して移動する構成とすることで、カバー体５３０の操作を検知センサ５５７Ａによって検知可能とした。これを変更し、カバー体５３０用の検知センサと押しボタン部材５５０用の検知センサとを個別に設け、カバー体５３０と押しボタン部材５５０とが一体となって移動しない構成とすることも可能である。
【０９４７】
（１４）上記第２の実施の形態では、遊技者の操作に基づいてカバー体５３０が後方へ移動した場合に、同カバー体５３０の一部が貯留領域側へ張り出す構成としたが、必ずしもこれに限定されるものではなく、カバー体５３０が後方へ移動した場合であっても同カバー体５３０が貯留領域側へ張り出さない構成とすることも可能である。
【０９４８】
（１５）上記第２の実施の形態において、連続操作対応演出が実行されている場合（詳しくは連続操作完了後の期間）に、払出装置２２４からの遊技球の払出を一時的に停止する構成としてもよい。言い換えれば、遊技球の払い出しを連続操作対応演出の終了まで遅延させる構成としてもよい。
【０９４９】
（１６）上記第３の実施の形態では、規定操作回数として最大回数（「１０回」）が選択された場合の大当たり当選期待度が、規定操作回数として最大回数−１回が選択された場合の大当たり当選期待度よりも低くなる構成とした。より詳しくは、大当たり当選期待度が最大回数−１回で最も高くなる構成とした。規定操作回数が多くなることで大当たり当選期待度が高くなる構成であればよく、例えば最大回数にて大当たり当選期待度が最も高くなる構成とすることも可能である。
【０９５０】
（１７）上記第３の実施の形態では規定操作回数として最大回数が選択されている場合と、それ以外が選択されている場合とで、操作対応演出の態様を相違させる構成とした。具体的には、操作規定回数として最大回数が選択されている場合には遊技者の操作に基づいて遊技結果の先行告知を行う構成とし、それ以外の回数が選択されている場合には当該先行告知を行わない構成とした。これに限定されるものではなく、最大回数が選択されている場合とそれ以外が選択されている場合とで、操作対応演出の態様を同様とすることも可能である。
【０９５１】
例えば、操作規定回数として最大回数以外の回数が選択されている場合であっても、先行告知を行う構成とすることも可能である。但し、操作規定回数として何回が設定されているかは遊技者に告知されているではないため、操作初期は連打される可能性が高い。このような状況下にて先行告知を行う構成とした場合には、連打中に突如として先行告知が行われることとなる。これは、操作対応演出に遊技者の意思を反映させるという当初の思惑から外れてしまう。故に、望ましくは先行告知については最大規定回数にて実行する構成とし、操作対応演出に対して遊技者の意思を反映しやすくしておくとよい。
【０９５２】
（１８）上記第３の実施の形態及び第４の実施の形態では、操作を有効に受け付けた旨を表示画面９４ａにて示唆する構成としたが、受付示唆の機能をスピーカ部やランプ部に付与することも可能である。
【０９５３】
さらには、少なくとも操作スイッチユニットの変形（操作領域の変化）に基づいて受付けが示唆される点に鑑みれば、表示画面９４ａ等にて実行される他の示唆機能を省略することも可能である。
【０９５４】
（１９）上記第３の実施の形態及び第４の実施の形態では、操作スイッチユニットの変形に基づく受け付け示唆の実行タイミングと、表示画面９４ａにて実行される受け付け示唆の実行タイミングとをずらすことも可能である。
【０９５５】
例えば、操作スイッチユニットの変形に基づく受け付け示唆が実行された後に、表示画面９４ａにて受け付け示唆が実行される構成とすることも可能である。
【０９５６】
（２０）上記第４の実施の形態では、「規制手段」を構成する表示制御装置４１０のＭＰＵ４１２においては、連続拡張演出の実行中に遊技者による操作を有効に受け付けた場合であっても操作が有効に受け付けられた旨の示唆が一時的に回避される構成とした。これを変更し、操作そのものを受け付けを規制することで操作が有効に受け付けられた旨の示唆を一時的に回避される構成とすることも可能である。
【０９５７】
（２１）上記第４の実施の形態では、連続拡張演出の実行中に遊技者による操作を有効に受け付けた場合の示唆の規制を、操作回に応じて実行する構成としたが、これを変更し、特定の期間に亘って示唆を規制する構成とすることも可能である。但し、遊技者による操作がどのタイミングにて行われるかは一義的でない点を考慮すると、期間に基づいた示唆の規制に関してはその機能が上手く発揮されない可能性がある。故に、望ましくは上記第４の実施の形態に示したように操作回に応じて示唆を規制する構成を採用するとよい。
【０９５８】
（２２）上記第５の実施の形態及び第６の実施の形態では、「外側操作部」としての外側操作部材６２０によって「内側操作部」としての内側操作部材６１０を完全に覆う構成としたが、これに限定されるものではない、外側操作部材６２０によって少なくとも内側操作部材６１０へのアクセスが不可となるように同内側操作部材６１０が覆われていれば足りる。
【０９５９】
また、外側操作部材６２０については、必ずしも椀状に形成されている必要はない。少なくとも内側操作部材６１０へのアクセスを妨げる機能が付与されていれば足り、その形状については任意である。
【０９６０】
（２３）上記第５の実施の形態では、内側操作部材６１０が外側操作部材６２０に対して内側から当接する構成としたが、これに限定されるものではなく、例えば通常状態において内側操作部材６１０と外側操作部材６２０との間に隙間が形成される構成とすることも可能である。
【０９６１】
但し、外側操作部材６２０が遊技者による押圧操作の対象となる点、更には外側操作部材６２０が可動式である点を考慮した場合には、外側操作部材６２０の保護の観点から、内側操作部材６１０を外側操作部材６２０に対して当接させる構成とすることが好ましい。
【０９６２】
（２４）上記第５の実施の形態では外側操作部材６２０を左右に並設し、上記第６の実施の形態では外側操作部材６２０Ａを前後に並設したが、外側操作部材をどのように配置するか、またその数については任意である。
【０９６３】
例えば、外側操作部材６２０を単数とすることも可能である。但し、操作スイッチユニットの変形に要する期間を短縮し、操作対応演出の円滑化を図る上では、外側操作部材６２０を複数として、動作ストロークを短縮するとよい。これにより、変形に要する期間の短縮に貢献することができる。
【０９６４】
（２５）上記第６の実施の形態では、ロック装置６６０を採用して変形状態では外側操作部材６２０Ａ（操作部６０１Ａ全体）の操作を不可としたが、ロック装置６６０を省略し、変形状態であっても外側操作部材６２０Ａ（操作部６０１Ａ全体）の操作を許容する構成としてもよい。
【０９６５】
（２６）上記第７の実施の形態では、「第１操作部材」としてのボタン部材７２０に対して「第２操作部材」としての可動部材７５０が後退することで、操作面部７０５が変形する構成としたが、これを変更し、可動部材７５０が突出することで、操作面部７０５が変形する構成としてもよい。これにより、操作面部７０５の変化を遊技者に対して伝えやすくすることができる。ただし、操作面部７０５における占有率については可動部材７５０のほうが小さく設定されているため、上述の如く突出した後は、押圧操作が行いにくくなることが懸念される。これは、操作スイッチユニット７００の操作性を低下させる要因となり得る。故に、操作性担保を考慮すれば、上記第７の実施の形態に示したように可動部材７５０が後退する構成を採用することが望ましい。
【０９６６】
因みに、上記第７の実施の形態に示したように可動部材７５０が後退する構成を採用した場合には、例えば可動部材７５０を突出させる構成と比較して、変形の目立ちやすさが僅かに劣る可能性がある。これは、突出させる構成においては突出量を大きくすることで変形が際立つのに対して、後退させる構成においてはある程度後退させた後は、それ以上後退させても外観上の変化が進まないことに起因する。そこで、例えば、可動部材７５０に光透過性を付与するとともにボタン部材７２０が光を透過しない構成とし、操作部７０１内に突出部７５２を通じて先端部７５３から光を照射する発光体を内蔵するとよい。可動部材７５０が後退することで、スリット７２３を通じて射出される光の態様が変化することで、可動部材７５０が後退した旨を示唆することができる。
【０９６７】
（２７）上記第７の実施の形態では、操作面部７０５が曲面状をなす構成としたが、操作面部７０５が平面状をなす構成とすることも可能である。但し、変形後の触覚的な変化を大きくする上では、操作面部７０５を曲面状とすることが好ましい。
【０９６８】
（２８）上記第７の実施の形態では、操作部７０１の操作方向と、ボタン部材７２０及び可動部材７５０の相対変位方向とを平行としたが、これに限定されるものではない。操作方向と相対変位方向とが交差する構成とすることも可能である。
【０９６９】
（２９）上記第７の実施の形態では、操作面部７０５の占有率が相対的に大きいボタン部材７２０に対して同占有率が相対的に小さい可動部材７５０を変位させる構成としたが、これを逆にすることも可能である。
【０９７０】
（３０）上記第７の実施の形態では変形の開始タイミングを最大押圧位置に到達したタイミングとしたが、これを変更し、最大突出位置へ復帰したタイミング又は最大押圧位置から最大突出位置へ復帰する期間中の特定のタイミングにて、変形を開始する構成とすることも可能である。
【０９７１】
（３１）上記第７の実施の形態では、可動部材７５０の突出部７５２が板状をなす構成としたが、少なくとも遊技者が指等で操作面部７０６を押圧操作する場合に、当該指が操作面部７０５においてボタン部材７２０により構成されている領域と可動部材７５０により構成されている領域との両領域に接するようにして、ボタン部材７２０の上面部７２２と可動部材７５０の先端部７５３との位置関係が規定されていればよい。例えば、突出部が柱状（例えば円柱状）をなす構成としてもよい。
【０９７２】
また、可動部材７５０に相当する構成の数は１つに限定されるものではなく、複数とすることも可能である。例えば、円筒状をなすとともに径が異なる複数の可動部材を同心円状に配し、それら各可動部材を個々に移動させる構成とすることも可能である。
【０９７３】
（３２）上記第１の実施の形態及び第３の実施の形態〜第７の実施の形態では、「操作手段」としての操作スイッチユニット４０等を前扉枠１４の上側膨出部２８に配設したが、操作スイッチユニット４０等は少なくとも遊技機正面側から操作可能であればよく、その詳細な配置については任意である。例えば、操作スイッチユニットを下側膨出ぶ２９に配設したり、遊技球発射ハンドル４５の周辺に配設したりすることも可能である。
【０９７４】
更には、操作スイッチユニットの向きについても、操作部が上方を向くようにして配置する必要は必ずしもなく、例えば、操作部が遊技機前方を向くようにして配置したり、斜め上方を向くようにして配置したりすることも可能である。
【０９７５】
（３３）上記第１の実施の形態においては、押しボタン部材３２０が操作される前に、操作スイッチユニット４０を変形させる（拡張状態に切り替える）構成としたが、これに限定されるものではない。例えば、他の実施の形態と同様に、押しボタン部材３２０が操作されたことに基づいて、操作スイッチユニット４０が変形する構成とすることも可能である。
【０９７６】
更には、押しボタン部材３２０が最大押込位置（最大押圧位置又は最大変位位置）に到達して操作が有効に受け付けられた場合に、押しボタン部材３２０が初期位置に復帰するまでに操作スイッチユニット４０の変形（拡張状態への切り替え）を開始させる構成とすることで以下の効果が期待できる。
【０９７７】
操作スイッチユニット４０を変形させる構成を採用した場合には、既に説明したように、操作スイッチユニット４０そのものに対する注目度を向上することが可能である。しかしながら、このような変形手段を有する遊技機では、操作スイッチユニット４０の変形を行ったとしても仮にそれが見逃された場合には、当該変形機能（詳しくは報知・演出等の効果）が上手く発揮されなくなると想定される。これは、上記変形手段を採用して操作スイッチユニット４０への注目度の向上を妨げる要因となり得る。
【０９７８】
この点、本変形例によれば、押しボタン部材３２０が操作された場合には当該押しボタン部材３２０が待機位置へ復帰するまでに状態変更を開始させることで、押しボタン部材３２０に対して遊技者の手が触れている期間中に状態変更が発生する可能性を高くすることができる。これにより、遊技者により操作スイッチユニット４０の変形が見逃される機会を減らし、報知・演出効果を好適に発揮させることが可能となる。故に、遊技者の操作手段に対する注目度の向上に貢献することができる。
【０９７９】
（３４）上記変形例（３３）においては押しボタン部材３２０が最大押込位置（最大押圧位置又は最大変位位置）に到達した場合に、操作スイッチユニット４０の操作検知センサ３５１からの検知信号（検知情報）が出力され、表示制御装置４１０にて当該検知信号を受け付けることで操作スイッチユニット４０が変形する構成とすることで、同変形例（３３）に示した技術的思想を具現化することができる。
【０９８０】
ここで、操作検知位置については、最大押込位置に限定されるものではなく。例えば初期位置と最大押込位置との途中位置とすることも可能である。かかる構成を採用することにより、遊技者の手等が押しボタン部材３２０に触れている状態で変形が生じる可能性を高めることができ、上記変形例（３３）に示した効果を一層好適に発揮させることができる。
【０９８１】
（３５）上記変形例（３３）や変形例（３４）においては、操作スイッチユニット４０が変形する構成としたが、これら各変形例に示す技術的思想を具現化する上では、以下の変更を行ってもよい。すなわち、少なくとも操作スイッチユニット４０の状態（態様）を操作前の状態から当該状態とは異なる状態に変更することができるのであれば足り、例えば非振動状態及び振動状態に切替可能な振動タイプの操作スイッチユニットを採用することも可能である。この場合、例えば遊技者により押しボタン部材３２０が操作されたことに基づいて、押しボタン部材３２０が非振動状態から振動状態に切り替わる構成とすればよい。
【０９８２】
また、操作スイッチユニット４０については、上記変形、振動等の動作を伴う状態の変化を必須とするのものではなく、動作を伴わない状態の変化が生じるものであってもよい。例えば、遊技者により押しボタン部材３２０が操作された場合に、常温状態から高温状態に切り替わる（発熱する）構成とすることも可能である。但し、このような温度変化を生じさせる構成については、上記第１の実施の形態等に示した可変式又は上記変形例に示した可動式の操作スイッチユニットと比較して、応答性の面で劣ると想定される。
【０９８３】
遊技者が操作を行う場合に、押しボタン部材３２０に触れている期間は、長押操作の催促等を行っていない場合にはそれほど長くはないと想定される。このため、触覚的な変化を遊技者に見逃されにくくするには、操作スイッチユニット４０の状態の変更に要する期間はできるだけ短いほうがよい。このような事情を考慮すれば、上記第１の実施の形態等に示した応答性に勝る可動式の操作スイッチユニットを採用することが望ましい。
【０９８４】
（３６）上記変形例（３３）〜（３５）においては、単発操作が行われたことに基づいて操作スイッチユニット４０が変形し得る構成としたが、当該単発操作よりも操作期間が長くなるように設定された長押操作等が行われた場合に操作スイッチユニット４０の状態が変更される構成としてもよい。
【０９８５】
具体的には、第１所定期間に亘って操作が継続されることで第１所定表示演出が実行されるパターンと、第１所定期間よりも長く設定された第２所定期間に亘って操作が継続されることで第２所定表示演出が実行されるパターンとを演出用情報として記憶しておき、演出用の抽選の結果第２所定表示演出が選択された場合に上記操作スイッチユニット４０の状態変更を許容する構成とする。押しボタン部材３２０の操作が行われる場合に、遊技者に対して第２所定期間に亘る操作の継続（長押操作等）を促す催促を表示画面９４ａ等にて実行し、押しボタン部材３２０の操作の継続が促されている状況下にて押しボタン部材３２０の操作を有効に受け付けた場合に、操作スイッチユニット４０の変形を開始させる構成とするとよい。
【０９８６】
第２所定期間に亘る操作の継続が催促されている状況下にて操作が受け付けられた場合に上記状態変更を開始させる構成とすることにより、遊技者が押しボタン部材３２０等に対して触れている状況にて操作スイッチユニット４０の変形等が行われる機会を好適に増やすことができる。これにより、当該状態変更が行われた事実が見逃されるといった不都合を生じにくくすることができる。
【０９８７】
なお、操作の継続としては、連発操作や、押圧したままの状態で維持する長押操作とうが考えられるが、触覚的な変化を伝えやすくする上では（例えばその機会を担保しやすくする上では）、押圧しままの状態で維持する長押操作を催促の対象とすることが望ましい。
【０９８８】
また、催促手段によって第２所定期間に亘る操作の継続が催促される構成においては、併せて以下の構成を採用するとよい。すなわち、催促中に押しボタン部材３２０が操作された場合には、少なくとも第２所定期間中であることを前提として押圧状態のまま維持されている間は表示画面９４ａ等にてそれに対応する特定の表示演出を実行するとよい。このように、押圧状態の維持により特定の演出が実行される構成を併用すれば、遊技者に対して操作の継続を好適に促すことができる。この場合、少なくとも操作が継続されている間は、上記変形状態のまま維持することで、当該変形が見逃されるといった不都合を生じにくくすることができる。
【０９８９】
因みに、変形例（３３）〜（３６）に示した技術的思想は、第１の実施の形態以外の他の実施の形態に適用することも可能である。少なくとも遊技者による操作に基づいて操作手段の状態を変更する構成を有している場合には、これら各変形例に示した課題、すなわち遊技者に対して状態の変化を伝えやすくするという共通の課題が存在し得る。ここで、これら変形例に示した技術的思想を転用すれば、実用上好ましい構成を実現することができる。
【０９９０】
（３７）上記第１の実施の形態では、押しボタンタイプの操作スイッチユニット４０を採用したが、上記変形例（３３）〜（３６）に示した技術的思想を具現化する上では、例えばレバータイプの操作スイッチユニットを採用することも可能である。少なくとも遊技者が触れて操作するものであれば、どのようなタイプの操作スイッチユニットを採用するかは任意である。
【０９９１】
（３８）上記第９の実施の形態では、「表示部」としての発光ユニット８５０が発光機能を有する構成としたが、これに限定されるものではない。例えば、発光ユニット８５０に代えて、絵柄等の装飾が施された装飾体を採用してもよい。かかる構成においては、例えば装飾体が操作面部８１１に当接又は近接する表示位置に配されている場合には、操作面部８１１を通じて装飾体を視認容易とし、装飾体が初期位置に待機している場合には、操作面部８１１を通じた装飾体の視認が困難又は不可となるように構成するとよい。なお、操作面部８１１を半透明ではなく透明にすることにより、装飾体の視認性を向上することも可能であるが、初期位置と表示位置とでの外観上の差違を明確にする点を考慮した場合には、上記第９の実施の形態に示したように、操作面部８１１に光拡散機能を付与する構成とすることが好ましい。
【０９９２】
因みに、発光ユニット８５０の発光基板８６０に変えて液晶や有機ＥＬ等のディスプレイを採用することも可能である。
【０９９３】
（３９）上記第９の実施の形態では、操作面部８１１から相対的に遠い位置を発光ユニット８５０の初期位置、操作面部８１１に相対的に近い位置を発光ユニット８５０の操作対応演出位置としたが、これらの位置関係を逆に設定してもよい。つまり、操作対応演出を実行しない場合には、発光ユニット８５０を操作面部８１１から相対的に遠い位置に配置し、操作対応演出を実行する場合には発光ユニット８５０を操作面部８１１から相対的に遠い位置に配置してもよい。かかる構成においては、例えば通常時は押しボタンに例えば「ＰＵＳＨ」の文字が浮かび上がり、且つ特定演出時には押しボタン全体が特定の色（例えば虹色）に輝く構成とすることで大当たりの当選期待度等を示唆する構成とすればよい。
【０９９４】
（４０）上記第９の実施の形態では、「光規制部」として基板ホルダ８７０を設けたが、基板ホルダ８７０に光規制部としての機能を付与する必要は必ずしもなく、これを省略することも可能である。
【０９９５】
この場合、発光対象となる発光体８６１を切り替えることで、様々な文字を表示することができる。特に操作面部８１１と発光ユニット８５０が一体となって変位する構成においては、２度、３度と操作を繰り返すことで、表示される文字を操作の都度変更することにより、発光演出の多様化を実現できる。この場合であっても、操作面部８１１と発光ユニット８５０との位置関係を一定（当接した状態）に保つことができるため、操作によって表示された文字の視認性が低下することを回避することができる。
【０９９６】
また、「光規制部」に相当する機能をボタン部材８１０側に付与することも可能である。更には、光規制部に相当する機能をボタン部材８１０及び発光ユニット８５０の両者に付与することも可能である。
【０９９７】
（４１）上記第９の実施の形態では、押圧操作が行われている最中に、発光ユニット８５０の発光を制限する構成としたが、これに限定されるものではない。例えば、常時いずれかの発光体８６１が点灯する構成とすることも可能である。但し、外観上の差違を明確にしたり、変化を強調したりする上では、移動中の発光を制限する構成とすることが好ましい。
【０９９８】
（４２）上記第９の実施の形態では、操作面部８１１に光拡散部８１６を形成したが、少なくとも基板ホルダ８７０（詳しくは起立壁部８７３等）によって規制された光を操作面部８１１を通じて遊技機正面側に照射される前に拡散することができるのであればよく、操作面部８１１と基板ホルダ８７０との間に光拡散部８１６に相当する構成を別途設けてもよい。但し、操作スイッチユニット８００の占有領域の拡がりを抑える点、更には操作面部８１１自体が発光しているかのように見せることができる点を考慮すれば、上記第９の実施の形態に示したように、操作面部８１１に光拡散部８１６を設けることが好ましい。なお、光を拡散できるのであれば、その具体的な構成は任意である。
【０９９９】
（４３）上記第９の実施の形態では、ボタン部材８１０が遊技者の押圧操作によって変位する構成（可動式）としたが、これを変更し、押圧操作が行われた場合であってもボタン部材８１０が変位しない構成（固定式）とすることも可能である。
【１０００】
この場合、押圧操作の有無を検知する手段として、例えばタッチセンサを採用するとよい。
【１００１】
（４４）上記第９の実施の形態では、長押し操作の示唆継続期間を、少なくとも発光ユニット８５０が操作面部８１１に当接するのに要する期間（詳しくは発光ユニット８５０が最大変位位置へ到達する期間）と同等としたが、これに限定されるものではない。遊技者により押圧操作が継続されていることを前提とするならば、ボタン部材８１０が最大押圧位置に配置された状態にて発光ユニット８５０が操作面部８１１に当接する位置へ到達するのに要する期間よりも長く設定すれば足りる。
【１００２】
（４５）上記第９の実施の形態では、「駆動部」としてソレノイド８８０を採用したが、これに代えて例えばモータ等を採用してもよい。但し、押圧操作によって生じる外力が逆向きに作用する可能性があり、これがボタン部材８１０や駆動部に過剰な負荷を与える要因になり得る。この点、ソレノイド８８０を採用すれば、上述した逆向きの力が加わったとしても、それにより、ソレノイド８８０やボタン部材８１０に過度に大きな負荷が生じることを抑制できる。
【１００３】
（４６）上記第９の実施の形態では、ボタン部材８１０と発光ユニット８５０とが一体となって変位する構成をソレノイド８８０によって実現したがこれに限定されるものではない。
【１００４】
例えば、ボタン部材８１０を最大押圧位置へ押し込むことで、操作面部８１１と発光ユニット８５０とを結合する結合手段を採用してもよい。結合手段としては、ロック機構や粘着材等を採用するとよい。このような構成を採用した場合には、発光ユニット８５０を駆動させる構成（ソレノイド８８０）を省略することができ、操作スイッチユニット８００の構成の簡略化に貢献できる。
【１００５】
（４７）上記第９の実施の形態では、発光ユニット８５０を動作させることで、発光ユニット８５０と操作面部８１１との距離を変化させる構成としたが、遊技者による押圧操作によって操作面部８１１が発光ユニット８５０に近づく点を考慮すれば、当該押圧操作を距離を変更するための手段として活用することも可能である。例えば、ボタン部材８１０が初期位置に待機している状況下や最大押圧位置に到達したタイミング等で、発光体８６１を点灯させて発光演出を行うことにより、発光態様に差を生じさせることができる。
【１００６】
（４８）上記第１０の実施の形態では、「操作手段」としての操作部９０１を最大押圧位置まで強制変位させる構成としたが、これに限定されるものではなく、少なくとも操作部９０１を強制変位させる区間が設けられていれば足りる。
【１００７】
但し、強制変位を実行する場合には、遊技者が驚いて手を離す可能性がある。このように、操作部９０１から手を離すことで、操作受付位置へ操作部９０１を押し込む期間を逸する可能性が高くなる。故に、望ましくは、操作部９０１を強制変位させる場合には、少なくとも操作受付位置まで操作部９０１を引き込む構成とするとよい。
【１００８】
（４９）上記第１０の実施の形態では、操作部９０１を最大押圧位置にて拘束する構成としたが、これに限定されるものではない。操作部９０１を最大押圧位置まで強制変位した後は、ソレノイド９８０への駆動信号の出力を停止し、バネ部材９４１の付勢力によって操作部９０１を初期位置等に復帰させる構成としてもよい。
【１００９】
（５０）上記第１０の実施の形態では、「操作ストローク変更手段」として押圧側ストッパ機構９６０を設けたが、これを省略することも可能である。
【１０１０】
（５１）上記第１０の実施の形態では、操作部９０１が初期位置から外れた直後に強制変位を開始する構成としたが、これに限定されるものではない。少なくとも、遊技者による押圧操作が完了する前のタイミング、すなわち操作部９０１が操作受付位置や最大押圧位置へ到達する前のタイミングにて強制変位を開始する構成であれば足りる。すなわち、「特定位置」については初期位置〜操作受付位置間の任意の位置に変更してよい。
【１０１１】
但し、操作部９０１が強制的に変位していることを遊技者に伝えやすくするためには、ある程度のストロークを確保することが好ましい。故に、望ましくは上記第１０の実施の形態に示したように押圧操作開始直後のタイミングにて強制変位が開始される構成とすることが好ましい。
【１０１２】
（５２）上記第１０の実施の形態では、操作部９０１が初期位置に存在していることを検知する検知センサ９７１を設け、表示制御装置４１０では検知センサ９７１からの検知信号が検知用のＨＩ信号から非検知用のＬＯＷ信号に切り替わった際に、操作部９０１が初期位置から外れた（特定位置に到達した）と判定する構成としたが、これを以下のように変更してもよい。すなわち、操作部９０１が特定位置に存在していることを検知する検知センサを設け、表示制御装置４１０ではかかる検知センサからの検知信号に基づいて特定位置への到達を判定する構成としてもよい。
【１０１３】
（５３）上記第１０の実施の形態では、強制変位を行った場合には、操作部９０１（詳しくは操作面部）がホルダ部９０２の中央開口９１１内に埋没する構成とすることで、手のひらが操作面部から離間しやすくしたが、これに限定されるものではなく、強制変位を行った場合であっても、操作部９０１が中央開口９１１から突出したままとなる構成としてもよい。
【１０１４】
（５４）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【１０１５】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【１０１６】
更に、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【１０１７】
＜上記各実施の形態から抽出される発明群について＞
以下、上述した各実施の形態から抽出される発明群の特徴について、必要に応じて効果等を示しつつ説明する。なお以下においては、理解の容易のため、上記各実施の形態において対応する構成を括弧書き等で適宜示すが、この括弧書き等で示した具体的構成に限定されるものではない。
【１０１８】
特徴Ａ１．遊技者により操作される操作手段（押しボタン部材３２０等）を備えた遊技機において、
前記操作手段は、第１状態と、当該第１状態よりも遊技者が直接触れて操作できる操作範囲が広く設定された第２状態とに切替可能に構成されており、
遊技状況に応じて、前記操作手段を前記第１状態と前記第２状態とに切り替えることで、前記操作範囲を変更する変更手段（シャッタ部材３３０や表示制御装置４１０等）を備えていることを特徴とする遊技機。
【１０１９】
特徴Ａ１によれば、遊技者が直接触れて操作できる操作範囲が遊技状況に応じて変更される。これにより、操作手段を操作する際に視覚的に又は触覚的に操作範囲がどのようになっているかを確認する遊技が実現され、操作手段への注目度の向上に貢献することができる。
【１０２０】
例えば、前記変更手段が、予め設定された条件が成立した場合に、前記操作手段を前記第１状態から前記第２状態に切り替えることで、操作可能となる範囲を拡張する拡張手段を有する構成を採用するとよい。
【１０２１】
なお、本特徴に示す構成を以下のように変更してもよい。すなわち、「遊技機前面側に設けられ、遊技者の操作により操作信号を出力する操作手段と、前記操作信号が入力された場合と入力されない場合とで異なる演出を実行する演出制御手段とを備え、前記操作手段には、遊技者が直接触れて操作することにより前記操作信号が出力される操作範囲が定められており、前記操作手段は、前記操作範囲が各々異なる第１状態と第２状態とに切替可能の構成されており、遊技状況に応じて、前記操作手段を前記第１状態と前記第２状態とに切り替えることで、前記操作範囲を変更する変更手段を備えていることを特徴とする遊技機」としてもよい。
【１０２２】
特徴Ａ２．前記第２状態における前記操作範囲は、前記第１状態における前記操作範囲の少なくとも一部を含んでいることを特徴とする特徴Ａ１に記載の遊技機。
【１０２３】
特徴Ａ２によれば、第１状態及び第２状態にて共通の操作範囲を設定しておくことにより、遊技者が操作すべき箇所を把握できずに操作機会を逃してしまうことを抑制できる。
【１０２４】
特徴Ａ３．前記変更手段は、
前記操作手段における特定部位（例えば操作面部３２２において中央部分以外の部分）の操作を規制する規制手段（シャッタ部材３３０）と、
前記規制手段による操作規制を解除する解除手段（ソレノイド３４０や表示制御装置４１０等）と
を有し、
前記規制手段によって前記操作規制がなされることで前記第１状態となり、前記解除手段によって前記操作規制が解除されることで前記第２状態となることを特徴とする特徴Ａ１又は特徴Ａ２に記載の遊技機。
【１０２５】
特徴Ａ２によれば、第１状態となることで特定部位の操作が規制され、第２状態となることで特定部位の操作が可能となる。このように、特定部位の操作を規制／規制解除で切り替える構成とすることにより、操作範囲の変化を遊技者に対して示唆することができる。
【１０２６】
特徴Ａ４．前記規制手段は、前記第１状態にて前記特定部位を覆う可動式のカバー部であり、
前記解除手段は、前記カバー部を前記特定部位を覆わない位置に移動させることで前記第２状態とするものであり、
前記第２状態においては、当該特定部位が露出することで、当該特定部位を直接触れて操作可能となることを特徴とする特徴Ａ３に記載の遊技機。
【１０２７】
特徴Ａ３によれば、規制手段（カバー部）によって特定部位を覆う第１状態と覆わない第２状態とに切り替える構成とすることにより、操作範囲がどのように変化したかを遊技者に対して明確に示すことができる。
【１０２８】
また、カバー部を移動式とすることにより、上記操作範囲の変化を遊技への注目度を高める演出として好適に利用することができる。なお、遊技者は操作手段に対して手を添えた状態で遊技を行うことがあるが、この場合、遊技者に対して視覚又は聴覚による演出だけでなく触覚による演出を提供することが可能となる。
【１０２９】
特徴Ａ５．前記操作手段は、操作面（操作面部３２２）を有する操作ボタン（押しボタン部材３２０）であり、
前記規制手段は、前記第１状態では前記操作面の押圧操作を許容するようにして当該操作面の一部を覆い、前記第２状態では記第１状態よりも覆う範囲が小さくなるように又は前記操作面を覆わないように構成された可動式のカバー部（シャッタ部材３３０）であり、
前記解除手段は、
前記カバー部を前記第１状態となる位置及び前記第２状態となる位置を含む所定の範囲で移動させる駆動手段（ソレノイド３４０やギア３４５等）と、
前記カバー部が前記第１状態又は前記第２状態となるように前記駆動手段を制御する駆動制御手段（表示制御装置４１０）と
を有していることを特徴とする特徴Ａ３に記載の遊技機。
【１０３０】
特徴Ａ５によれば、操作面においてカバー部により覆われる範囲が変わることで、操作範囲がどのように変化したかを遊技者に対して明確に示すことができる。
【１０３１】
また、カバー部を移動式とすることにより、上記操作範囲の変化を遊技への注目度を高める演出として好適に利用することができる。なお、遊技者は操作手段に対して手を添えた状態で遊技を行うことがあるが、この場合、遊技者に対して視覚又は聴覚による演出だけでなく触覚による演出を提供することが可能となる。
【１０３２】
特徴Ａ６．前記操作ボタンは、遊技者によって操作されることで所定方向に変位可能に設けられており、
前記カバー部は、前記所定方向と交差する方向に移動可能に設けられており、
前記駆動制御手段は、前記第２状態となっている状況下で前記操作ボタンが操作前の位置に復帰したことに基づいて、前記操作手段を前記第１状態に切り替えるように前記駆動部を駆動制御することを特徴とする特徴Ａ５に記載の遊技機。
【１０３３】
カバー部の移動によって操作可能な範囲を拡張する場合には、操作可能な範囲を減縮する際にカバー部を円滑に移動させる構成とすることが好ましい。この点、本特徴においては、第２状態から第１状態に切り替わる場合に、操作ボタンが操作前の位置に復帰していることを条件としてカバー部が移動する構成とした。これより、手（指等）にカバー部が干渉する等して、第１状態へ切り替えが妨げられるといった機会を減らすことができる。
【１０３４】
特徴Ａ７．前記第２状態にて前記操作ボタンが操作された場合に、当該操作ボタンが操作前の位置に復帰することで所定の演出を実行する演出実行手段（表示制御装置４１０において演出を実行する機能）を備えていることを特徴とする特徴Ａ６に記載の遊技機。
【１０３５】
特徴Ａ７によれば、指等で操作ボタンを押圧した後、同操作ボタンから指等を離すことにより、所定の演出が実行されることとなる。これにより、遊技者に対して押圧操作後に操作手段から指を退けるように促すことができ、第１状態への切り替えの円滑化に貢献することができる。
【１０３６】
特徴Ａ８．前記操作手段は、
第１操作部（押しボタン部材５５０）と、
前記第１操作部とは別に設けられ、操作に基づいて変位可能な第２操作部（カバー体５３０）とを有し、
前記変更手段は、前記第１状態では前記第２操作部の変位を規制し、前記第２状態では前記第２操作部の変位規制を解除するものであり、
前記第１状態にて、前記第２操作部の操作を促す第１催促手段と、
前記第２状態にて、前記第２操作部の操作を促す第２催促手段と
を備えていることを特徴とする特徴Ａ１乃至特徴Ａ３のいずれか１つに記載の遊技機。
【１０３７】
特徴Ａ８によれば、遊技者は第２操作部を操作した感触から操作範囲が変化したか否かを把握することができる。具体的には、第２操作部の変位が規制されているか否かを操作を試みることで把握可能となっている。上記操作範囲の変化を遊技への注目度を高める演出として用いることで、遊技者に対して視覚又は聴覚による演出だけでなく触覚による演出を提供することが可能となる。
【１０３８】
特徴Ａ９．遊技機前面部に遊技機前方に膨出するようにして設けられ、遊技球を貯留可能な貯留皿（上皿５０１）を備え、
前記貯留皿は、前記遊技機前面部に固定され貯留領域形成部（底部５１１や周壁部５１２）が設けられた本体部（上皿本体５１０）を有してなり、
前記本体部の前面部分に沿って設けられているとともに当該前面部分を遊技機前方から覆い、当該本体部に対して相対移動可能に設けられた前面可動パネル部（カバー体５３０）を備え、
前記第２操作部は、前記前面可動パネル部によって構成されており、予め設定された条件が成立した場合に前記変位規制が解除されることを特徴とする特徴Ａ８に記載の遊技機。
【１０３９】
遊技機には、操作部（例えば押しボタン）へのアクセスを容易化したり、目立たせたりすることを考慮して、貯留皿の前面部や上面部に操作ボタンが配設されたものがある。このような遊技機においては、操作性を担保しつつ操作範囲の変更を実現しようとした場合、例えば同貯留皿に他の操作ボタンを追加するといった構成を採用し得る。しかしながら、かかる構成では操作ボタンの配設領域の確保によって貯留皿の遊技機前方への張り出しが大きくなったり貯留領域が圧迫されやすくなったりする。そこで操作ボタンを追加するのではなく、前面可動パネル部（例えば貯留皿の外郭形成部）を第２操作部とすれば、上記不都合の発生を抑えつつ操作領域を拡張することができる。
【１０４０】
特徴Ａ１０．前記第１操作部は、前記第２操作部の変位方向と同じ方向に変位可能に設けられており、
前記第１操作部の変位に基づいて、同第１操作部が操作されたことを検知する検知手段を備え、
前記第１操作部が操作された場合には、当該第１操作部が前記第２操作部とは独立して変位する一方、前記第２操作部が操作された場合には、当該第２操作部に追従して前記第１操作部が変位するように構成されていることを特徴とする特徴Ａ９に記載の遊技機。
【１０４１】
特徴Ａ１０によれば、第１操作部及び第２操作部のどちらが操作された場合であっても、操作が行われたことを検知手段によって検知できる。かかる構成によれば、検知手段を共用し、電気的構成の簡素化に貢献できる。
【１０４２】
特徴Ａ１１．前記前面可動パネル部は、遊技者の操作に基づいて遊技機後方へ移動することで、前記貯留領域に対して上方から重ならない位置から同貯留領域に対して上方から重なる位置へ移動するように構成されていることを特徴とする特徴Ａ９又は特徴Ａ１０に記載の遊技機。
【１０４３】
特徴Ａ９に示したように第２操作部として前面可動パネル部（例えば外郭形成部）を採用した場合、貯留領域から離れた位置で前面可動パネル部を移動可能とすることにより、前面可動パネル部を操作した際の貯留球との干渉を回避することができる。しかしながら、このような構成では貯留皿の遊技機前方への張り出しが大きくなり遊技者に対して圧迫感を与える要因となり得る。一方、前面可動パネル部の動作領域を確保すべく貯留領域形成部を小さくした場合には、貯留量が減少することで貯留皿の利便性が低下する。
【１０４４】
この点、本特徴に示すように、演出実行時にのみ外郭形成部が貯留領域に対して上方から重なる構成とすれば、貯留量を確保しつつ圧迫感の高まりを抑えることができる。
【１０４５】
特徴Ａ１２．前記貯留領域における後部は、遊技球を整列させた状態で取り込む取込通路（整列通路５２３）となっており、
前記前面可動パネル部の移動範囲は、後方への最大変位位置へ到達した場合に、前記取込通路に対する上方から重なりが回避されるように設定されていることを特徴とする特徴Ａ１１に記載の遊技機。
【１０４６】
特徴Ａ１２によれば、取込通路に存在する遊技球が前面可動パネル部によって押されることを抑制し、外郭係止部の後方への移動が遊技球の取り込みの妨げとなることを抑制することができる。
【１０４７】
特徴Ａ１３．前記貯留領域には、底部から起立し、前記取込通路と、同取込通路よりも前方となる領域とを仕切る壁部（仕切り部５２２）が形成されており、
前記壁部の上端部は、前記前面可動パネル部の上面部（天板部５３２）よりも下側に位置していることを特徴とする特徴Ａ１２に記載の遊技機。
【１０４８】
特徴Ａ１３によれば、前面可動パネル部によって貯留球が後方へ押されても、その影響が取込通路におよぶことを抑制できる。
【１０４９】
なお、例えば壁部の上端部と外郭係止部の上面部との高低差を遊技球の直径寸法よりも大きくするとよい。
【１０５０】
特徴Ａ１４．前記壁部と前記前面可動パネル部の上面部との何れかが遊技機側方に傾斜することにより、それら壁部と前面可動パネル部との間隔が側方に向けて大きくなっていることを特徴とする特徴Ａ１３に記載の遊技機。
【１０５１】
特徴Ａ１４によれば、前面可動パネル部と壁部との間に存在する貯留球が前面可動パネル部の操作によって壁部側へ押された場合に、それら貯留球を壁部又は前面可動パネル部に沿って側方へ移動するように促すことができる。これにより、押された貯留球が前面可動パネル部の操作方向と交差する方向に逃げるので、前面可動パネル部の押し込み操作が妨げられにくくなる。
【１０５２】
特に、貯留球の逃げ方向を側方とすることで、押された貯留球が壁部を乗り越えて取込通路側へ流入することを抑制することができる。
【１０５３】
特徴Ａ１５．前記変更手段は、
前記貯留皿又は当該貯留皿に遊技球を案内する案内通路（前扉側上皿通路３５）にて遊技球を検出する遊技球検出手段（球検知センサ３６）と、
前記遊技球検出手段の検出結果に基づいて、前記貯留皿又は前記案内通路における特定位置まで遊技球が貯留されているか否かを判定する貯留判定手段（表示制御装置４１０において上皿５０１が満タンとなっているか否かを判定する機能）と、
前記特定位置まで遊技球が溜まっていると前記貯留判定手段により判定された場合に、前記第２状態への切り替わりを規制する特定規制手段（表示制御装置４１０においてステップＳ６０３の処理を実行する機能）と
を有していることを特徴とする特徴Ａ１１乃至特徴Ａ１４のいずれか１つに記載の遊技機。
【１０５４】
特徴Ａ１１に示したように、遊技者の操作によって貯留領域側へと前面可動パネル部が移動する構成においては、貯留皿が満タンとなっている場合に操作が行われることで、貯留球による操作の妨げが発生しやすくなると懸念される。そこで、本特徴に示すように貯留皿が満タンとなっている場合に第２状態への切り替わりを規制すれば、上手く操作が行えなくなるといった不都合を生じにくくすることができる。
【１０５５】
特徴Ａ１６．遊技領域（遊技領域ＰＥ）に設けられ、遊技球が入球する入球部（作動口８３）と、
所定の発射操作に基づいて前記遊技領域へ前記貯留皿に貯留されている遊技球を発射する遊技球発射手段（遊技球発射機構１１０）と、
前記入球部に遊技球が入球したことに基づいて特別情報を取得する情報取得手段（主制御装置１６２における作動口用の入賞処理）と、
前記情報取得手段の取得した特別情報を、複数の数として予め定められた規定数を上限として記憶する取得情報記憶手段（主制御装置１６２における保留球格納エリア）と
を備え、
前記変更手段は、
前記取得情報記憶手段によって記憶されている特別情報の数が前記規定数に達している場合には、前記特定規制手段による規制を無効とする無効化手段を備えていることを特徴とする特徴Ａ１５に記載の遊技機。
【１０５６】
特別情報の記憶数が規定数に達している場合には、遊技球の発射操作を行わなくても遊技者が不利益を被る可能性が低く、発射操作が妨げられたとしても実害がない。そこで、満タン時には、特定規制手段による規制を無効とすることにより、外郭形成部を操作対象とした演出が発生されにくくなることを抑制することができる。
【１０５７】
また、前面可動パネル部の操作については仮に両手で行われると、発射操作が行われなくなり遊技機の稼働率が低下し得る。この点、特別情報の記憶数が規定数に達している場合に特定規制手段による規制を無効とすれば、稼働率の低下を好適に抑制できる。
【１０５８】
なお、「遊技領域（遊技領域ＰＥ）に設けられ、遊技球が入球する入球部（作動口８３）と、所定の発射操作に基づいて前記遊技領域へ遊技球を発射する遊技球発射手段（遊技球発射機構１１０）と、前記入球部に遊技球が入球したことに基づいて特別情報を取得する情報取得手段（主制御装置１６２における作動口用の入賞処理）と、前記所定の発射操作が行われているか否かを判定する操作判定手段とを備え、前記変更手段は、前記操作判定手段によって前記所定の発射操作が検知されていないと判定された場合には、前記特定規制手段による規制を無効とする無効化手段を備えている」構成を採用することも可能である。
【１０５９】
特徴Ａ１７．前記貯留皿に遊技球を払い出す払出手段（払出装置２２４等）と、
前記第２状態となっている場合には、少なくとも前記第１状態となるまで払出を遅延させる遅延手段と
を備えていることを特徴とする特徴Ａ１１乃至特徴Ａ１６のいずれか１つに記載の遊技機。
【１０６０】
特徴Ａ１７によれば、貯留皿への遊技球の払い出しが前面可動パネル部によって妨げられたり、払い出された遊技球によって外郭形成部の操作が妨げられたりすることを抑制することができる。
【１０６１】
特徴Ｂ１．遊技者により操作される操作手段（押しボタン部材３２０等）と、
前記操作手段の操作に基づいて演出を実行する演出実行手段（表示制御装置４１０）と
を備えた遊技機において、
前記演出実行手段は、繰り返し操作としての第１特定操作が前記操作手段にて行われた場合に、遊技者に同操作手段に対する第２特定操作を促し、
前記第１特定操作が行われたことに基づいて前記第２特定操作を可能とする手段を有していることを特徴とする遊技機。
【１０６２】
特徴Ｂ１によれば、遊技者が第１特定操作（例えば規定回数の繰り返し操作）を行うことで、遊技機にて第２特定操作が促される。このように少なくとも第１特定操作の実行→第２特定操作の催促が行われるため、操作手段を繰り返し操作した場合に同操作に次の操作に繋がる意味を与えることができ、繰り返し操作が無駄であるかのような印象を遊技者に与えにくくすることができる。これにより、操作手段（特定操作）への注目度が低下することを抑制できる。
【１０６３】
なお、例えば通常遊技状態から遊技者に有利な特別遊技状態へ移行する期待度等を第２特定操作が行われる場合に示唆する構成を採用するとよい。かかる構成を採用すれば、上記規定回数を実質的に到達不可能な回数又は実質的に到達可能な回数となるように設定して規定回数への到達の有無により期待度を示唆しなくても、期待度の示唆を行うことができる。規定回数を実質的に到達不可能となり得る構成を採用した場合には操作が無駄になったかのような印象を遊技者に対して与えやすくなるが、第２特定操作が行われる場合に期待度等を示唆する構成を採用することにより、そのような不都合を好適に解消することができる。
【１０６４】
特徴Ｂ２．通常遊技状態よりも遊技者に有利な特別遊技状態を発生させるか否かの抽選を行う抽選手段（主制御装置１６２の抽選機能）を備え、
前記演出実行手段は、予め定められた規定回数の繰り返し操作としての第１特定操作が前記操作手段にて行われた場合に、遊技者に同操作手段に対する第２特定操作を促すものであり、
さらに、前記演出実行手段は、
前記規定回数を設定する回数データを前記特別遊技状態が発生する期待度に応じて複数記憶する記憶手段（表示制御装置４１０のＲＯＭ４１３）と、
前記抽選手段による抽選結果に基づいて前記複数の回数データのうち１つを前記規定回数として設定する設定手段（表示制御装置４１０においてステップＳ３０５等の処理を実行する機能）と
を有していることを特徴とする特徴Ｂ１に記載の遊技機。
【１０６５】
特徴Ｂ２によれば、第１特定操作を行う場合に、何回目の繰り返し操作で規定回数に到達したかによって特別遊技状態の発生期待度が変化することとなる。これにより、第１特定操作（繰り返し操作）に対する注目度の向上に貢献できる。
【１０６６】
特徴Ｂ３．前記設定手段には、前記期待度が高くなるにつれて前記回数データに対応する前記規定回数が多くなるように設定されていることを特徴とする特徴Ｂ２に記載の遊技機。
【１０６７】
特徴Ｂ３によれば、特別遊技状態が発生する期待度が低い場合には規定回数が少なくなり、期待度が高い場合には規定回数が多くなる。このため、第１特定操作を行う場合には、遊技者は規定回数に到達しないことを期待しながら操作を繰り返すこととなり、同繰り返し操作を好適に促すことができる。
【１０６８】
特徴Ｂ４．前記第２特定操作は、前記第１特定操作に対して操作方向及び操作対象の少なくとも何れかが異なっていることを特徴とする特徴Ｂ１乃至特徴Ｂ３のいずれか１つに記載の遊技機。
【１０６９】
特徴Ｂ４によれば、遊技者が連続操作の勢いのままに意図しないタイミングで第２特定操作をしてしまうことを抑制することができる。
【１０７０】
特徴Ｂ５．前記第２特定操作を規制する状態から当該規制を解除する状態に切替可能に設けられた規制手段（カバー用ストッパ装置５４０等）と、
前記規制手段による操作規制を解除するか否かの判定を行う判定手段（表示制御装置４１０においてステップＳ７１２の処理を実行する機能）と、
前記判定手段によって規制を解除する判定がなされた場合に、前記規制手段による操作規制を解除する解除手段（表示制御装置４１０においてステップＳ７１３の処理を実行する機能）と
を備え、
前記演出実行手段は、前記判定手段による判定がなされた場合に、その判定の結果に関係なく前記第２特定操作が可能となっている可能性がある旨を報知することを特徴とする特徴Ｂ１乃至特徴Ｂ４のいずれか１つに記載の遊技機。
【１０７１】
特徴Ｂ５によれば、第１特定操作の実行を条件として第２特定操作に挑戦する権利が発生する。ここで、第２特定操作ができるか否かが分かれるため、第２特定操作後の演出等だけではなく、第２特定操作そのものへの注目度を好適に向上させることができる。故に、操作が単調になって機械的に一連の操作が行われることを回避し、遊技への積極的な参加を促すことができる。
【１０７２】
なお、特徴Ｂ１に示す「前記第１特定操作が行われたことに基づいて前記第２特定操作を可能とする手段」と本特徴に示す「判定手段」及び「解除手段」とはいずれも操作許可手段に相当する。
【１０７３】
特徴Ｂ６．前記演出実行手段は、予め定められた規定回数の繰り返し操作としての第１特定操作が前記操作手段にて行われた場合に、遊技者に同操作手段に対する第２特定操作を促すものであり、
前記規定回数を設定する回数データを前記操作規制が解除される可能性に応じて複数記憶する記憶手段（表示制御装置４１０のＲＯＭ４１３）と、
前記判定手段による判定結果に基づいて前記複数の回数データのうち１つを前記規定回数として設定する設定手段（表示制御装置４１０においてステップＳ３０５等の処理を実行する機能）と
を有していることを特徴とする特徴Ｂ５に記載の遊技機。
【１０７４】
特徴Ｂ６によれば、第２特定操作が可能となる可能性に応じて第１操作にかかる規定回数が決定される。このため、第１特定操作を通じて第２特定操作の可否を予測するという遊技が追加され、特定操作にかかる演出への注目度を好適に向上することができる。
【１０７５】
なお、例えば複数種の規定回数を、同回数が多くなるに連れて操作規制が解除される可能性が高くなるように設定するとよい。これにより、第１特定操作（繰り返し操作）を好適に促すことができる。
【１０７６】
特徴Ｂ７．遊技者により操作される操作手段と、
前記操作手段を操作できないように規制する規制手段と、
前記規制手段による操作規制を解除するか否かの判定を行う判定手段と、
前記判定手段による判定の結果に関係なく、同判定がなされた場合に第２特定操作が可能となっている可能性がある旨を報知する報知手段と
を備えていることを特徴とする遊技機。
【１０７７】
特徴Ｂ７によれば、報知に従って操作手段を操作しようとした場合には、実際に操作できるか否かが分かれることとなる。かかる構成によれば、操作手段の操作結果のみならず、操作そのものに対する注目度を向上することができ、遊技者によって操作が機械的に行われることを抑制できる。これにより、遊技への積極的な参加を促すことができる。
【１０７８】
特徴Ｂ８．前記規制手段は、前記操作手段の操作を規制する規制状態と前記操作手段の操作を規制しない規制解除状態との両状態において外観が同様であると認識されるように構成されており、
前記報知手段は、前記判定手段による判定の結果に関係なく同様の報知を実行することを特徴とする特徴Ｂ７に記載の遊技機。
【１０７９】
特徴Ｂ８によれば、実際に操作手段を操作するまで、外観や報知内容から規制状態か規制解除状態かを判別することが困難又は不可になる。このようにして遊技機の外観等からの操作可否の事前予測を困難又は不可にすることで、操作手段（操作）に対する注目度を好適に向上することができる。
【１０８０】
特徴Ｂ９．前記操作手段は、初期位置から所定方向へ変位可能に構成されており、
前記規制手段は、前記初期位置に配置された前記操作手段に対して前記所定方向における先側から当接することで同操作手段の当該所定方向への変位を規制するものであることを特徴とする特徴Ｂ８に記載の遊技機。
【１０８１】
特徴Ｂ９によれば、操作手段を操作する場合に、規制状態と規制解除状態とでは遊技者に触覚的な差違を伝えることが可能となり、操作手段に対する注目度を一層好適に向上させることができる。
【１０８２】
また、特徴Ｂ７に示した技術的思想を具現化するには、操作（変位）を許容するが、それを有効に受け付けない構成とすることも可能である。しかしながら、かかる構成においては、操作したにも関わらず反応がないことで、あたかも故障しているかのような印象を遊技者に対して与えることになりかねない。この点、本特徴に示すように動きそのものを規制してしまえば、そのような誤解を与えることを回避できる。
【１０８３】
なお、特徴Ｂ８及び特徴Ｂ９にて、規制手段として操作手段をロックするロック機構を採用した場合には、当該ロック機構を遊技者側（遊技機正面側）から視認不可とするとよい。
【１０８４】
特徴Ｂ１０．遊技者により操作される操作手段と、
前記操作手段が予め設定された規定回数操作されたことに基づいて所定の演出を実行する演出実行手段と、
通常遊技状態よりも遊技者に有利な特別遊技状態を発生させるか否かの抽選を行う抽選手段と
を備えた遊技機において、
前記演出実行手段は、
前記規定回数を設定する回数データを前記特別遊技状態が発生する期待度に応じて複数記憶する記憶手段（表示制御装置４１０のＲＯＭ４１３）と、
前記抽選手段による抽選結果に基づいて前記複数の回数データのうち１つを前記規定回数として設定する設定手段（表示制御装置４１０においてステップＳ３０５等の処理を実行する機能）と
を有していることを特徴とする遊技機。
【１０８５】
特徴Ｂ１０によれば、操作手段を繰り返し操作する場合に、何回目の操作で規定回数に到達したかによって特別遊技状態の発生期待度が示唆されることとなる。これにより、第１特定操作（繰り返し操作）に対する注目度の向上に貢献できる。
【１０８６】
特徴Ｂ１１．前記設定手段は、前記抽選手段による抽選の結果が当選結果となっている場合には、外れ結果となっている場合と比べて、前記複数の回数データのうち対応する規定回数が相対的に少ないものよりも相対的に多いものを選択しやすくなるように設定されていることを特徴とする特徴Ｂ１０に記載の遊技機。
【１０８７】
特徴Ｂ１１によれば、特別遊技状態が発生する期待度が低い場合には規定回数が少なくなり、期待度が高い場合には規定回数が多くなる。このため、第１特定操作を行う場合には、遊技者は規定回数に到達しないことを期待しながら操作を繰り返すこととなり、同繰り返し操作を遊技者に対して好適に促すことができる。
【１０８８】
特徴Ｃ１．遊技者により操作される操作手段（操作スイッチユニット４０等）と、
前記操作手段が予め設定された規定回数操作されたことに基づいて所定の演出を実行する演出実行手段（表示制御装置４１０のＭＰＵ４１２）と、
通常遊技状態よりも遊技者に有利な特別遊技状態を発生させるか否かの抽選を行う抽選手段（主制御装置１６２のＭＰＵ４０２）と
を備えた遊技機において、
前記演出実行手段は、
前記規定回数を設定する回数データ（回数決定テーブル）を前記特別遊技状態が発生する期待度に応じて複数記憶する記憶手段（表示制御装置４１０のＲＯＭ４１３）と、
前記抽選手段による抽選結果に基づいて前記複数の回数データのうち１つを前記規定回数として設定する設定手段（表示制御装置４１０においてステップＳ３０５等の処理を実行する機能）と
を有していることを特徴とする遊技機。
【１０８９】
特徴Ｃ１によれば、操作手段を繰り返し操作する場合に、何回目の操作で規定回数に到達したかによって特別遊技状態の発生期待度が示唆されることとなる。これにより、第１特定操作（繰り返し操作）に対する注目度の向上に貢献できる。
【１０９０】
特徴Ｃ２．前記記憶手段に記憶された複数の回数データのうち前記規定回数が多い回数データは、前記抽選手段による抽選の結果が外れ結果となっている場合よりも当選結果となっている場合の方が前記規定回数として設定される確率が高くなるように設定されており、
前記記憶手段に記憶された複数の回数データのうち前記規定回数が少ない回数データは、前記抽選手段による抽選の結果が外れ結果となっている場合よりも当選結果となっている場合の方が前記規定回数として設定される確率が低くなるように設定されていることを特徴とする特徴Ｃ１に記載の遊技機。
【１０９１】
特徴Ｃ２によれば、特別遊技状態が発生する期待度が低い場合には規定回数が少なくなりやすく、期待度が高い場合には規定回数が多くなりやすい。このため、第１特定操作を行う場合には、遊技者は規定回数に到達しないことを期待しながら操作を繰り返すこととなり、同繰り返し操作を遊技者に対して好適に促すことができる。
【１０９２】
特徴Ｃ３．前記演出実行手段は、
前記操作手段の操作を受け付ける操作受付手段（表示制御装置４１０のＭＰＵ４１２）と、
前記操作受付手段にて前記操作手段の操作を受付可能な操作受付期間を設定する受付期間設定手段（表示制御装置４１０のＭＰＵ４１２）と
を有していることを特徴とする特徴Ｃ１又は特徴Ｃ２に記載の遊技機。
【１０９３】
特徴Ｃ３によれば、受付期間を設定しておくことで、遊技者によって操作が過度に遅延されることを回避することができる。
【１０９４】
特徴Ｃ４．前記演出実行手段は、前記操作受付期間内に操作回数が前記規定回数に到したことを契機として、当該操作受付期間の経過を待つことなく前記所定の演出を実行することを特徴とする特徴Ｃ３に記載の遊技機。
【１０９５】
特徴Ｃ４によれば、操作完了→所定の演出となるので、無駄に多くの操作が行われることを抑制し、規定回数（操作回数）と期待度との結びつきを強めることができる。これにより、更なる注目度の向上に貢献できる。
【１０９６】
特徴Ｃ５．前記演出実行手段は、
前記操作受付手段により操作を受け付けた場合に、それら各々の操作に対応するようにして中間演出を実行する中間演出実行手段と、
前記操作受付手段により前記規定回数の操作の受け付けが完了した場合に、最終演出を実行する最終演出実行手段と
を有していることを特徴とする特徴Ｃ３又は特徴Ｃ４に記載の遊技機。
【１０９７】
特徴Ｃ５によれば、最終演出が実行されるまでに各操作に応じた演出が実行されることとなる。
【１０９８】
特徴Ｃ６．前記中間演出実行手段は、前記中間演出として前記操作受付手段により操作を受け付けたことを示唆する手段と、前記中間演出として前記規定回数に対応する全操作のうち一部の操作について又は前記受付期間のうちの一部の期間に亘って前記示唆する手段による示唆を規制する手段（表示制御装置４１０のＭＰＵ４１２）とを有していることを特徴とする特徴Ｃ５に記載の遊技機。
【１０９９】
特徴Ｃ１に示したように規定回数に達することで所定の演出が実行される構成においては、規定回数に到達することで操作部に対する注目度が低下することが懸念される。この点、本特徴によれば、中間演出としての受け付け示唆が規定回数に到達するまでに一時停止する可能性があるため、操作が受け付けられていないような状況（すなわち実際に操作が受け付けられているか否かに関係なく操作の受付示唆が行われない状況）となること＝操作完了とはならない場合が存在することとなる。これにより、実際には規定回数到達している場合であっても、遊技者に対して更に操作が受け付けられるかもしれないという期待感の持続を促し、操作及び操作の結果に対する注目度の低下を抑えることができる。
【１１００】
特徴Ｃ７．前記中間演出実行手段は、前記中間演出として前記操作受付手段により操作を受け付けたことを示唆する手段と、前記中間演出として前記規定回数に対応する全操作のうち一部の操作について又は前記受付期間のうちの一部の期間に亘って前記示唆する手段による示唆を規制する手段（表示制御装置４１０のＭＰＵ４１２）とを有していることを特徴とする特徴Ｃ５に記載の遊技機。
【１１０１】
特徴Ｃ１に示したように規定回数に達することで所定の演出が実行される構成においては、規定回数に到達することで操作部に対する注目度が低下することが懸念される。この点、本特徴によれば、中間演出としての受け付け示唆が規定回数に到達するまでに一時停止する可能性があるため、操作が受け付けられていないような状況（すなわち実際に操作が受け付けられているか否かに関係なく操作の受付示唆が行われない状況）となること＝操作完了とはならない場合が存在することとなる。これにより、実際には規定回数到達している場合であっても、遊技者に対して更に操作が受け付けられるかもしれないという期待感の持続を促し、操作及び操作の結果に対する注目度の低下を抑えることができる。
【１１０２】
特に、内部的には操作を受け付けているものの操作の受付示唆を一時的に行わない構成を採用しているため、受付示唆が行われない状況下にて操作を続けることで受付示唆が復活した場合には、実質的にそれまでの操作分の期待度も上乗せされることとなる。これにより、受付示唆が行われない状況で行った操作に意味を持たせることができ、操作意欲の担保に貢献することができる。
【１１０３】
また、規定回数を超える操作は不要となるため、遊技者に対して余計に多くの操作を催促する必要もない。これにより、操作にかかる演出が間延びすることを抑制することができる。
【１１０４】
なお、特徴Ｃ６又は特徴Ｃ７に示す構成を採用する場合には、例えば規定回数に到達した後の最終演出を実行するタイミングを遅延させる遅延手段を併せて採用するとよい。
【１１０５】
特徴Ｃ８．前記示唆を規制する手段による規制を行うか否かを判定する第１判定手段（表示制御装置４１０のＭＰＵ４１２）と、
前記規定回数に到達した後の前記最終演出を実行するタイミングを遅延させる遅延手段（表示制御装置４１０のＭＰＵ４１２）と、
前記第１判定手段による判定結果が前記規制を行わない結果である場合に、前記遅延手段による遅延を行うか否かを判定する第２判定手段と
を備えていることを特徴とする特徴Ｃ６又は特徴Ｃ７に記載の遊技機。
【１１０６】
特徴Ｃ６によれば、操作回数が規定操作回数に達した際に、最終演出の開始が遅くなる場合がある。これにより、規定回数として少ない回数が設定された場合であっても、まだまだ操作が継続される可能性があるかのような印象を遊技者に対して与えることができ、操作の継続を促すことができる。
【１１０７】
なお、操作規制の発生頻度及び演出遅延の発生頻度は、発生しない頻度よりも低く設定することが好ましい。
【１１０８】
特徴Ｃ９．前記示唆を規制する手段による規制の対象は、前記規定回数に対応する全操作のうち最初の操作及び最後の操作を除く他の操作となるように設定されていることを特徴とする特徴Ｃ６乃至特徴Ｃ８のいずれか１つに記載の遊技機。
【１１０９】
特徴Ｃ９によれば、途中部分で規制が実行されるため、最初から規制が行われる場合と比較して操作手段に故障が発生しているかのような印象を与えにくくすることができる。
【１１１０】
また、最後の操作を規制対象から外すことにより、規定回数が不明のままになることを回避することができる。
【１１１１】
なお、好ましくは規制の対象を規定回数に対応する全操作のうち後半の操作とするとよい。規制が発動した際に、もう終わったと判断して操作を止めてしまう可能性がある。そこで、規制の対象を後半部分としておけば、そのような勘違いが生じた場合であっても、少しでも多くの操作を許容しておくことができる。これにより、規制手段を採用したことに起因した以下の不都合を抑制することができる。すなわち、実際には選択された規定回数が多かったにもかかわらず、遊技者に対して期待度が低かったかのような心象を与えることを抑制できる。
【１１１２】
特徴Ｃ１０．前記規定回数の操作のうち前記示唆を規制する手段によって規制される範囲は、当該規制手段によって規制されない範囲よりも小さくなるように設定されていることを特徴とする特徴Ｃ６乃至特徴Ｃ９のいずれか１つに記載の遊技機。
【１１１３】
特徴Ｃ５等に示した規制手段を採用した場合には、規制の対象が過度におよぶと、実際にはまだ復帰する余地があるにも関わらず操作を途中であきらめてしまうといった事象が生じ得る。つまり、規制手段を採用することが、遊技者に対してどうせ復帰する余地はないとの印象を与える要因になると想定される。そこで、規制範囲を規制しない範囲よりも小さくしておくことで、そのような不都合の発生を抑えることができる。
【１１１４】
なお、「規制される範囲」は、規定回数に対応する全操作のうち一部の操作、規定回数に対応する全操作の完了に要すると想定される全期間のうち一部の期間等に相当する。
【１１１５】
特徴Ｃ１１．前記規定回数を設定する前記回数データ（回数決定テーブル）として、第１の規定回数に対応する第１回数データと当該第１の規定回数よりも少なくとも２回以上多い回数となるように設定された第２の規定回数に対応する第２回数データとが設けられており、
前記示唆を規制する手段は、前記設定手段により前記第２回数データが前記規定回数として設定された場合に、規制の対象を前記第１の規定回数を１つ越えた操作又は当該操作を含むそれ以降の操作の一部とする手段を備えていることを特徴とする特徴Ｃ６乃至特徴Ｃ１０のいずれか１つに記載の遊技機。
【１１１６】
特徴Ｃ１１によれば、遊技者による操作回数が規定回数に到達した場合であっても、更に操作が受け付けられる可能性を残すことができる。これにより、第２規定回数よりも少ない第１規定回数が選択された場合であっても、操作に対する遊技者の注目度が低下することを抑えることができる。
【１１１７】
特徴Ｃ１２．前記操作手段の操作に要する期間を変更する変更手段と、
前記設定手段によって前記規定回数が設定されている場合に、遊技者による前記操作手段の操作に基づいて前記変更手段を制御することで、前回の操作と比べて操作に要する期間を延長する操作期間延長手段（表示制御装置４１０のＭＰＵ４１２）と
を備えていることを特徴とする特徴Ｃ１乃至特徴Ｃ１１のいずれか１つに記載の遊技機。
【１１１８】
特徴Ｃ１に示したように操作回数によって特別遊技状態の発生期待度を示唆する構成においては、操作回数を把握する何回操作を行うことができたが重要となる。そこで、操作手段が操作されたことに基づいて次回の操作に要する期間を延長させる（操作の応答性を低下させる）構成とすれば、１つ１つの操作の差別化を図り、操作回数の把握を遊技者に対して促すことができる。ここで、全ての操作に関して操作期間を延長する構成とした場合には、操作の応答性が低下して、円滑な遊技進行が妨げられると懸念される。この点、遊技者の操作に基づいて次回の操作を期間延長の対象とすることで、上記不都合の発生を抑えることができる。
【１１１９】
なお、特徴Ｃ６等の規制手段を有する構成との組合せにおいては、遊技者が勢いに任せて操作手段を連打等することで規制に気づかないまま一連の演出が終了するおそれがある。この点、本特徴との組合せによれば、そのような事態の発生を抑制し、規制機能による注目度の向上効果を好適に発揮させることができる。
【１１２０】
特徴Ｃ１３．前記操作期間延長手段は、遊技者による前記操作手段の操作が行われた場合に次回の操作が可能であるか否かを判定する操作可否判定手段を有し、当該操作可否判定手段により次回の操作が可能であると判定された場合に前記操作手段の操作ストロークを増加させることを特徴とする特徴Ｃ１２に記載の遊技機。
【１１２１】
特徴Ｃ１３によれば、操作ストロークを増加させる構成とすれば、特徴Ｃ１２に示した技術的思想を好適に具現化することができる。ここで、操作ストロークを増加させる場合には、操作ストロークの増加によって次回の操作が可能であることを示唆することができ、操作手段及びその操作に対する遊技者の注目度の向上に貢献することができる。
【１１２２】
特徴Ｃ１４．都度の操作に基づいて前記操作期間延長手段により増加される前記操作手段の操作ストロークの増加比率は、操作回数が多くなるに連れて大きくなるように設定されていることを特徴とする特徴Ｃ１３に記載の遊技機。
【１１２３】
特徴Ｃ１４によれば、操作回数が少ないうちは迅速な操作を許容しつつ、操作回数が多くなることで慎重な操作を促すことができる。これにより、操作終盤では１つ１つの操作に対する注目度を好適に高めることができる。
【１１２４】
特徴Ｄ１．遊技者により操作される操作手段（操作部６０１，７０１等）と、
前記操作手段が操作された場合に操作信号を出力する信号出力手段（検知センサ６５５，７０８等）と、
前記信号出力手段からの操作信号に基づいて所定の演出を実行する演出実行手段（表示制御装置４１０のＭＰＵ４１２）と、
遊技機正面側から見て前記操作手段の外観が遊技状況に応じて変わっていると認識されるように同操作手段を変形させる変形手段（表示制御装置４１０等）と
を備えていることを特徴とする遊技機。
【１１２５】
特徴Ｄ１によれば、操作手段が変形することにより、視覚的な変化のみならず触覚的な変化を生じさせることができる。遊技状況に応じて操作手段が変形することにより、操作手段に対して動きを伴う演出機能を付与することが可能となり、操作手段に対する注目度の向上が期待できる。
【１１２６】
特徴Ｄ２．遊技機前面部（前扉枠１４）に設けられ、前記操作手段が設置される設置部（上側膨出部２８）を備え、
前記変形手段は、前記操作手段において前記設置部から露出している部分を変形させるものであることを特徴とする特徴Ｄ１に記載の遊技機。
【１１２７】
設置部から露出している部分を変形させる構成とすれば、変形の有無の確認が設置部によって妨げられることを回避することができ、特徴Ｄ１に示した効果を一層好適に発揮させることができる。
【１１２８】
特徴Ｄ３．前記変形手段は、前記操作手段において遊技者が直接触れて操作する部分を変形させるものであることを特徴とする特徴Ｄ１又は特徴Ｄ２に記載の遊技機。
【１１２９】
特徴Ｄ３によれば、遊技者が直接触れて操作する部分を変形させることにより、上述した触覚的な変化を遊技者に対して伝えやすくすることができる。
【１１３０】
なお、特徴Ｄ１〜特徴Ｄ３に示した操作手段については、変形前及び変形後の両方にて操作が許容される構成とすることが好ましい。
【１１３１】
特徴Ｄ４．前記操作手段は、
第１操作部（内側操作部材６１０）と、
前記第１操作部を覆うことで同第１操作部の操作を規制する規制状態、及び当該第１操作部の操作を許容する許容状態に切替可能に設けられた第２操作部（外側操作部材６２０）と
を有し、
前記第２操作部は、前記規制状態となっている場合には、当該第２操作部の操作が許容される構成となっており、
前記変形手段は、前記第２操作部を前記規制状態から前記許容状態に切り替えることを特徴とする特徴Ｄ１乃至特徴Ｄ３のいずれか１つに記載の遊技機。
【１１３２】
特徴Ｄ４によれば、第１操作部が第２操作部によって覆われている規制状態では、第２操作部の操作が可能となっており、第２操作部が許容状態に切り替わることで第１操作部の操作が可能となる。このように操作対象が変更されることにより、操作手段の変形が見逃される機会を減らすことができる。
【１１３３】
なお、本特徴に示すように複数の異なる操作部を操作対象として切り替える構成においては、例えば各操作部の材質や形状等を相違させるとよい。これにより、触覚的な変化をより明確なものとすることができる。
【１１３４】
特徴Ｄ５．前記第１操作部の数と前記第２操作部の数とが相違していることを特徴とする特徴Ｄ４に記載の遊技機。
【１１３５】
特徴Ｄ５によれば、操作対象の数が異なるため、第１操作部が操作対象となっている場合と第２操作部が操作対象となっている場合とで操作手段を用いた演出の態様を相違させることが可能となる。これにより、各操作部の独自性を高めることができる。
【１１３６】
なお、「操作部の数」は、例えば遊技者が直接触れて操作できる部分であり当該操作に基づいて他の部分とは独立して（単独で）変位可能となっている部分の個数を示す。
【１１３７】
特徴Ｄ６．前記変形手段は、前記第２操作部が操作されたことに基づいて当該第２操作部を前記規制状態から前記許容状態に切り替えるものであることを特徴とする特徴Ｄ４又は特徴Ｄ５に記載の遊技機。
【１１３８】
特徴Ｄ６によれば、遊技者の操作に基づいて第２操作部の許容状態への切り替えが実行されることとなる。このように、状態切替の契機を遊技者による第１操作部の操作とすれば、第２操作部に所定の演出（例えば表示画面等における表示演出）の実行契機となる信号を出力する操作手段としての機能の他に、第１操作部へのアクセスの可否を決定付ける機能を付与することができ、第２操作部に対して同第２操作部の操作後も遊技者の注意を引くことができる。これにより、操作手段に対する遊技者の注目度の向上に貢献することができる。
【１１３９】
特徴Ｄ７．前記信号出力手段は、前記第２操作部が操作された場合に前記操作信号を出力するものであり、
更に、前記信号出力手段は、前記第１操作部が操作された場合にも前記操作信号を出力するものであることを特徴とする特徴Ｄ４乃至特徴Ｄ６のいずれか１つに記載の遊技機。
【１１４０】
特徴Ｄ７に示すように第１操作部及び第２操作部で信号出力手段を併用する構成とすれば操作手段及び変形手段にかかる機械的・電気的構成を簡素化することができ、操作対象を切り替えてあたかも遊技態様の多様化を図っているかのように見せつつ、それに起因した構成の煩雑化を抑制することができる。
【１１４１】
特徴Ｄ８．前記第１操作部の操作方向と、前記第２操作部の操作方向とが同一となっており、
前記信号出力手段は、前記第１操作部及び前記第２操作部の少なくとも何れかの前記操作方向への変位に基づいて前記操作信号を出力することを特徴とする特徴Ｄ７に記載の遊技機。
【１１４２】
特徴Ｄ８に示すように各操作部の操作方向を同一とし、第１操作部及び第２操作部の一方の変位に基づいて操作信号を出力する構成とすれば、特徴Ｄ７に示した信号出力手段の共用化を好適に実現することができる。
【１１４３】
特徴Ｄ９．少なくとも前記許容状態となった場合に、遊技者に対して前記操作手段の操作を促す手段を備え、
前記第１操作部及び前記第２操作部は、表面形状及び又は表面の材質の少なくとも何れかが相違していることを特徴とする特徴Ｄ４に記載の遊技機。
【１１４４】
操作手段を変形させる構成においては、同操作手段の変形が遊技者に対して伝わらないことで特徴Ｄ１等に示した注目度向上効果を好適に発揮させることが難しくなる。ここで、本特徴においては、仮に遊技者が操作手段の変形を視覚的に捉えることができなかった場合であっても、操作示唆に基づいて操作部に触れることで感触の違いによって操作手段が変化した旨を把握することができる。このように、少なくとも触覚的な変化を生じさせておくことで、操作手段の変形が見落とされることを抑制できる。
【１１４５】
特徴Ｄ１０．前記第１操作部は、前記第２操作部よりも軟質となるように形成されているとともに、当該第２操作部に対して当接していることを特徴とする特徴Ｄ４又は特徴Ｄ９に記載の遊技機。
【１１４６】
操作対象としての第１操作部を可動式とした場合には、第１操作部の取付強度の確保が難しくなると想定される。ここで、本特徴によれば、第２操作部が操作された際に生じる応力を第２操作部へ分散させることができる。これにより、操作手段の耐久性の向上に貢献できる。
【１１４７】
また、第１操作部は第２操作部よりも軟質となるように構成されているため、第１操作部が操作された際に当該第１操作部が震えることを抑制できる。つまり、第１操作部に第２操作部用の制振機能を付与することができる。これにより、第２操作部の操作性の低下を抑制することができる。
【１１４８】
特徴Ｄ１１．前記操作手段は、遊技者の押圧操作により初期位置から操作完了位置へ変位する構成となっており、
前記変形手段は、前記操作手段が前記初期位置から変位して再び同初期位置に戻る最中にて前記操作手段の変形を開始することを特徴とする特徴Ｄ１乃至特徴Ｄ１０のいずれか１つに記載の遊技機。
【１１４９】
特徴Ｄ１１によれば、遊技者に対して操作手段の変形を触覚的に伝えやすくすることができる。このように、触れている状態での変形を促すことで触れていない状態で変形する場合と比較して、小さな変化であってもその差を遊技者に対して伝えやすくすることができる。
【１１５０】
特徴Ｄ１２．前記操作手段は、遊技者の押圧操作により初期位置から操作完了位置へ変位する構成となっており、
前記操作手段を、前記初期位置及び前記操作完了位置間で変位可能に保持する保持手段を備え、
前記保持手段は、前記変形手段による変形中であっても前記操作完了位置への変位を許容するものであることを特徴とする特徴Ｄ１乃至特徴Ｄ１１のいずれか１つに記載の遊技機。
【１１５１】
特徴Ｄ１等に示したように操作手段が変形する構成においては、操作手段の変形機能によって操作性が低下することは好ましくない。この点、本特徴に示すように、変形中であっても、操作自体が許容される構成とすれば、操作性の低下を抑制し、操作手段が本来有する操作機能を担保することができる。
【１１５２】
特徴Ｄ１３．前記操作手段は、第１操作部材（ボタン部材７２０）及び第２操作部材（可動部材７５０）を有し、
前記第１操作部材において遊技者により押圧操作される第１操作面（上面部７２２）及び前記第２操作部材において遊技者により押圧操作される第２操作面（先端部７５３の端面）は互いに隣接して配置され、それら第１操作面及び第２操作面によって操作面部が（操作面部７０５）が形成されており、
前記変形手段は、
前記第１操作面と前記第２操作面との相対位置を変更させる相対位置変更手段（ソレノイド７７０）と、
前記相対位置変更手段を駆動制御して、少なくとも前記操作手段が操作される場合に前記第１操作面と前記第２操作面との相対位置を変化させることで、前記操作手段を変形させる駆動制御手段（表示制御装置４１０のＭＰＵ４１２）と
を有していることを特徴とする特徴Ｄ１乃至特徴Ｄ３のいずれか１つに記載の遊技機。
【１１５３】
特徴Ｄ１３によれば、操作面部は、第１操作部材の第１操作面及び第２操作部材の第２操作面によって構成されており、両操作面の相対位置の変化することで操作面部が変形する。このように、押圧操作時に遊技者が直接触れる部分を変形させることで、遊技者が変形を見落とす機会を減らすことができる。
【１１５４】
特徴Ｄ１４．前記駆動制御手段は、前記相対位置変更手段を駆動制御することにより、前記操作手段を、前記第１操作面及び前記第２操作面が一連の平面状又は曲面状をなす状態から前記第１操作面及び前記第２操作面のうち一方が他方よりも突出して前記操作面部に段差が生じた状態に切り替えるものであることを特徴とする特徴Ｄ１３に記載の遊技機。
【１１５５】
特徴Ｄ１４に示すように、操作面部を平面状又は曲面状をなす状態から、操作面部に段差（例えば凹凸）が生じた状態に切り替える構成とすることで、触覚的な違いを生じさせる機能を担保しつつ、相対変位量の増加を抑えることができる。
【１１５６】
なお、操作面部が一連の平面状又は曲面状をなしている状態においては、操作面部を押圧する際に手に局所的な負荷が生じることを抑制できる。上記２つの状態が設定されていることで、都度の操作によって生じる遊技者の手への負荷が大きくなることを抑制できる。
【１１５７】
特徴Ｄ１５．前記操作面部における前記第１操作面と前記第２操作面との配設パターンは、前記操作面部が一連の平面状又は曲面状をなしている状態にて遊技者が指で当該操作面部を押圧した場合に、当該指が前記第１操作面及び前記第２操作面の両方にかかるように設定されていることを特徴とする特徴Ｄ１４に記載の遊技機。
【１１５８】
特徴Ｄ１５によれば、遊技者が指や手のひら等で操作面部を押圧した場合には、それら指等が第１操作面及び第２操作面の両方に触れることとなる。これにより、特徴１４に示した変形が生じた場合には、その変化を遊技者が触覚的に把握しやすくなる。故に、遊技者によって変形が見落とされるといった不都合の発生を好適に抑制することができる。
【１１５９】
なお、第１操作面及び第２操作面からなる操作面部においては、当該操作面部に沿う所定の方向で、第１操作面と第２操作面とが交互に露出する構成を採用することにより、本特徴に示した配設パターンを好適に具現化することができる。因みに、本特徴に代えて「前記第１操作面及び前記第２操作面からなる前記操作面部は、当該操作面部に沿う所定の方向で、前記第１操作面と前記第２操作面とが交互に露出するようにして、それら各操作面が配設されていることを特徴とする特徴Ｄ１４に記載の遊技機」を採用することも可能である。
【１１６０】
特徴Ｄ１６．前記第１操作面と前記第２操作面とは、押圧操作の方向とは交差する方向に並設されており、
前記第１操作面と前記第２操作面との相対変位方向は、前記押圧操作の方向と平行となっていることを特徴とする特徴Ｄ１５に記載の遊技機。
【１１６１】
特徴Ｄ１６によれば、操作手段の動きにかかる構成の簡素化に貢献することができる。
【１１６２】
特徴Ｄ１７．前記第１操作面は、前記操作面部における占有率が前記第２操作面よりも大きくなるようにして形成されており、
遊技者による押圧操作が行われた場合に、前記第１操作部材がその押圧方向へ変位可能な状態で保持する保持部（ホルダ部７０２）を備え、
前記第２操作部材は、前記第１操作部材に対して相対変位可能に取り付けられていることを特徴とする特徴Ｄ１４乃至特徴Ｄ１６のいずれか１つに記載の遊技機。
【１１６３】
操作手段については、遊技者による操作対象であるため、ある程度の強度を確保する必要がある。そこで、本特徴に示すように、操作面部における占有率の大きい一方に対して占有率の小さい一方が移動可能に取り付ける構成とすれば、操作手段の強度を好適に担保することができる。
【１１６４】
特徴Ｄ１８．前記第２操作部材は、前記第１操作部材によって囲まれた又は挟まれた領域に配されており、
前記相対位置変更手段は、前記第１操作部材において前記操作面部を構成している部分に対して第２操作部材において前記操作面部を構成している部分が後退するようにして同第２操作部材を移動させることで、前記操作面部を変形させるものであることを特徴とする特徴Ｄ１４乃至特徴Ｄ１７のいずれか１つに記載の遊技機。
【１１６５】
特徴１８によれば、占有率の小さい第２操作部材を後退させる構成とすることで、変形時に操作性が低下することを抑制することができる。
【１１６６】
また、第２操作部材は遊技者（手）側に突出するわけではないので、変位時に遊技者に対して勢いよくぶつかることもない。このため、変位速度を高めることが可能となり、変形に要する期間の短縮に貢献することができる。
【１１６７】
特徴Ｄ１９．第２操作部材を、前記第１操作部材とともに前記操作面部を形成する側へ付勢する付勢手段（バネ部材７６１）を備え、
前記第２操作部材は、前記付勢手段の付勢力によって変形前の位置へ復帰するとともに同位置に維持されることを特徴とする特徴Ｄ１８に記載の遊技機。
【１１６８】
特徴Ｄ１９に示す構成によれば、第２操作部材が変形前の位置に復帰する際には付勢手段による付勢力が利用される。このため、例えば操作面部に対して遊技者の手が当たっている状態で第２操作部材が復帰しようとした場合に、手と第２操作部材とが干渉したとしても、それにより、押圧操作が妨げられるといった不都合を生じにくくすることができる。
【１１６９】
また、第２操作部材を後退方向（押圧方向）変位可能としておくことで、変形前の状態で第２操作部材が押される等した場合であっても、同第２操作部材を変位させるための構造に生じる負荷が大きくなることを抑制できる。これにより、第２操作部材及びそれに付随する構成を保護することができる。
【１１７０】
特徴Ｄ２０．前記操作手段は、遊技者の押圧操作により初期位置から操作完了位置へ変位する構成となっており、
前記変形手段は、前記操作手段が前記操作完了位置に到達したタイミング又は同操作手段が同操作完了位置から前記初期位置に復帰する最中にて前記第２操作部材の後退を開始することを特徴とする特徴Ｄ１８又は特徴Ｄ１９に記載の遊技機。
【１１７１】
特徴Ｄ２０によれば、遊技者に対して操作手段の変形を触覚的に伝えやすくすることができる。このように、触れている状態での変形を促すことで触れていない状態で変形する場合と比較して、小さな変化であってもその差を遊技者に対して伝えやすくすることができる。
【１１７２】
特徴Ｅ１．遊技者により操作される操作手段（操作部６０１，７０１等）、及び前記操作手段が待機位置から変位した場合に同操作手段を前記待機位置に復帰させる復帰手段（ボタン用バネ部材３２５等）を有する操作スイッチユニット（操作スイッチユニット４０等）と、
前記操作により前記操作手段が前記待機位置から操作受付位置に到達することで当該操作を受け付ける受付手段（表示制御装置４１０のＭＰＵ４１２）と、
前記操作手段の状態を変更する状態変更手段（ソレノイド３４０等）と、
前記受付手段による受け付けが行われた場合に、同操作手段が前記待機位置へ復帰するまでに、前記状態変更手段を制御して前記状態の変更を開始させる変更制御手段（表示制御装置４１０のＭＰＵ４１２）と
を備えていることを特徴とする遊技機。
【１１７３】
一般に遊技機においては、遊技演出を行う表示画面等が設けられており、操作手段が操作されたことを契機として操作対応演出が実行される。このため、遊技者の注目は主としてこの表示画面等に向きやすく、操作手段は単なる契機として軽視されがちである。本特徴においては、操作手段の状態を変更する状態変更手段を採用することで、操作手段に対する注目度、ひいては遊技への注目度を向上することが可能である。
【１１７４】
但し、このような状態変更手段を有する遊技機では、状態変更を行ったとしても仮にそれが見逃された場合には、状態変更機能（詳しくは状態変更による報知・演出等の効果）が上手く発揮されなくなると想定される。これは、状態変更手段を採用して操作手段への注目度の向上を図る上で、当該注目度の向上を妨げる要因となり得る。
【１１７５】
この点、操作手段が操作された場合には当該操作手段が待機位置へ復帰するまでに状態変更を開始させる構成とすれば、操作手段に対して遊技者の手が触れている期間中に状態変更が発生する可能性を高くすることができる。これにより、遊技者により状態が変化したことが見逃される機会を減らし、状態変更機能を好適に発揮させることが可能となる。故に、遊技者の操作手段に対する注目度、ひいては遊技への注目度の向上に貢献することができる。
【１１７６】
特徴Ｅ２．前記操作手段の操作が行われる場合に、遊技者に対して所定期間に亘る操作の継続を促す催促手段（表示制御装置４１０のＭＰＵ４１２）を備え、
前記変更制御手段は、前記催促手段によって操作の継続が促されている状況下にて前記受付手段による受け付けが行われた場合に、前記変更を開始させることを特徴とする特徴Ｅ１に記載の遊技機。
【１１７７】
特徴Ｅ２によれば、催促手段によって所定期間に亘る操作の継続を促すとともに、催促が行われている状況下にて操作が受け付けられた場合に上記状態変更を開始させることにより、遊技者が操作手段に対して触れている状況にて操作手段の状態が変更される機会を好適に増やすことができる。これにより、当該変更が行われた事実が見逃されるといった不都合を生じにくくすることができる。
【１１７８】
特徴Ｅ３．前記操作手段の操作が行われる場合に、遊技者に対して所定期間に亘る操作の継続を促す催促手段（表示制御装置４１０のＭＰＵ４１２）を備え、
前記所定期間の途中にて操作が継続されているか否かを判定する継続判定手段（表示制御装置４１０のＭＰＵ４１２）を備え、
前記変更制御手段は、前記継続判定手段により操作が継続されていると判定した場合に、前記変更を開始させることを特徴とする特徴Ｅ１に記載の遊技機。
【１１７９】
特徴Ｅ３によれば、遊技者により操作が継続されていることを条件として操作手段の状態が変更されるため、遊技者が操作手段に触れている状況にて操作手段の状態が変更される機会を好適に増やすことができる。これにより、当該変更が行われた事実が見逃されるといった不都合を生じにくくすることができる。
【１１８０】
特徴Ｅ４．前記操作手段は、遊技者によって押圧操作が行われる押しボタンであり、
前記受付手段は、前記操作手段が押圧操作されて、前記操作受付位置に変位した場合に、当該押圧操作を受け付けるものであり、
前記催促手段は、前記所定期間に亘って前記操作手段を押圧したままで維持するように促すものであることを特徴とする特徴Ｅ３に記載の遊技機。
【１１８１】
特徴Ｅ４によれば、遊技者の手が操作手段に触れている場合に、操作手段の状態が変更される。これにより、当該変更が行われた事実を遊技者に対して伝えやすくすることができる。
【１１８２】
特徴Ｅ５．前記操作手段は、遊技者によって押圧操作が行われることにより予め定められた操作方向に変位可能に設けられた押しボタンであり、
前記操作受付位置は、前記待機位置と前記操作手段の最大変位位置との途中位置となるように設定されており、
前記変更制御手段は、前記操作手段が前記最大変位位置へ到達したタイミング又は当該最大変位位置へ到達する前のタイミングにて前記変更を開始させることを特徴とする特徴Ｅ１又は特徴Ｅ２に記載の遊技機。
【１１８３】
操作手段（押しボタン）が操作によって変位する構成においては、操作手段が最大変位位置（最大押圧位置）まで押し込まれることが多い。そこで、最大変位位置と待機位置との途中にて、すなわち最大変位位置へ到達する前に操作を受け付ける構成とすることで、遊技者の手が触れている可能性がより高いと想定される状況下にて状態変更を実行することができる。このような状況下にて状態変更を開始することで、当該変更が行われた事実を遊技者に対して伝えやすくすることができる。
【１１８４】
特徴Ｅ６．前記操作手段は、第１状態と当該第１状態とは触覚のことなる第２状態とに切替可能となっており、
前記状態変更手段は、前記受付手段による受け付けが行われた場合に、前記操作手段を前記第１状態から前記第２状態に切り替えるものであることを特徴とする特徴Ｅ１乃至特徴Ｅ５のいずれか１つに記載の遊技機。
【１１８５】
特徴Ｅ６に示すように操作手段に遊技者の触覚に訴えるような状態変更が生じる構成においては、操作手段を操作することでその操作に基づく触覚の変化が生じることで、操作手段自身に対する注目度の向上に貢献することができ、操作手段に期待される演出・報知等の効果が期待される。
【１１８６】
しかしながら、操作手段に対して遊技者が触れていない場合には、状態変更機能による演出・報知等の効果を発揮させることは困難になる。ここで、本特徴に対して特徴Ｅ１等に示した技術的思想を適用すれば、状態変更が見逃される等して、触覚の変化を生じさせる機能が上手く発揮されなくなるといった不都合を生じにくくすることができる。上記演出・報知等の機能を好適に発揮させることが可能となる。
【１１８７】
特徴Ｅ７．前記状態変更手段は、前記操作手段の外郭の一部又は全部を動作させることで、上記触覚の変化を生じさせるものであることを特徴とする特徴Ｅ６に記載の遊技機。
【１１８８】
特徴Ｅ６に示した触覚の変化を生じさせる場合には、その応答性が低いと触覚の変化を伝えづらくなると想定される。このような不都合は、例えば操作手段の温度を変更させる場合等に顕著になる。そこで、望ましくは本特徴に示すように操作手段の外郭の一部又は全部を動作させる構成とすれば、上記応答性を容易に担保することができる。
【１１８９】
特徴Ｅ８．遊技者により操作される操作手段（操作部６０１，７０１等）と、
前記操作手段が操作された場合に、当該操作を受け付ける受付手段（表示制御装置４１０のＭＰＵ４１２）と、
前記操作手段の操作が行われる場合に、遊技者に対して所定期間に亘る操作の継続を促す催促手段（表示制御装置４１０のＭＰＵ４１２）を備え、
前記操作手段の状態を変更する状態変更手段（ソレノイド３４０）と、
前記催促手段による催促がおこなれている状況下にて、前記受付手段による受け付けが行われた場合に、前記状態変更手段を制御して前記状態の変更を開始させる変更制御手段（表示制御装置４１０のＭＰＵ４１２）と
を備えていることを特徴とする遊技機。
【１１９０】
操作手段の状態を変更する状態変更手段を有する遊技機においては、例えば表示画面等にて実行される表示演出だけでなく、操作手段そのものに対する注目度を向上することが可能である。このような状態変更手段を有する遊技機では、状態変更を行ったとしても仮にそれが見逃された場合には、状態変更機能（詳しくは状態変更による報知・演出等の効果）が上手く発揮されなくなると想定される。これは、状態変更手段を採用して操作手段への注目度の向上を図る上で、当該注目度の向上を妨げる要因となり得る。
【１１９１】
この点、本特徴によれば、催促手段による操作継続の催促が行われている状況下にて、操作が受け付けが行われた場合に状態変更手段を制御して上記状態変更を開始させることで、操作手段に対して遊技者の手が触れている期間中に状態変更が発生する可能性を高めることができる。これにより、遊技者が状態変更を見逃すといった不都合を生じにくくし、状態変更機能を好適に発揮させることが可能となる。故に、遊技者の操作手段に対する注目度の向上に貢献することができる。
【１１９２】
特徴Ｅ９．前記操作手段は、遊技者によって押圧操作が行われることにより予め定められた操作方向に変位可能に設けられた押しボタンであり、
前記催促手段は、前記所定期間に亘って前記操作手段を押圧したまま維持するように促すものであり、
前記所定期間の途中にて前記操作手段が押圧されたまま維持されているか否かを判定する継続判定手段（表示制御装置４１０のＭＰＵ４１２）を備え、
前記変更制御手段は、前記操作手段が押圧されたまま維持されていると前記継続判定手段により判定されたことを条件として、前記変更を開始させることを特徴とする特徴Ｅ８に記載の遊技機。
【１１９３】
特徴Ｅ９によれば、遊技者の手が操作手段（押しボタン）に触れている場合に、操作手段の状態変更が実行される。これにより、状態変更が見逃されるといった不都合の発生を回避することができる。
【１１９４】
なお、上記特徴Ｅ６及び特徴Ｅ７に示した技術的思想を本特徴に適用してもよい。
【１１９５】
特徴Ｅ１０．前記継続判定手段は、前記所定期間中にて前記操作手段が押圧されたまま維持されているか否かの判定を定期的に実行するものであり、
表示画面（表示画面９４ａ）を有する表示装置（図柄表示装置９４）と、
前記催促手段によって前記操作の継続が促されている状況下にて、前記受付手段により前記操作手段の操作が受け付けられてから少なくとも前記継続判定手段により前記操作手段が押圧されたままの状態で維持されてはいないと判定されるまで前記表示画面にて所定の表示演出を実行する表示演出実行手段（表示制御装置４１０のＭＰＵ４１２）と
を備え
前記変更制御手段は、前記操作手段が押圧されたまま維持されていると前記継続判定手段により判定されたことを条件として、前記変更を開始させることを特徴とする特徴Ｅ９に記載の遊技機。
【１１９６】
特徴Ｅ１０によれば、操作手段を押圧したままとしている間は、所定の表示演出がなされる。このように、遊技者が催促手段による操作の継続の催促に応えた場合に、所定の表示演出が実行される構成とすることで、遊技者が操作手段に触れたままとなる期間を確保しやすくなる。このように操作手段に対して触れたままとなっている期間にて操作手段の状態変更を行うことで、当該状態変更が行われた事実を遊技者に対して伝えやすくすることができる。
【１１９７】
特徴Ｅ１１．前記状態変更手段は、少なくとも前記操作手段が押圧されたままの状態で維持されてはいないと前記継続判定手段により判定されるまで、前記操作手段を変更された状態に維持することを特徴とする特徴Ｅ１０に記載の遊技機。
【１１９８】
特徴Ｅ１１によれば、少なくとも操作手段（押しボタン）を押圧したままとしていることで、操作手段が変更された状態に維持されることとなる。これにより、当該状態変更が行われた事実を遊技者に対して伝えやすくすることができる。
【１１９９】
なお、特徴Ｅ１０及び特徴Ｅ１１に示す技術的思想については、上記特徴Ｅ２〜特徴Ｅ４等に適用することも可能である。
【１２００】
特徴Ｅ１２．表示画面（表示画面９４ａ）を有する表示装置（図柄表示装置９４）と、
前記受付手段によって操作が受け付けられた場合に、前記表示画面にて表示演出を実行する表示演出実行手段と
を備え、
前記所定期間は第１所定期間であり、
前記表示演出実行手段による表示演出を実行する場合に、前記第１所定期間及び当該第１所定期間よりも短く設定された第２所定期間のうち何れかを選択可能な選択手段を備え、
前記選択手段によって前記第２所定期間が選択された場合には、前記表示演出実行手段による表示演出を実行する一方で、前記変更手段による状態変更は行われない構成となっており、
前記変更制御手段は、前記選択手段によって前記第１所定期間が選択されたことを条件として前記制御を行うことを特徴とする特徴Ｅ８乃至特徴Ｅ１１のいずれか１つに記載の遊技機。
【１２０１】
特徴Ｅ１２によれば、第１所定期間及び第２所定期間のうち相対的に長く設定された第１所定期間が選択された場合に、操作手段の状態変更等が実行されることとなる。これにより、遊技者が操作手段に対して触れている期間中に状態の変更を行うという技術的思想を好適に具現化することができる。
【１２０２】
特徴Ｆ１．遊技者による押圧操作の対象であって操作面（操作面部８１１の上面）を有する押圧操作部（操作面部８１１）が形成された操作手段（ボタン部材８１０）と、
前記押圧操作部よりも当該押圧操作部の押圧操作方向における奥側に配置された表示部（発光ユニット８５０）と、
前記押圧操作部及び前記表示部の少なくとも何れかに設けられ、光を拡散する光拡散部（光拡散部８１６）と
を備え、
前記押圧操作部及び前記光拡散部は、光透過性を有し、それら押圧操作部及び光拡散部を通じて前記表示部の表示内容が視認可能となるように形成されており、
前記表示部を前記押圧操作部に近づく側と遠ざかる側とに変位させる駆動部（ソレノイド８８０）を有し、前記表示部と前記押圧操作部との距離を調整する調整手段（表示制御装置４１０等）を備えていることを特徴とする遊技機。
【１２０３】
特徴Ｆ１によれば、表示部と押圧操作部との距離を調整（例えば変更）することで、押圧操作部及び光拡散部を通じた表示内容の見え方等が変化することとなる。詳しくは、表示部と押圧操作部との距離が近い場合には表示内容がはっきりと見え、表示部と押圧操作部との距離が遠い場合には表示内容がぼやけて見える。このようにして、表示内容の見え方を変化させることで、操作手段に表示演出や報知等の機能を付与することができる。これにより、操作手段への注目度の向上に貢献することができる。
【１２０４】
また、表示部を駆動対象とすることにより、以下の効果を発揮が期待できる。例えば、操作手段（押圧操作部）を駆動対象とした場合を想定すると、操作手段が遊技者側に露出しているため操作手段の移動を目視にて確認可能となる。このため、表示内容の見え方を変化させる際に、当該変化を事前に察知することが可能となり、表示内容の見え方の変化そのものよりも、その動作に対して注意が向きやすくなると想定される。これは、表示部等を利用した演出機能を発揮させる上で障害になり得る。この点、本特徴に示すように表示部を駆動対象とすれば、上述の如く操作手段を駆動対象とする構成と比較して、上記不都合の発生を好適に抑制することができ、発光演出による注目度向上効果を好適に発揮させることができる。
【１２０５】
なお、本特徴に示す「表示部」は、「押圧操作部側に所定の報知情報を提示する提示部」、「押圧操作部側に押圧操作部を通じて視認させる視認情報を提示する提示部」、「表示情報を出現させる情報部」を含む。
【１２０６】
特徴Ｆ２．前記表示部は、前記押圧操作部へ光を照射する発光部（発光体８６１）を有し、
前記光拡散部は、前記押圧操作部に設けられており、前記発光部からの光を拡散させるものであることを特徴とする特徴Ｆ１に記載の遊技機。
【１２０７】
発光部からの光が押圧操作部を通過する際に拡散されることで、あたかも押圧操作部が発光しているかのように見せることができる。なお、以下の説明においては、押圧操作部において発光部からの光によってあたかも発光しているかのように見える領域を擬似発光領域と称する。
【１２０８】
発光部からの光は押圧操作部に届くまでに拡がるため、調整手段によって発光部と押圧操作部との距離を変化させることにより、同発光部からの光の拡散度合いを変化させて、押圧操作部における擬似発光領域を拡大／縮小することができる。詳しくは、発光部と押圧操作部とを近づけることにより発光部からの光の拡散を抑えて擬似発光領域を小さくし、発光部と押圧操作部とを遠ざけることにより発光部からの光を拡散させて擬似発光領域を大きくすることができる。これにより、発光演出の多様化等に貢献することができ、同発光演出への注目度を好適に高めることができる。
【１２０９】
また、仮に押圧操作部に対して近い位置と押圧操作部に対して遠い位置とにそれぞれ発光部を設け、状況に応じて発光部を使い分ける構成を採用した場合には、遠い側の発光部を発光させた場合に、近い側の発光部が遠い側の発光部からの光が遮蔽されやすくなる。これは、遠い側の発光部によって広範囲に光を照射するという効果を発揮させにくくする要因となり得る。この点、本特徴に示す構成によれば、このような不都合の発生を抑え、発光範囲の広域化を好適に実現することができる。
【１２１０】
特徴Ｆ３．前記表示部には、前記押圧操作部側に延び前記発光部を囲んで設けられた壁部（例えば起立壁部８７３）を有し、同発光部からの光が前記壁部によって区画された光通路を通過する構成とすることで、当該光が同押圧操作部に照射される照射範囲を所定の範囲となるように規制する光規制部（基板ホルダ８７０）が設けられていることを特徴とする特徴Ｆ２に記載の遊技機。
【１２１１】
特徴Ｆ３によれば、表示部を押圧操作部に近づけることで擬似発光範囲の外縁を明瞭化し、表示部を押圧操作部から遠ざけることで擬似発光範囲の外縁を不明瞭化することができる。このように、遠近の各状態での発光態様に明確な差を設けることで、表示内容が変化した際のインパクトを強めることができ、操作手段等を利用した発光演出等への注目度を好適に向上することができる。
【１２１２】
また、仮に光規制部を押圧操作部側に配した場合、発光部と押圧操作部との距離を変化させることで発光範囲を変更することができるものの、発光部からの光が最終的に光規制部を通じて光透過部に到達することで光透過部の発光範囲が規制されることとなる。つまり、光規制部によって発光範囲が常に規制されることとなる。これは、発光演出等の機能が制限される要因となり得るため好ましくない。この点、本特徴に示すように、光規制部を発光部側に設ける構成とすれば、そのような不都合の発生を好適に抑制することができる。つまり、光規制部が押圧操作部から離れることで、光規制部を通過した光はその先での拡がり許容されることとなる。これにより、発光範囲の広域化機能を好適に発揮させることができる。
【１２１３】
なお、光規制部（壁部）における押圧操作部側の端部が同押圧操作部に対して当接又は近接させることにより、発光範囲の外縁の明瞭化を促進できる。
【１２１４】
特徴Ｆ４．前記調整手段は、遊技者による前記操作手段の押圧操作に基づいて、当該操作の前後で前記押圧操作部への光の照射範囲が変わるように前記押圧操作部と前記表示部との距離を調整することを特徴とする特徴Ｆ３に記載の遊技機。
【１２１５】
特徴Ｆ４に示すように、遊技者の操作に基づいて表示態様を変化させる構成とすれば、以下の効果が期待できる。具体的には、押圧操作部を手で押圧する場合には、少なくとも押圧操作部が手によって覆われることで、表示内容の視認が遊技者自身の手によって妨げられることとなる。そこで、操作が行われた際に、表示部を変位させて光の照射範囲を変更することで、手を押圧操作部から離した際の発光態様の変化を遊技者に対して印象付けやすくなる。
【１２１６】
特徴Ｆ５．前記調整手段による前記表示部と前記押圧操作部との距離の変更途中において、前記発光部による発光を制限可能な変更中制限手段（表示制御装置４１０）を備えていることを特徴とする特徴Ｆ２乃至特徴Ｆ４のいずれか１つに記載の遊技機。
【１２１７】
調整手段を有する構成においては、上述した距離を徐々に変化させることで、表示内容すなわち押圧操作部における発光態様（例えば発光領域）を徐々に変化させることができる。この点、例えば発光部を複数有する構成とし、点灯している発光部の数を増減させることで発光態様を変化させる場合とは明らかに異なる発光態様を実現することができる。しかしながら、このような変化のみでは、遊技者が発光態様の変化を見逃しやすくなると懸念される。
【１２１８】
そこで、調整手段によって距離を変更している場合に発光を制限（消灯）する構成を採用すれば、遊技者が距離変更完了時の発光態様の変化を見逃すことを抑制できる。これにより、発光演出を一層好適なものとすることができる。
【１２１９】
特徴Ｆ６．前記押圧操作部が押圧されている最中であるか否かを判断する判断手段（表示制御装置４１０）を備え、
前記調整手段は、前記判断手段によって押圧中であると判定された場合に、前記表示部の変位を開始することを特徴とする特徴Ｆ２乃至特徴Ｆ５のいずれか１つに記載の遊技機。
【１２２０】
特徴Ｆ６によれば、遊技者の手が押圧操作部に触れている（例えば手で押圧操作部の視認が妨げられている）最中に表示部の変位を開始させることで、表示態様の変化を生じさせるために必要となる動作期間中は、遊技者の手によって、当該動作を見えにくくなるように遮ってもらうことができる。かかる構成とすれば、表示部を変位させる構成を採用したことによる応答性の低下を補うことができる。
【１２２１】
なお、タッチ式の操作部であれば、手が触れている期間中が押圧されている最中に相当し、押圧式の操作部であれば、初期位置から操作検知位置への押し込みが行われている期間中が「操作されている最中」に相当する。
【１２２２】
特徴Ｆ７．前記判断手段によって押圧中であると判断された場合に、前記発光部による発光を制限可能な操作中制限手段（表示制御装置４１０）を備えていることを特徴とする特徴Ｆ６に記載の遊技機。
【１２２３】
調整手段を有する構成においては、上述した距離を徐々に変化させることで、表示内容すなわち押圧操作部における発光態様（例えば発光領域）を徐々に変化させることができる。この点、例えば発光部を複数有する構成とし、点灯している発光部の数を増減させることで発光態様を変化させる場合とは明らかに異なる発光態様を実現することができる。しかしながら、このような変化のみでは、表示態様が変化した際のインパクトが低下し得る。
【１２２４】
そこで、調整手段によって距離を変更している場合に発光を制限（消灯）する構成を採用すれば、変更前後での表示態様の差違を際立たせることができ、表示態様が変化した際のインパクトの低下を好適に抑制することが可能となる。
【１２２５】
特徴Ｆ８．前記操作手段の操作が行われる場合に、遊技者に対して所定期間に亘る操作の継続を促す催促手段（表示制御装置４１０）と、
前記操作手段が操作されたことを検知する操作検知手段（表示制御装置４１０）と
を備え、
前記調整手段は、前記催促手段によって操作の継続が促されている状況下にて前記表示部の変位させることを特徴とする特徴Ｆ６又は特徴Ｆ７に記載の遊技機。
【１２２６】
特徴Ｆ８によれば、催促手段によって所定期間に亘る操作の継続を促すとともに、催促が行われている状況下にて表示部を変位させることにより、遊技者が操作手段（押圧操作部）に対して触れている状況にて表示部を変位させやすくなる。これにより、特徴Ｆ６及び特徴Ｆ７に示した効果を発揮させやすくなる。
【１２２７】
特徴Ｆ９．前記操作手段は、前記押圧操作部が押圧操作されることで、その押圧操作方向に変位する構成となっており、
前記操作手段の変位方向は、前記表示部の変位方向と同じ方向であり、
前記表示部を前記押圧操作部側へ付勢する付勢手段（コイルバネ８４８）を備え、
前記調整手段は、前記操作手段が所定の操作位置に到達している状況下にて前記表示部を変位させることで、当該表示部を前記押圧操作部に対して当接又は近接する位置に配置するものであり、
前記操作手段が操作位置から初期位置に復帰する際に、前記表示部が同操作手段と一緒に前記押圧操作方向とは反対側へ変位することを特徴とする特徴Ｆ１乃至特徴Ｆ８のいずれか１つに記載の遊技機。
【１２２８】
特徴Ｆ９によれば、表示部と操作手段（押圧操作部）とが一緒に変位することで、両者の距離関係を一定に保つことができる。これにより、表示部と押圧操作部とを当接又は近接した状態のままとし、表示部が初期位置に復帰する前の段階で表示態様を変化させるとともに操作手段が復帰している最中及び復帰後も同表示態様を維持することができる。
【１２２９】
また、遊技者の操作によって押圧操作部が表示部に近い位置に到達している状態で表示部を押圧操作部に近づく側へ変位させることで、表示部が押圧操作部に当接又は近接する位置に達するのに要する期間を短くすることができ、上述した発光態様の切り替えに要する期間を短縮することができる。
【１２３０】
特徴Ｆ１０．前記駆動部は、前記操作手段の押圧が解除された場合に、前記表示部を前記押圧操作方向とは反対側へ移動させる手段を有し、
前記操作手段は、前記表示部によって押されることで前記押圧操作方向とは反対側へ変位することを特徴とする特徴Ｆ９に記載の遊技機。
【１２３１】
特徴Ｆ１０によれば、操作手段が復帰する際には、同操作手段が表示部によって押されることで押圧操作方向へ変位する。これにより、操作手段と表示部とを一緒に変位させることができる。
【１２３２】
なお、例えば表示部を押圧操作方向とは反対側へ付勢する付勢手段を備え、押圧手段が押圧操作されている場合には、表示部に操作手段が押圧操作方向における手前側から当接することで同表示部の操作方向とは反対側への変位を規制し、押圧操作が解除されることで付勢手段の付勢力により表示部と操作手段とが押圧操作方向とは反対側へ押される構成とするとよい。
【１２３３】
特徴Ｆ１１．前記操作手段の動作範囲は、前記表示部が初期位置に配置されている状態では、前記押圧操作部と前記表示部との常に隙間が確保されるように設定されており、
前記表示部の動作範囲は、前記操作手段がどの位置に配置されている場合であっても、前記押圧操作部に当接又は近接可能となるように設定されていることを特徴とする特徴Ｆ９又は特徴Ｆ１０に記載の遊技機。
【１２３４】
特徴Ｆ１１によれば、遊技者に押圧操作によって押圧操作部と表示部とが衝突する機会を減らし、操作手段及び表示部の両者を保護することができる。
【１２３５】
一方、表示態様を変化させたい場合には、操作手段の位置に関係なく表示部と押圧操作部とを当接又は近接させることができるため、特徴Ｆ１等に示した各種効果を好適に発揮させることができる。
【１２３６】
特徴Ｆ１２．前記駆動部は、前記表示部を前記押圧操作方向とは反対側に付勢する付勢手段を有してなり、
前記操作手段が押圧操作された場合には、前記押圧操作部によって前記表示部が押されることで、それら操作手段及び表示部が前記付勢手段の付勢力に抗して前記押圧操作方向へ変位することを特徴とする特徴Ｆ９乃至特徴Ｆ１１のいずれか１つに記載の遊技機。
【１２３７】
特徴Ｆ１２によれば、押圧操作が行われている最中であっても表示部と操作部との位置関係を一定に保つことができる。これにより、操作中の操作態様の変化を回避することができる。
【１２３８】
また、操作手段が表示部に当たって上手く押圧操作ができなくなることがなく、表示部を採用したことに起因して操作手段の操作タイミング等が限定されるといった不都合を生じにくくすることができる。
【１２３９】
特徴Ｆ１３．前記調整手段は、前記操作手段の押圧操作の前後で表示態様を変更するものであり、遊技者の押圧操作によって前記操作手段が初期位置と最大押圧位置との間の特定位置に達した場合に、前記表示部の変位を開始させることを特徴とする特徴Ｆ１乃至特徴Ｆ１２のいずれか１つに記載の遊技機。
【１２４０】
特徴Ｆ１３によれば、押圧操作部が遊技者の手等によって覆われている状況下にて表示部が変位を開始させることができる。これにより、例えば押圧操作の完了後に表示部が変位を開始する構成と比較して、表示態様の変更に要する期間が間延びすることを抑制することができる。
【１２４１】
特徴Ｇ１．遊技者により押圧操作される操作手段（操作部９０１）と、
前記操作手段が押圧操作に伴って初期位置から第１位置に到達したか否かを判断する第１判断手段（表示制御装置４１０）と、
前記第１判断手段により前記操作手段が前記第１位置に到達したと判断された場合に、所定の演出を実行する演出実行手段（表示制御装置４１０）と
を備えた遊技機において、
前記操作手段が押圧方向への変位の過程で前記第１位置と前記初期位置との間の第２位置に到達したか否かを判断する第２判断手段（表示制御装置４１０）と、
前記操作手段を押圧操作による押圧方向と同じ方向へ変位させる駆動手段（ソレノイド９８０）と、
前記第２判断手段により前記操作手段が前記第２位置に到達したと判定された場合に、前記操作手段を前記押圧方向へと変位させるように前記駆動手段を制御する駆動制御手段（表示制御装置４１０）と
を備えていることを特徴とする遊技機。
【１２４２】
特徴Ｇ１によれば、操作手段が第２位置に到達することで、当該操作手段が押圧方向へ強制的に変位する（以下便宜上、強制変位と称する）こととなる。このようにして操作手段の強制変位を可能とすることにより、当該強制変位を行わない場合と比較して押圧操作時に触覚的な変化を生じさせることができる。また、実際に押圧操作を行うことで、はじめて触覚的な変化を把握することができ、遊技者に押圧操作を促すことができる。このように、押圧操作に伴う受動的な変位だけでなく能動的な変位が生じる構成とすることで、従来にはない操作感が実現され、操作手段ひいては操作（遊技）への注目度の向上に貢献できる。
【１２４３】
押圧操作を行った際の変位方向（押圧操作方向）と強制変位の方向とを同じ方向としている。このため、操作手段が強制変位することで操作性が低下したり第１位置へ操作手段を到達させることが困難になったりすることを好適に回避することができる。
【１２４４】
特徴Ｇ２．前記駆動制御手段は、前記操作手段を少なくとも前記第１位置まで変位させるようにして前記駆動手段を制御するものであることを特徴とする特徴Ｇ１に記載の遊技機。
【１２４５】
特徴Ｇ２によれば、強制変位実行時には、少なくとも操作手段が第２位置に到達した後は自動的に第１位置へと変位する。このため、操作手段の強制変位（自発的な動き）に驚く等して遊技者が操作手段から手を離したとしても、上記所定の演出が行われないといった不都合が生じない。故に、操作手段を強制的に変位させる構成として触覚的な演出機能を付与しても、それによって所定の演出の実行契機としての操作手段本来の機能が上手く発揮されなくなるといった不都合を生じにくくすることができる。
【１２４６】
特徴Ｇ３．前記駆動手段は、前記駆動制御手段から駆動信号が入力されて励磁状態となることで、前記操作手段を前記押圧方向へ押す又は引っ張るソレノイドであることを特徴とする特徴Ｇ１又は特徴Ｇ２に記載の遊技機。
【１２４７】
特徴Ｇ３によれば、ソレノイドによって操作手段を変位させる構成とすれば、仮にその動作速度（強制変位速度）よりも速い速度で遊技者による押圧操作が行われた場合であっても、駆動手段の動作や操作手段の変位を妨げるような力が生じにくい。これにより、駆動手段や操作手段を保護することができる。
【１２４８】
特徴Ｇ４．前記第２判断手段は、前記操作手段が前記初期位置から変位した場合に、前記第２位置に到達したことに基づいて操作開始を判断する開始判断手段であることを特徴とする特徴Ｇ１乃至特徴Ｇ３のいずれか１つに記載の遊技機。
【１２４９】
押圧操作については勢いよく行われることが多い。このため、上述した強制変位を発生させるタイミングが遅くなると、触覚的な変化を遊技者に対して伝えにくくなり、特徴Ｇ１等に示した構成が上手く活用されなくなる。そこで、本特徴に示すように、強制変位の契機を操作手段の初期位置からの変位とすれば、遊技者の押圧操作の開始に即座に反応して強制変位を実行することができる。これにより、上記不都合の発生を抑えることができる。
【１２５０】
特徴Ｇ５．前記駆動制御手段は、前記駆動手段によって前記操作手段を変位させた場合に、前記押圧方向とは逆方向とはる反押圧方向への前記操作手段の変位を規制することで当該操作手段を変位後の位置にて待機させるように同駆動手段を制御することを特徴とする特徴Ｇ１乃至特徴Ｇ４のいずれか１つに記載の遊技機。
【１２５１】
特徴Ｇ５によれば、操作手段を強制変位させた場合には、操作手段が変位後の位置にて一時的に待機することとなる。このため、操作手段から手を離したとしても同操作手段が直ちに戻ってこないので、押圧方向へ向けて動いている遊技者の手と操作手段とが正面衝突することを回避できる。これにより、強制変位を実行した場合に、遊技者に不快感を与えることを抑制し、操作手段の押圧操作が倦厭されるといった不都合を生じにくくすることができる。
【１２５２】
特徴Ｇ６．前記操作手段に対して前記押圧方向の奥側から当接することで当該操作手段のそれ以上の変位を阻止可能なストッパ手段（ストッパ片９６１）と、前記ストッパ手段を前記操作手段の前記押圧方向への変位を阻止する阻止状態及び当該押圧方向への変位を許容する許容状態に切り替える切替手段（駆動部９５３）とを有し、前記駆動手段が制御され前記操作手段が押圧方向へ変位する場合に前記ストッパ手段を阻止状態から許容状態に切り替えることで操作ストロークを拡大する操作ストローク変更手段（押圧側ストッパ機構９６０）を備えていることを特徴とする特徴Ｇ１乃至特徴Ｇ５のいずれか１つに記載の遊技機。
【１２５３】
操作手段を強制変位させる場合には、その操作ストロークが小さいと、遊技者が触覚的な変化を把握することが困難になると懸念される。一方で、強制変位を考慮して、操作ストロークを予め大きく設定しておいた場合には、強制変位を伴わない押圧操作時の操作性が低下すると懸念される。
【１２５４】
そこで、本特徴に示すように、操作手段の強制変位を行う場合に押圧方向へ操作ストロークを拡大する構成とすれば、上記各不都合の発生を抑え、実用上好ましい構成を実現できる。
【１２５５】
特徴Ｇ７．開口部（中央開口９１１）を有し、前記操作手段が当該開口部から突出するようにして設置される設置部（ホルダ部９０２）を備え、
前記ストッパ手段は、当該ストッパ手段に当接する位置に前記操作手段が到達した状態では当該操作手段の一部が前記開口部から突出したままとなるように設定されており、
前記操作ストローク変更手段は、前記ストッパ手段を前記許容状態に切り替えることで、前記強制変位が発生する場合の押圧限界位置を前記操作手段が前記開口部内に埋没する位置となるようにして前記操作ストロークの拡大を行うことを特徴とする特徴Ｇ６に記載の遊技機。
【１２５６】
特徴Ｇ７によれば、遊技者が手で操作手段を押圧操作した場合には、手が設置部に当たって止まる一方で、操作手段はそれよりも後退するため、当該操作手段が手から離間しやすい。これにより、操作手段が自発的に変位した事実を遊技者に対して伝えやすくすることができる。但し、遊技者は検知位置を狙って押圧操作を行うのではなく、押圧限界位置で止まるようにして押圧操作を行うことが一般的である。そのため、毎度の操作で、埋没する位置が押圧限界位置として設定されていると操作を行いにくいとの印象を与えかねない。本特徴に示す構成を採用すれば、操作手段全体が埋没する押圧限界位置へは操作手段が強制的に変位するため、そのような不都合を生じない。
【１２５７】
以下に、以上の各特徴を適用し得る遊技機の基本構成を示す。
【１２５８】
パチンコ遊技機：遊技者が操作する操作手段（遊技球発射ハンドル４５）と、その操作手段の操作に基づいて遊技球を発射する遊技球発射手段（遊技球発射機構１１０）と、その発射された遊技球を所定の遊技領域（遊技領域ＰＥ）に導く球通路（誘導レール１００の誘導通路１０３）と、遊技領域内に配置された各遊技部品（釘８７等）とを備え、それら各遊技部品のうち所定の通過部（一般入賞口８１等）を遊技球が通過した場合に遊技者に特典を付与する遊技機。
【１２５９】
スロットマシン等の回胴式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにした遊技機。
【１２６０】
球使用ベルト式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【符号の説明】
【１２６１】
１０…遊技機としてのパチンコ機、１４…遊技機前面部を構成する前扉枠、２８…上側膨出部、９４…図柄表示装置、１６２…抽選手段を構成する主制御装置、４１０…表示制御装置、４１１…表示制御基板、４１２…ＭＰＵ、８００…操作スイッチユニット、８１０…操作手段としてのボタン部材、８１１…押圧操作部としての操作面部、８１５…ミラー形成層、８１６…光拡散部、８２０…ホルダ部、８２５…位置検知センサ、８２６…位置検知センサ、８４０…台座部材、８４８…コイルバネ、８４９…コイルバネ、８５０…表示部を構成する発光ユニット、８６０…発光基板、８６１…発光部としての発光体、８７０…基板ホルダ、８７１…対向板部、８７３…起立壁部、８８０…ソレノイド、９００…操作スイッチユニット、９０１…操作手段を構成する操作部、９０２…ホルダ部、９１１…開口部としての中央開口、９１４…第１受け部、９１５…第２受け部、９２０…ボタン部材、９４１…バネ部材、９５０…突出側ストッパ機構、９５１…ストッパ片、９５２…バネ部材、９５３…駆動部、９６０…操作ストローク変更手段を構成する押圧側ストッパ機構、９６１…ストッパ部を構成するストッパ片、９６２…バネ部材、９６３…駆動部、９７１…位置検知センサ、９７２…位置検知センサ、９８０…ソレノイド。
【図１】
0005845626.tif 000002
【図２】
0005845626.tif 000003
【図３】
0005845626.tif 000004
【図４】
0005845626.tif 000005
【図５】
0005845626.tif 000006
【図６】
0005845626.tif 000007
【図７】
0005845626.tif 000008
【図８】
0005845626.tif 000009
【図９】
0005845626.tif 000010
【図１０】
0005845626.tif 000011
【図１１】
0005845626.tif 000012
【図１２】
0005845626.tif 000013
【図１３】
0005845626.tif 000014
【図１４】
0005845626.tif 000015
【図１５】
0005845626.tif 000016
【図１６】
0005845626.tif 000017
【図１７】
0005845626.tif 000018
【図１８】
0005845626.tif 000019
【図１９】
0005845626.tif 000020
【図２０】
0005845626.tif 000021
【図２１】
0005845626.tif 000022
【図２２】
0005845626.tif 000023
【図２３】
0005845626.tif 000024
【図２４】
0005845626.tif 000025
【図２５】
0005845626.tif 000026
【図２６】
0005845626.tif 000027
【図２７】
0005845626.tif 000028
【図２８】
0005845626.tif 000029
【図２９】
0005845626.tif 000030
【図３０】
0005845626.tif 000031
【図３１】
0005845626.tif 000032
【図３２】
0005845626.tif 000033
【図３３】
0005845626.tif 000034
【図３４】
0005845626.tif 000035
【図３５】
0005845626.tif 000036
【図３６】
0005845626.tif 000037
【図３７】
0005845626.tif 000038
【図３８】
0005845626.tif 000039
【図３９】
0005845626.tif 000040
【図４０】
0005845626.tif 000041
【図４１】
0005845626.tif 000042
【図４２】
0005845626.tif 000043
【図４３】
0005845626.tif 000044
【図４４】
0005845626.tif 000045
【図４５】
0005845626.tif 000046
【図４６】
0005845626.tif 000047
【図４７】
0005845626.tif 000048
【図４８】
0005845626.tif 000049
【図４９】
0005845626.tif 000050
【図５０】
0005845626.tif 000051
【図５１】
0005845626.tif 000052
【図５２】
0005845626.tif 000053
【図５３】
0005845626.tif 000054
【図５４】
0005845626.tif 000055
【図５５】
0005845626.tif 000056
【図５６】
0005845626.tif 000057